(57)【要約】【課題】第２遊技盤部材が破損することを抑制できる遊技機を提供すること。【解決手段】第１入賞部材１０４００は、背面側に膨出する膨出部２４２０とその膨出部２４２０の突出する突設部１０４２２とを備えて形成される。膨出部２４２０は、遊技釘ＹＫが植設される背面に形成される。突出部１０４２２は、２本の遊技釘を連結する可能線の延設方向に突出して形成される。これにより、第１入賞部材１０４００の剛性を高めることができる。よって、第１入賞部材１０４００が破損することを抑制できる。【選択図】図２８
2020073086.tif 000002
【特許請求の範囲】
【請求項１】
第１遊技盤部材と、その第１遊技盤部材に着脱自在に配設され前記第１遊技盤部材と共に遊技盤を形成する第２遊技盤部材とを備え、前記第２遊技盤部材に釘が植設された遊技機において、
前記釘への外力の作用に伴う前記第２遊技盤部材の破損を抑制可能に形成されることを特徴とする遊技機。
【請求項２】
前記第２遊技盤部材は、前記釘が植設される植設部と、その植設部よりも厚み寸法が小さくされると共に前記第１遊技盤部材に当接されて締結固定される当接部とを備え、前記当接部が、前記第１遊技盤部材との当接面から突設されると共に前記植設部に連なる厚肉部を備えることを特徴とする請求項１記載の遊技機。
【請求項３】
前記第２遊技盤部材には２本の釘が植設され、それら２本の釘を結ぶ仮想線の延長線に沿って前記厚肉部が形成されることを特徴とする請求項２記載の遊技機。
【発明の詳細な説明】
【技術分野】
【０００１】
本発明は、パチンコ機などの遊技機に関するものである。
【背景技術】
【０００２】
パチンコ機等の遊技機において、第１遊技盤部材と、その第１遊技盤部材に着脱自在に配設され第１遊技盤部材と共に遊技盤を形成する第２遊技盤部材とを備え、第２遊技盤部材に釘が植設された遊技機が知られている（特許文献１）。
【先行技術文献】
【特許文献】
【０００３】
【特許文献１】特開２００３−３１０９０５号公報
【発明の概要】
【発明が解決しようとする課題】
【０００４】
しかしながら、上述した遊技機では、第２遊技盤部材が破損しやすいという問題点があった。
【０００５】
本発明は、上記例示した問題点を解決するためになされたものであり、第２遊技盤部材が破損することを抑制できる遊技機を提供することを目的とする。
【課題を解決するための手段】
【０００６】
この目的を達成するために請求項１記載の遊技機は、第１遊技盤部材と、その第１遊技盤部材に着脱自在に配設され前記第１遊技盤部材と共に遊技盤を形成する第２遊技盤部材とを備え、前記第２遊技盤部材に釘が植設されたものであり、前記釘への外力の作用に伴う前記第２遊技盤部材の破損を抑制可能に形成される。
【０００７】
請求項２記載の遊技機は、請求項１記載の遊技機において、前記第２遊技盤部材は、前記釘が植設される植設部と、その植設部よりも厚み寸法が小さくされると共に前記第１遊技盤部材に当接されて締結固定される当接部とを備え、前記当接部が、前記第１遊技盤部材との当接面から突設されると共に前記植設部に連なる厚肉部を備える。
【０００８】
請求項３記載の遊技機は、請求項２記載の遊技機において、前記第２遊技盤部材には２本の釘が植設され、それら２本の釘を結ぶ仮想線の延長線に沿って前記厚肉部が形成される。
【発明の効果】
【０００９】
請求項１記載の遊技機によれば、第２遊技盤部材が破損することを抑制できる。
【００１０】
請求項２記載の遊技機によれば、請求項１記載の遊技機の奏する効果に加え、第２遊技盤部材が破損することを抑制できる。
【００１１】
請求項３記載の遊技機によれば、請求項２記載の遊技機の奏する効果に加え、第２遊技盤部材の割れを抑制できる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤の分解斜視正面図である。
【図６】（ａ）は、入賞口ユニットの正面図であり、（ｂ）は、入賞口ユニットの背面図である。
【図７】（ａ）は、入賞口ユニットの側面図であり、（ｂ）は、図６（ａ）のＶＩＩｂ−ＶＩＩｂ線における入賞口ユニットの断面図である。
【図８】（ａ）は、入賞口ユニットの斜視正面図であり、（ｂ）は、入賞口ユニットの斜視背面図である。
【図９】第２実施形態におけるパチンコ機の正面図である。
【図１０】パチンコ機の分解斜視正面図である。
【図１１】（ａ）は、入賞口ユニットの正面図であり、（ｂ）は、図１１（ａ）のＸＩｂ−ＸＩｂ線における入賞口ユニットの断面図であり、（ｃ）は、図１１（ａ）のＸＩｃ−ＸＩｃ線における入賞口ユニットの断面図である。
【図１２】入賞口ユニットの分解斜視正面図である。
【図１３】入賞口ユニットの分解斜視背面図である。
【図１４】（ａ）は、遊技盤の正面図であり、（ｂ）は、図１４（ａ）のＸＩＶｂ−ＸＩＶｂ線における遊技盤の断面図であり、（ｃ）は、図１４（ａ）のＸＩＶｃ−ＸＩＶｃ線における遊技盤の断面図である。
【図１５】（ａ）は、遊技盤の正面図であり、（ｂ）は、図１５（ａ）のＸＶｂ−ＸＶｂ線における遊技盤の断面図であり、（ｃ）は、図１５（ａ）のＸＶｃ−ＸＶｃ線における遊技盤の断面図である。
【図１６】（ａ）は、第３実施形態における遊技盤の正面図であり、（ｂ）は、図１６（ａ）のＸＶＩｂ−ＸＶＩｂ線における遊技盤の断面図である。
【図１７】遊技盤の斜視正面図である。
【図１８】遊技盤の分解斜視正面図である。
【図１９】（ａ）は、第４実施形態における遊技盤の正面図であり、（ｂ）は、図１９（ａ）のＸＩＸｂ−ＸＩＸｂ線における遊技盤の断面図である。
【図２０】遊技盤の分解斜視正面図である。
【図２１】（ａ）は、第５実施形態における遊技盤の正面図であり、（ｂ）は、図２１（ａ）のＸＸＩｂ−ＸＸＩｂ線における遊技盤の断面図である。
【図２２】遊技盤の分解斜視正面図である。
【図２３】（ａ）は、第６実施形態における遊技盤の正面図であり、（ｂ）は、図２３（ａ）のＸＸＩＩＩｂ−ＸＸＩＩＩｂ線における遊技盤の断面図である。
【図２４】遊技盤の分解斜視正面図である。
【図２５】（ａ）は、第７実施形態における遊技盤の正面図であり、（ｂ）は、図２５（ａ）のＸＸＶｂ−ＸＸＶｂ線における遊技盤の断面図である。
【図２６】遊技盤の分解斜視正面図である。
【図２７】（ａ）は、第８実施形態における遊技盤の断面図である。（ｂ）は、第９実施形態における遊技盤の断面図である。
【図２８】第１０実施形態における第１入賞部材の背面斜視図であり、（ｂ）は、第１入賞部材およびベース板の分解斜視正面図である。
【図２９】（ａ）は、遊技盤の正面図であり、（ｂ）は、図２９（ａ）のＸＸＩＸｂ−ＸＸＩＸｂ線における遊技盤の断面図である。
【図３０】（ａ）は、第１１実施形態における第１入賞部材およびベース板の分解斜視正面図であり、（ｂ）は、第１入賞部材およびベース板の断面図である。
【図３１】（ａ）は、第１２実施形態における第１入賞部材の分解斜視正面図であり、（ｂ）は、図３１（ａ）の第１入賞部材の分解上面図である。
【図３２】（ａ）は、第１入賞部材の上面図であり、（ｂ）は、図３２（ａ）の範囲ＸＸＸＩＩｂにおける第１入賞部材の部分拡大上面図である。
【図３３】（ａ）は、第１３実施形態における遊技盤の断面図であり、（ｂ）は、図３３（ａ）のＸＸＸＩＩＩｂ−ＸＸＸＩＩＩｂ線における遊技盤の断面図である。
【図３４】遊技盤の分解斜視正面図である。
【図３５】第１４実施形態における遊技盤及び通路形成部材の分解斜視正面図である。
【図３６】（ａ）及び（ｂ）は、遊技盤および通路形成部材の断面図である。
【図３７】（ａ）は、第１５実施形態における第１入賞部材の斜視正面図であり、（ｂ）は、遊技盤の断面図である。
【図３８】（ａ）及び（ｂ）は、第１６実施形態における遊技盤および前面枠の断面図である。
【図３９】第１７実施形態における遊技盤の分解斜視正面図である。
【図４０】（ａ）は、遊技盤の正面図であり、（ｂ）は、図４０（ａ）のＸＬｂ−ＸＬｂ線における遊技盤の断面図である。
【図４１】（ａ）は、第１８実施形態における遊技盤の正面図であり、（ｂ）は、図４１（ａ）のＸＬＩｂ−ＸＬＩｂ線における遊技盤の断面図である。
【図４２】遊技盤の分解斜視正面図である。
【図４３】（ａ）から（ｃ）は、遊技盤の断面図である。
【図４４】第１９実施形態における遊技盤の分解斜視正面図である。
【図４５】（ａ）は、遊技盤の正面図であり、（ｂ）は、図４５（ａ）のＸＬＶｂ−ＸＬＶｂ線における遊技盤の断面図である。
【図４６】（ａ）は、遊技盤の正面図であり、（ｂ）は、図４６（ａ）のＸＬＶＩｂ−ＸＬＶＩｂ線における遊技盤の断面図である。
【図４７】（ａ）は、第２０実施形態における遊技盤の正面図であり、（ｂ）は、図４７（ａ）のＸＬＶＩＩｂ−ＸＬＶＩＩｂ線における遊技盤の断面図である。
【図４８】遊技盤の分解斜視正面図である。
【図４９】（ａ）は、第２１実施形態における遊技盤の正面図であり、（ｂ）は、図４９（ａ）のＸＬＩＸｂ−ＸＬＩＸｂ線における遊技盤の断面図である。
【図５０】（ａ）及び（ｂ）は、図４９（ａ）のＬｂ−Ｌｂ線における遊技盤の断面図である。
【図５１】（ａ）は、第２２実施形態における入賞口ユニットの分解斜視図であり、（ｂ）は、遊技盤の正面図である。
【図５２】（ａ）は、図５１（ｂ）のＬＩＩａ−ＬＩＩａ線における遊技盤の断面図であり、（ｂ）は、図５２（ａ）のＬＩＩｂ−ＬＩＩｂ線における遊技盤の断面図である。
【図５３】（ａ）は、第２３実施形態における第１入賞部材の斜視正面図であり、図５３（ｂ）は、遊技盤の正面図である。
【図５４】（ａ）及び（ｂ）は、図５３（ａ）のＬＩＶａ−ＬＩＶａ線における遊技盤の断面図である。
【図５５】第２４実施形態における第１入賞部材について説明する。
【図５６】第２５実施形態における第１入賞部材のベース板への締結方向について説明する。
【図５７】（ａ）は、遊技盤の正面図であり、（ｂ）及び（ｃ）は、図５７（ａ）のＬＶＩＩ−ＬＶＩＩ線における遊技盤の断面図である。
【図５８】第２６実施形態における遊技盤の分解斜視正面図である。
【図５９】（ａ）及び（ｂ）は、遊技盤の断面図である。
【発明を実施するための形態】
【００１３】
以下、本発明の実施形態について、添付図面を参照して説明する。まず、図１から図８を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１５】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００１７】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【００１８】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２１】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その左側に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、正面方向に付勢されており、その付勢に抗して背面方向へスライドさせることにより、下皿５０の底面に形成された底面口が開口して、その底面口から球が自然落下して排出される。この球抜きレバー５４ｂの操作は、通常、下皿５０の下方に下皿５０から排出された球を受け取る箱（一般に「千両箱」と称される）を置いた状態で行われる。
【００２５】
図２に示すように、遊技盤１３は、正面視略正方形状に切削加工したベース板６０に、球案内用の多数の釘（図示せず）や風車の他、レール６１，６２、一般入賞口６３、第１入賞口６４、第２入賞口６４０、可変入賞装置６５、スルーゲート６７、可変表示装置ユニット８０等を組み付けて構成され、その周縁部が内枠１２（図１参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入賞口６４、第２入賞口６４０、可変入賞装置６５、可変表示装置ユニット８０は、ルータ加工によってベース板６０に形成された貫通穴に配設され、遊技盤１３の前面側からタッピングネジ等により固定されている。
【００２６】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００２７】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２とレール間を繋ぐ樹脂製の外縁部材７３とにより区画して形成される領域（入賞口等が配設され、発射された球が流下する領域）である。
【００２８】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３０】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３１】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３５】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。
【００３７】
また、可変表示装置ユニット８０には、第３図柄表示装置８１の外周を囲むようにして、センターフレーム８６が配設されている。このセンターフレーム８６の中央に開口される開口部から第３図柄表示装置８１が視認可能とされる。
【００３８】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３９】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４０】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４２】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４３】
スルーゲート６７は、可変表示装置ユニット８０の下側の領域における右方において遊技盤に組み付けられ、遊技盤に発射された球のうち、遊技盤の右方を流下する球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４５】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可変表示装置ユニット８０の右方に限定されるものではなく、例えば、可変表示装置ユニット８０の左方でも良い。また、第１図柄表示装置３７Ａ，３７Ｂにより保留球数が示されるので、第２図柄保留ランプにより点灯表示を行わないものとしてもよい。
【００４６】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４７】
一方、第１入賞口６４の正面視右方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４８】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００４９】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００５０】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（引込み状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００５１】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【００５２】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５３】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００５４】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５５】
第１入賞口６４の右側には可変入賞装置６５が配設されており、その略中央部分に横長矩形状の特定入賞口（大開放口）６５ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５６】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５７】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００５８】
第１入賞口６４の左上には第２可変入賞装置８２ａが配設され、その近傍に第２特定入賞口８２が設けられている。通常は第２可変入賞装置８２ａが閉鎖状態（縮小状態）となって、球が第２特定入賞口８２へと入賞できないようになっている。一方、特定の大当たり（例えば、１５Ｒ確変大当たり）の際に第２可変入賞装置が開放する（拡大状態となる）ことで、球が第２特定入賞口８２に入賞しやすい特別遊技状態とすることができる。
【００５９】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の上方右側に限らず、例えば、可変表示装置ユニット８０の左方でも良い。
【００６０】
遊技盤１３の下側における右隅部には、証紙や識別ラベル等を貼着するための貼着スペースＫ１が設けられ、貼着スペースＫ１に貼られた証紙等は、前面枠１４の小窓３５（図１参照）を通じて視認することができる。
【００６１】
遊技盤１３には、第１アウト口７１が設けられている。遊技領域を流下する球であって、いずれの入賞口６３，６４，６５ａ，６４０，にも入賞しなかった球は、第１アウト口７１を通って図示しない球排出路へと案内される。第１アウト口７１は、第１入賞口６４の下方に配設される。
【００６２】
遊技盤１３には、球の落下方向を適宜分散、調整等するために多数の釘が植設されているとともに、風車等の各種部材（役物）とが配設されている。
【００６３】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６４】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６５】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６６】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６７】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６８】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００６９】
次に、図４を参照して、本パチンコ機１０の電気的構成について説明する。図４は、パチンコ機１０の電気的構成を示すブロック図である。
【００７０】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００７１】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７２】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７３】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７４】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７５】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７６】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７７】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７８】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７９】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８０】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８１】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。
【００８２】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８３】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８４】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８５】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８６】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８７】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８８】
次いで、図５から図８を参照して、第１入賞口６４が形成される入賞口ユニット３００について詳しく説明する。
【００８９】
初めに、図５から図８を参照して、入賞口ユニット３００の構成について説明する。図５は、遊技盤１３の分解斜視正面図である。図６（ａ）は、入賞口ユニット３００の正面図であり、図６（ｂ）は、入賞口ユニット３００の背面図である。図７（ａ）は、入賞口ユニット３００の側面図であり、図７（ｂ）は、図６（ａ）のＶＩＩｂ−ＶＩＩｂ線における入賞口ユニット３００の断面図である。図８（ａ）は、入賞口ユニット３００の斜視正面図であり、図８（ｂ）は、入賞口ユニット３００の斜視背面図である。なお、図５では、遊技盤１３からセンターフレーム８６及び入賞口ユニット３００を取り外した状態が図示される。また、図６（ｂ）及び図７（ａ）には、断面略Ｄ字に形成される通路形成部材３３０の上方端部の屈曲部分の延設方向に沿って仮想線Ｓ１が図示される。
【００９０】
図５に示すように、ベース板６０には、センターフレーム８６が取り付けられる中央開口のやや下側（図２下側）に厚み方向に貫通する貫通孔６０ａがルータ加工によって形成される。入賞口ユニット３００は、後述する通路形成部材３３０が貫通孔６０ａに挿入されると共に、遊技盤１３の前面側からタッピングネジ等により固定される。
【００９１】
次いで、図６から図８に示すように、入賞口ユニット３００は、板状体に形成されるベース部材３１０と、そのベース部材３１０の正面側（図６（ａ）紙面手前側）に突出する球入賞部材３２０と、ベース板６０の背面側に突出する通路形成部材３３０と主に備え、これらベース部材３１０，球入賞部材３２０及び通路形成部材３３０が一体に樹脂材料から形成される。
【００９２】
ベース部材３１０は、貫通孔６０ａよりも大きい板状に形成されると共に、ベース板６０と平行に配設される（図５参照）。また、ベース部材３１０は、前面側（図７（ａ）右側）から背面側（図７（ａ）左側）に貫通形成される開口部３１１と、その開口部３１１の上方（図２上方）に位置し、前面側から背面側に向かって凹設される２つの凹設部３１２（図７（ｂ）参照）と、ベース部材３１０の周縁部に貫通形成される複数の貫通孔３１３と、円柱状に形成されると共に背面側に突出形成される突起３１４とを主に備えて形成される。
【００９３】
開口部３１１は、後述する球入賞部材３２０（第１入賞口６４）の内部に送球された遊技球を背面側に送球可能にする孔であり、遊技球の直径よりも大きい寸法に形成される。
【００９４】
凹設部３１２は、後述する遊技釘ＹＫをベース板６０に打ち込むための下孔であり、遊技釘ＹＫを打ち込む延長線上に凹設される。また、凹設部３１２は、遊技釘ＹＫを打ち込む方向視において、円形状に形成されており、その内径が遊技釘の外形よりもやや小さく形成される。これにより、遊技釘ＹＫを凹設部３１２に打ち込む場合に、遊技釘ＹＫと凹設部３１２との接触抵抗を減らすと共に、遊技釘ＹＫを凹設部３１２の内面で保持することができる。
【００９５】
なお、遊技釘ＹＫは、上方（図７（ａ）上方）に５度傾斜して、ベース部材３１０（入賞口ユニット３００）に打ち込まれる。従って、凹設部３１２は、前面側から背面側に向かって５度下方に傾斜して凹設される。
【００９６】
遊技釘ＹＫは、ベース部材３１０に２本配設されると共に、釘の頭側が遊技領域に飛び出した状態とされる。２本の遊技釘ＹＫは、後述する球入賞部材３２０の側壁３２１の上方端部の上方にそれぞれ配設されると共に、２本が同一の高さに設定される。これにより、２本の遊技釘ＹＫの間隔を調整して、遊技領域を流下する遊技球の球数に対して、第１入賞口６４に流入する球数を調整できる。
【００９７】
貫通孔３１３は、入賞口ユニット３００をベース板６０に締結固定するためのネジを挿通する貫通孔であり、ベース部材３１０の周縁部に４つ貫通形成される。また、貫通孔３１３は、前面側が拡径して形成される。これにより、皿ネジの先端側（ネジ部分側）を貫通孔３１３の前面側から挿通してベース板６０に螺合させると、皿ネジの頭部が前面側に突出することを抑制できる。よって、遊技球が遊技領域を流下する場合に、遊技球の流下が皿ビスに阻害されることを抑制できる。その結果、遊技領域を流下する遊技球の流下を安定させることができる。
【００９８】
突起３１４は、ベース板６０と入賞口ユニット３００の位置決めをする突起であり、開口部３１０を挟んで左右に２つ形成される。また、突起３１４と対向する位置のベース板６０には、凹部６０ｂ（図５参照）が凹設して形成される。凹部６０ｂは、突起３１４の外形と略同一の内径の円形状に凹設して形成される。これにより、ベース板６０に締結前の入賞口ユニット３００を、ベース板６０に配置した際に、突起３１４が凹部６０ｂの内側に挿入されることで、ベース板６０に対して入賞口ユニット３００を位置決めすることができる。
【００９９】
球入賞部材３２０は、貫通孔３１１の周囲から前面側（図７（ａ）右側）に突出する側壁３２１と、その側壁３２１の突出先端側を連結する前壁３２２とから形成され、側壁３２１と前壁３２２とで囲われる領域に第１入賞口６４が形成される。
【０１００】
側壁３２１は、上方が開放した断面Ｕ字状に形成され、対向する内壁の対向間の距離寸法が遊技球の直径よりも大きく形成される。前壁３２２は、側壁３２１の突出先端を塞ぐ態様に形成される。従って、第１入賞口６４は、上方が開放する態様に形成される。
【０１０１】
側壁３２１は、底面（図７（ｂ）下側の面）に、上方に向かって立設される転動部３２３が形成される。転動部３２３は、後述する通路形成部材３３０の背面側（図７（ｂ）左側）端部から前壁３２２に亘って一定の板厚で形成される。
【０１０２】
また、転動部３２３は、前面側（前壁３２２側）に向かって上方傾斜して形成されると共に、側壁３２１の対向間の中間位置に形成される。これにより、第１入賞口６４に流入した遊技球は、転動部３２３の上面に送球されると共に転動部３２３の傾斜により転動して、背面側に送球される。
【０１０３】
通路形成部材３３０は、ベース部材３１０の開口部３１１の周囲から背面側に突出して形成される。通路形成部材３３０は、背面視において下方側が湾曲する略Ｄ字状に形成されており、内側に遊技球を挿通可能な大きさの空間が形成される。これにより、第１入賞口６４に流入した遊技球を通路形成部材３３０の背面側に送球すると共に、通路形成部材３３０の背面側に連通される通路部材（図示しない）に送球することができる。
【０１０４】
また、通路形成部材３３０は、背面視における上方（図６上方）に位置する２箇所の屈曲部分（仮想線Ｓ１で示す部分（図６（ｂ）及び図７（ａ）参照））が、凹設部３１２の凹設基端側の中心位置の背面側に位置される。さらに、通路形成部材３３０の２箇所の屈曲部分には、仮想線Ｓ１を軸にして径方向外側に膨出する膨出部３３１が形成される。これにより、凹設部３１２の周囲の剛性を高めることができる。その結果、凹設部３１２に遊技釘ＹＫが打ち込まれた際の衝撃により、入賞口ユニット３００が破損することを抑制できる。
【０１０５】
また、上述したように、遊技釘ＹＫは、ベース部材３１０の平面に対して直交する方向と非平行（ベース部材３１０に打ち込まれた先端側に向かって下方に傾斜する方向）に配設されるので、先端部分が仮想線Ｓ１よりも下方に位置される。これにより、遊技釘ＹＫの先端側の上部に位置する膨出部３３１の厚みが大きくされる。従って、遊技釘ＹＫの先端側を上方に変位し難くすることができる。
【０１０６】
ここで、入賞口ユニット３００は、上方から遊技球が流下する途中に配設されるので、遊技領域側に突出する遊技釘ＹＫの上方側に流下する遊技球が衝突しやすくなる。そのため、遊技球が遊技釘ＹＫの上部に衝突する衝撃で、遊技釘ＹＫの先端部分に、上方に変位する力が作用し易い。従って、遊技釘ＹＫを植設する入賞口ユニット３００の背面側を厚く形成する必要があり、入賞口ユニット３００の製造コストが増加するという問題があった。
【０１０７】
これに対し、本実施形態では、仮想線Ｓ１（通路形成部材３３０の上端の屈曲部分）を遊技釘ＹＫが打ち込まれる位置の背面側に配置すると共に、その仮想線Ｓ１の軸を中心に膨出部３３１が形成されるので、必要以上に膨出部３３１を大きくする必要がない。その結果、入賞口ユニット３００の製造コストが増加することを抑制できる。
【０１０８】
また、通路形成部材３３０は、下方（図６下方）（背面視Ｄ字の湾曲部分）に位置し、第１入賞口６４に入賞した遊技球の転動を案内する案内部３３３を備え、その案内部３３３と膨出部３３１とが第１連結部３３４により連結される。
【０１０９】
これにより、膨出部３３１の上下方向の剛性を高くすることができる。従って、遊技領域側に突出する遊技釘ＹＫの上部に遊技領域を流下する遊技球が衝突した場合に、遊技釘ＹＫが上下方向に変位することを抑制できる。
【０１１０】
さらに、通路形成部材３３０は、２箇所の膨出部３３１の間を連結する第２連結部３３５を備えて形成される。これにより、２箇所の膨出部３３１を連結する方向（図６（ｂ）左右方向）の膨出部３３１の剛性を高くすることができる。
【０１１１】
入賞口ユニット３００は、上述したように、センタフレーム８６が取付られるベース板６０の中央開口の下方に配設される。そのため、センタフレーム８６の周りを流下する遊技球が第１入賞口６４に流入する場合には、ベース板６０（遊技盤１３）の左右（図２左右）両側から遊技球が送球される。従って、遊技球が遊技釘ＹＫに衝突した場合に遊技釘ＹＫを左右に変位させる力が作用しやすい。
【０１１２】
また、遊技釘ＹＫは、第１入賞口６４に流入する遊技球の量を調整する場合に、２本の間の隙間を変更する必要があり、その際に、左右方向に折り曲げられる。従って、この点からも、遊技釘ＹＫには左右方向への力が作用しやすい。
【０１１３】
本実施形態では、２箇所の膨出部３３１の間が第２連結部３３５により連結されるので、遊技領域に突出する遊技釘にベース部材６０の左右両側から流下される遊技球が衝突した場合および２本の遊技釘ＹＫの間の間隔を調整する場合に、その衝撃で遊技釘ＹＫが左右方向（図６（ｂ）左右方向）に変位することを抑制できる。
【０１１４】
以上のように構成される入賞口ユニット３００は、上述したように、第１入賞口６４の上方に配設される遊技釘ＹＫがベース部材３１０に打ち込まれて配設される。よって、遊技釘ＹＫが折れた状態または、遊技釘ＹＫがベース部材３１０から抜け出た状態となり、正常な遊技が不能とされる場合には、ベース部材３１０の貫通孔３１３に挿通した皿ビスを取り外して、入賞口ユニット３００をベース板６０から取り外し、正常な状態の入賞口ユニット３００をベース板６０に取り付けることで、正常な遊技を可能とすることができる。
【０１１５】
即ち、第１入賞口６４の上部に位置し、第１入賞口６４へ流入する遊技球の球数を調整する遊技釘ＹＫは、その調整により、折れる又は、抜け落ちる可能性が高い。この場合、遊技釘ＹＫのみを交換すると、新しい遊技釘ＹＫを同じ下孔（凹設部３１２）に打ち込むため、遊技釘ＹＫを保持する力が足りず、新しい遊技釘ＹＫがすぐに抜け落ちてしまう恐れがある。
【０１１６】
これに対し、本実施形態では、遊技釘ＹＫが、折れる又は、抜け落ちた場合に、下孔（凹設部３１２）が形成されるベース部材３１０を交換することができるので、交換した遊技釘ＹＫがすぐに抜け落ちることを抑制できる。
【０１１７】
次いで、図９から図１５を参照して、第２実施形態について説明する。第１実施形態では、入賞口ユニット３００が１部材から形成される場合を説明したが、第２実施形態では、入賞口ユニット２３００が２部材から形成される。なお、上述した各実施形態と同一の部分には同一の符号を付して、その説明は省略する。
【０１１８】
初めに、図９及び図１０を参照して、第２実施形態における入賞口ユニット２３００の配設位置について説明する。図９は、第２実施形態におけるパチンコ機１０の正面図である。図１０は、パチンコ機１０の分解斜視正面図である。なお、図９及び図１０ではベース板６０に配設される遊技釘の一部が図示される。また、図１０では、ベース板６０からセンターフレーム８６及び入賞口ユニット２３００を取り外した状態が図示される。
【０１１９】
図９及び図１０に示すように、第２実施形態におけるベース板６０には、センターフレーム８６が取付られるベース板６０の中央開口の下側（図９側）に連続する凹設部２０６０ｃが貫通形成される。入賞口ユニット２３００は、その一部が凹設部２０６０ｃの内側に挿入されると共に、ベース板６０の前面側（図９紙面手前側）からタッピングネジ等により固定される。
【０１２０】
凹設部２０６０ｃの中央開口側の周囲には、ベース板６０の前面側から背面側に向かって凹設される窪み部２３６０ｄが形成される。窪み部２３６０ｄは、正面視における外形が後述する第２入賞部材２５００の外形と略同一に形成される。これにより、第２入賞部材２５００を窪み部２３６０ｄの内側に配設できる。
【０１２１】
また、凹設部２３６０ｄには、円環形状に形成されると共に、正面側に突出する円環突起２０６０ｄ１が複数個形成される。円環突起２３６０ｄ１は、その内縁部分に第２入賞部材２５００を挿通したネジを締結可能に形成される。なお、本実施形態では、円環突起２０６０ｄ１は、凹設部２３６０ｄに４箇所形成される。
【０１２２】
次いで、図１１から図１３を参照して、入賞口ユニット２３００の構成について説明する。図１１（ａ）は、入賞口ユニット２３００の正面図であり、図１１（ｂ）は、図１１（ａ）のＸＩｂ−ＸＩｂ線における入賞口ユニット２３００の断面図であり、図１１（ｃ）は、図１１（ａ）のＸＩｃ−ＸＩｃ線における入賞口ユニット２３００の断面図である。図１２は、入賞口ユニット２３００の分解斜視正面図であり、図１３は、入賞口ユニット２３００の分解斜視背面図である。なお、図１１（ｃ）では、第２入賞部材２５００の図示が省略される。
【０１２３】
図１１から図１３に示すように、入賞口ユニット２３００は、ベース板６０の前面側に配設されると共に遊技釘ＹＫが打ち込まれる第１入賞部材２４００と、その第１入賞部材２４００の前面側に配設されると共に第１入賞口６４を有する第２入賞部材２５００とを主に備えて形成される。
【０１２４】
第１入賞部材２４００は、正面視略矩形の板状体から形成される本体部２４１０と、その本体部２４１０の背面側から膨出する膨出部２４２０とから形成される。また、第１入賞部材２４００には、正面側から遊技釘ＹＫが打ち込まれる。
【０１２５】
本体部２４１０は、正面視において水平方向（図１１（ａ）左右方向）両端部から内側に向かって凹設される第１凹部２４１１と、正面視において重力方向両端部から内側に向かって凹設される第２凹部２４１２と、４方の角部に板厚方向に貫通される貫通孔２４１３とを主に備えて形成される。また、本体部２４１０の板厚方向の距離寸法は、ベース板６０の窪み部２０６０ｄの背面側への凹み寸法と略同一または凹み寸法よりも小さく形成される。これにより、第１入賞部材２４００をベース板６０に配設した場合に、本体部２４１０の前面側が、遊技領域側に突出することを抑制できる。その結果、遊技球の流下が、第１入賞部材２４００により阻害されることを抑制できる。
【０１２６】
第１凹設部２４１１は、本体部２４１０の重力方向（図１１（ａ）上下方向）中間位置に形成される。これにより、第１入賞部材２４００をベース板６０の窪み部２４６０ｄに嵌め込んだ場合に第１入賞部材２４００とベース板６０の接地面を大きくできる。従って、第１入賞部材２４１０ベース板６０に対して重力方向に位置ずれすることを抑制できる。
【０１２７】
第２凹設部２４１２は、本体部２４１０の水平方向（図１１（ａ）左右方向）中間位置に形成される。これにより、センターフレーム８６と第１入賞口６４とが離間する距離を小さくできる。その結果、センタフレーム８６の上部から流下する遊技球を第１入賞口６４に流入しやすくできる。
【０１２８】
貫通孔２４１３は、第１入賞部材２４００をベース板６０に締結する場合に、ネジの先端側を挿入する孔である。また、貫通孔２４１３は、正面側（図１１（ｂ）右側）に向かって拡径される。これにより、貫通孔２４１３に第１入賞部材２４００の正面側から皿ネジを挿入した場合に、ネジの頭を貫通孔２４１３の内部に挿入することができる。
【０１２９】
さらに、貫通孔２４１３は、板厚方向中間位置よりも背面側部分に拡径された拡径部２４１３ａを備える。拡径部２４１３ａは、上述した円環突起２０６０ｄ１の外径よりも大きい内径に形成されると共に、板厚方向の凹み寸法（本体部２４１０の背面から拡径部２４１３ａの凹設底面までの距離）が円環突起２０６０ｄ１の突出寸法よりも小さく形成される。
【０１３０】
これにより、第１入賞部材２４００を窪み部２３６０ｄの内側に配設する場合に、拡径部２４１３ａの内側に円環突起２３６０ｄ１を挿入できると共に、拡径部２４１３ａの凹設底面と円環突起２３６０の突出先端面とを当接できる。その結果、ネジの締結位置を円環突起２３６０ｄ１の突設距離分、正面側に位置させることができ、ネジの先端側の長さを短くすることができる。また、拡径部２４１３ａの凹設底面と円環突起２３６０の突設先端面とが当接されるので、その分、螺合の長さを増やすことができ、ネジを締結した際の締結力を確保できる。
【０１３１】
膨出部２４２０は、ベース板６０の凹設部２０６０ｃと前後方向（図１１（ｂ）左右方向）に重なる位置に形成される。また、膨出部２４２０と前後方向に重なる位置に遊技釘ＹＫが打ち込まれる。これにより、遊技釘ＹＫが打ち込まれる位置の第１入賞部材２４００の剛性を高くすることができる。その結果、遊技釘ＹＫを第１入賞部材２４００に打ち込んだ場合、又は、流下領域を流下する遊技球が遊技釘ＹＫに衝突した場合に、第１入賞部材２４００が破損することを抑制できる。
【０１３２】
第２入賞部材２５００は、正面視菱形の板状体から形成されるベース部材２５１０と、そのベース部材２５１０の正面側（図１１（ｂ）右側）に突出形成される球入賞部材３２０とを主に備え、これらベース板２５１０及び球入賞部材３２０が一体に樹脂材料から形成される。
【０１３３】
ベース部材２５１０は、上述した凹設部２０６０ｃよりも正面視において水平方向（図１１（ａ）左右方向）寸法が大きく設定される。これにより、ベース部材２５１０を凹設部２０６０ｃの前面側（図１１（ｂ）右側）に配置すると共に、ベース部材２５１０の水平方向両端部をベース板６０の前面（正面）に当接させることができる。
【０１３４】
ベース部材２５１０は、その上端部（図１１（ａ）上端部）から下方に向かって凹設される開口部３１１と、水平方向（図１１（ｂ）紙面垂直方向）両端部に板厚方向（図１１（ｂ）左右方向））に貫通する貫通孔３１３とを主に備えて形成される。なお、第２実施形態における開口部３１１は、ベース部材２５１０の外縁部に連なって形成される。また、貫通孔３１３は、２箇所に形成される。
【０１３５】
次いで、図１４及び図１５を参照して、ベース板６０への入賞口ユニット２３００の組み付けについて説明する。図１４（ａ）及び図１５（ａ）は、遊技盤１３の正面図である。図１４（ｂ）は、図１４（ａ）のＸＩＶｂ−ＸＩＶｂ線における遊技盤１３の断面図であり、図１５（ｂ）は、図１５（ａ）のＸＶｂ−ＸＶｂ線における遊技盤１３の断面図である。図１４（ｃ）は、図１４（ａ）のＸＩＶｃ−ＸＩＶｃ線における遊技盤１３の断面図であり、図１５（ｃ）は、図１５（ａ）のＸＶｃ−ＸＶｃ線における遊技盤１３の断面図である。
【０１３６】
なお、図１４（ａ）から図１４（ｃ）では、ベース板６０に第１入賞部材２４００が配設された状態（第１入賞部材２５００が配設される前の状態）が図示され、図１５（ａ）から図１５（ｃ）では、入賞口ユニット２３００がベース板６０に組み付けられた状態が図示される。
【０１３７】
図１４に示すように、ベース板６０への入賞口ユニット２３００の組み付けは、第１に遊技釘ＹＫを打ち込み前の第１入賞部材２４００をベース板６０に取り付ける。この場合、ベース板６０の窪み部２０６０ｄに沿って第１入賞部材２４００を挿入することで、上述したように、貫通孔２４１３に形成される拡径部２４１３ａの内側にベース板６０の円形突起２０６０ｄ１が挿入される。
【０１３８】
拡径部２４１３ａの内側に円形突起２０６０ｄ１が挿入された状態で、前面側から皿ビスの先端を貫通孔２４１３の内側に挿入すると共に、その皿ビスの先端部分を円形突起２０６０ｄ１の内周面に螺合させる。これにより、遊技釘ＹＫを打ち込み前の第１入賞部材２４００がベース板６０に取付られる。なお、第１入賞部材２４００は、その前面がベース板６０の前面と略同一（面一）の位置に設定される。
【０１３９】
遊技釘ＹＫは、第１入賞部材２４００をベース板６０に締結固定した状態で前面側から第１入賞部材２４００に打ち込まれる。これにより、比較的小型に形成される第１入賞部材２４００に遊技釘ＹＫを打ち込みやすい。また、ベース板６０に打ち込まれる釘との相対位置を合わせることができる。
【０１４０】
次いで、図１５に示すように、前面側に第２入賞部材２５００が取付られる。これにより、第１入賞口６４と遊技釘の間隔を狭めることができる。即ち、遊技釘ＹＫが打ち込まれる第１入賞部材２４００に第１入賞口６４（球入賞部材３２０）が形成された状態では、遊技釘を打ち込む際に遊技釘ＹＫを打ち込む機械と第１入賞口６４との干渉を避けるために、遊技釘ＹＫを第１入賞口６４から所定距離離間させる必要があるところ、第１入賞口６４は、遊技釘ＹＫが打ち込まれる第１入賞部材２４００とは異なると共に、第１入賞部材２４００よりも後工程で取付られる第２入賞部材２５００に形成されるので、遊技釘ＹＫを第１入賞部材２４００に打ち込んだ後に、第１入賞口６４を遊技釘ＹＫに近づけて配設することができる。
【０１４１】
次いで、図１６から図１８を参照して、第３実施形態について説明する。第２実施形態では、第１入賞部材２４００を新しい部材に交換した場合に締結するネジを交換前と交換後とで同一のネジ穴（円環突起２０６０ｄ１に形成されるめねじ）に螺合する場合を説明したが、第３実施形態では、第１入賞部材３４００を交換した場合に、第１入賞部材３４００を締結するネジが交換前と交換後とで異なるネジ孔（異なる円環突起２０６０ｄ１に形成されるめねじ）に螺合される。なお、上述した各実施形態と同一の部分には同一の符号を付してその説明は省略する。
【０１４２】
図１６（ａ）は、第３実施形態における遊技盤１３の正面図であり、図１６（ｂ）は、図１６（ａ）のＸＶＩｂ−ＸＶＩｂ線における遊技盤１３の断面図である。図１７は、遊技盤１３の斜視正面図であり、図１８は、遊技盤１３の分解斜視正面図である。なお、図１８では、センターフレーム８６が取り外された状態が図示される。また、図１６から図１７では、入賞口ユニット３３００及びベース板６０の外形が簡略化されて図示される。
【０１４３】
図１６から図１８に示すように、第３実施形態における入賞口ユニット３３００は、その一部（第１入賞部材３４００）が凹設部２０６０ｃの内側に挿入されると共に、ベース板６０の前面側（図１６（ａ）紙面手前側）からタッピングネジ等により固定される。
【０１４４】
凹設部２０６０ｃの中央開口（センターフレーム８６）側の周囲には、ベース板６０の前面側（図１６（ａ）紙面手前側）から背面側（図１６（ａ）紙面奥側）に向かって凹設される窪み部３０６０ｄが形成される。窪み部３０６０ｄは、正面視における外形が後述する第１入賞部材３４００の外形と略同一に形成される。これにより、第１入賞部材３４００を窪み部３０６０ｄの内側に配設できる。
【０１４５】
また、窪み部３０６０ｄには、円環形状に形成されると共に、正面側に突出する円環突起２０６０ｄ１と、前面側の左右の縁部に面取部３０６０ｄ６と、円環突起２０６０ｄ１が形成される平面の下方（図１６（ｂ）下方）から上方（図１６（ｂ）上方）に向かって背面側（図１６（ｂ）左側）に傾斜する傾斜面３０６０ｄ２とを備えて形成される。なお、傾斜面３０６０ｄ２は、下方から上方に向かって背面側に５度傾斜して形成される。
【０１４６】
円環突起２０６０ｄ１は、水平方向（図１６（ａ）左右方向）同一の高さに間に凹設部２０６０ｃを挟む態様で２箇所に形成される２組が、上下方向（図１６（ｂ）上下方向）に位置の２箇所に形成される（即ち、２組合計４箇所にネジ穴（雌ねじ）が形成される）。
【０１４７】
面取部３０６０ｄ６は、第１入賞部材３４００が配設される左右両側（図１６（ａ）左右両側）の前面側（図１６紙面手前側）縁部を切り欠いて形成される。面取部３０６０ｄ１は、左右方向中央側に向かって背面側に傾斜して形成されると共に、切り欠き面積が下方（図１６（ａ）下方）から上方（図１６（ａ）上方）に向かって大きくされる。また、面取部３０６０ｄ６は、左右方向内側端部が、ベース板６０の前面に対して背面側上方に向かって５度傾斜して形成される。即ち、傾斜面３０６０ｄ２と略同一の角度で切欠き形成される。
【０１４８】
入賞口ユニット３３００は、ベース板６０の凹設部２０６０ｃの内側に配設される第１入賞部材３４００と、その第１入賞部材３４００及びベース板６０の前面側に配設される第２入賞部材３５００とから形成される。
【０１４９】
第１入賞部材３４００は、正面視横長略矩形の板状体から形成される本体部３４１０と、その本体部３４１０の背面側から膨出する膨出部と２４２０と、正面側から打ち込まれる遊技釘ＹＫとを主に備えて形成される。また、第１入賞部材は３４００は、後述する本体部３４１０の短手方向が、上述した傾斜面３０６０ｄ２の傾斜方向と平行な状態で配設される。よって、第１入賞部材３４００は、ベース板６０に配設される場合、ベース板６０の平面に対して背面側に傾斜した状態で配設される。
【０１５０】
本体部３４１０は、板厚方向に断面円形状に貫通する２つの貫通孔３４１３と、背面側（図１６（ｂ）左側）から正面側（図１６（ｂ）右側）に断面円形状に凹設される２つの凹部３４１４とを備えて形成される。凹部３４１４は、後述する貫通孔３４１３の拡径部３４１３ａと同一の形状（凹設寸法および内径が略同一）に設定される。また、遊技釘ＹＫは、本体部３４１０の短手方向における位置が貫通孔３４１３の軸と凹部３５１４の軸との中間位置に打ち込まれる。即ち、貫通孔３４１３の軸から遊技釘ＹＫの軸までの距離寸法Ｌ１（図１６（ｂ）参照）と、凹部３４１４の軸から遊技釘ＹＫの軸までの距離寸法Ｌ２（図１６（ｂ）参照）とが同一の距離に設定される。
【０１５１】
貫通孔３４１３は、第１入賞部材３４００をベース板６０に締結する場合に、ネジの先端側を挿入する孔である。貫通孔３４１３は、正面側（図１６（ｂ）右側）に向かって拡径される。これにより、貫通孔３４１３はに第１入賞部材３４１０の正面側から皿ネジを挿入した場合にネジの頭を貫通孔２４１３の内側に挿入できる。
【０１５２】
さらに、貫通孔３４１３は、板厚方向略中間位置よりも背面側（図１６（ｂ）左側）に拡径された拡径部３４１３ａを備える。拡径部３４１３ａは、円環突起２０６０ｄ１の外径よりも大きい内径に形成されると共に、板厚方向の凹み寸法が円環突起２０６０ｄ１の突出寸法よりも小さく形成される。
【０１５３】
貫通孔３４１３は、第１入賞部材３４００がベース板６０に配設された状態において、上述した４箇所の円環突起２０６０ｄ１のうち上方（図１６（ｂ）上方）に形成される２箇所の円環突起２０６０ｄ１と対向する位置に形成される。一方、４箇所の円環突起２０６０ｄ１のうち下方（図１６（ｂ）下方）に形成される２箇所の円環突起２０６０ｄ１と対向する位置には、凹部３４１４が形成される。
【０１５４】
よって、第１入賞部材３４００を窪み部２３６０ｄの内側に配設する場合に、拡径部３４１３ａの内側に、４箇所の円環突起２０６０ｄ１のうち上方に配設される２箇所の円環突起２０６０ｄ１を挿入できると共に、拡径部３４１３ａの内側に円環突起２０６０ｄ１を当接できる。
【０１５５】
これにより、４箇所の円環突起２０６０ｄ１のうち上方に形成される２箇所の円環突起２０６０ｄ１と、第１入賞部材３４００に形成される貫通孔とを皿ネジで締結して固定することができる。
【０１５６】
また、第１入賞部材３４００を窪み部２３６０ｄの内側に配設する場合に、凹部３４１４の内側に４箇所の円環突起２０６０ｄ１のうち下方に配設される２箇所の円環突起２０６０ｄ１を挿入できると共に、凹部３４１４の凹設底面に円環突起２０６０ｄ１の突設先端面を当接できる。
【０１５７】
上述したように、貫通孔３４１３と凹部３４１４とは、第１入賞部材３４００の短手方向における位置が、遊技釘ＹＫを挟んで同一距離離れた位置に形成される。従って、第１入賞部材３４００をベース板６０から取り外した場合には、第１入賞部材３４００の上下を反転させることで、下方の円環突起２０６０ｄ１を貫通孔３４１３の拡径部３４１３ａの内側に挿入できると共に、上方の円環突起２０６０ｄ１を凹部３４１４の内側に挿入できる。即ち、第１入賞部材３４００を上下反転させることで、ベース板６０に第１入賞部材３４００を取り付け可能とすることができる。このように、本実施形態では、第１入賞部材３４００を２通りの姿勢でベース板６０に取り付けることができる。
【０１５８】
よって、入賞口ユニット３３００の第１入賞部材３４００は、第１姿勢と、その第１姿勢から上下を反転させた第２姿勢とで同じ位置に遊技釘ＹＫが植設されるので、第１入賞部材３４００の姿勢を変更しても、ベース板６０に対する遊技釘ＹＫの位置を所定位置に維持することができる。
【０１５９】
また、上述したように、ベース板６０には、入賞口ユニット３３００の第１入賞部材３４００の前面縁部に向かって切り欠かれる面取部３０６０ｄ６が形成されるので、ベース板６０の正面と第１入賞部材３４００の前面とを滑らかに連ねることができる。即ち、ベース板６０に傾斜面３０６０ｄ２が形成されることで、ベース板６０の前面と第１入賞部材３４００の前面との間に段差が形成されることを抑制できる。よって、かかる段差を抑制するために、ベース板６０の正面または第１入賞部材３３００の正面に他の部材（例えば、第２入賞部材２５００の一部）を配設する事を不要とできる。
【０１６０】
第２入賞口３５００は、正面視横長矩形の板状体から形成されるベース部材３５１０と、そのベース部材４５１０の正面側（図１６（ｂ）右側）に突出形成される球入賞部材３２０と、を主に備えて形成される。
【０１６１】
ベース部材３５１０は、正面視において凹設部２０６０ｃよりも長手方向（図１６（ａ）左右方向）の幅寸法が大きく形成される。これにより、ベース部材３５１０を凹設部２０６０ｃの正面側に配設できると共に、ベース部材３５１０の長手方向両端部をベース板６０の前面に当接できる。
【０１６２】
ベース部材３５１０は、球入賞部材３２０の背面側に貫通形成される開口部３１１と、長手方向（図１９（ａ）左右方向）両端部に貫通する貫通孔３１３と、を主に備える。
【０１６３】
以上のように構成される入賞口ユニット３３００によれば、第１入賞部材３４００の遊技釘ＹＫが折れた場合や、遊技釘ＹＫが第１入賞部材３４００から抜け落ちた場合に、第２入賞部材３５００をベース板６０から取り外した後に、不良の第１入賞部材３４００を取り外して、新しい（正常な）第１入賞部材３４００を取り付けることで修理することができる。
【０１６４】
ここで、第１遊技盤部材（ベース板６０）と、その第１遊技盤部材に締結固定され第１遊技盤部材と共に遊技盤を形成する第２遊技盤部材とを備えた遊技機が知られている。第２遊技盤部材には挿通孔（貫通孔２４１３）が、第１遊技盤部材にはめねじ（円環突起２０６０ｄ１の内縁部分）が、それぞれ形成され、第２遊技盤部材の挿通孔に挿通されたねじ部材（皿ネジＮ２）が、第１遊技盤部材のめねじに螺合されることで、第２遊技盤部材が第２遊技盤部材に対して締結固定される。かかる遊技機によれば、第２遊技盤部材を第１遊技盤部材に対して着脱できる。即ち、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材を交換する毎に、めねじとねじ部材との螺合が繰り返され、めねじのねじ山にへたり（摩耗やかじり）が生じるため、交換回数が嵩むと、締結固定の信頼性が低下するという問題点があった。
【０１６５】
これに対し、第３実施形態によれば、ベース板６０に入賞口ユニット３３００の第１入賞部材３４００を締結固定する複数（本実施形態では４個）の円環突起２０６０ｄ１を備え、入賞口ユニット３３００の第１入賞部材３４００は、皿ネジＮ２が挿通可能な複数（本実施形態では２個）の貫通孔２４１３が形成され、円環突起２０６０ｄ１の数よりも少ない数（本実施形態では２個）の皿ネジＮ２により第１入賞部材３４００がベース板６０に締結固定されているので、１の雌ねじのネジ山にへたり（摩耗やかじり）が生じた場合には、他の円環突起２０６０ｄ１の内縁部分（めねじ）を使用できる。よって、第１入賞部材３３００の交換回数が嵩んだ場合でも、締結固定の信頼性を確保することができる。
【０１６６】
また、第３実施形態では、入賞口ユニット３３００の第１入賞部材３４００が、ベース板６０に対する姿勢が第１姿勢または、その第１姿勢から上下を反転させた第２姿勢を少なくとも選択可能に形成され、第１姿勢と第２姿勢とでは、貫通孔２４１３に連なる円環突起２０６０ｄ１の内縁が異なる円環突起２０６０ｄ１の内縁とされるので、１の円環突起２０６０ｄ１の内縁のねじ山にへたりが生じた場合には、第１入賞部材３４００の姿勢を変更することで、他の円環突起２０６０ｄ１の雌ねじを使用できる。よって、交換回数が嵩んだ場合でも締結固定の信頼性を確保することができる。
【０１６７】
例えば、第１入賞部材３４００を図１６から図１８に示すように、貫通孔２４１３を第１入賞部材３４００の上方に位置させた状態でベース板６０に配設した場合には、第１入賞部材３４００をベース板６０に締結する皿ネジＮ２が、ベース板６０の上方に形成される２箇所の円環突起２０６０ｄ１に螺合される。第１入賞部材３４００に不良が発生して交換する場合には、交換後の第１入賞部材３４００の貫通孔２４１３を第１入賞部材３４００の下方に位置した状態でベース板６０に配設する。これより、第１入賞部材３４００をベース板６０に締結する皿ネジＮ２が、ベース板６０の下方に形成される２箇所の円環突起２０６０ｄ１の内側に螺合される。
【０１６８】
さらに、第１入賞部材３４００は、貫通孔２４１３の数が円環突起２０６０ｄ１の数よりも少なくされるので、第１入賞部材３４００がベース板６０の正面に視認可能に配設可能に配設される場合に、皿ネジＮ２が挿通されていない状態で遊技者に視認される貫通孔３４００の数を低減できる。よって、貫通孔３４００を被覆するための他の部材（例えば、第２入賞部材３５００）の面積を抑制できる。なお、貫通孔３４００の数と同数の皿ネジＮ２により第１入賞部材３３００がベース板６０により第１入賞部材３４００がベース板６０に締結固定されることが好ましい。この場合には、皿ネジＮ２が挿通されていない状態で遊技者に視認される貫通孔２４１３を無くすことができる。よって、他の部材による貫通孔３４００の被覆を不要とすることができる。
【０１６９】
また、貫通孔２４１３の数を減らせることで、その分、第１入賞部材３４００の強度を確保できる。ここで、第１入賞部材３４００は比較的小型となるため、その強度の確保が困難である。一方、遊技釘ＹＫが植設されるものとして、第１入賞部材３４００が形成される場合は、遊技釘ＹＫを植設する際の打ち込み荷重に対し、或いは、遊技中に遊技球が遊技釘ＹＫに衝突する際の衝撃に対し、強度を確保する必要がある。よって、遊技釘ＹＫが植設される第１入賞部材３４００では、貫通孔２４１２の数を減らせることが強度確保の観点から特に有効となる。
【０１７０】
また、ベース板６０には、入賞口ユニット３３００の第１入賞部材３４００を支持する傾斜面３０６０ｄ２に所定の傾斜角度（本実施形態では５度）が付与され、第１入賞部材３４００には、傾斜面３０６０ｄ２に支持される本体部３４１０に対して垂直に釘が植設されるので、第１入賞部材３４００の姿勢（第１姿勢又は第２姿勢）を変更しても、ベース板６０に対する釘の傾斜角度を一定に維持することができる。
【０１７１】
次いで、図１９及び図２０を参照して、第４実施形態について説明する。第２実施形態では、第１入賞部材２４００を交換した場合に締結するネジを交換前と交換後とで同一の雌ねじ部分（円環突起２０６０ｄ１）に螺合する場合を説明したが、第４実施形態では、第１入賞部材３４００を交換した場合に、第１入賞部材３４００を締結するネジが交換前と交換後とで異なる雌ねじ部分（円環突起２０６１ｄ１）に螺合される。なお、上述した各実施形態と同一の部分には同一の符号を付してその説明は省略する。
【０１７２】
図１９（ａ）は、第４実施形態における遊技盤１３の正面図であり、図１９（ｂ）は、図１９（ａ）のＸＩＸｂ−ＸＩＸｂ線における遊技盤１３の断面図である。図２０は、遊技盤１３の分解斜視正面図である。なお、図２０では、センターフレーム８６が取り外された状態が図示される。また、図１９及び図２０では、入賞口ユニット４３００及びベース板６０の外形が簡略化されて図示される。
【０１７３】
図１９及び図２０に示すように、第４実施形態における入賞口ユニット４３００は、その一部（第１入賞部材４４００）が凹設部２０６０ｃの内側に挿入されると共にベース板６０の前面側（図１９（ａ）紙面手前側）からタッピングネジ等により固定される。
【０１７４】
凹設部２０６０ｃの中央開口（センターフレーム８６）側の周囲には、ベース板６０の前面側（図１９（ａ）紙面手前側）から背面側（図１９（ｂ）紙面奥側）に向かって凹設される窪み部４０６０ｄが形成される。
【０１７５】
窪み部４０６０ｄには、円環形状に形成されると共に、正面側に突出する円環突起２０６０ｄ１が形成される。なお、本実施形態における円環突起２０６０ｄ１は、窪み部４０６０ｄに上下方向（図２０上下方向）に３個並んで形成されると共に、凹設部２０６０ｃを挟んで合計６個形成される。
【０１７６】
入賞口ユニット４３００は、ベース板６０の凹設部２０６０ｃの内側に配設される第１入賞部材４４００と、その第１入賞部材４４００及びベース板６０の前面側に配設される第２入賞部材３５００とから形成される。
【０１７７】
第１入賞部材４４００は、正面視横長矩形の板状体から形成される本体部４４１０と、その本体部４４１０の背面側から膨出する膨出部２４２０と、正面側から打ち込まれる遊技釘ＹＫとから形成される。
【０１７８】
本体部４４１０は、板厚方向に断面円形状に貫通する貫通孔２４１３を備えて形成される。貫通孔２４１３は、第１入賞部材４４００がベース板６０に配設された状態において、ベース板６０に形成される６個の円環突起２０６０ｄ１の前面側（図１９（ｂ）右側）にそれぞれ形成される。即ち、貫通孔２４１３は、本体部４４１０に６箇所形成される。
【０１７９】
よって、第１入賞部材４４００を窪み部４３６０ｄの内側に配設する場合に、拡径部２４１３ａの内側にそれぞれ円環突起２０６０ｄ１を挿入できる。なお、第４実施形態では、第１入賞部材４４００とベース板６０とを締結する皿ネジＮ２が２本とされ、６個の円環突起２０６０ｄ１のうちの２箇所に皿ネジＮ２が螺合される。
【０１８０】
なお、皿ネジＮ２を螺合する円環突起２０６０ｄ１は、凹設部２０６０ｃを挟んで左右方向両側に形成される２箇所の窪み部４０６０ｄからそれぞれ１箇所ずつとすることが好ましい。これによれば、第１入賞部材４４００の長手方向両端で皿ネジＮ２を締結することができる。よって、第１入賞部材４４００が遊技球の衝突や衝撃によりベース板６０に対して揺れ動くことを抑制できる。
【０１８１】
第２入賞口４５００は、正面視横長矩形の板状体から形成されるベース部材４５１０と、そのベース部材４５１０の正面側に（図１９（ｂ）右側）に突出形成される球入賞部材３２０とを主に備えて形成される。
【０１８２】
ベース部材４５１０は、正面視において凹設部２０６０ｃよりも長手方向（図１９（ａ）左右方向）の幅寸法が大きく形成される。これにより、ベース部材４５１０を凹設部２０６０ｃの正面側に配設できると共に、ベース部材４５１０の長手方向両端部をベース板６０の前面に当接できる。
【０１８３】
ベース部材４５１０は、球入賞部材３２０の背面側に貫通形成される開口部３１１と、長手方向（図１９（ａ）左右方向）両端部に貫通する貫通孔３１３と、長手方向（図１９（ａ）左右方向）両側から、上方（図１９（ａ）上方）に延設される覆設部材４５１１とを備える。
【０１８４】
覆設部４５１１は、第２入賞部材４５００がベース板６０に配設された状態において、ベース板６０の円環突起２０６０ｄ１の正面側に位置して形成される。これにより、第１入賞部材４４００を締結する皿ネジＮ２の正面側に覆設部材４５１１が配設され、第１入賞部材を締結するネジを遊技者から視認し難くできる。また、第１入賞部材３４００を第２入賞部材３５００をベース板６０から取り外した後で、第１入賞部材３４００の取り外しが可能となるので、不正操作により遊技者が遊技盤１３の正面に配設される前面枠１４を開放して、第１入賞口３４００のみを取り外して不正を働くことを抑制できる。同時に皿ネジＮ２が締結されていない貫通孔２４１３を覆設して遊技者から視認し難くできる。
【０１８５】
以上のように構成される入賞口ユニット４３００によれば、第１入賞部材４４００の遊技釘ＹＫが折れた場合や、遊技釘ＹＫが第１入賞部材４４００から抜け落ちた場合に、第２入賞部材３５００をベース板６０から取り外した後に、不良の第１入賞部材４４００を取り外して、新しい（正常な）第１入賞部材４４００を取り付けることで修理することができる。
【０１８６】
上述したように、入賞口ユニット４３００の第１入賞部材３３００には、複数の円環突起２０６０ｄ１の雌ねじに対応する位置に貫通孔２４１３がそれぞれ貫通形成されるので、１の雌ねじのねじ山にへたり（摩耗やかじり）が生じた場合には、他の雌ねじを使用できる。よって、交換回数が嵩んだ場合でも、締結固定の信頼性を確保することができる。
【０１８７】
また、第４実施形態では、第１入賞部材４４００をベース板６０に取り付ける場合に、６個の円環突起２０６１ｄ１に対して２個の皿ネジＮ２で締結されるので、他の雌ねじを使用する場合に、第１入賞部材４４００の姿勢を変更する必要がない。即ち、第１入賞部材４４００が選択可能な姿勢の数に雌ねじの数が限定されない。よって、雌ねじの数をより多く確保することができる。その結果、第１入賞部材４４００の交換可能な回数をより多く確保できる。
【０１８８】
さらに、第２入賞部材４５００には、覆設部４５１１が形成され、その覆設部４５１１が、第１入賞部材４４００の前面側に位置して配設されるので、皿ネジＮ２が挿通されていない貫通孔２４１３を被覆して、遊技者から隠すことができる。よって、外観の向上を図ることができる。また、第１入賞部材４４００の下側（図１９（ａ）下側）のみが皿ネジＮ２により遊技盤１３に締結固定されている場合に、第１入賞部材４４００の前面に第２入賞部材４５００の覆設部４５１１が張り出されていることで、第１入賞部材４４００の上側（図１９（ａ）上側）の浮き上がりを抑制できる。
【０１８９】
次いで、図２１及び図２２を参照して、第５実施形態について説明する。第２実施形態では、第１入賞部材２４００を締結する皿ネジＮ２の螺合対象（円環突起２０６１ｄ１の雌ねじ）をベース板６０に形成する場合を説明したが、第５実施形態では、皿ネジＮ２の螺合対象（雌ねじ）が別部材に形成される。なお。上述した各実施形態と同一の部分には同一の符号を付してその説明は省略する。
【０１９０】
図２１（ａ）は、第５実施形態における遊技盤１３の正面図であり、図２１（ｂ）は、図２１（ａ）のＸＸＩｂ−ＸＸＩｂ線における遊技盤１３の断面図である。図２２は、遊技盤１３の分解斜視正面図である。なお、図２２では、センターフレーム８６が取り外された状態が図示される。また、図２１及び図２２では、入賞口ユニット５３００及びベース板６０の外形が簡略化されて図示される。
【０１９１】
図２１及び図２２に示すように、第５実施形態における入賞口ユニット５３００は、その一部（第１入賞部材２４００）が凹設部２０６０ｃの内側に挿入されると共に、ベース板６０の前面側（図２１（ａ）紙面手前側）からタッピングネジ等により固定される。
【０１９２】
凹設部２０６０ｃの中央開口（センタフレーム８６）側の周囲には、ベース板６０の前面側（図２１（ａ）紙面手前側）から背面側（図２１（ａ）紙面奥側）に向かって凹設される窪み部５０６０ｄが形成される。
【０１９３】
窪み部５０６０ｄは、正面視における外形が第１入賞部材２４００の外形と略同一に形成される。これにより、窪み部５０６０ｄの内側に第１入賞部材２４００を挿入して配設できる。また、窪み部５０６０ｄには、前面側から背面側に貫通する挿通孔５０６０ｄ３が形成される。
【０１９４】
挿通孔５０６０ｄ３は、正面視円形状に形成されており、ベース板６０に第１入賞部材５４００を配設した状態において、第１入賞部材５４００の貫通孔２４１３の軸と同軸上に形成される。
【０１９５】
また、遊技盤１３には、ベース板６０の背面側に正面視円形状の板からなる回転部材５６００が配設される。また、回転部材５６００の背面側には、円柱状に形成され、回転部材５６００の中心に挿入される回転軸部５６５０が配設される。
【０１９６】
回転部材５６００は、その中心に円形に貫通する軸孔５６１０と、回転部材５６００の中心からそれぞれ同一距離離間する位置に貫通形成される複数の締結孔５６２０とを備える。軸孔５６１０は、後述する回転軸部５６５０が内側に配設される孔であり、その内径が回転軸部５６５０（支持部５６６０）の外径よりも小さく形成される。
【０１９７】
締結孔５６２０は、回転部材５６００の中心を軸とする周方向にそれぞれ隣合う締結孔５６２０と所定の角度分離間して形成される。本実施形態では、締結孔５６２０が回転部材５６００に８箇所形成され、それぞれ隣合う締結孔５６２０が回転部材５６００の軸を中心に略４５度離間する位置に形成される。また、締結孔５６２０は、第１入賞部材２４００を締結するための皿ネジＮ２が螺合される部分であり、タッピング加工により内側に雌ねじが形成される。
【０１９８】
回転軸部５６５０は、回転部材５６００を回転可能に支持する支持部であり、円柱状に形成される支持部５６６０と、その支持部５６６０の背面側に位置し径方向外側に膨出する係合部５６７０とを主に備えて形成される。
【０１９９】
支持部５６６０は、その外径が回転部材５６００の軸孔５６１０の内径よりも小さく形成される。これにより、支持部５６６０を軸孔５６１０の内側に挿入して、軸孔５６１０を回転可能に支持できる。また、支持部５６６０には、前面側から背面側に貫通する貫通孔５６６１が２箇所に形成される。背面側から貫通孔５６６１にネジを挿通すると共に、ベース板６０の背面側に螺合することで、回転軸部５６５０がベース板６０から脱落不能に保持される。
【０２００】
係合部５６７０は、外形が回転部材５６００の軸孔５６１０の内径よりも大きく形成される。これにより、回転部材５６００の軸孔５６１０の内側に回転軸部５６５０の支持部５６６０を挿入した場合に回転部材５６００が背面側に抜け落ちることを抑制できる。
【０２０１】
回転部材５６００は、その中心がセンターフレーム８６が配設されるベース板６０の中央開口よりも下方に位置して配設されると共に、その一部がベース板６０の凹設部２０６０ｃの背面側に位置される。また、複数の締結孔５６２０は、そのうちの２箇所がベース板６０の窪み部５０６０ｄの挿通孔５０６０ｄ３の同軸上に配置される。これにより、後述する第１入賞部材５４００を皿ネジＮ２で締結固定できる。
【０２０２】
上述したように、回転部材５６００は、ベース板６０に対して回転可能に配設され、締結孔５６２０が回転部材５６００の中心を軸とする周方向に一定間隔で形成されるので、回転部材５６００を回転した場合に、２箇所の挿通孔５０６０ｄ３と２箇所の締結孔５６２０との軸位置を合わせることができる。
【０２０３】
入賞口ユニット５３００は、ベース板６０の凹設部２０６０ｃの内側に配設される第１入賞部材５４００が形成される。第１入賞部材５４００は、正面視横長矩形の板状体から形成される本体部５４１０と、その本体部５４１０の背面側から膨出する膨出部２４２０と、前面側から打ち込まれる遊技釘ＹＫとから形成される。
【０２０４】
本体部５４１０は、板厚方向に円形状に貫通する貫通孔２４１３が形成される。貫通孔２４１３は、第１入賞部材５４００がベース板６０に配設された状態において、ベース板６０に形成される２箇所の挿通孔５０６０ｄ３と同軸上に形成される。よって、第１入賞部材５４００の前面側から皿ネジＮ２を貫通孔２４１３に挿入させることで、皿ネジＮ２先端をベース板６０の挿通孔５０６０ｄ３に挿通させることができる。上述したように、挿通孔５０６０ｄ３の背面側には、回転部材５６００の締結孔５６２０が位置されるので、皿ネジＮ２を締結孔５６２０に締結固定できる。
【０２０５】
以上のように、構成される入賞口ユニット５３００及び回転部材５６００によれば、第１入賞部材５４００の遊技釘ＹＫが折れた場合や、遊技釘ＹＫが第１入賞部材５４００から抜け落ちた場合に、第２入賞部材２５００をベース板６０から取り外した後に、不良の第１入賞部材５４００を取り外し、新しい（正常な）第１入賞部材５４００を取り付けることで修理することができる。
【０２０６】
また、ベース板６０の背面に変位可能に支持されると共に複数の雌ねじが形成される円盤部材５６００を備えるので、１の雌ねじのネジ山にへたり（摩耗やかじり）が生じた場合には、円盤部材５６００を変位させることで、他の雌ねじを使用できる。よって、入賞口ユニット５３００の第１入賞部材５４００の交換回数が嵩んだ場合でも、締結固定の信頼性を確保することができる。
【０２０７】
即ち、第５実施形態では、回転部材５６００が、ベース板６０に対して回転可能に配設されると共に、皿ネジＮ２を螺合できる締結孔５６２０が周方向に一定の間隔で複数箇所（８箇所）に形成される。よって、第１入賞部材５４００を交換する場合には、回転部材５６００を回転させると共に、皿ネジＮ２の螺合が一度もされていない締結孔５６２０とベース板６０の挿通孔５０６０ｄ３とを位置わせした後に、交換後の第１入賞部材５４００に皿ネジＮ２を挿通して、締結孔５６２０に螺合させる。これにより、皿ネジＮ２を締結するための雌ねじを第１入賞部材５４００の交換前と交換後とで異ならせることができる。
【０２０８】
よって、皿ネジＮ２が螺合される雌ねじ部分（締結孔５６２０）を第１入賞部材５４００の交換に伴って変更できるので、雌ねじ部分がへたることを抑制できる。その結果、第１入賞部材５４００の締結固定の信頼性を確保することができる。
【０２０９】
特に、第５実施形態では、円盤部材５６００がベース板６０の背面に支持されているので、第１入賞部材５４００を取り外した際に、円盤部材５６００が脱落しないように、又は、第１入賞部材５４００を取り付ける際に、皿ネジＮ２を円盤部材５６００の雌ねじに螺合させるために、ベース板６０の背面から作業者が手で円盤部材５６００を保持しておく必要がない。よって、第１入賞部材５４００を交換する際に、遊技盤１３を開放させる必要がなく、遊技盤１３を閉じた状態のままで、前面から第１入賞部材５４００の交換作業を行うことができる。よって、第１入賞部材５４００を交換する作業の作業性を向上できる。
【０２１０】
また、円盤部材５６００が、正面視円形に形成されると共にその円形の中心を回転軸としてベース板６０に回転可能に軸支されるので、皿ネジＮ２を螺合させる雌ねじを変更する為に、円盤部材５６００を回転させても、遊技者から視認される円盤部材５６００の外観を一定に維持できる。特に、ベース板６０が光透過性の材料から形成され、円盤部材５６００がベース板６０を介して透視される場合には、正面視円形の形状が外観の維持に対して特に有効となる。
【０２１１】
さらに、ベース板６０は、第１入賞部材５４００が配設される領域に開口形成されると共に、円板部材５６００に連通される凹設部２０６０ｃを備えるので、かかる凹設部２０６０ｃを介して、ベース板６０の正面から円盤部材５６００を作業者が操作することを可能とできる。即ち、第１入賞部材５４００を取り付ける際に、円盤部材５６００を回転させて雌ねじを位置を調整しておく必要があるところ、かかる調整を、遊技盤１３を閉じた状態のままで行うことができる。また、第１入賞部材５４００により被覆して凹設部２０６０ｃを遊技者から隠すことができる。よって、外観の向上を図ることができる。
【０２１２】
次いで、図２３及び図２４を参照して、第６実施形態について説明する。第２実施形態では、第１入賞部材２４００を締結する皿ネジＮ２が遊技盤１３の前面側から挿入される場合について説明したが、第６実施形態では、皿ネジＮ２が上方側から挿入される。なお、上述した各実施形態と同一の部分には、同一の符号を付してその説明は省略する。
【０２１３】
図２３（ａ）は、第６実施形態における遊技盤１３の正面図であり、図２３（ｂ）は、図２３（ａ）のＸＸＩＩＩｂ−ＸＸＩＩＩｂ線における遊技盤１３の断面図である。図２４は、遊技盤１３の分解斜視正面図である。なお、図２３（ａ）及び図２３（ｂ）では、第２入賞部材２５００が取り外された状態が図示され、図２４では、センターフレーム８６が取り外された状態が図示される。また、図２３及び図２４では、入賞口ユニット６３００及びベース板６０の外形が簡略化されて図示される。
【０２１４】
図２３及び図２４に示すように、第６実施形態におけるベース板６０は、凹設部２０６０ｃの中央開口（センターフレーム８６）側の周囲に前面側（図２３（ａ）紙面手前側）から背面側に向かって凹設される窪み部６０６０ｄが形成される。
【０２１５】
窪み部６０６０ｄは、正面視における外形が第１入賞部材２４００の外形と略同一に形成される。これにより、窪み部６０６０ｄの内側に第１入賞部材６４００を挿入して配設できる。また、窪み部６０６０ｄが形成された下面には、下方に凹設される締結孔６０６０ｄ４が複数個形成される。
【０２１６】
締結孔６０６０ｄ４は、上面視円形状に形成されており、ベース板６０に第１入賞部材６４００を配設した状態において、第１入賞部材６４００の貫通孔６４１３の軸と同軸上に形成される。
【０２１７】
入賞口ユニット６３００は、ベース板６０の凹設部２０６０ｃの内側に配設される第１入賞部材６４００と、その第１入賞部材６４００及びベース板６０の前面側に配設される第２入賞部材２５００とから形成される。
【０２１８】
第１入賞部材６４００は、正面視横長矩形の板状体から形成される本体部６４１０と、その本体部６４１０の背面側から膨出する膨出部２４２０と、前面側から打ち込まれる遊技釘ＹＫとから形成される。
【０２１９】
本体部６４１０及び膨出部２４２０には、上下方向（図２３（ａ）上下方向）に貫通する貫通孔６４１３が複数個形成される。貫通孔６４１３は、第１入賞部材５４００を締結するためのネジＮ４を挿入する孔であり、ネジＮ４の先端の外径よりも大きく形成される。また、貫通孔６４１３は、上端側がネジＮ４の頭部を挿入可能な大きさに拡径される。これにより、第１入賞部材５４００を締結した場合に、ネジＮ４の頭部が上方（センタフレーム８６）側に突出することを抑制できる。
【０２２０】
貫通孔６４１３は、第１入賞部材６４００の長手方向（図２３（ａ）左右方向）の両端に３箇所ずつ形成される（合計６箇所形成される）。上述したように、第１入賞部材６４００の貫通孔６４１３は、ベース板６０の締結孔６０６０ｄ４と同軸上に形成される。よって、第１入賞部材６４００は、ネジＮ４を貫通孔６４１３に挿通すると共に、締結孔６０６０ｄ４に螺合することで、ベース板６０に締結固定される。
【０２２１】
以上のように構成される入賞口ユニット６３００によれば、第１入賞部材６４００の遊技釘ＹＫが折れた場合や、遊技釘ＹＫが第１入賞部材６４００から抜け落ちた場合に、センターフレーム８６をベース板６０から取り外した後に、不良の第１入賞部材５４０を取り外し、新しい（正常な）第１入賞部材６４００を取り付けることで修理することができる。
【０２２２】
上述したように、貫通孔６４１３は、第１入賞部材６４００に複数箇所（６箇所）形成される。よって、第１入賞部材６４００を交換する場合には、交換後の第１入賞部材６４００をベース板６０に配置したあとに、ネジＮ４の螺合が一度もされていない締結孔６０６０ｄ４と同軸上に位置する貫通孔６４１３にネジＮ４を挿通すると共に、ネジＮ４を締結孔６０６０ｄ４に螺合させる。これにより、ネジＮ４を締結するための雌ねじを第１入賞部材６４００の交換前と交換後とで異ならせることができる。
【０２２３】
従って、ネジＮ４が螺合される雌ねじ（締結孔６０６０ｄ４）を第１入賞部材６４００の交換に伴って変更できるので、雌ねじがへたることを抑制できる。その結果、ベース板６０へ螺合するネジＮ４が衝撃等で取り外れることを抑制できる。
【０２２４】
また、貫通孔６４１３及び締結孔６０６０ｄ４がベース板６０の前面に略平行に延設されるので、貫通孔６４１３又はネジＮ４の頭が遊技盤１３の前面（遊技面）に露出されないようにできる。よって、ネジＮ４が挿通されていない貫通孔６４１３を遊技者に視認させ難くできるので、貫通孔６４１３を被覆するための他の部材の面積を抑制または不要とすることができる。また、ネジＮ４の頭が遊技球の転動面（遊技面）に露出されないので、ネジＮ４を皿ネジとすることや、ネジＮ４の頭を収容する座繰り（凹部）を設けることを不要とでき、構造を簡素化できる。
【０２２５】
次いで、図２５及び図２６を参照して、第７実施形態について説明する。第２実施形態では、ベース板６０に形成される円環突起２０６０ｄ１に皿ネジＮ２を螺合する場合を説明したが、第７実施形態では、皿ネジＮ２が螺合される螺合部分（円環突起２０６０ｄ１）が第１入賞部材７４００に形成される。なお、上述した各実施形態と同一の部分には同一の符号を付してその説明は省略する。
【０２２６】
図２５（ａ）は、第７実施形態における遊技盤１３の正面図であり、図２５（ｂ）は、図２５（ａ）のＸＸＶｂ−ＸＸＶｂ線における遊技盤１３の断面図である。図２６は、遊技盤１３の分解斜視正面図である。なお、図２６では、センタ―フレーム８６が取り外された状態が図示される。また、図２５及び図２６では、入賞口ユニット７３００及びベース板６０の外形が簡略化されて図示される。さらに、図２５（ａ）及び図２５（ｂ）では、入賞口ユニット７３００の第１入賞部材２５００が透明視されると共に、その外形が鎖線で図示される。
【０２２７】
図２５及び図２６に示すように、第７実施形態におけるベース板６０は、凹設部２０６０ｃの中央開口（センタフレーム８６）側の周囲に背面側（図２５（ａ）紙面奥側）から前面側（図２５（ａ）紙面手前側）に凹設される窪み部７０６０ｄが形成され、その窪み部７０６０ｄの前面側の非凹設部分に遊技盤張出部７０６０ｋが形成される。
【０２２８】
窪み部７０６０ｄは、背面視における外形が第１入賞部材７４００の外形と略同一に形成される。これにより、窪み部７０６０ｄの内側に第１入賞部材７４００を挿入して配設できる。また、窪み部７０６０ｄには、前面側に貫通する貫通孔７０６０ｅが複数個形成される。
【０２２９】
貫通孔７０６０ｅは、正面視円形状に形成されており、ベース板６０に第１入賞部材７４００を配設した状態において、第１入賞部材７４００の円環突起７４１４の軸と同軸上に形成される。また、貫通孔７０６０ｅは、前面側が皿ビスＮ２の頭部を収容できるように拡径して形成されると共に、背面側が円環突起７４１４を収容できるように拡径して形成される。即ち、拡径部７０６０ｅは、背面側に拡径部７０６０ｅ１を備える。
【０２３０】
拡径部７０６０ｅ１は、後述する円環突起７４１４の外径よりも大きく形成されると共に、前面側への凹設寸法が後述する円環突起７４１４の突設寸法よりも小さく形成される。これにより、第１入賞部材７４００をベース板６０に配設した状態において、円環突起７４１４を拡径部７０６０ｅ１の内側に挿入できると共に、円環突起７４１４の突設先端面を拡径部７０６０ｅ１の凹設底面に当接させることができる。
【０２３１】
即ち、第１入賞部材７４００がベース板６０に対して締結固定された状態では、第１入賞部材７４００の背面とベース板６０の前面との間に隙間が形成された状態を形成できる。よって、円環突起７４１４の弾性変形を利用して、第１入賞部座７４００をベース板６０に対して相対変位させやすくできる。その結果、例えば、第１入賞部材７４００に遊技釘ＹＫが植設される場合には、遊技中に遊技球が遊技釘ＹＫに衝突する際の振動を吸収して、遊技釘ＹＫの破損（折損）を抑制できる。
【０２３２】
なお、この場合には、円環突起７４１４は、拡径部７０６０ｅ１の内側寸法よりも小さい寸法に設定されることが好ましい。また、円環突起７４１４の突設先端と拡径部７０６０ｅ１の凹設底面とを除き、他の部分では、第１入賞部材７４００とベース板６０とが当接しないことが好ましい。これらにより、円環突起７４１４をより弾性変形しやすくすることができる。
【０２３３】
入賞口ユニット７３００は、ベース板６０の凹設部２０６０ｃの内側に配設される第１入賞部材７４００と、その第１入賞部材７４００及びベース板６０の前面側に配設される第２入賞部材２５００とから形成される。
【０２３４】
第１入賞部材７４００は、正面視横長矩形の板状体から形成される本体部７４１０と、その本体部７４１０の前面側から膨出する膨出部７４２０と、その膨出部７４２０側（前面側）から打ち込まれる遊技釘ＹＫとを主に備えて形成される。
【０２３５】
膨出部７４２０は、本体部７４１０の長手方向（図２５（ａ）左右方向）略中央位置に形成されると共に、本体部７４１０の長手方向において本体部７４１０よりも短く形成される。これにより、本体部７４１０の長手方向外側には、膨出部７４２０よりも外側に張り出した本体側張出部７４３７が形成される。本体部７４１０の本体側膨出部７４３７には、前面側のベース板６０側に円環状に突出する円環突起７４１４が形成される。
【０２３６】
円環突起７４１４は、本体部７４１０の長手方向両端部にそれぞれ２個ずつ形成される（合計４個形成される）。また、円環突起７４１４は、皿ネジＮ２が螺合される部分であり、円環状の内周部分に雌ねじが形成される。
【０２３７】
第１入賞部材７４００を締結する４本の皿ネジＮ２は、ベース板６０の貫通孔７０６０ｅを挿通されると共に、第１入賞部材７４００の円環突起７４１４に螺合される。これにより、第１入賞部材７４００をベース板６０に締結固定できる。
【０２３８】
以上にように構成される入賞ユニット７３００によれば、第１入賞部材７４００の遊技釘ＹＫが折れた場合や、遊技釘ＹＫが第１入賞部材７４００から抜け落ちた場合に、第２入賞部材７５００をベース板７０から取り外した後に、不良の第１入賞部材７４００を取外して、新しい（正常な）第１入賞部材７４００を取り付けることで修理することができる。
【０２３９】
ここで、第１遊技盤部材（ベース板６０）と、その第１遊技盤部材に締結固定され第１遊技盤部材と共に遊技盤を形成する第２遊技盤部材（入賞口ユニット３３００）とを備えた遊技機が知られている。第２遊技盤部材には挿通孔（貫通孔２４１３）が、第１遊技盤部材にはめねじ（円環突起２０６０ｄ１の内縁部分）が、それぞれ形成され、第２遊技盤部材の挿通孔に挿通されたねじ部材（皿ネジＮ２）が、第１遊技盤部材のめねじに螺合されることで、第２遊技盤部材が第１遊技盤部材に対して締結固定される。かかる遊技機によれば、第２遊技盤部材を第１遊技盤部材に対して着脱できる。即ち、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材を交換する毎に、めねじとねじ部材との螺合が繰り返され、めねじのねじ山にへたり（摩耗やかじり）が生じるため、交換回数が嵩むと、締結固定の信頼性が低下するという問題点があった。
【０２４０】
これに対し、第７実施形態によれば、皿ネジＮ２が挿通される貫通孔７０６０ｅがベース板６０に形成されると共に、ベース板６０の貫通孔７０６０ｅに挿通された皿ネジＮ２が螺合される雌ねじ（円環突起７４１４）が第１入賞部材７４００に形成されるので、第１入賞部材７４００を交換する際には、その交換に伴って、新しい雌ねじを使用できる。よって、交換回数が嵩んだ場合でも、締結固定の信頼性を確保することができる。
【０２４１】
また、第１入賞部材７４００の前面から突設される円環突起７４１４と、その円環突起７４１４を受け入れ可能にベース板６０の背面に凹設される拡径部７０６０ｅ１とを備え、雌ねじが第１入賞部材７４００の円環突起７４１４に形成されると共に、貫通孔７０６０ｅがベース板６０の拡径部７０６０ｅ１に連通して形成されるので、雌ねじのネジ部（軸部）の長さを確保できる。よって、その分、皿ネジＮ２の軸力を高めることができ、第１入賞部材７４００をベース板６０に対して強固に締結固定しやすくできる。
【０２４２】
なお、第１部材７４００は、比較的小型となるため、その強度の確保が困難であるところ、円環突起７１４１に雌ねじを形成して、ネジ部の長さを確保することで、皿ネジＮ２に所定の軸力を付与可能としつつ、第１入賞部材７４００の負担を分散させることができいる。即ち、円環突起７１４１に雌ねじを設ける構成が、強固な締結固定と構成部材の破損防止とを両立させる観点から特に有効となる。
【０２４３】
また、第１入賞部材７４００は、窪み部７０６０ｄが背面側から前面側に向かって凹設されるので、遊技釘ＹＫを打ち込んだ場合に、ベース板６０が破損することを抑制できる。
【０２４４】
即ち、上述した第２実施形態では、窪み部２０６０ｄが前面側から背面側に向かって凹設されるので、遊技釘ＹＫを第１入賞部材２４００に打ち込んだ際の衝撃が、第１入賞部材２４００から窪み部２０６０ｄの背面側部分（窪み部２０６０ｄにより薄肉化された部分）のベース板６０に伝達される。従って、薄肉化された部分のベース板６０には、窪み部２０６０ｄから離れる方向（背面方向）に力が作用する。その結果、窪み部２０６０ｄの角部分に力が集中して、ベース板６０が破損する恐れがあった。
【０２４５】
これに対し、第７実施形態では、遊技釘ＹＫを打ち込んだ際の衝撃が、皿ネジＮ２から窪み部７０６０ｄの正面側部分（窪み部２０６０ｄにより薄肉化された部分）のベース板６０に伝達される。従って、薄肉化された部分のベース板６０には、窪み部７０６０ｄ側に近づく方向に力が作用する。その結果、窪み部７０６０ｄの角部に力が集中することを抑制でき、ベース板６０が破損することを抑制できる。
【０２４６】
さらに、ベース板６０には、第３図柄表示装置８１を視認可能とするための中央開口（窓部）と、第１入賞部材７４００を配設するための凹設部２０６０ｃとが開口形成され、それら中央開口と凹設部２０６０ｃとが連通されているので、第１入賞部材７４００を交換する際に、ベース板６０の中央開口を利用して作業者に第１入賞部材７４００を握持（把持）させることができる。よって、第１入賞部材７４００の交換作業の作業性の向上を図ることができる。例えば、第１入賞部材７４００に遊技釘ＹＫが植設される場合には、遊技釘ＹＫを握持しなくても交換作業ができるので、新たに取り付ける第１入賞部材７４００の遊技釘ＹＫが握持されることを抑制して遊技釘が屈曲したり遊技釘ＹＫ同士の間隔が変更されることを抑制できる。
【０２４７】
また、第１入賞部材７４００には２本の遊技釘ＹＫが植設され、それら２本の遊技釘ＹＫを結ぶ仮想線の延長線上には雌ねじが非形成とされるので、第１入賞部材７４００の割れを抑制できる。即ち、２本の遊技釘ＹＫの植設に伴うひずみ（第１入賞部材７４００の弾性変形）が２本の遊技釘ＹＫを結ぶ仮想線の方向で重なるため、仮想線の延長線上の領域では、第１入賞部材７４００の割れが発生しやすいところ、かかる領域には、雌ねじが非形成とされることで、遊技釘ＹＫの植設に伴うひずみに、皿ネジＮ２の螺合に伴う負荷が更に重なることを抑制できる。その結果、第１入賞部材７４００の割れを抑制できる。
【０２４８】
なお、仮想線の延長線と雌ねじとの離間距離は、第１入賞部材７４００の割れを抑制する観点より、皿ネジＮ２の外径の基準寸法（ネジの呼び径）以上に設定されることが好ましく、皿ネジＮ２の外径の基準寸法の２倍以上に設定されることがより好ましい。
【０２４９】
次いで、図２７（ａ）を参照して第８実施形態について説明する。第２実施形態では、第１入賞部材２４００がベース板６０に対して正面側から取り外し可能に形成される場合を説明したが、第８実施形態では、第１入賞部材８４００がベース板６０に対して上方側から取り外し可能に形成される。なお、上述した各実施形態と同一の部分には、同一の符号を付してその説明は省略する。
【０２５０】
図２７（ａ）は、第８実施形態における遊技盤１３の断面図である。なお、図２７（ａ）は、図２５（ｂ）の断面図と対応する。また、図２７（ａ）では、入賞口ユニット８３００及び及びベース板６０の外形が簡略化されて図示される。さらに、図２７（ａ）では、入賞口ユニット８３００の第２入賞部材２５００が透明視されると共に、その外形が破線で図示される。
【０２５１】
図２７（ａ）に示すように、第８実施形態におけるベース板６０は、ベース板６０の背面に前面側へ向けて凹設される窪み部７０６０ｄと、その窪み部７０６０ｄの反対側に形成される（ベース板６０の前面に背面側へ向けて凹設される）第２窪み部８０６０ｆと、窪み部７０６０ｄ及び第２窪み部８０６０ｆの間に形成される突出部８０６０ｇと、窪み部７０６０ｄからベース板６０の前面に貫通形成される貫通孔７０６０ｅとを主に備えて形成される。
【０２５２】
第２窪み部８０６０ｆは、凹設部２０６０ｃに連なって形成されると共に、左右方向（図２７（ａ）左右方向）の距離寸法が窪み部７０６０ｄの左右方向寸法よりも小さく形成される。貫通孔７０６０ｅは、窪み部７０６０ｄが形成される前面側に形成されると共に、第２凹設部８０６０ｆの左右方向外側に位置される。
【０２５３】
突出部８０６０ｇは、後述する第１入賞部材８４００の溝部８４１４の内側に挿入される板であり、窪み部７０６０ｄの上下方向（図２７（ａ）紙面手前側から紙面奥側の方向）寸法と略同一の上下方向寸法に形成される。
【０２５４】
入賞口ユニット７３００は、ベース板６０の凹設部２０６０ｃの内側に配設される第１入賞部材８４００と、その第１入賞部材８４００及びベース板６０の前面側に配設される第２入賞部材３５００とから形成される。
【０２５５】
第１入賞部材８４００は、正面視横長矩形の板状体から形成される本体部８４１０と、その本体部８４１０の前面側から膨出する膨出部８４２０と、その膨出部８４２０側（前面側）から打ち込まれる遊技釘ＹＫとを主に備えて形成される。
【０２５６】
膨出部８４２０は、本体部８４１０の長手方向（図２７（ａ）左右方向）略中央位置に形成されると共に、本体部８４１０の長手方向において本体部８４１０よりも短く形成される。また、膨出部８４２０には、本体部８４１０との連結部分側の左右方向（図２７（ａ）左右方向）の側面から中央側に向かって溝部８４２１が形成（凹設）される。
【０２５７】
本体部８４１０には、膨出部８４２０よりも長手方向外側に皿ネジＮ２を螺合できる雌ねじ（締結孔８４１５）が形成される。また、締結孔８４１５は、第１入賞部材８４００をベース板６０に配設した状態において、ベース板６０の貫通孔７０６０ｅと同軸上に形成される。よって、第１入賞部材８４００は、皿ネジＮ２を貫通孔７０６０ｅに挿入した後に締結孔８４１５に螺合することでベース板６０に締結固定される。
【０２５８】
溝部８４２１は、本体部８４１０の短手方向（図２７（ａ）紙面手前側と紙面奥側とを結ぶ方向）に全域に形成される。また、溝部８４２１は、その前後方向（図２７（ａ）上下方向）の対向間寸法が上述した突出部８０６０ｇの前後方向寸法よりも大きく形成されると共に、左右方向の凹設寸法が突出部８０６０ｇの突出寸法よりも大きく形成される。
【０２５９】
これにより、第１入賞部材８４００は、凹設部２０６０ｃの上方（図２７（ａ）紙面手前側）から下方（図２７（ａ）紙面奥側）に変位させると共に、溝部８４２１の内側に突出部８０６０ｇを挿入してベース板６０に配設できる。即ち、突出部８０６０ｇと溝部８４２１とが係合した状態とされる。
【０２６０】
以上のように構成される入賞口ユニット８３００によれば、第１入賞部材８４００の遊技釘ＹＫが折れた場合や、遊技釘ＹＫが第１入賞部材８４００から抜け落ちた場合に、センターフレーム８６をベース板６０から取り外した後に、不良の第１入賞部材８４００を取り外して、新しい（正常な）第１入賞部材８４００を取り付けることで修理することができる。
【０２６１】
上述したように、第１入賞部材８４００をベース板６０に締結するための締結孔８４１５は、第１入賞部材８４００に形成される。よって、第１入賞部材８４００を交換した場合には、第１入賞部材８４００を締結するための締結孔８４１５も交換されるので、第１入賞部材８４００を交換する度に雌ねじ部分が摩耗してへたることを抑制できる。その結果、第１入賞部材８４００の締結孔８４１５に締結する皿ネジＮ２が衝撃等で取れる（緩む）ことを抑制できる。
【０２６２】
また、第８実施形態では、上述したようにベース板６０の凹設部２０６０ｃの内側面から突出される突出部８０６０ｇと、その突出部８０６０ｇを受け入れ可能に第１入賞部材８４００の外側面に凹設されると共にベース板６０の前面（遊技面）に平行な方向に沿って連続して延設され中央開口（窓部）に連なる溝部８４２１とを備えるので、第１入賞部材８４００をベース板６０の中央開口側へ抜き取ることを可能としつつ、遊技に伴う振動により或いは不正な手段により皿ネジＮ２がゆるんだり取り外された場合でも、ベース板６０から第１入賞部材８４００が脱落することを抑制できる。
【０２６３】
即ち、突出部８０６０ｇと溝部８４２１とが係合した状態とされるので、仮に皿ネジＮ２が衝撃等で締結孔８４１５から抜け出た場合に、突出部８０６０ｇと溝部８４２１との係合により、第１入賞部材８４００がベース板６０に対して前後方向に動くことを抑制できる。
【０２６４】
さらに、ベース板６０の凹設部２０６０ｃの内側面から張り出し挿通孔７０６０ｅが形成される遊技盤張出部７０６０ｋと、第１入賞部材８４００の外側面から張り出し雌ねじが形成される本体部側張出部７４３７とを備え、ベース板６０の遊技盤張出部７０６０ｋから突出部８０６０ｇが突出されると共に、第１入賞部材８４００の本体側張出部７４３７の非形成部分（膨出部８４２０の外側面）に溝部８４２１が凹設されるので、雌ねじのねじ部（完全ネジ部）の長さを確保できる。よって、その分、皿ネジＮ２の軸力を高めることができ、第１入賞部材８４００をベース板６０に対して強固に締結固定しやすくできる。
【０２６５】
なお、第１入賞部材８４００は、比較的小型となるため、その強度の確保が困難であるところ、ベース板６０の遊技盤張出部７０６０ｋから突出部８０６０ｇが突出して、ネジ部の長さを確保することで、皿ネジＮ２に所定の軸力を付与可能としつつ、第１入賞部材８４００の負担を分散させることができる。即ち、ベース板６０の遊技盤張出部７０６０ｇから突出部８０６０ｇを突出する構成が、強固な締結固定と第１入賞部材８４００の破損防止とを両立させる観点から特に有効となる。
【０２６６】
次いで、図２７（ｂ）を参照して、第９実施形態について説明する。第２実施形態では、第１入賞部材２４００がベース板６０に対して正面側から取り外し可能に形成される場合を説明したが、第９実施形態では第１入賞部材９４００がベース板６０に対して上方側から取り外し可能に形成される。なお、上述した各実施形態と同一の部分には、同一の符号を付してその説明は省略する。
【０２６７】
図２７（ｂ）は、第９実施形態における遊技盤１３の断面図である。なお、図２７（ｂ）は、図２５（ｂ）の断面図と対応する。また、図２７（ｂ）では、入賞口ユニット８３００及びベース板６０の外形が簡略化されて図示される。さらに、図２７（ｂ）では、入賞口ユニット８３００の第２入賞部材２５００が透明視されて図示されると共に、その外形が破線で図示される。
【０２６８】
図２７（ｂ）に示すように、第９実施形態におけるベース板６０は、背面側（図２７（ｂ）上方側）から前面側（図２７（ｂ）下方側）に凹設される窪み部９０６０ｄを備えて形成される。窪み部９０６０ｄには、ベース板６０の背面側の端部における内壁から内側に向かってする突出部９０６０ｇが突出して形成される。
【０２６９】
突出部９０６０ｇは、窪み部９０６０ｄの背面と突出部９０６０ｇとの対向面を形成するための壁部であり、窪み部９０６０ｄの背面と所定の間隔を隔てて形成される。これにより、後述する第１入賞部材９４００の係合部９４１７を窪み部９０６０ｄの背面と突出部９０６０ｇとの対向間に挿入できる。
【０２７０】
また、突出部９０６０ｇは、ベース板６０の幅方向（図２７（ｂ）左右方向）の突出先端位置が、貫通孔７０６０ｅよりもベース板６０の幅方向方向外側に設定される。これにより、皿ネジＮ２と第１入賞部材８４００との螺合距離を確保することができる。
【０２７１】
入賞口ユニット９３００は、ベース板６０の凹設部２０６０ｃの内側に配設される第１入賞部材９４００と、その第１入賞部材９４００及びベース板６０の前面側に配設される第２入賞部材２５００とから形成される。
【０２７２】
第１入賞部材９４００は、正面視横長矩形の板状体から形成される本体部９４１０と、その本体部９４１０の前面側から膨出する膨出部９４２０と、その膨出部９４２０側（前面側）から打ち込まれる遊技釘ＹＫとを主に備えて形成される。
【０２７３】
膨出部９４２０は、本体部９４１０の長手方向（図２７（ｂ）左右方向）略中央位置に形成されると共に、本体部９４１０の長手方向において本体部９４１０よりも短く形成される。また、本体部９４１０には、長手方向外側に皿ネジＮ２を螺合できる雌ねじ（締結孔８４１５）が形成される。また、締結孔８４１５は、第１入賞部材９４００をベース板６０に配設した状態において、ベース板６０の貫通孔７０６０ｅと同軸上に形成される。よって、第１入賞部材９４００は、皿ネジＮ２を貫通孔７０６０ｅに挿入した後に締結孔８４１５に螺合することでベース板６０に締結固定される。
【０２７４】
本体部９４１０には、背面側（図２７（ｂ）上方側）の長手方向（図２７（ｂ）左右方向）両端部から内側に凹設される凹設部９４１６が形成されることで、凹設部９１４６の前面側に左右方向外側に部分的に突出する係合部９４１７が形成される。
【０２７５】
凹設部９４１６は、左右方向外側の端部に形成されると共に、上下方向全域に形成される。また、凹設部９４１６は、左右方向の凹設寸法が、ベース板６０の突出部９０６０ｇの左右方向の突出寸法よりも大きく設定されると共に、前後方向の凹設寸法が、ベース板６０の突出部９０６０ｇの前後方向寸法よりも大きく設定される。これにより、第１入賞部材９４００は、凹設部２０６０ｃの上方側（図２７（ａ）紙面手前側）から下方に変位させると共に、突出部９０６０ｇと窪み部９０６０ｄとの対向間に係合部９４１７を挿入して配設できる。その結果、突出部９０６０ｇと窪み部９０６０ｄとの対向間および係合部９４１７を係合した状態とできる。
【０２７６】
以上の様に構成される入賞口ユニット９３００によれば、第１入賞部材９４００の遊技釘ＹＫが折れた場合や、遊技釘ＹＫが第１入賞部材９４００から抜け落ちた場合に、センターフレーム８６をベース板６０から取り外した後に、不良の第１入賞部材９４００を取り外して新しい（正常な）第１入賞部材９４００を取り付けることで修理することができる。
【０２７７】
上述したように、第１入賞部材９４００をベース板６０に締結するための締結孔８４１５は、第１入賞部材９４００に形成される。よって、第１入賞部材９４００を交換した場合には、第１入賞部材９４００を締結するための締結孔８４１５も交換されるので、第１入賞部材９４００を交換する度に雌ねじ部分が摩耗してへたることを抑制できる。その結果、第１入賞部材９４００の締結孔９４１５に締結する皿ネジＮ２が衝撃等で取れる（緩む）ことを抑制できる。
【０２７８】
また、第９実施形態では、上述したように第１入賞部材９４００の外側面から突出される係合部９４１７と、その係合部９４１７を受け入れ可能にベース板６０の凹設部２０６０ｃに内周面に凹設されると共にベース板６０の前面（遊技面）に平行な方向に沿って連続して延設され中央開口に連なる窪み部９０６０ｄとを備えるので、第１入賞部材９４００をベース板６０の中央開口側へ抜き取ることを可能としつつ、遊技に伴う振動により或いは不正な手段により皿ネジＮ２がゆるんだり取り外された場合でも、ベース板６０から第１入賞部材９４００が脱落することを抑制できる。
【０２７９】
即ち、突出部９０６０ｇと窪み部９０６０ｄとが係合した状態とされるので、仮に皿ネジＮ２が衝撃等で締結孔８４１５から抜け出た場合に、第１入賞部材８４００がベース板６０に対して前後方向に動くことを抑制できる。
【０２８０】
ベース板６０の凹設部２０６０ｃの内側面から張り出し貫通孔７０６０ｅが形成される遊技盤張出部７０６０ｋと、第１入賞部材９４００の外側面から張り出し雌ねじが形成される本体側張出部７４３７とを備え、第１入賞部材９４００の本体側張出部７４３７から係合部９４１７が突出されると共に、ベース板６０の遊技盤張出部７０６０ｋの非形成部分に窪み部９０６０ｇが凹設されるので、雌ねじのネジ部（完全ネジ部）の長さを確保できる。よって、その分、皿ネジＮ２の軸力を高めることができ、第１入賞部材９４００をベース板６０に対して強固に締結固定しやすくできる。
【０２８１】
なお、第１入賞部材９４００は、比較的小型となるため、その強度の確保が困難であるところ、第１入賞部材９４００の本体側張出部７４３７から係合部９４１７を突出して、ネジ部の長さを確保することで、皿ネジＮ２に所定の軸力を付与可能としつつ、第１入賞部材９４００の負担を分散させることができる。即ち、第１入賞部材９４００の本体側張出部７４３７から係合部９４１７を突出する構成が、強固な締結固定と第１入賞部材９４００の破損防止とを両立させる観点から特に有効となる。
【０２８２】
次いで、図２８及び図２９を参照して第１０実施形態について説明する。第２実施形態では、第１入賞部材２４００の膨出部２４２０の左右の両面が上下方向に連続して延設される（即ち、本体部２４１０の背面側に突出されない）場合を説明したが、第１０実施形態の第１入賞部材１０４００における膨出部１０４２０には左右方向外側に突出する突設部１０４２２が形成される。なお、上述した各実施形態と同一の部分には、同一の符号を付してその説明は省略する。
【０２８３】
図２８（ａ）は、第１０実施形態における第１入賞部材１０４００の背面斜視図であり、図２８（ｂ）は、第１入賞部材１０４００及びベース板６０の分解斜視正面図である。図２９（ａ）は、遊技盤１３の正面図であり、図２９（ｂ）は、図２９のＸＸＩＸｂ−ＸＸＩＸｂ線における遊技盤１３の断面図である。なお、図２８（ａ）及び図２８（ｂ）では、第１入賞部材１０４００及びベース板６０の外形が簡略化されて図示される。また、図２９（ａ）及び図２９（ｂ）では、第２入賞部材２５００が取り外された状態が図示される。
【０２８４】
図２８に示すように、第１０実施形態におけるベース板６０は、ベース板６０の中央開口下側から下方に凹設される凹設部２０６０ｃと、その凹設部２０６０ｃに連結して凹設形成される窪み部２０６０ｄと、窪み部２０６０ｄの一部から背面側に切り欠き形成（開口形成）される切欠き部１００６０ｈとを主に備えて形成される。
【０２８５】
切欠き部１００６０ｈは、後述する第１入賞部材１０４００に形成される突設部１０４２２を受け入れる開口である。切欠き部１００６０ｈは、凹設部２０６０ｃに連通する開口として左右方向（図２９（ａ）左右方向）外側へ向けてベース板６０における窪み部２０６０ｄの形成部分の残部に切り欠き形成される。
【０２８６】
入賞口ユニット１０３００は、ベース板６０の凹部２０６０ｃの内側に配設される第１入賞部材１０４００と、その第１入賞部材１０４００及びベース板６０の前面側に配設される第２入賞部材２５００（図１２参照）とから形成される。
【０２８７】
第１入賞部材１０４００は、正面視横長矩形の板状体から形成される本体部２４１０と、その本体部２４１０の背面側から膨出する膨出部２４２０と、その膨出部２４２０から本体部２４１０の長手方向外側（図２９（ａ）左右方向）に突出する突設部１０４２２と、本体部２４１０の前面から打ち込まれる遊技釘ＹＫとを主に備えて形成される。
【０２８８】
突設部１０４２２は、本体部２４１０の短手方向（図２９（ａ）上下方向）に膨出部２４２０を３等分した中間部分から本体部２４１０の長手方向（図２９（ａ）左右方向）に突設される。また、突設部１０４２２は、突設先端（左右の端部）外側が本体部２４１０の長手方向両端面（外周面）と略面一なる平坦面として形成され、設定され、本体部２４１０側から植設される２本の遊技釘ＹＫを結ぶ仮想線の延長線上に沿って形成される。
【０２８９】
さらに、膨出部１０４００は、２本の遊技釘ＹＫを結ぶ仮想線に直交する方向（上下方向（図２９（ｂ）上下方向）における寸法が、突設部１０４２２の寸法よりも大きくされるので、２本の遊技釘ＹＫを結ぶ仮想線に直交する方向における第１入賞部材１０４００の剛性を高めることができる。その結果、第１入賞部材１０４００の破損を抑制できる。
【０２９０】
また、本体部２４１０に形成される貫通孔２４１３は、正面視において本体部２４１０の上下左右の端部に形成され、上下の２箇所が突設部１０４２２を挟んだ位置に形成される。これにより、第１入賞部材１０４００の剛性を高めるための領域と、ベース板６０に第１入賞部材１０４００を締結固定するための領域との両者を効率的に確保できる。その結果、第１入賞部材１０４００の破損の抑制と第１入賞部材１０４００の小型化との両立を図ることができる。
【０２９１】
上述した切欠き部１００６０ｈは、正面視において突設部１０４２２の外形と略同一の形状に形成され、第１入賞部材１０４００がベース板６０に配設された状態において、突設部１０４２２が切欠き部１００６０ｈに圧入される。これにより、ベース板６０に突設部１０４２２を保持させることができる。即ち、突設部１０４２２の少なくとも一部が保持される分、ベース板６０の剛性を利用して、第１入賞部材１０４００の構成を高めることができる。その結果、第１入賞部材１０４００の破損を抑制できる。
【０２９２】
また、遊技釘ＹＫは、本体部２４１０の短手方向中間位置に打ち込まれる。よって、突設部１０４２２は、本体部２４１０側に植設される２本の遊技釘ＹＫを結ぶ仮想線の延長線上に沿って形成されるので、第１入賞部材１０４００の破損を抑制できる。即ち、２本の遊技釘ＹＫの植生に伴うひずみ（第１入賞部材１０４００の弾性変形）が２本の遊技釘を結ぶ仮想線の方向で重なるため、仮想線の延長線上の領域では、第１入賞部材１０４００の割れが発生しやすいところ、かかる領域に突設部１０４２２が形成されることで、その分、遊技釘ＹＫの植設に伴うひずみを緩和することができる。よって、遊技釘ＹＫの植設に伴うひずみに、遊技釘ＹＫへの遊技球の衝突にともなう負荷が更に重なることを抑制できる。
【０２９３】
以上のように構成される入賞口ユニット１０３００によれば、第１入賞部材１０４００の遊技釘ＹＫが折れた場合や、遊技釘ＹＫが第１入賞部材１０４００から抜け落ちた場合に、第１入賞部材２５００をベース板６０から取り外した後に、不良の第１入賞部材１０４００を取り外して新しい（正常な）第１入賞部材１０４００を取り付けることで修理することができる。
【０２９４】
ここで、第１遊技盤部材（ベース板６０）と、その第１遊技盤部材に着脱自在に配設され第１遊技盤部材と共に遊技盤を形成する第２遊技盤部材（第１入賞部材２４００）とを備え、第２遊技盤部材の遊技面に釘（遊技釘ＹＫ）が植設された遊技機が知られている。かかる遊技機によれば、第２遊技盤部材の釘に折損が生じた場合には、第２遊技盤部材のみの交換により、遊技盤全体としての交換を不要とすることができる。しかしながら、上述した従来の遊技機では、第２遊技盤部材が比較的小型に形成されるため、その第２遊技盤部材の剛性を確保することが困難である。そのため、遊技球の衝突により釘に外力が作用されると、第２遊技盤部材が破損しやすいという問題点があった。
【０２９５】
これに対し、第１０実施形態では、遊技釘ＹＫへの外力の作用に伴う第１入賞部材１０４００の破損を抑制可能に形成されるので、遊技球の衝突により遊技釘ＹＫに外力が作用された場合に、第１入賞部材１０４００が破損することを抑制できる。
【０２９６】
即ち、第１入賞部材１０４００は、遊技釘ＹＫが植設される膨出部２４２０と、その膨出部よりも厚み寸法が小さくされると共にベース板６０に当接されて締結固定される本体側張出部２４３７とを備え、本体側張出部２４３７が、ベース板６０との当接面から突設されると共に、膨出部２４２０に連なる突設部１０４２２を備えるので、その分、膨出部２４２０の剛性を高めることができる。よって、遊技球の衝突により遊技釘ＹＫに外力が作用された場合に、第１入賞部材１０４００が破損することを抑制できる。
【０２９７】
また、上述したように、切欠き部１００６０ｈは、正面視において突設部１０４２２の外形と略同一の形状に形成されるので、第１入賞部材１０４００をベース板６０に配設した状態において、突設部１０４２２の上下の面を切欠き部１００６０ｈと当接させることができる。これにより、遊技釘ＹＫに遊技球が当接した場合に、第１入賞部材１０４００が破損することを抑制できる。
【０２９８】
即ち、遊技釘ＹＫに遊技球が上方から衝突した場合に、その衝突の衝撃により、遊技釘ＹＫと第１入賞部材２４００との連結部分を中心に、遊技釘ＹＫの頭部側を下方に押し下げる回転力が作用する。第１０実施形態では、遊技釘ＹＫが打ち込まれる背面側部分で、突設部１０４２２の上下の面を切欠き部１００６０ｈと当接させることができる。よって、遊技釘ＹＫと第１入賞部材２４００との連結部分を中心に、遊技釘ＹＫの頭部側を下方に押し下げる回転力に対して、面同士で当接させすくできる。従って、遊技球が当接した衝撃を面同士で当接して力を分散することができる。その結果、第１入賞部材１０４００が破損することを抑制できる。
【０２９９】
次いで、図３０を参照して、第１１実施形態について説明をする。第２実施形態では、第１入賞部材２４００がベース板６０に直接固定される場合を説明したが、第１１実施形態の第１入賞部材１０４００は、ゴムカラーＧＣを間に介在させて、ベース板６０に間接的に取り付けられる。なお、上述した各実施形態と同一の部分には、同一の符号を付してその説明は省略する。
【０３００】
図３０（ａ）は、第１１実施形態における第１入賞部材１１４００及びベース板６０の分解斜視正面図であり、図３０（ｂ）は、第１入賞部材１１４００及びベース板６０の断面図である。なお、図３０（ｂ）の断面図は、図２５（ｂ）の断面図と対応する。また、図３０（ａ）及び図３０（ｂ）では、第１入賞部材１１４００及びベース板６０の外形が簡略化されて図示される。
【０３０１】
図３０に示すように、第１１実施形態におけるベース板６０は、ベース板６０の中央開口下側から下方に凹設される凹設部２０６０ｃと、その凹設部２０６０ｃに連結されつつベース板６０の前面に凹設形成される窪み部２０６０ｄとを主に備えて形成される。
【０３０２】
また、正面視における窪み部２０６０ｄの外周面（隙間形成面１１０６０ｄ５）は、正面側に向かって外側に傾斜した傾斜面として形成される。これにより、第１入賞部材１１４００と窪み部２０６０ｄとの対向間に隙間を形成できる。窪み部２０６０ｄには、前後方向に貫通されると共に、内面に雌ねじが形成される締結孔６０６０ｄ４が形成される。これにより、第１入賞部材１１４００をベース板６０に締結できる。
【０３０３】
入賞口ユニット１１３００は、ベース板６０の凹部２０６０ｃの内側に配設される第１入賞部材１１３１０と、その第１入賞部材１０４００及びベース板６０の前面側に配設される第２入賞部材２５００（図１２参照）とから形成される。
【０３０４】
第１入賞部材１１４００は、正面視横長矩形の板状体から形成される本体部１１４１０と、その本体部１１４１０の背面側から膨出する膨出部２４２０と、本体部１１４１０側（前面側）から打ち込まれる遊技釘ＹＫとを主に備えて形成される。
【０３０５】
本体部１１４１０は、正面視横長矩形の板状体から形成され、ベース板６０の締結孔６０６０ｄ４と同軸上に貫通形成される挿通孔１１４１８を備える。挿通孔１１４１８は、第１入賞部材１１４００を締結するネジＮ３を挿通させる孔である。挿通孔１１４１８は、正面側が拡径されて形成され、その内側に後述するゴムカラーＧＣの大径側の頭部を挿入できる。また、挿通孔１１４１８の内径は、ゴムカラーＧＣの小径側の胴部の外径よりも大きく形成される。これにより、ゴムカラーＧＣの小径側を挿通孔１１４１８の内側に挿入できる。
【０３０６】
ゴムカラーＧＣは、円環状に形成されると共に、胴部の軸方向の一方側に外側に拡径する大径部を備える。ゴムカラーＧＣは、ゴム状の弾性体から形成されており、外力が作用することで弾性変形することができる。また、ゴムカラーＧＣは、第１入賞部材１１４００の挿通孔１１４１８の前面側と背面側と１個ずつ配設されており、挿通孔１１４１８の内側に小径側（胴部）が挿入される。
【０３０７】
第１入賞部材１１４００は、挿通孔１１４１８の内側にゴムカラーＧＣを配設した状態で、正面側からネジＮ３を挿通してベース板６０の締結孔６０６０ｄ４に螺合することで、ベース板６０に取り付けられる。よって、第１入賞部材１１４００とベース板６０との間に弾性部材（ゴムカラーＧＣ）が介設された状態にできる。
【０３０８】
上述したように、ベース板６０には、隙間形成面１１０６０ｄ５が形成され、窪み部２０６０ｄと第１入賞部材１１４００との対向間に隙間が形成されるので、弾性部材（カラー部材ＧＣ）の弾性変位に伴って、第１入賞部材１１４００がベース板６０に対して相対変位した場合の両者の衝突を抑制することができる。
【０３０９】
以上のように構成される入賞口ユニット１１３００によれば、第１入賞部材１１４００を第１入賞部材１１４００の遊技釘ＹＫが折れた場合や、遊技釘ＹＫが第１入賞部材１１４００から抜け落ちた場合に、第１入賞部材２５００をベース板６０から取り外した後に、不良の第１入賞部材１１４００を取り外して新しい（正常な）第１入賞部材１１４００を取り付けることで修理することができる。
【０３１０】
また、上述したように、ベース板６０及び第１入賞部材１１４００よりも弾性係数が小さい材料からなるゴムカラーＧＣを備え、ベース板６０に第１入賞部材１１４００がゴムカラーＧＣを介して配設されるので、ゴムカラーＧＣの弾性変形を利用して、第１入賞部材をベース板６０に対して相対変位させやすくできる。即ち、その相対変位（弾性変形）により、遊技球の遊技釘ＹＫへの衝突に伴う外力を吸収して、第１入賞部材１１４００の破損を抑制できる。
【０３１１】
さらに、隙間形成面１１０６０ｄ５は、上述したように、正面側に向かって外側に傾斜して形成されるので、第１入賞部材１１４００の下側の隙間形成面１１０６０ｄ５を外側（前面）へ向けて下降傾斜する面とできる。よって、第１入賞部材１１４００とベース板６０との間のゴミ等を、隙間形成面１１０６０ｄ５の下降傾斜を利用して前面側へ落とすことができる。従って、第１入賞部材１１４００とベース板６０との間にゴミ等が詰まり第１入賞部材１１４００の動きが阻害されることを抑制できる。
【０３１２】
また、ネジＮ３の頭部をゴムカラーＧＣに密着させることができる。よって、ネジＮ３を回転し難くできるので、遊技球が遊技釘ＹＫに衝突した衝撃等でネジＮ３が回転して緩むことを抑制できる。
【０３１３】
さらに、ゴムカラーＧＣが略筒状に形成され、貫通孔とネジＮ３の軸との間に介設されるので、ベース板６０に対して第１入賞部材１１４００が相対変位する際の変位方向の自由度を高めることができる。即ち、ネジＮ３の軸に直交する方向だけでなく、ネジＮ３の軸に傾斜する方向（こじり方向）にも相対変位させやすくできる。その結果、遊技球の遊技釘ＹＫへの衝突に伴う外力を吸収して、第１入賞部材１１４００の破損を抑制できる。
【０３１４】
また、第１入賞部材１１４００の背面側に配設されるゴムカラーＧＣは、大径部がベース板６０と第１入賞部材１１４００との間に介設されるので、ベース板６０と第１入賞部材１１４００とをゴムカラーＧＣのみで連結できる（即ち、第１入賞部材１１４００からベース板６０への振動伝達経路の少なくとも一部にゴムカラーＧＣのみからなる部分を形成できる）。よって、ベース板６０に対して、第１入賞部材１１４００を相対変位させやすくして、遊技球の遊技釘ＹＫへの衝突にともなう外力を吸収しやすくできる。
【０３１５】
また、ネジＮ３の軸方向にも相対変位させることができ、ベース板６０に対する第１入賞部材１１４００の相対変位方向の自由度を高めることができる。よって、この点からも、遊技球の遊技釘ＹＫへの衝突にともなる外力を吸収しやすくできる。
【０３１６】
さらに、ゴムカラーＧＣの外径部がベース板６０と第１入賞部材１１４００との間に介設されることで、ベース板６０に対して第１入賞部材１１４００が自重で傾倒することを抑制できる。特に、経時に伴うゴムカラーＧＣの劣化時（へたり時）に特に有効となる。
【０３１７】
次いで、図３１及び図３２を参照して、第１２実施形態について説明する。第２実施形態では、第１入賞部材２４００の前面の全体が平坦面として形成される場合を説明したが、第１２実施形態における第１入賞部材１２４００の前面は、その一部がベース板６０の前面側に突出される。なお、上述した各実施形態と同一の部分には、同一の符号を付してその説明を省略する。
【０３１８】
図３１（ａ）は、第１２実施形態における第１入賞部材１２４００の分解斜視正面図であり、図３１（ｂ）は、図３１（ａ）の第１入賞部材１２４００の分解上面図である。図３２（ａ）は、第１入賞部材１２４００の上面図であり、図３２（ｂ）は、図３２（ａ）の範囲ＸＸＸＩＩｂにおける第１入賞部材１２４００の部分拡大上面図である。
【０３１９】
図３１及び図３２に示すように、第１２実施形態における第１入賞部材１２４００は、正面視横長矩形の板状体から形成される本体部１２４１０と、その本体部１２４１０の背面側から膨出する膨出部２４２０と、本体部１２４１０の前面側から打ち込まれる遊技釘ＹＫとを主に備えて形成される。
【０３２０】
本体部１２４１０は、正面視横長矩形の板状体から形成され、皿ネジＮ２を挿通する貫通孔２４１３と、遊技釘ＹＫが打ち込まれる孔の周囲から前面側に突出する円環部１２４１９とを主に備えて形成される。
【０３２１】
よって、遊技釘ＹＫへの外力の作用に伴う第１入賞部材１１４００の破損を抑制可能に形成されるので、遊技球の衝突により遊技釘ＹＫに外力が作用された場合に、第１入賞部材１０４００が破損することを抑制できる。
【０３２２】
即ち、第１入賞部材１２４００は、遊技釘ＹＫが植設される本体部１２４２０から突出されると共に遊技釘ＹＫの根本を囲う円環部１２４１９を備えるので、遊技釘ＹＫを保持する部分の剛性を円環部１２４１９により高めることができる。よって、遊技球の衝突により遊技釘に外力が作用された場合に、第１入賞部材が破損することを抑制できる。
【０３２３】
円環部１２４１９は、その内径が遊技釘ＹＫの先端部分の外径と略同一又は若干小さな寸法に設定される。また、円環部１２４１９の内縁から外縁までの幅寸法Ｌ４（図３２（ｂ）参照）と、円環部１２４１９の前面側への突出寸法Ｌ５（図３２（ｂ）参照）とは、円環部１２４１９の外面が、遊技球Ｔが第１入賞部材１２４００の前面と遊技釘ＹＫとに当接された状態における内側の空間Ｎ（図３２（ｂ）参照）に位置する大きさに設定される。なお、本実施形態では、内縁から外縁までの幅寸法Ｌ４と、円環部１２４１９の前面側への突出寸法Ｌ５とが略同一に設定される（Ｌ４＝Ｌ５）。
【０３２４】
これにより、円環部１２４１９に遊技球Ｔが衝突することを抑制できる。その結果、遊技領域を流下する遊技球が円環部１２４１９に衝突して円環部１２４１９が破損することを抑制できる。また、円環部１２４１９が前面側に突出する分、遊技釘ＹＫを支持する領域を大きくできる。その結果、遊技領域を流下する遊技球Ｔが遊技釘ＹＫに衝突して第１入賞部材１２４００が破損することを抑制できる。
【０３２５】
即ち、遊技釘ＹＫと植設面１２４１９とに当接された遊技球の外面よりも、第１入賞部材１２４００側に円環部１２４１９が位置されるので、遊技球Ｔが円環部１２４１９に衝突することを回避して、円環部１２４１９が破損することを抑制できる。
【０３２６】
また、円環部１２４１９の突出先端部の内縁には、前面側に向かって拡径する傾斜部１２４１９ａが形成される。これにより、第１入賞部材１２４００に遊技釘ＹＫを打ち込む際に、遊技釘ＹＫの先端を円環部１２４１９の内側に案内することができる。
【０３２７】
ここで、第１入賞部材１２４００は、ベース板６０と異なる部材から形成され、遊技釘ＹＫが折れた場合や、遊技釘ＹＫが第１入賞部材１２４００から抜け落ちた場合に、新しい（正常な）第１入賞部材１２４００に取り換え可能とされる。そのため、第１入賞部材１２４００の交換部品を形成する場合には、第１入賞部材１２４００のみに遊技釘ＹＫを打ち込む作業が行われる。
【０３２８】
第１入賞部材１２４００は、ベース板６０に比べて小さい部品であるため、遊技釘ＹＫを打ち込む際の第１入賞部材１２４００の位置決めを確実に行う必要がある。従って、第１入賞部材１２４００に遊技釘ＹＫを打ち込む際の治具が複雑化する恐れがあった。
【０３２９】
これに対し、第１２実施形態では、傾斜部１２４１９ａが形成されるので、第１入賞部材１２４００に遊技釘ＹＫを打ち込む際の位置ずれを吸収することができる。その結果、第１入賞部材１２４００に遊技釘ＹＫを打ち込む際の治具を簡易化することができる。
【０３３０】
また、傾斜部１２４１９ａの前後方向（図３２（ｂ）の前後方向）寸法は、円環部１２４１９の突出寸法よりも小さく設定される。よって、円環部１２４１９の形成により、第１入賞部材１２４１９の破損を防止できると共に、第１入賞部材１２４００に遊技釘ＹＫを打ち込む際の治具を簡易化することができる。
【０３３１】
さらに、円環部１２４１９は、本体部１２４１０側に向かって、本体部１２４１０側に向かって断面積が大きくされるので、遊技球が円環部１２４１９に衝突することを回避しつつ、遊技釘ＹＫを保持する部分の剛性をより高めることができる。即ち、遊技釘ＹＫが円環部１２４１９に直接衝突することによる円環部１２４１９の破損と、遊技球Ｔが遊技釘ＹＫに衝突することによる第１入賞部材１２４１０の破損との両者を効果的に抑制できる。
【０３３２】
なお、円環部１２４１９の断面積とは、遊技釘ＹＫの植設方向に直交する平面で円環部１２４１９を切断した断面を意味する。この場合、円環部の断面形状は任意であり、例えば、円形、楕円形、多角形これらの組み合わせが例示される。但し、円環部１２４１９の断面形状は、円形に形成されることが好ましい。遊技球との衝突を回避しつつ、円環部１２４１９の体積を最大として、その剛性をより高めることができるからである。
【０３３３】
次いで、図３３及び図３４を参照して、第１３実施形態について説明する。第２実施形態では、第２入賞部材２４００がベース板６０の前面側から取り付けられる場合を説明したが、第１３実施形態では、第２入賞部材１３４００がベース板６０の背面側から取り付けれる。なお、上述した各実施形態と同一の部分には、同一の符号を付してその説明は省略する。
【０３３４】
図３３（ａ）は、第１３実施形態における遊技盤１３の断面図であり、図３３（ｂ）は、図３３（ａ）のＸＸＸＩＩＩｂ−ＸＸＸＩＩＩｂ線における遊技盤１３の断面図である。図３４は、遊技盤１３の分解斜視正面図である。なお、図３３及び図３４では、第２入賞口２５００が取り外された状態が図示される。また、図３３及び図３４では、第１入賞部材１３４００及びベース板６０の外形が簡略化されて図示される。
【０３３５】
図３３及び図３４に示すように、第１３実施形態におけるベース板６０は、背面側（図３３（ｂ）上方側）から前面側（図３３（ｂ）下方側）に凹設される窪み部１３０６０ｄを備えて形成される。窪み部１３０６０ｄは、背面側に向かって階段状に左右方向方向に大きく形成されており、前面側に位置する第１収容部１３０６０ｄ７と、その第１収容部１３０６０ｄ７の背面側に位置しベース板６０の背面と連結される第２収容部１３０６０ｄ８とを主に備えて形成される。
【０３３６】
第１収容部１３０６０ｄ７は、後述する第１入賞部材１３４００の本体部１３４１０を内側に収容する窪みであり、本体部１３４１０の正面視における外形よりもやや大きい外形に形成される。また、第１収容部１３６００ｄ７の前後方向（図３３（ｂ）上下方向）の深さ寸法は、本体部１３４１０の前後方向の厚み寸法と略同一または、少し大きく形成される。これにより、第１入賞部材１３４００を凹設部２０６０ｃの内側に配設した場合に、第２収容部１３０６０ｄ８側に本体部１３４１０が突出することを抑制できる。
【０３３７】
第２収容部１３０６０ｄ８は、後述する背面部材１３７００を内側に収容する窪みであり、背面部材１３７００の正面視における外形よりもやや大きい外形に形成される。また第２収容部１３０６０ｄ８の前後方向（図３３（ｂ）上下方向）の深さ寸法は、背面部材１３７００の前後方向の厚み寸法と略同一または、やや大きく形成される。
【０３３８】
背面部材１３７００は、正面視横長矩形に形成され、センターフレーム８６と一体に形成される。背面部材１３７００の長手方向寸法は、第１入賞部材１３４００の本体部１３４１０の長手方向寸法よりも大きく形成される。
【０３３９】
第１入賞部材１３４００は、正面視横長矩形の板状体から形成される本体部１３４１０と、その本体部１３４１０の前面側から膨出する膨出部７４２０と、その膨出部７４２０側（前面側）から打ち込まれる遊技釘ＹＫとを主に備えて形成される。
【０３４０】
本体部１３４１０は、左右の両端部に第１入賞部材１３４００をベース板６０に締結するねじを螺合するための締結孔８４１５が形成される。これにより、皿ネジＮ２をベース板６０の貫通孔７０６０ｅの内側に挿通させると共に締結孔８４１５に螺合させることで、第１入賞部材１３４００とベース板６０を締結固定できる。
【０３４１】
この場合、第１入賞部材１３４００は、センターフレーム８６がベース板６０に取り付けられる前に、ベース板６０に取り付けられる。即ち、ベース板６０に第１入賞装置１３４００を締結固定（配設）した後、センターフレーム８６がベース板６０に取り付けられる。これにより、ベース板６０の第１収容部１３０６０ｄ７の前面と背面部材１３７００の正面との対向間に第１入賞部材１３４００が配設（挟持）される。また、第１入賞部材１３０６０ｄ７の上端面には、センターフレーム８６の底面が対面される。
【０３４２】
以上のように構成される遊技盤１３によれば、第１入賞部材１３４００の遊技釘ＹＫが折れた場合や、遊技釘ＹＫが第１入賞部材１３４００から抜け落ちた場合にセンターフレーム８６をベース板６０から取り外した後に、不良の第１入賞部材１３４００を取り外して新しい（正常な）第１入賞部材１３４００を取り付けることで修理できる。
【０３４３】
ここで、第１遊技盤部材（ベース板６０）と、その第１遊技盤部材に締結固定され第１遊技盤部材と共に遊技盤を形成する第２遊技盤部材（第１入賞部材１３４００）とを備えた遊技機が知られている。かかる遊技機によれば、第２遊技盤部材を遊技盤に対して着脱できる。よって、第２遊技盤部材に故障や破損が生じた場合には、かかる第２遊技盤部材のみを交換して、遊技盤全体としての交換を不要とすることができる。しかしながら、上述した従来の遊技機では、例えば、遊技に伴う振動に起因して、第１遊技盤部材への第２遊技盤部材の締結固定が解除される（緩む）恐れがあり、その場合には、第１遊技盤部材から第２遊技盤部材が脱落する恐れがあるという問題点があった。
【０３４４】
これに対し、第１３実施形態では、ベース板６０からの第１入賞部材１３４００の取り外しを規制できるので、例えば、ベース板６０への第１入賞部材１３４００の締結固定が解除された（緩んだ）場合でも、第１入賞部材１３４００から第１入賞部材１３４００が脱落することを抑制できる。
【０３４５】
即ち、ベース板６０にセンターフレーム８６が配設されると、そのセンターフレーム８６の底面および背面部材１３７００が第１入賞部材１３４００の取り外し方向（上方および背面側）への移動を規制可能な位置に配設される。これにより、ベース板６０への第１入賞部材１３４００の締結固定が解除された場合でも、センターフレーム８６（背面部材１３７００）を利用して、ベース板６０から第１入賞部材１３４００が脱落することを抑制できる。
【０３４６】
ベース板６０には、中央開口の下縁側の内側面に背面部材１３７００が配設されるので、ベース板６０に対する背面部材１３７００の保持（例えば、締結固定）が解除されたとしても、背面部材をその自重を利用して、中央開口の下縁側の内側面に載置された状態に維持することができる。即ち、第１入賞部材１３４００の取り外し方向への移動を規制可能な位置に背面部材１３７００が配設された状態を維持することができる。その結果、ベース板６０から第１入賞部材１３４００が脱落することを防止できる。
【０３４７】
次いで、図３５及び図３６を参照して第１４実施形態について説明する。第２実施形態では、第１入賞部材２４００の正面側に第２入賞部材２５００が配設される場合を説明したが、第１４実施形態の第１入賞部材１４４００は、正面側に第２入賞部材２５００が配設されることに加え、通路形成部材１３８００が係合状態で配設される。なお、上述した各実施形態と同一の部分には、同一の符号を付してその説明を省略する。
【０３４８】
図３１は、第１４実施形態における遊技盤１３及び通路形成部材１３８００の分解斜視正面図である。図３２（ａ）及び図３２（ｂ）は、遊技盤１３及び通路形成部材１３８００の断面図である。なお、図３２（ａ）及び図３２（ｂ）は、図１５（ｂ）の断面図と対応する。また、図３２（ａ）では、通路形成部材１３８００が遊技盤１３に取付前の状態が、図３２（ｂ）では、通路形成部材１３８００が遊技盤１３に取付後の状態が、それぞれ図示される。図３１では、第２入賞部材１３５００の図示が省略されると共に、外形が鎖線で図示される。
【０３４９】
図３５及び図３６に示すように、第１４実施形態における第１入賞部材１４４００は、正面視横長矩形の板状体から形成される本体部２４１０と、その本体部２４１０の背面側（図３６（ａ）左側）から膨出する膨出部２４２０と、本体部２４１０の前面側から打ち込まれる遊技釘ＹＫとを主に備えて形成される。
【０３５０】
膨出部２４２０は、凹設部１４４２３ａを備える。凹設部１４４２３ａは、膨出部２４２０の基部側（図３６（ａ）右側）の下面（図３６（ａ）下側の面）に上方（図３６（ａ）上方）に向かって凹設される。
【０３５１】
凹設部１４４２３ａは、内側に後述する通路部材１４８００の突設部１４８１２が挿入される凹部であり、内側形状が突設部１４８１２の外部形状と略同一に設定される。また、凹設部１４４２３ａの凹設寸法は、突設部１４８１２の突設寸法よりも大きく設定される。従って、凹設部１４４２３ａの内側に突設部１４８１２を挿入可能とされる。
【０３５２】
通路部材１４８００は、外形が上下方向に長い長方体に形成されると共に、その内側に内部空間を備えて形成される。通路部材１４８００は、正面側（第１入賞部材１４４００側）の上端部に内部空間と外部とを連通できる開口１４８１１と、上端面から上方に突出する突設部１４８１２とを主に備えて形成される。
【０３５３】
開口１４８１１は、通路部材１４８００が遊技盤１３に配設された状態において、第１入賞口６４の背面側（図３６（ｂ）左側）に形成される。これにより、第１入賞口６４から背面側に送球された遊技球を、開口１４８１１を通して通路部材１４８００の内側に送球することができる。
【０３５４】
突設部１４８１２は、開口１４８１１側（図３６（ｂ）右側）の端部から上方（図３６（ｂ）上方）に突出して形成される。突設部１４８１２の凹設部１４４２３ａへの挿入は、第１入賞部材１４４００をベース板６０に配設した状態において、通路部材１４８００をベース板６０の背面側に位置させると共に、上方に変位させることで行われる。
【０３５５】
なお、通路部材１４８００は、背面側からネジ（図示しない）を挿通させると共に、そのネジをベース板６０の背面側に螺合させることでベース板６０に取り付けられる。
【０３５６】
以上のように構成される遊技盤１３によれば、第１入賞部材１４４００の遊技釘ＹＫが折れた場合や、遊技釘ＹＫが第１入賞部材１４４００から抜け落ちた場合に、通路部材１４８００を取り外した後に、不良の第１入賞部材１３４００を取り外して新しい（正常な）第１入賞部材１４４００を取り付けることで修理できる。
【０３５７】
ここで、第１入賞部材１４４００を前面側からのみの作業により取り外し可能とすると、遊技者の不正行為により前面枠１４が開放された際に、遊技者が持ち込んだ第１入賞部材１４４００等に交換されやすくなる。
【０３５８】
これに対して、第１入賞部材１４４００に突設部１４８１２が形成されると共に、その突設部１４８１２を受け入れ可能な凹設部１４４２３ａが通路部材１４８００に凹設され、突設部１４８１２が凹設部１４４２３ａに係合されることで、第１入賞部材１４４００の取り外し方向への移動が規制されるので、突設部１４８１２を凹設部１４４２３ａにより外部から遮蔽することができる。よって、突設部１４８１２と凹設部１４４２３ａとの係合が不正に解除されることを抑制できる。
【０３５９】
さらに、上述したように、通路部材１４８００は、遊技盤１３の背面側からネジ（図示しない）によりベース板６０の背面に取り付けられるので、第１入賞部材１４４００を取り外す不正を防止することができる。
【０３６０】
即ち、第１入賞部材１４４００の突設部１４８１２と通路部材１４４２３の凹設部１４４２３ａとが凹設部２０６０ｃを介して係合されるので、ベース板６０を利用して、正面から通路部材１４４２３へアクセスし難くできる。よって、突設部１４８１２と凹設部１４４２３ａとの係合が不正に解除されることを抑制できる。
【０３６１】
さらに、第１入賞部材１４４００が通路部材１４８００と係合する状態とすることができるので、第１入賞部材１４４００をベース板６０へ締結固定する皿ネジＮ２が衝撃等で外れた場合に、第１入賞部材１４４００が、ベース板６０の前面側または背面側に移動して、ベース板６０から脱落することを防止できる。
【０３６２】
次いで、図３７を参照して第１５実施形態における第１入賞部材１５４００について説明する。第２実施形態では、第１入賞部材２４００がベース板６０に締結固定されるのみの場合を説明したが、第１５実施形態では、第１入賞部材１５４００の鈎部１５４３１がベース板６０と係合される。なお、上述した各実施形態と同一の部分には、同一の符号を付してその説明を省略する。
【０３６３】
図３７（ａ）は、第１５実施形態における第１入賞部材１５４００の斜視正面図であり、図３７（ｂ）は、遊技盤１３の断面図である。なお、図３７（ｂ）は、図１４（ｃ）の断面図に対応すると共に、第２入賞部材２５００が取り外された状態が図示される。
【０３６４】
図３７に示すように、第１５実施形態における第１入賞部材１５４００は、正面視横長矩形の板状体から形成される本体部２４１０と、その本体部２４１０の背面側（図３７（ｂ）上側）から膨出する膨出部２４２０と、本体部２４１０の前面側から打ち込まれる遊技釘ＹＫとを主に備えて形成される。
【０３６５】
膨出部２４２０は、本体部２４１０の長手方向（図３７（ｂ）左右方向）における両端部の背面側（図３７（ｂ）上方）に突出すると共にその突出先端が本体部２４１０の長手方向（図３７（ｂ）左右方向）外側に屈曲形成される形状の鉤状部１５４３１を備える。
【０３６６】
鉤状部１５４３１は、第１入賞部材１５４００をベース板６０に配設した状態において、先端がベース板６０の背面側（図３７（ｂ）の上方）に重なる位置に配置される。よって、第１入賞部材１５４００をベース板６０に係合した状態にできる。従って、第１入賞部材１５４００をベース板６０に締結する皿ネジＮ２が衝撃等により外れた場合に、第１入賞部材１５４００が、ベース板６０の前面側（図３７（ｂ）下側）に落下することを防止できる。その結果、遊技者の遊技中に皿ネジＮ２が外れた場合に、遊技者が遊技を継続することができる。
【０３６７】
鉤状部１５４３１は、本体部２４１０に４個形成される貫通孔２４１３のうちの上方に形成される貫通孔２４１３と略同一の高さ位置に形成され、突出先端の屈曲形成された部分の背面（図３７（ｂ）下側の面）が、貫通孔２４１３の軸と重なる位置に形成される。即ち、鉤状部１５４３１の屈曲部分の背面が、ベース板６０に開口する貫通孔２４１３を塞ぐ。
【０３６８】
また、鉤状部１５４３１は、突出先端の外側面（本体部２４１０の長手方向外側の面）に傾斜面１５４３１ａが形成される。傾斜面１５４３１ａは、突出先端ほど細幅となるように傾斜して形成される。
【０３６９】
これにより、第１入賞部材１５４００をベース板６０に配設する場合に、ベース板６０の前面側から挿入して配設可能とできる。即ち、鉤状部１５４３１は、上述したように本体部２４１０の長手方向（図３７（ｂ）左右方向）に屈曲する分、本体部２４１０の長手方向における膨出部２４２０の幅寸法がベース板６０の凹設部２０６０ｃの対向間の距離寸法よりも大きくされるので、第１入賞部材１５４００を配設する際に、鉤状部１５４３１が凹設部２０６０ｃの対向間を挿通できなくなるところ、鉤状部１５４３１には、傾斜面１５４３１が形成されるので、傾斜面１５４３１ａを凹設部２０６０ｃの壁面に当接させることで、鉤状部１５４３１を内側に弾性変形させることができ、第１入賞部材１５４００をベース板６０の前面側から挿入して配設可能とできる。
【０３７０】
従って、ベース板６０への第１入賞部材１５４００の取り付けに伴い鉤状部１５４３１ａを介してベース板６０と第１入賞部材１５４００とが直接係合され、第１入賞部材１５４００の取り外し方向への移動が規制されるので、第１入賞部材１５４００の脱落を防止するための工程を別途行う必要がない。よって、第１入賞部材１５４００の交換作業を簡素化できると共に、第１入賞部材１５４００の脱落を防止するための工程を実施し忘れることを抑制できる。
【０３７１】
また、第１入賞部材１５４００に鉤状部１５４３１が形成されるので、第１入賞部材１５４００を交換する際には、その交換に伴って、新しい鉤状部１５４３１を使用できる。即ち、鉤状部１６５４１がベース板６０に配設され、爪部が第１入賞部材１５４００に係合される構成では、交換回数が嵩むと鉤状部１６５４１の弾性変形が繰り返され、弾性力が低下するため、係合が解除されやすくなる。これに対し、第１５実施形態によれば、交換回数が嵩んだ場合でも、交換毎に新しい鉤状部１５４３１を使用できるので、係合の信頼性を確保することができる。
【０３７２】
一方、第１入賞部材１５４００をベース板６０から取り外す場合には、上述したように鉤状部１５４３１の屈曲先端側の端部が、鉤状部１５４３１と同一の高さ位置に形成される貫通孔２４１３の軸と重なる位置に形成されるので、第１入賞部材１５４００とベース板６０とを締結する皿ネジＮ２を取り外した後に、第１入賞部材１５４００の貫通孔２４１３に、貫通孔２４１３よりも外形の小さい円柱状の治具を挿入することで、鉤状部１５４３１を弾性変形させて取り外すことができる。
【０３７３】
即ち、例えば、遊技盤１３を開放して、その背面側から鉤状部１５４３１の係合を解除する作業を行う必要がなく、遊技盤１３を閉じたままで、鉤状部１５４３１の係合を解除できる。よって、遊技盤１３から第１入賞部材１５４００を取り外す作業の作業性を向上できる、即ち、鉤状部１５４３１の係合を解除するために、遊技盤１３を開放する必要がなく。遊技盤１３を閉じたままの状態で、正面から第１入賞部材１５４００の交換を完了することができる。
【０３７４】
また、通常の遊技状態時には、鉤状部１５４３１ａの係合を解除する孔の内部を遊技者から隠すことができるので、遊技盤１３の意匠性を確保することができる。
【０３７５】
次いで、図３８を参照して、第１６実施形態における第１入賞部材１６４００について説明する。第２実施形態では、第１入賞部材２４００の膨出部２４２０の背面側がベース板６０の背面と略同一の平面上に配置される場合を説明したが、第１６実施形態では、第１入賞部材１６４００の膨出部１６４２０がベース板６０の背面側に突出される。なお、上述した各実施形態と同一の部分には、同一の符号を付してその説明を省略する。
【０３７６】
図３８（ａ）及び図３８（ｂ）は、第１６実施形態における遊技盤１３及び前面枠１４の断面図である。なお、図３８（ａ）及び図３８（ｂ）では、第２入賞部材２５００の図示が省略される。また、図３８（ａ）及び図３８（ｂ）は、図１４（ｃ）の断面図に対応する。さらに、図３８（ａ）では、第１入賞部材１６４００がベース板６０に取り付けられた状態が図示され、図３８（ｂ）では、第１入賞部材１６４００がベース板６０から取り外された状態が図示される。
【０３７７】
図３８（ａ）に示すように、第１６実施形態では、第１入賞部材１６４００が、正面視横長矩形状の板状体から形成される本体部２４１０と、その本体部２４１０の背面側（図３８（ａ）上側）から膨出する膨出部１６４２０と、本体部２４１０の前面側から打ち込まれる遊技釘ＹＫとを主に備えて形成される。
【０３７８】
膨出部１６４２０は、本体部２４１０の背面側に膨出して形成されており、前後方向（図３８（ａ）上下方向）における幅寸法Ｌ７（図３８（ａ）参照）が、ベース板６０に第１入賞部材１６４００を配設した状態における遊技釘ＹＫの頭部から前面枠１４のガラスユニット１６までの距離寸法Ｌ８（図３８（ａ）参照）よりも大きく設定される（Ｌ７＞Ｌ８）。
【０３７９】
従って、図３８（ｂ）に示すように、第１入賞部材１６４００及び第２入賞部材２５００をベース板６０に締結する皿ネジＮ１，Ｎ２が外れて、第１入賞部材１６４００が前面側（図３８（ｂ）下側）に変位した場合に、第１入賞部材１６４００がベース板６０から抜け出て落下することを抑制できる。
【０３８０】
詳しく説明すると、膨出部の幅寸法Ｌ７が、遊技釘ＹＫの頭部からガラスユニット１３までの距離寸法Ｌ８よりも大きく設定されるので、遊技釘ＹＫの頭部とガラスユニット１３とが当接する最大距離分、第１入賞部材１６４００が変位した場合に、膨出部１６４２０の少なくとも一部を凹設部２０６０ｃの対向間に位置させることができる。その結果、ベース板６０への第１入賞部材１６４００の締結固定が解除された場合でも、ガラスユニット１３を利用して、ベース板６０から第１入賞部材１６４００が脱落することを抑制できる。
【０３８１】
また、この場合、第１入賞部材１６４００の遊技釘ＹＫの先端がガラスユニット１３に当接されることで、ベース板６０から第１入賞部材１６４００が脱落することを抑制できる。即ち、遊技釘ＹＫの長さを利用できる分、第１入賞部材１６４００の厚み寸法（取り外し方向における寸法）を小さくできる。
【０３８２】
次いで、図３９及び図４０を参照して、第１７実施形態について説明する。第２実施形態では、第１入賞部材２４００がベース板６０に締結固定されるのみの場合を説明したが、第１７実施形態では、第１入賞部材１７４００のボールプランジャ１７４５０が、センターフレーム８６に係合する。なお、上述した各実施形態と同一の部分には、同一の符号を付してその説明を省略する。
【０３８３】
図３９は、第１７実施形態における遊技盤１３の分解斜視正面図である。図４０（ａ）は、遊技盤１３の正面図であり、図４０（ｂ）は、図４０（ａ）のＸＬｂ−ＸＬｂ線における遊技盤１３の断面図である。なお、図３９では、センターフレーム８６の図示が省略される。また、図３９、図４０（ａ）及び図４０（ｂ）では、第２入賞部材２５００の図示が省略される。
【０３８４】
図３９及び図４０に示すように、第１７実施形態における第１入賞部材１７４００は、正面視横長矩形の板状体から形成される本体部２４１０と、その本体部２４１０の背面側（図４０（ｂ）左側）から膨出する膨出部２４２０と、本体部２４１０及び膨出部２４２０の上面側（図４０（ｂ）上側面）に配設されるボールプランジャ１７４５０と、本体部２４１０の前面側から打ち込まれる遊技釘ＹＫとを主に備えて形成される。
【０３８５】
ボールプランジャ１７４５０は、筒状に形成されると共に一方側（図４０（ｂ）下側）が塞がれる保持部１７４５１と、その保持部１７４５１の内側に配設される球状の球体１７４５２と、その球体１７４５２と保持部１７４５１の一方との間に配設される弾性体のバネ部材１７４５３とを主に備えて形成される。
【０３８６】
保持部１７４５１は、円筒状に形成されると共に、開放側の他方側（図４０（ｂ）上側）の内径が、内部に配設される球体１７４５２よりも小さくされる。よって、球体１７４５２が保持部１７４５１内側から抜け出ることを抑制できる。
【０３８７】
バネ部材１７４５３は、螺旋状に巻かれて形成されるバネであり、球体１７４５２と保持部１７４５１の底面との間に予圧縮をされた状態で配設される。これにより、球体１７４５２の一部を保持部１７４５１の外側に突出させた状態で保持できる。
【０３８８】
ボールプランジャ１７４５０は、保持部１７４５１の上端面（開放側の面）（図４０（ｂ）上端の面）が、第１入賞部材１７４００の本体部２４１０及び膨出部２４２０の上面と同一平面上に位置される。また、ボールプランジャ１７４５０は、本体部１７４１０の長手方向（図４０（ａ）左右方向）略中間位置に配設されると共に、第１入賞部材２４１０の前後方向（図４０（ｂ）左右方向略中間位置に配設される。
【０３８９】
センタフレーム８６は、その下端部（図４０（ｂ）下側端部）に、背面側に屈曲形成された屈曲部１７０８６ａを備える。屈曲部１７０８６の下面は、背面側に向かって上方に傾斜する傾斜面１７０８６ａ１が形成される。
【０３９０】
また、傾斜面１７０８６ａ１の前後方向（図４０（ｂ）左右方向）略中央位置から対向するベース板６０の端面までの対向間寸法Ｌ９は、第１入賞部材１７４００が、ベース板６０に配設されていない状態における、第１入賞部材１７４００の上下方向（図４０（ｂ）上下方向）寸法よりも小さく形成される。よって、第１入賞部材１７４００をベース板６０に配設した場合に、球体１７４５２を保持部１７４５１の内側に挿入した状態にできる。
【０３９１】
この場合、上述したように傾斜面１７０８６ａ１は、背面側に向かって上方に傾斜するので、球体１７４５２がバネ部材１７４５３に押し上げられる力により、第１入賞部材１７４００全体を背面側（図４０（ｂ）左側）に付勢することができる。
【０３９２】
従って、第１入賞部材１７４００をベース板６０に締結固定する皿ネジＮ２が衝撃等で取れた場合に、第１入賞部材１７４００が、ベース板６０の前面側（Ｄ０９（ｂ）右側）に落下することを抑制できる。その結果、遊技者が遊技中に皿ビスＮ２が外れた場合に、遊技者に遊技を継続させることができる。
【０３９３】
また、ボールプランジャ１７４５０は、球体１７４５２がバネ部材１７４５３により弾性支持された状態とされるので、遊技釘ＹＫに遊技球が衝突される際の入力に対して、球体１７４５２を質量体として作用させることができる。即ち、ボールプランジャ１７４５０をダイナミックダンパとして機能させることができる。その結果、遊技球の遊技釘ＹＫへの衝突に伴う振動を抑制して、遊技釘ＹＫ及び第１入賞部材１７４００の破損を抑制できる。特に、バネ部材１７４５３の伸縮方向（球体１７４５２の弾性支持の方向）が上下方向とされ、遊技球の落下方向（即ち、遊技釘ＹＫへの衝突方向）に一致されるので、上述した遊技球の衝突に対するダイナミックダンパとしての機能（破損防止）を効果的に発揮させることができる。
【０３９４】
次いで、図４１から図４３を参照して、第１８実施形態について説明する。第２実施形態では、第１入賞部材２４００をベース板６０から取り外す際に、第２入賞部材２５００を取り外す作業が必要となる場合を説明したが、第１８実施形態では、第１入賞部材１８４００をベース板６０から取り外す際に、第２入賞部材２５００を取り外す作業が不必要とされる。なお、上述した各実施形態と同一の部分には、同一の符号を付してその説明は省略する。
【０３９５】
初めに、図４１及び図４２を参照して、第１８実施形態における遊技盤１３の全体構成について説明する。図４１（ａ）は、第１８実施形態における遊技盤１３の正面図であり、図４１（ｂ）は、図４１（ａ）のＸＬＩｂ−ＸＬＩｂ線における遊技盤１３の断面図である。図４２は、遊技盤１３の分解斜視正面図である。なお、図４２では、センターフレーム８６が取り外された状態が図示される。また、図４１及び図４２では、第１入賞部材１８４００及びベース板６０の外形が簡略化されて図示される。
【０３９６】
図４１及び図４２に示すように、第１８実施形態におけるベース板６０は、センターフレーム８６が取り付けられる中央開口側から下方（図４１（ａ）下方）に凹設される凹設部１８０６０ｃと、その凹設部１８０６０ｃの左右方向（図４１（ａ）左右方向）両端に連なると共に、前面側（図４１（ｂ）右側）から背面側（図４１（ｂ）左側）に凹設される窪み部１８０６０ｄと、凹設部１８０６０ｃの左右方向中央部に連なって下方に凹設される第２凹設部１８０６０ｊとを備える。
【０３９７】
凹設部１８０６０ｃは、正面視横長矩形状に中央開口側から凹設して形成され、正面視における形状が、後述する第１入賞部材１８４００の膨出部１８４２０の背面視における形状と略同一に設定される。
【０３９８】
窪み部１８０６０ｄは、凹設部１８０６０ｃの左右方向両端部に連なって形成されており、ベース板６０の前面側から背面側に向かって板厚方向の略中央位置まで凹設される。また、窪み部１８０６０ｄは、後述する第１入賞部材１８４００の本体部１８４１０の一部（膨出部１８４２０から下方に突出する部分）を収容する部分であり、正面視において膨出部１８４２０から下方に突出する本体部１８４１０の突出量と略同一の凹設寸法で下方に凹設される。
【０３９９】
窪み部１８０６０ｄには、前面側から背面側に貫通する締結孔１８６０ｄ４が形成される。締結孔１８０６０ｄ４は、その内側に、第１入賞部材１８４００をベース板６０に締結固定する皿ネジＮ２を螺合させる雌ねじが形成される。
【０４００】
第２凹設部部１８０６０ｊは、第２入賞部材２５００の第１入賞口６４に流入した遊技球をベース板６０の背面側に流通可能にする開口であり、第２入賞部材２５００の第１入賞６４よりも下側に凹設される。
【０４０１】
入賞口ユニット１８３００は、ベース板６０の凹設部１８０６０ｃの内側に配設される第１入賞部材１８４００と、その第１入賞部材１８４００及びベース板６０の前面側（図４１（ｂ）右側）に配設される第２入賞部材２５００とから形成される。
【０４０２】
第１入賞部材１８４００は、正面視横長矩形の板状体から形成される本体部１８４１０と、その本体部１８４１０の背面側（図４１（ｂ）左側）から膨出する膨出部１８４２０と、本体部１８４１０側（前面側）から打ち込まれる遊技釘ＹＫとを主に備えて形成される。
【０４０３】
本体部１８４１０は、下側（図４１（ａ）下側）の端部の長手方向（図４１（ａ）左右方向）の両端部に前後方向に貫通して形成される貫通孔１８４１３が形成される。貫通孔１８４１３は、窪み部１８０６０ｄに形成される締結孔１８６０ｄ４と同軸上に形成される。これにより、貫通孔１８４１３に挿通した皿ネジＮ２を、締結孔１８６０ｄ４に螺合させて、第１入賞部材１８４００をベース板６０に締結固定できる。
【０４０４】
また、貫通孔１８４１３は、皿ネジＮ２が挿入される前面側に向かって拡径して形成される。これにより、皿ネジＮ２の頭部を貫通孔１８４１３の内側に挿入できる。これにより、第１入賞部材１８４１３をベース板６０に締結した場合に、遊技釘ＹＫの先端が遊技領域に突出することを抑制できる。
【０４０５】
膨出部１８４２０の上端は、本体部１８４１０の上端と面一に形成されると共に、膨出部１８４２０の下端よりも本体部１８４００の下端が下方へ突出して形成される。また、膨出部１８４２０は、本体部１８４００の左右方向全域に亘って形成される。
【０４０６】
ベース板６０の中央開口に配設されるセンターフレーム８６は、ベース板６０に第１入賞部材１８４００が配設された状態において、その一部が第１入賞部材１８４００の上端部（図４１（ｂ）上方端部）と前後方向（図４１（ｂ）左右方向）に重なる部分（正面張出部）を有して形成される。よって、第１入賞部材１８４００を引き抜く方向への移動をセンターフレーム８６により規制できるので、ベース板６０の形状を簡素化して、その形成を容易とできる。なお、第２入賞部材２５００とセンタフレーム８６とは、第１入賞部材１８４００を挟んで重力方向の両側に配設されることがこのましい。ベース板６０の形状を簡素化できるからである。
【０４０７】
また、センターフレーム８６は、ベース板６０に第１入賞部材１８４００が配設された状態において、第１入賞部材１８４００の上端面と所定の距離を隔てた位置に、正面張出部から背面側に突出する突出部１８０８６ｂが形成される。
【０４０８】
なお、ベース板６０に第１入賞部材１８４００が配設された状態において、突出部１８０８６ｂと第１入賞部材１８４００との対向間の距離寸法Ｌ１０（図４１（ｂ）参照）は、第１入賞部材１８４００と第２入賞部材２５００とが前後方向に重なる領域の上下方向寸法Ｌ１１（図４１（ｂ）参照）よりも大きく設定される。
【０４０９】
次いで、図４３を参照して、第１入賞部材１８４００をベース板６０から取り外す手順について説明する。図４３（ａ）から図４３（ｃ）は、遊技盤１３の断面図である。なお、図４３（ａ）から図４３（ｃ）は、図４１（ｂ）の断面図と対応する。また、図４３（ａ）から図４３（ｃ）は、第１入賞部材１８４００を取り外す場合の遷移状態が順に図示される。
【０４１０】
初めに、図４３（ａ）に示すように、第１入賞部材１８４００を取り外す場合には、第１入賞部材１８４００をベース板６０に締結固定している皿ネジＮ２を取り外す。
【０４１１】
第２に、図４３（ｂ）に示すように、第１入賞部材１８４００をベース板６０に対して上方に持ち上げる。上述したように、突出部１８０８６ｂと第１入賞部材１８４００との対向間の距離寸法Ｌ１０は、第１入賞部材１８４００と第２入賞部材２５００とが前後方向に重なる領域の上下方向寸法Ｌ１１よりも大きくされるので、第１入賞部材１８４００を上方に持ち上げることで、第１入賞部材１８４００の下方（図４３（ｂ）下方）の端部を第２入賞部材２５００よりも上方に位置させることができる。
【０４１２】
従って、図４３（ｂ）に示す状態から、第１入賞部材１８４００の下方の端部を前方に回転させることで、図４３（ｃ）に示すように、第１入賞部材１８４００の下方の端部をベース板６０の正面より前方に位置させることができる。最後に、第１入賞部材１８４００の下方の端部を本体部１８４１０の短手方向に引き抜くことで、第１入賞部材１８４００の上方の端部をベース板６０から引き出すことができる。なお、第１入賞部材１８４００を取り付ける場合には、反対の手順を行うことで第１入賞部材１８４００をベース板６０に取り付けることができる。
【０４１３】
よって、第１入賞部材１８４００の遊技釘ＹＫが折れた場合や、遊技釘ＹＫが第１入賞部材１８４００から抜け落ちた場合に不良の第１入賞部材１８４００を取り外して新しい（正常な）第１入賞部材１８４００を取り付けることで修理できる。
【０４１４】
ここで、第１遊技盤部材（ベース板６０）と、その第１遊技盤部材に配設され第１遊技盤部材と共に遊技盤を形成する第２遊技盤部材（第１入賞部材１８４００）とを備えた遊技機が知られている。かかる遊技機によれば、第２遊技盤部材が第１遊技盤部材にねじ部材（皿ネジＮ２）により締結固定されているため、ねじ部材が不正に取り外されたり遊技中の振動により不用意に緩んだりした場合には、第１遊技盤部材から第２遊技盤部材が脱落するおそれがある。これに対し、本願出願人は、第２遊技盤部材の一部と重畳された状態で第１遊技盤部材に第２部材を配設することで、かかる重畳された部分による両者の係合を利用して、第２遊技盤部材が第１遊技盤部材から脱落することを抑制する技術に想到した（本願出願時において未公知）。
【０４１５】
しかしながら、上述した技術では、第２遊技盤部材の交換作業を行う場合には、第２遊技盤部材だけでなく、第２部材も遊技盤から取り外す必要があるため、その分、工数が嵩み、第２遊技盤部材の交換作業が煩雑になるという問題点があることが分った。
【０４１６】
これに対し、第１８実施形態によれば、第２入賞部材２５００がベース板６０に保持された状態で第１入賞部材１８４００が取り外し可能に形成されるので、その分、工数を抑制して、第１入賞部材１８４００の交換作業を簡素化できる。即ち、第２入賞部材２５００をベース板６０から取り外す必要がないので、かかる第２入賞部材２５００を取り付け直す工程における工数を抑制するだけでなく、作業者が、第２入賞部材２５００を紛失することや、第２入賞部材２５００の取り付け方を間違えることを抑制できる。
【０４１７】
即ち、第２入賞部材２５００は、第１入賞部材１８４００を引き抜く方向への移動を規制可能な位置に配設され、第１入賞部材１８４００は、引き抜く方向と異なる上方向へ移動させることで、引き抜く方向への移動が許容されるので、第２入賞部材２５００をベース板６０から取り外すことなく、第１入賞部材１８４００を取り外すことできる。また、第２入賞部材をベース板６０に配設した状態のままで、第１入賞部材１８４００を取り付けることができる。よって、その分、工数を抑制して、第１入賞部材１８４００の交換作業を簡素化できる。
【０４１８】
また、第１入賞部材１８４００の引き抜く方向への移動を許容する際の移動方向が、重力方向と平行とされるので、第１入賞部材１８４００の引き抜き方向への移動を第２入賞部材２５００が規制可能な位置に第１入賞部材１８４００が配置された状態を、第１入賞部材１８４００の自重（重力の作用）により維持させることができる。即ち、第１入賞部材１８４００をベース板６０に固定する皿ネジＮ２が不正に取外されたり、遊技中の振動により不要に緩んだりした場合でも、第１入賞部材１８４００がその一部を第２入賞部材２５００と重畳された位置（引き抜き方向への移動が規制される位置）に維持されるので、重畳された部分による両者の係合により、第１入賞部材１８４００がベース板６０から脱落することを抑制できる。
【０４１９】
さらに、第１入賞部材１８４００は、本体部１８４１０の下端部分が、第２入賞部材２５００のベース部材２５１０の背面と、窪み部１８０６０ｄの前面との対向間に配設されるので、第１入賞部材１８４００を締結固定する皿ネジＮ２が衝撃等で取れた場合に、第１入賞部材１８４００がベース板６０の前面側（図４１（ｂ）右側）に落下することを抑制できる。その結果、遊技者が遊技中に皿ネジＮ２が外れた場合にも、遊技者に遊技を継続させることができる。
【０４２０】
次いで、図４５及び図４６を参照して、第１９実施形態について説明する。第２実施形態では、第１入賞部材２４００をベース板６０から取り外す際に、第２入賞部材２５００を取り外す作業が必要となる場合を説明したが、第１９実施形態では、第１入賞部材１９４００をベース板６０から取り外す際に、第２入賞部材１９５００を取り外す作業が不必要とされる。なお、上述した各実施形態と同一の部分には、同一の符号を付してその説明は省略する。
【０４２１】
初めに、図４４及び図４５を参照して、第１９実施形態における遊技盤１３の全体構成について説明する。図４４は、第１９実施形態における遊技盤１３の分解斜視正面図である。図４５（ａ）は、遊技盤１３の正面図であり、図４５（ｂ）は、図４５（ａ）のＸＬＶｂ−ＸＬＶｂ線における遊技盤１３の断面図である。なお、図４４では、センターフレーム８６が取り外された状態が図示される。また、図４４及び図４６では、第１入賞部材１８４００及びベース板６０の外形が簡略化されて図示される。
【０４２２】
図４４及び図４５に示すように、第１９実施形態における入賞口ユニット１９３００は、ベース板６０の凹設部２０６０ｃの内側に配設される第１入賞部材２４００と、その第１入賞部材２４００及びベース板６０の前面側（図４５（ｂ）右側）に配設される第２入賞部材１９５００とから形成される。
【０４２３】
第２入賞部材１９５００は、正面視菱形の板状体から形成されるベース部材１９５１０と、そのベース部材１９５１０の正面側（図４５（ｂ）右側）に突出形成される球入賞部材３２０と、ベース部材１９５１０を挟んで、球入賞部材３２０の反対側に位置する通路形成部材１９３３０とを主に備えて形成される。
【０４２４】
ベース部材１９５１０は、ベース板６０の凹設部２０６０ｃよりも正面視において左右方向（図４５（ａ）左右方向）寸法が大きく設定される。これにより、ベース部材１９５１０を凹設部２０６０ｃの前面側（図４５（ｂ）右側）に配置すると共に、ベース部材２５１０の左右方向両端部をベース板６０の前面に当接させることができる。
【０４２５】
ベース部材１９５１０は、正面視において略中央位置に板厚方向（図４５（ｂ）左右方向）に開口される開口部３１１と、左右方向両端部に板厚方向に貫通する摺動溝１９５１２とを主に備えて形成される。
【０４２６】
摺動溝１９５１２は、上下方向（図４５（ａ）上下方向）に延設して形成されると共に、前面側から背面側（図４５（ａ）紙面奥側）に向かってその内面が内側に傾斜して形成される。摺動溝１９５１２は、第２入賞部材１９５００をベース板６０に締結固定するための皿ネジＮ１を挿通する開口であり、内面の幅寸法が皿ネジＮ１の先端部（軸部）の外形よりも大きく形成される。
【０４２７】
また、摺動溝１９５１２は、下端部（図４５（ａ）下側端部）に皿ネジＮ２の頭部よりも大きい外形の傾斜面に形成される収容部１９５１２ａが形成される。さらに、収容部１９５１２ａは、第２入賞部材１９５００が、ベース板６０の配設位置（図４５に示す位置）に配設された場合に、皿ネジＮ２の軸と同一軸上に設定される。これにより、第２入賞部材１９５００の取り付けする位置を位置決めすることができる。また、摺動溝は１９５１２は、上下方向に延設されるので、皿ネジＮ１の締結を弱めることで、図４５に示す位置から第２入賞部材１９５００を下方に移動させることができる。
【０４２８】
通路形成部材１９３３０は、ベース部材１９３１０の開口部３１１の周囲から背面側に突出して形成される。通路形成部材１９３３０は、背面視において下方側が湾曲する略Ｕ字状に形成されており、内側に遊技球を挿通可能な大きさの空間が形成される。これにより、第１入賞口６４に流入した遊技球を、通路形成部材１９３３０の背面側に送球すると共に通路形成部材１９３３０の背面側に連通される通路部材１９８００に送球できる。
【０４２９】
また、通路形成部材１９３３０は、その左右両側（図４５（ａ）左右両側）の壁面の後端から後述する通路部材１９８００の内部に突出される延設部１９３４０を備える。延設部１９３４０は、通路形成部材３３０の左右両側の壁面の両端から背面側（図４５（ｂ）左側）に突出する棒状の一対の突出部１９３４１と、それら一対の突出部１９３４１の突出先端部を左右方向に連結する連結部１９３４２と、その連結部１９３４２と連結され下方に延設される金属体１９３４３とを主に備えて形成される。
【０４３０】
突出部１９３４１は、通路形成部材１９３３０の上端部から背面側へ突出され、その突出先端側が、後述する通路部材１９８００の開口１９８１１の内側に挿入される。また、突出部１９３４１は、その突出先端が通路部材１９８００の内側に形成される空間の前後方向略中間に位置される。
【０４３１】
連結部１９３４２は、棒状体から形成され、両端部が一対の突出部１９３４１の突出先端にそれぞれ連結される。また、連結部１９３４２の下面には、後述する金属体１９３４３が圧入して接続される溝が形成される。なお、連結部１９３４２と金属体１９３４３との連結は、圧入に限られるものではなく、接着やネジ締結等で連結しても良い。
【０４３２】
金属体１９３４３は、金属材料（本実施形態では、鉄）から形成される板部材であり、左右方向（図４５（ａ）左右方向）における幅寸法が、後述する通路部材１９８００の内部空間の幅寸法よりも小さく設定される。また、金属体１９３４３は、連結部１９３４２に接続された状態において、下方（図４５（ｂ）下側）に向かうに従って背面側（図４５（ｂ）左側）に傾斜する状態で配設される。
【０４３３】
金属体１９３４３は、第２入賞部材１９５００が、ベース部材６０に締結固定された状態において、通路形成部材１９３３０の下端面より上方に位置されると共に、通路部材１９８００の開口１９８１１の下面までの最短の距離寸法Ｌ１１（図４５（ｂ）参照）が遊技球の外径よりも大きく設定される。これにより、第２入賞部材１９５００の第１入賞口６４に流入した遊技球が、通路形成部材１９３３０を転動して通路部材１９８００の内側に送球された場合に、遊技球を通路形成部材３３０の前面側に衝突させることができる。
【０４３４】
従って、通路部材１９８００の内壁に遊技球を衝突させて遊技球の送球方向を変更する必要がなくなるので、通路部材１９８００が破損することを抑制できる。また、金属体１９３４３は、鉄から形成され、通路部材１９８００を形成する樹脂よりも剛性が高いので、通路部材１９８００が破損することを抑制できる。さらに、金属体１９３４３が破損した場合には、第２入賞部材１９５００をベース板６０に締結する皿ネジＮ１を取り外すことで、金属体１９３４３を交換できる。よって、金属体１９３４３の修理を簡易にすることができる。
【０４３５】
なお、金属体１９３４３は、鉄に限られるものではなく。後述するセンサ装置ＳＥに検知される材質であれば他の部材を採用してもよい。例えば、アルミやステンレス等で形成しても良い。
【０４３６】
通路部材１９８００は、外形が上下方向に長い長方体形状に形成されると共に、その内側に内部空間を備えて形成される。通路部材１９８００は、正面側（図４５（ｂ）右側）の上端部に開口され内部空間と外部とを連通させる開口１９８１１と、上下方向に延びる通路部材１９８００の内部空間の上端側に配設されるセンサ装置ＳＥとを主に備えて形成される。
【０４３７】
開口１９８１１は、通路部材１９８００が遊技盤１３に配設された状態において、第１入賞口６４の背面側（図４５（ｂ）左側）に形成される。これにより、第１入賞部材６４から背面側に送球された遊技球を、開口１９８１１を通して通路部材１９８００の内側（内部空間）に送球できる。
【０４３８】
センサ装置ＳＥは、通路部材１９８００の内側を通過する遊技球の球数を検出する部材であり、遊技球の外径よりも大きい内径を有して上下方向に貫通する開口を備える。
【０４３９】
なお、通路部材１９８００は、背面側からネジ（図示しない）を挿通させると共に、そのネジをベース板６０の背面側に螺合させることでベース板６０に取り付けられる。
【０４４０】
次いで、図４６を参照して、第２入賞部材１９５００の変位について説明する。図４６（ａ）は、遊技盤１３の正面図であり、図４６（ｂ）は、図４６（ａ）のＸＬＶＩｂ−ＸＬＶＩｂ線における遊技盤１３の断面図である。なお、図４６（ａ）及び図４６（ｂ）では、第２入賞部材１９５００をベース板６０に締結する皿ネジＮ１が緩められた状態が図示される。
【０４４１】
図４６に示すように、第２入賞部材１９５００を締結する皿ネジＮ１が緩められると、皿ネジＮ１の頭部が第２入賞部材１９５００の前面から少し離れることで、皿ネジＮ１の先端側（軸部）が摺動溝１９５１２の内部を摺動可能となり、第２入賞部材１９５００を下側に変位させることができる。
【０４４２】
これにより、第１入賞部材２４００と第２入賞部材１９５００とを前後方向に重ならない位置に配設することができる。従って、第１入賞部材２４００の遊技釘ＹＫが折れた場合や、遊技釘ＹＫが第１入賞部材２４００から抜け落ちた場合に、第２入賞部材１９５００をベース部材６０から取り外すことなく、不良の第１入賞部材２４００を取り外して新しい（正常な）第１入賞部材２４００を取り付けることで修理できる。
【０４４３】
即ち、第２入賞部材１９５００は、第１入賞部材２４００の取り外しを規制する規制位置と第１入賞部材２４００の取り外しを許容する許容位置との間で変位可能にベース板６０に配設されるので、第２入賞部材１９５００を遊技盤１３から取り外すことなく、第１入賞部材２４００を取り外すことができる。また、第２入賞部材１９５００をベース部材に配設した状態のままで、第１入賞部材２４００を取り付けることができる。よって、その分、工数を抑制して、第１入賞部材２４００の交換作業を簡素化できる。さらに、第２入賞部材１９５００をベース板６０から取り外さないので、第１入賞部材２４００を交換した場合に、第２入賞部材１９５００を取り付け忘れることを防止できる。
【０４４４】
さらに、第１入賞部材２４００の取り外しを許容する第２入賞部材１９５００の許容位置が規制位置よりも、重力方向下方に設定されるので、第２入賞部材１９５００をその自重により、許容位置に維持させることができる。即ち、第１入賞部材２４００を交換する際に、第２入賞部材１９５００を作業者が許容位置に保持しておく必要がない。よって、工数を抑制して、第１入賞部材２４００の交換作業を簡素化できる。
【０４４５】
また、第２入賞部材１９５００が、下方に変位された状態では、金属体１９３４３の前面と通路部材１９８００の開口１９８１１の下面との間の最短の距離寸法Ｌ１２（図４６（ｂ）参照）が、遊技球の外径よりも小さくされる。これにより、第１入賞部材２４００を交換した後に、第２入賞部材１９５００を正常な位置に戻し忘れた場合に、遊技球が通路部材１９８００を通過することを防止できる。その結果、遊技者が有利となる状態で、遊技可能な状態となることを防止できる。
【０４４６】
なお、遊技者が有利となる状態としては、第２入賞部材１９５００が下方に位置し、第１入賞部材２４００に打ち込まれた遊技釘ＹＫと離間された状態とれ、遊技領域を流下する遊技球が遊技釘ＹＫに阻害されず第１入賞口６４に入賞する状態が例示される。
【０４４７】
さらに、第２入賞部材１９５００が、下方に変位された状態では、第２入賞部材１９５００に連結される延設部１９３４０の金属体１９３４３が下方に移動されて、センサ装置ＳＥの開口内部に配置される。金属体１９３４３は、センサ装置ＳＥにより検出可能な材料から形成されるので、第１入賞部材２４００を交換した後に、第２入賞部材１９５００を正常な位置（図４５に示す位置）に戻し忘れた場合には、センサ装置ＳＥが金属体１９３４３を検知可能な状態を形成できる。よって、パチンコ機１０は、センサ装置ＳＥの検知状態を監視して、所定時間以上の検知が継続されていれば、第２入賞部材１９５００を所定位置に戻し忘れた状態を検知することができる。これにより、パチンコ機１０は、異常状態であることを店員に報知（例えば、異常音や特殊発光等）することができる。
【０４４８】
よって、第２入賞部材１９５００が許容位置に配置されると、金属体１９３４３がセンサ装置ＳＥに検出可能な位置に配置されるので、センサ装置ＳＥによる検出状態（例えば、波形）を監視することで、第２入賞部材１９５００が許容位置に配置されたままの状態である（即ち、規制位置へ戻し忘れている）ことを検出できる。即ち、球が通過する際にセンサ装置ＳＥがオン（又はオフ）される時間は比較的短いものとされる一方、第２入賞部材１９５００が許容位置に配置されたままとされた状態ではセンサ装置ＳＥがオン（又はオフ）される時間が継続されるため、センサ装置ＳＥが所定時間（閾値）を越えてオン（又はオフ）された場合には、第２入賞部材１９５００が許容位置に配置されたままの状態と判断できる。
【０４４９】
これにより、第１入賞部材２４００を交換した後に第２入賞部材１９５００を正常な位置に戻し忘れることを防止できる。また、遊技者が遊技中に皿ネジＮ１が緩んで、第２入賞部材１９５００が下方に変位した場合にも、店員に報知することができるので、異常な状態になったことに遊技者が気が付かなかったとしても店員に知らせることができる。従って、皿ネジＮ１が緩んで、第２入賞部材１９５００が異常な位置となった場合に、遊技者が遊技を継続することで遊技者に不利な状態となることを防止できる。
【０４５０】
また、検出部が金属材料から形成され、第２入賞部材１９５００が規制位置に配置された状態では、遊技球の通過する通路の内壁の一部が金属体１９３４３により形成されるので、通路の耐久性の向上を図ることができる。
【０４５１】
なお、第１の通路とその第１の通路の下流側に屈曲して連設される第２の通路における第２の通路の一部（第１の通路から流下される遊技球が衝突される部位）が金属体１９３９４３により形成されることが好ましい。破損が生じやすい部位を補強して、耐久性の向上を効果的に図ることができるからである。
【０４５２】
次いで、図４７及び図４８を参照して、第２０実施形態における第２入賞部材２０５００について説明する。第２実施形態では、第１入賞部材２４００と第２入賞部材２５００とが別々に取り外される場合を説明したが、第２０実施形態では、第１入賞部材２０４００と第２入賞部材２０５００とが同時に取り外される。なお、上述した各実施形態と同一の部分には、同一の符号を付してその説明は省略する。
【０４５３】
図４７（ａ）は、第２０実施形態における遊技盤１３の正面図であり、図４７（ｂ）は、図４７（ａ）のＸＬＶＩＩｂ−ＸＬＶＩＩｂ線における遊技盤１３の断面図である。図４８は、遊技盤１３の分解斜視正面図である。なお、図４８では、センターフレーム８６が取り外された状態が図示される。
【０４５４】
図４７及び図４８に示すように、第２０実施形態における入賞口ユニット２０３００は、ベース板６０の凹設部２０６０ｃの内側に配設される第１入賞部材２０４００と、その第１入賞部材２０４００及びベース板６０の前面側（図４７（ｂ）下側）に配設される第２入賞部材２０５００とから形成される。
【０４５５】
第１入賞部材２０４００は、正面視矩形の板状体から形成される本体部２０４１０と、その本体部２０４１０の背面側（図４７（ｂ）上側）から膨出する膨出部２４２０と、本体部２０４１０側（前面側）から打ち込まれる遊技釘ＹＫとを主に備えて形成される。
【０４５６】
本体部２０４１０及び膨出部２４２０は、左右方向（図４７（ｂ）左右方向）略中央位置に下方から上方に向かって凹部２０４３２が凹設され、本体部２０４１０の左右方向両端部には、第１入賞部材２０４００をベース板６０に締結する皿ネジＮ２が挿通される貫通孔２４１３が形成される。
【０４５７】
凹部２０４３２は、後述する第２入賞部材２０５００の通路形成部材３３０の左右方向（図４７（ｂ）左右方向）寸法よりも大きく形成されると共に第１入賞部材２０４００の前面側から背面側に亘って連続して形成される。これにより、第２入賞部材２０５００を第１入賞部材２０４００の前方に配設した際に、通路形成部材３３０を凹部２０４３２の内側に挿通して配設できる。
【０４５８】
また、凹部２０４３２は、下方が開放して形成されるので、かかる開放部分を通過せることで、ベース板６０から一体（即ち、凹部２０４３２と後述する係合部２０５１３とが係合された状態）で取り外された第１入賞部材２０４００及び第２入賞部材２０５００を分解する作業を容易に行うことができる。
【０４５９】
第２入賞部材２０５００は、正面視菱形の板状体から形成されるベース部材２０５１０と、そのベース部材２５１０の正面側（図４７（ｂ）下側）に突出形成される球入賞部材３２０と、ベース部材２５１０を挟んで、球入賞部材３２０の反対側に位置する通路形成部材３３０とを主に備えて形成される。
【０４６０】
ベース部材２５１０には、開口部３１１の上端側の左右の縁部から背面側に突出する係合部２０５１３が形成される。係合部２０５１３は、通路形成部材３３０の左右方向（図４７（ｂ）左右方向）両端部の上方に形成される。また、係合部２０５１３は、ベース板２５１０の背面から背面側（図４７（ｂ）上方側）に向かって突出形成されると共に、その突出先端が左右方向外側に向かって屈曲される。
【０４６１】
また、係合部２０５１３の背面側への突出寸法Ｌ１３（図４７（ｂ）参照）は、第１入賞部材２０５００の前後方向（図４７（ｂ）上下方向）の厚み寸法と略同一に設定される。また、係合部２０５１３は、基端側（第２入賞部材２０５００のベース部材２０５１０側）の左右方向の距離寸法Ｌ１４（図４７（ｂ）参照）が、上述した第１入賞部材２０４００の凹部２０４３２の左右方向における対向間寸法と略同一に設定されると共に、屈曲先端側の左右方向における距離寸法Ｌ１５（図４７（ｂ）参照）が、凹部２０４３２の左右方向における対向間寸法よりも大きく形成される。これにより、第１入賞部材２０４００に第２入賞部材２０５００を係合させることができる。
【０４６２】
さらに、係合部２０５１３には、弾性変形可能に形成される弾性片２０５１３ｂと、その弾性片から突出される爪部２０５１３ｃと、屈曲側の先端向かって背面側から前面側に傾斜する傾斜面２０５１３ａとが形成される。これにより、係合部２０５１３の傾斜面２０５１３ａを凹部２０４３２の内壁に当接させることで、第２入賞部材２０５００を第１入賞部材２０４００の前面側から配設（挿入）可能とできると共に、背面に到達することで、係合部２０５１３を第１入賞部材２０４００に係合させることができる。
【０４６３】
以上のように構成される入賞口ユニット２０３００によれば、第１入賞部材２０３００の遊技釘ＹＫが２本とも折れて第１入賞部材２０４００を交換する場合に、第２入賞部材２０５００をベース板６０から取り外すことで、第１入賞部材２０４００をベース板６０から取り外すことができる。
【０４６４】
ここで、第１遊技盤部材（ベース板６０）と、その第１遊技盤部材に締結固定され第１遊技盤部材と共に遊技盤を形成する第２遊技盤部材とを備えた遊技機が知られている。かかる遊技機によれば、第２遊技盤部材を第１遊技盤部材に対して着脱できるので、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材が第１遊技盤部材から取り外し難いという問題点があった。例えば、釘が植設された第２遊技盤部材では、作業者は、釘を把持することで、第２遊技盤部材を遊技盤から取り外すことができるところ、釘が折れている場合には、第２遊技盤部材に把持する部位がなくなるため、取り外しが困難となる。第２遊技盤部材と第１遊技盤部材との遊技面どうしが面一となる態様で、第２遊技盤部材が第１遊技盤部材に埋め込まれている場合には、かかる問題点が特に顕著となる。
【０４６５】
これに対し、第２０実施形態では、少なくとも皿ネジＮ２が取り外されると、作業者が第１入賞部材２０４００を直接または間接に把持可能に形成されるので、ベース板６０から第１入賞部材２０４００を取り外しやすくすることができる。
【０４６６】
即ち、第２０実施形態では、第１入賞部材２０４００と第２入賞部材２０５００とが係合部２０５１３により係合した状態で配設されるので、第１入賞部材２０４００の遊技釘ＹＫが２本とも折れた場合には、皿ネジＮ１，Ｎ２を取り外してベース板６０から前面側に位置して配設される第２入賞部材２０５００を指で保持して前面側に引き抜くことで、第１入賞部材２０４００を同時にベース板６０から取り外すことができる。その結果、第１入賞部材２０４００の取り換えを簡易にできる。
【０４６７】
さらに、係合部２０５１３は、弾性変形可能に形成される弾性片２０５０１３ｂと、その弾性片から突出される爪部２０５１３ｃとを備えると共に、その爪部２０５１３ｃが凹部２０４３２に係合可能に形成されるので、第１入賞部材２０４００と、第２入賞部材２０５００とを別々に取り付けた場合でも、弾弾性片２０５１３ｂの弾性変形を利用して、係合部２０５１３と凹部２０４３２とを係合させることができる。よって、第１入賞部材２０４００又は第２入賞部材２０５００を一体化した状態で、ベース板６０に取り付ける必要がないので、第１入賞部材２０４００及び第２入賞部材２０５００をベース板６０に取り付ける際の作業性の向上を図ることができる。
【０４６８】
また、第１入賞部材２０４００を取り外す必要がある場合に、第１入賞部材２０４００を指で保持しなくても第２入賞部材２０５００を保持して引き抜くことで第１入賞部材２０４００をベース板６０から取り外すことができるので、第１入賞部材２０４００の遊技釘ＹＫが作業者に保持されることを抑制できる。上述したように、遊技釘ＹＫは、その２本の間に遊技球が挿通可能な大きさに調整される箇所であるため、第１入賞部材２０４００を取り外す場合に遊技釘ＹＫを指で保持しては、その調整が狂う（遊技釘ＹＫが曲がる）恐れがある。
【０４６９】
これに対し、入賞口ユニット２０３００は、第２入賞部材２０５００と第１入賞部材２０４００とが同時に取り外し可能とされるので、遊技釘ＹＫを保持しなくても第１入賞部材２０４００をベース板６０から取り外すことができる。従って、第１入賞部材２０４００を取り外した場合に、遊技釘ＹＫの調整が狂う（遊技釘ＹＫが曲がる）ことを抑制できる。
【０４７０】
次いで、図４９及び図５０を参照して、第２１実施形態におけるベース板６０について説明する。第２実施形態では、第１入賞部材２４００がベース板６０に直接配設される場合を説明したが、第２１実施形態の第１入賞部材２４００は、ベース板６０との間に弾性部材２１５１０が介在される。なお、上述した各実施形態と同一の部分には、同一の符号を付してその説明は省略する。
【０４７１】
図４９（ａ）は、第２１実施形態における遊技盤１３の正面図であり、図４９（ｂ）は、図４９（ａ）のＸＬＩＸｂ−ＸＬＩＸｂ線における遊技盤１３の断面図である。図５０（ａ）及び図５０（ｂ）は、図４９（ａ）のＬａ−Ｌａ線における遊技盤１３の断面図である。なお、図４９及び図５０では、第２入賞部材２５００が取り外された状態が図示される。
【０４７２】
図４９及び図５０に示すように、第２１実施形態におけるベース板６０は、凹設部２０６０ｃの中央開口（センターフレーム８６）側の周囲に前面側（図４９（ａ）紙面手前側）から背面側に向かって凹設される窪み部２１０６０ｄが形成される。
【０４７３】
窪み部２１０６０ｄは、正面視における外形が第１入賞部材２４００の外形と略同一に形成される。これにより、窪み部２１０６０ｄの内側に第１入賞部材２４００を挿入して配設できる。また、窪み部２１０６０ｄは、正面に突出する円環突起２０６０ｄ１と、正面から背面に向かって半円形に凹設される湾曲部２１０６０ｄ９とを主に備える。
【０４７４】
湾曲部２１０６０ｄ９は、後述する弾性部材２１５１０を内側に挿入する凹部であり、左右方向（図５０（ａ）左右方向）に湾曲して形成される。また、湾曲部２１０６０ｄ９は、背面側への凹設最大距離が後述する弾性部材２１５１０の半径よりも大きく設定される。さらに、湾曲部２１０６０ｄ９は、上下（図４９（ａ）上下）の端部（内壁）が水平方向に平行な平面に形成される。
【０４７５】
弾性部材２１５１０は、ゴム材料から円柱状に形成される。また、弾性部材２１５１０は、軸方向寸法が、湾曲部２１０６０ｄ９の上下方向寸法よりも小さく形成される。よって、弾性部材２１５１０を湾曲部２１０６０ｄ９の内部に縦姿勢で配設することができる。
【０４７６】
また、上述したように、弾性部材２１５１０は、その半径が湾曲部２１０６０ｄ９の背面側への凹設最大距離よりも小さく形成される。よって、湾曲部２１０６０ｄ９の内側に弾性部材２１５１０を配設する場合に、弾性部材２１５１０を湾曲部２１０６０ｄ９の下面（下側の壁面）に乗せることで配設できる。従って、弾性部材２１５１０を簡易に配設できると共に、本体部２４１０を配設するまでの間、弾性部材２１５１０を自立させておける。
【０４７７】
さらに、弾性部材２１５１０は、その直径が湾曲部２１０６０ｄ９の背面側への凹設最大距離よりも大きく形成される。これにより、弾性部材２１５１０を湾曲部２１０６０ｄ９の内側に配設した場合に、弾性部材２１５１０の一部を窪み部２０６０ｄの前方に突出させることができる。
【０４７８】
第１入賞部材２３００は、ベース板６０に弾性部材２１５１０が配設された状態で前面側から凹設部２０６０ｃの内側に配設される。これにより、弾性部材２１５１０を弾性的に圧縮変形させつつ、第１入賞部材２３００をベース板６０に配設できる。
【０４７９】
以上のように構成される遊技盤１３によれば、第１入賞部材２４００をベース板６０に配設して皿ネジＮ２締結固定した状態では、第１入賞部材２４００の本体部２４１０により弾性部材２１５１０を押圧して弾性変形させた状態とすることができる。よって、第１入賞部材２４００を交換する場合に、第１入賞部材２４００を締結する皿ネジＮ２を取り外すと、第１入賞部材２４００の本体部２４１０が弾性部材２１５１０の弾性回復力により前面側に押し出される。従って、ベース板６０から第１入賞部材２４００を突出させ、両者の間に段差を形成することができる。よって、作業者が段差を直接または間接に把持できることで、ベース板６０から第１入賞部材２４００を取り外しやすくすることができる。
【０４８０】
また、第１入賞部材２４００の遊技釘ＹＫが２本とも折れて第１入賞部材２４００をベース板６０から取り外す場合には、皿ネジＮ２を取り外すことで、第１入賞部材２４００が前面側に押し出されることで、第１入賞部材２４００を指で掴む部分を形成できる。その結果、第１入賞部材２４００をベース板６０から取り外し易くできる。
【０４８１】
さらに、第１入賞部材２４００を取り外す場合に、遊技釘ＹＫ以外の箇所を掴むことができるので、第１入賞部材２４００を取り外す場合に、遊技釘ＹＫが曲がることを抑制できる。
【０４８２】
次いで、図５１及び図５２を参照して、第２２実施形態における入賞口ユニット２２３００について説明する。第２実施形態では、本体部２４１０の前面がベース板６０の前面と同一平面上に配設される場合を説明したが、第２３実施形態では、本体部２４１０に前面側に突出する突出部２２４３３が形成される。
【０４８３】
図５１（ａ）は、第２２実施形態における入賞口ユニット２２３００の分解斜視図であり、図５１（ｂ）は、遊技盤１３の正面図である。図５２（ａ）は、図５１（ｂ）のＬＩＩａ−ＬＩＩａ線における遊技盤１３の断面図であり、図５２（ｂ）は、図５２（ａ）のＬＩＩｂ−ＬＩＩｂ線における遊技盤１３の断面図である。なお、図５１（ｂ）、図５２（ａ）及び図５２（ｂ）では、第２入賞部材２２３００が透明視されると共に、外形が鎖線で図示される。
【０４８４】
図５１及び図５２に示すように、第２２実施形態における入賞口ユニット２２３００は、ベース板６０の凹設部２０６０ｃの内側に配設される第１入賞部材２２４００と、その第１入賞部材２２４００及びベース板６０の前面側（図４７（ａ）右側）に配設される第２入賞部材２２５００とから形成される。
【０４８５】
第１入賞部材２２４００は、正面視矩形の板状体から形成される本体部２２４１０と、その本体部２２４１０の背面側（図５２（ａ）左側）から膨出する膨出部２４２０と、本体部２２４１０側（前面側）から打ち込まれる遊技釘ＹＫとを主に備えて形成される。
【０４８６】
第１入賞部材２２４００は、遊技釘ＹＫの下方に位置し前後方向に遊技球の外径よりも大きい形状に開口する開口部２２４３４と、その開口部２２４３４の内縁の下端側から前面側に突出する突設部２２４３３と、本体部２２４１０の左右方向両端部に形成され第１入賞部材２２４００をベース板６０に締結する皿ネジＮ２を挿通する貫通孔２４１３とを主に備える。
【０４８７】
開口部２２４３４は、後述する第２入賞部材２２５００の開口３１１の背面側に位置して形成されており、第１入賞口６４に流入した遊技球を開口部２２４３４を挿通させてベース板６０の背面側に送球できる。
【０４８８】
突出部２２４３３は、開口部２２４３４から前面側に突出して形成されており、その上面が背面側に向かって下降傾斜して形成される。また、突出部２２４３３は、その突出寸法が、球入賞部材３２０の前面３２２の背面側に当接する寸法に設定される。
【０４８９】
第２入賞部材２２５００は、正面視菱形の板状体から形成されるベース部材２５１０と、そのベース部材２５１０の正面側（図５２（ａ）右側）に突出形成される球入賞部材３２０とを主に備えて形成される。
【０４９０】
球入賞部材３２０の側壁３２１の内面の下端部に下方には、突出部２２４３３が内嵌される溝部２２３２２ａが形成（凹設）される。即ち、溝部２２３２２ａは、上述した突出部２２４３３の前面側に形成されており、正面視における外形が、突出部２２４３３の外形と略同一に設定される。これにより、第２入賞部材２２５００を第１入賞部材２２４００の前面側に配設する場合に、突出部２２４３３と溝部２２３２１ａとで第１入賞部材２２４００に対して第２入賞部材２２５００を位置決めできる。
【０４９１】
よって、遊技状態では突出部２２４３３を第２入賞部材２２５００により遊技者から隠して、外観の向上を図りつつ、第２入賞部材２２５００を取り外した状態では、作業者が突出部２２４３３を把持可能として、遊技盤から構成部材を取り外しやすくすることができる。
【０４９２】
また、上述したように突出部２２４３３は、背面側に向かってその上面面が下降傾斜して形成されるので、第１入賞口６４に流入した遊技球をその上面に乗せて背面側に転動させることができる。よって、溝部２２３２１ａおよび突出部２２４３３を別途設ける必要がなく、通路を形成するための部位として兼用することができるので、その分、製品コストを低減することができる。
【０４９３】
以上のように形成される球入賞ユニット２２３００によれば、第１入賞部材２２４００の遊技釘ＹＫが２本とも折れて第１入賞部材２２４００を交換する場合に、第１入賞部材２２４００ベース板６０から取り外し易くできる。
【０４９４】
詳しく説明すると、第１入賞部材２２４００は、ベース板６０と前面が同一平面上に配設されるので、遊技釘ＹＫが２本とも取れた場合に、第１入賞部材２２４００を指で保持する箇所がなくなる。そのため、遊技釘ＹＫが２本とも折れた場合に、第１入賞部材２２４００をベース板６０から取り外し難くなる。
【０４９５】
これに対し、第２２実施形態では、第１入賞部材２２４００には、前面側に突出する突出部２２４３３が形成されるので、第１入賞部材２２４００の遊技釘ＹＫが２本とも折れた場合には、第２入賞部材２２５００を取り外すことで、突出部２２４３３をベース板６０の前面に突出させることができる。従って、突出部２２４３３を指で保持して第１入賞部材２２４００をベース板６０から取り外すことができる。その結果、第１入賞部材２２４００の取り換えを簡易にできる。
【０４９６】
さらに、第１入賞部材２２４００を取り外す場合に、遊技釘ＹＫ以外の箇所を掴むことができるので、第１入賞部材２２４００を取り外す場合に、遊技釘ＹＫが曲がることを抑制できる。
【０４９７】
また、上述したように突出部２２４３３は、溝部２２３２１ａに嵌る（内嵌される）ことで、第２入賞部材２２４００の位置決めをすることができると共に、第１入賞口６４に流入した遊技球を背面側に転動させる転動面として利用できる。従って、第２入賞部材２２４００を位置決めする部分及び遊技球を転動させる部分を新たに形成する必要がなくなるので、入賞口ユニット２２３００の製造コストを削減できる。
【０４９８】
ここで、本実施形態では、第１入賞部材２２４００に植設される遊技釘ＹＫと突出部２２４３３との相対位置が一定であるため、安定した遊技を遊技者へ提供できる。即ち、突出部２２４３３が入賞口ユニット２２３００に一体に形成される従来品では、各部品の寸法公差や取り付け作業時の作業公差に起因して、第１入賞部材２２４００に対する入賞口ユニット２２３００の取付位置にばらつきが発生するため、突出部２２４３３と遊技釘ＹＫとの相対位置が一定ではない。そのため、それらの位置関係によっては、第１入賞部材２２４００の一対の遊技釘ＹＫの間を通過して、第１入賞口６４に入球したとしても、突出部２２４３３への衝突位置によっては、跳ね返って、第１入賞口６４の外へ飛び出してしまうことがあった。
【０４９９】
これに対し、本実施形態では、第１入賞部材２２４００に突出部２２４３３が配設（一体に形成）されるので、第１入賞部材２２４００に植設される遊技釘ＹＫと突出部２２４３３との相対位置を一定とできる。よって、上述した跳ね返りを抑制でき、安定した遊技を遊技者へ提供できる。
【０５００】
次いで、図５３及び図５４を参照して、第２３実施形態における第１入賞部材２３４００について説明する。第２実施形態では、第１入賞部材２４００を取り外す際に保持する部材が取り付けられなかったが、第２３実施形態における第１入賞部材２３４００は、第１入賞部材２３４００に第１入賞部材を取り外す際に保持する保持部材２３４５０が配設される。
【０５０１】
図５３（ａ）は、第２３実施形態における第１入賞部材２３４００の斜視正面図であり、図５３（ｂ）は、遊技盤１３の正面図である。図５４（ａ）及び図５４（ｂ）は、図５３（ａ）のＬＩＶａ−ＬＩＶａ線における遊技盤１３の断面図である。なお、図５３（ｂ）では、第２入賞部材２５００が透明視されると共に、外形が鎖線で図示される。また、図５４（ｂ）は、第２入賞部材２５００が取り外された状態が図示される。
【０５０２】
図５３及び図５４に示すように、第２３実施形態における第１入賞部材２３４００は、正面視横長矩形の板状体から形成される本体部２３４１０と、その本体部２３４１０の背面側から膨出する膨出部２４２０と、その本体部２３４１０から打ち込まれる遊技釘ＹＫとを主に備えて形成される。
【０５０３】
本体部２３４１０は、遊技釘ＹＫの下方に位置し前後方向に貫通する第２貫通孔２３４３５と、その第２貫通孔２３４００に挿入される保持部材２３４５０と、左右方向両端部に第１入賞部材２３４００をベース板６０に締結する皿ネジＮ２を挿通する貫通孔２４１３とを主に備えて形成される。
【０５０４】
第２貫通孔２３４３５は、円形状に形成されると共に、前後方向（図Ｆ０６（ａ）左右方向）に貫通して形成される。また、第２貫通孔２３４３５は、前面側に形成される大径部２３４３５ａと背面側（図Ｆ０６（ａ）左側）に前面側（図Ｆ０６（ａ）右側）よりも小さい内径に形成される小径部２３４３５ｂとを備えて形成される。また、第２貫通孔２３４３５は、その軸が第２入賞部材２５００と前後方向に重なる位置に形成される。
【０５０５】
大径部２３４３５ａは、後述する保持部材２３４５０の頭部２３４５１を挿入する貫通孔であり、頭部２３４５１の外径よりも大きい内径に形成される。小径部２３４３５ｂは、後述する保持部材２３４５０の軸部２３４５２が挿通される貫通孔であり、軸部２３４５２の外径予知も大きい内径に形成される。
【０５０６】
保持部材２３４５０は、円柱状に形成される頭部２３４５１と、その頭部２３４５１と同軸上に配設されると共に、頭部２３４５１の外径よりも小さい外径の円柱状に形成される軸部２３４５４２と、その軸部２３４５２の背面側に凹設される溝部２３４５３とを備えて形成される。
【０５０７】
頭部２３４５１は、軸方向（図５４（ａ）左右方向長さ）が大径部２３４３５ａの軸方向長さよりも小さく形成される。また、軸部２３４５２の周囲に配設されるコイルスプリングＳＰよりもその外径が大きく形成される。これにより、頭部２３４５１を第２貫通孔２３４３５の内部に挿入した場合にコイルスプリングＳＰが前面側に抜け出ることを抑制できる。
【０５０８】
軸部２３４５２は、上述したように、第２貫通孔２３４３５に挿入され小径部２３４３５ｂの内側を前後方向に摺動する部材であり、第２貫通孔２３４３５の軸方向長さよりも軸方向に長く形成される。
【０５０９】
溝部２３４５３は、Ｅリング２３４５４を装着する溝であり、Ｅリング２３４５４の板厚よりも少し大きい幅で軸部２３４５２の周方向に亘って形成される。また、溝部２３４５３は、軸部２３４５２の背面側に形成されており、溝部２３４５３を第２貫通孔２３４５３の背面側（図５４（ａ）左側）から突出させた状態でＥリング２３４５４が取り付けられる。
【０５１０】
Ｅリング２３４５４は、第２貫通孔２３４５３の小径部２３４３５ｂよりも外径が大きく形成される。これにより、保持部材２３４５０を第２貫通孔２３４３５の内側に配設した状態を維持できる。また、軸部２３４５２の周囲にはコイルスプリングＳＰが配設される。よって、頭部２３４５１は、コイルスプリングＳＰの弾性回復力により前面側（図５４右側）に付勢された状態で保持される。
【０５１１】
よって、第１入賞部材２３４００は、第２貫通孔２３４３５の軸が第２入賞部材２５００と前後方向に重なる位置に形成されるので、第２入賞部材２５００をベース板６０に締結固定した状態では、第２入賞部材２５００のベース部材２５１０により、保持部材２３４５０の頭部２３４５１が背面側に押圧される。これにより、コイルスプリングＳＰが収縮されて、保持部材２３４５０の頭部２３４５１が、大径部２３４３５ａの内側に配置された状態とされる。
【０５１２】
一方、図５４（ｂ）に示すように、第２入賞部材２５００がベース板６０から取り外されると、コイルスプリングＳＰの弾性回復力により、保持部材２３４５０の頭部２３４５１が前面側に押し出される。これにより、保持部材２３４５０を前面側に変位させることができる。
【０５１３】
従って、第１入賞部材２３４００の遊技釘ＹＫが２本とも折れて第１入賞部材２３４００を交換する場合に、第１入賞部材２３４００ベース板６０から取り外し易くできる。
【０５１４】
詳しく説明すると、第１入賞部材２３４００は、ベース板６０と前面が同一平面上に配設されるので、遊技釘ＹＫが２本とも取れた場合に、第１入賞部材２３４００を指で保持する箇所がなくなる。そのため、遊技釘ＹＫが２本とも折れた場合に、第１入賞部材２３４００をベース板６０から取り外し難くなる。
【０５１５】
これに対し、第２３実施形態では、第１入賞部材２３４００に出没可能に配設される保持部材２３４５０と、その保持部材２３４５０を突出方向へ付勢するコイルスプリングＳＰと、ベース板６０に配設される第２入賞部材２５００とを備え、第２入賞部材２５００が第１入賞部材２３４００の保持部材２３４５０を没入させる位置に配設されるので、遊技状態では保持部材２３４５０を第２入賞部材２５００により遊技者から隠して、外観の向上を図りつつ、第２入賞部材２５００を取り外した状態では、作業者が保持部材２３４５０を把持可能として、ベース板６０から第１入賞部材２３４００を取り外しやすくすることができる。
【０５１６】
また、第２入賞部材２５００の遊技盤への締結方向が、保持部材２３４５０の出没方向と平行な方向に設定されるので、第２入賞部材２５００を遊技盤へ締結固定しつつ保持部材２３４５０を没入させることができる。即ち、保持部材２３４５０を没入させる作業工程と、第２入賞部材２５００を遊技盤へ締結固定する作業工程とを別々に行う必要がないので、工数を削減でき、その分、第１入賞部材２３４００および第２入賞部材２５００を遊技盤へ取り付ける作業の作業性の向上を図ることができる。
【０５１７】
さらに、第１入賞部材２３４００を取り外す場合に、遊技釘ＹＫ以外の箇所を掴むことができるので、第１入賞部材２３４００を取り外す場合に、遊技釘ＹＫが曲がることを抑制できる。
【０５１８】
また、保持部材２３４５０は、頭部２３４５１が軸部２３４５２よりも外径が大きく形成されるので、指に頭部２３４５１を引っ掛け易くできる。よって、その分、第１入賞部材２３４００をベース板６０から取り出し易くできる。
【０５１９】
次いで、図５５を参照して、第２４実施形態における第１入賞部材２４４００について説明する。第２実施形態では、第１入賞部材２４４００を取り外す場合に、その第１入賞部材２４４００の背面に指を係止可能とされる場合を説明したが、第２４実施形態の第１入賞部材２４４００は、開口部２４４３４の内壁に指を係止可能に形成される。なお、上述した各実施形態と同一の部分には、同一の符号を付してその説明は省略する。
【０５２０】
図５５（ａ）は、第２４実施形態における遊技盤１３の正面図であり、図５５（ｂ）は、図５５（ａ）のＬＶｂ−ＬＶｂ線における遊技盤１３の断面図である。なお、図５５（ａ）及び図５５（ｂ）では、第２入賞部材２５００が透明視されると共に外形が破線で図示される。
【０５２１】
図５５に示すように、第２４実施形態における第１入賞部材２４４００は、正面視矩形の板状体から形成される本体部２４４１０と、その本体部２４４１０の背面側（図５５（ｂ）左側）から膨出する膨出部２４２０と、本体部２４４１０側（前面側）から打ち込まれる遊技釘ＹＫとを主にそなえて形成される。
【０５２２】
本体部２４４１０は、遊技釘ＹＫの下方に位置し前後方向（図５５左右方向）に遊技球の外径よりも大きい形状に開口する開口部２４４３４と、その開口部２４４３４の内縁の上端から下方に突出する突壁２４４３４ａと、左右方向両端部に形成され第１入賞部材２４４００をベース板６０に締結する皿ネジＮ２を挿通する貫通孔２４１３とを主に備える。
【０５２３】
開口部２４４３４は、第２入賞部材２５００の開口部３１１の背面側に位置して形成されており、第１入賞口６４に流入した遊技球を開口部２４４３４を挿通させてベース板６０の背面側に送球できる。
【０５２４】
突壁２４４３４ａは、開口部２４４３４の内縁上端の前面側から下方に突出して形成される壁部である。開口部２４３３４の内壁にベース板６０の背面側に段差面を向けた突壁２４４３４ａが形成されるので、段差面を利用して、第１入賞部材２４４００をベース板６０から引き抜くことができる。即ち、第１入賞部材２４４００の背面に到達するまで指を通路内へ挿通させて、第１入賞部材２４４００の背面で指を係止させる必要がなく、比較的浅い位置の段差面で指を係止させることができるので、第１入賞部材２４４００をベース板６０から取り外しやすくできる。
【０５２５】
また、第１入賞部材２４４００は、その下端部分の背面側に第１入賞部材２４４００の幅方向（図５５（ａ）左右方向）全域にわたって切り欠き形成される切欠き部２４４３６を備える。切欠き部２４４３６は、背面側に向かって上方に傾斜して形成される。これにより、突壁２４４３４ａに指を引っ掛けて第１入賞部材２４４００をベース板６０から取り外す場合に、切欠き部２４４３６を利用して、第１入賞部材２４４００をベース板６０から引き抜く際に、開口部２４４３４の段差面が形成される内壁側に位置する第１入賞部材２４４００の外側面（図５５（ｂ）上側の面）を支点として、第１入賞部材２４４００を回転させる態様を形成できる。よって、ベース板６０から第１入賞部材２４４００を取り外し（引き抜き）やすくすることができる。
【０５２６】
次いで、図５６及び図５７を参照して、第２５実施形態における第１入賞部材２５４００のベース板６０への締結方向について説明する。第２実施形態では、ベース板６０に形成される円環突起２０６０ｄ１に皿ネジＮ２を螺合させる場合を説明したが、第２５実施形態では、皿ネジＮ２が第１入賞部材２５４００の背面側に配設される締結部材２５４７０に螺合される。なお、上述した各実施形態と同一の部分には、同一の符号を付してその説明は省略する。
【０５２７】
図５６は、第２５実施形態における遊技盤１３の分解斜視正面図である。図５７（ａ）は、遊技盤１３の正面図であり、図５７（ｂ）及び図５７（ｃ）は、図５７（ａ）のＬＶＩＩ−ＬＶＩＩ線における遊技盤１３の断面図である。なお、図５７（ｂ）では、遊技釘ＹＫが膨出部２５４２０に打ち込まれる前の状態が図示され、図５７（ｃ）では、遊技釘ＹＫが膨出部２５４２０に打ち込まれた後の状態が図示される。また、図５６及び図５７では、遊技盤１３から第２入賞部材２５００が取り外された状態が図示される。
【０５２８】
図５６及び図５７に示すように、第２５実施形態におけるベース板６０は、凹設部２０６０ｃの中央開口（センターフレーム８６）側の周囲に背面側（図５６（ｂ）上方側）から前面側（図５６（ｂ）下方側）に凹設される窪み部２５０６０ｄとを主に備えて形成される。
【０５２９】
窪み部２５０６０は、背面視における外形が第１入賞部材２５０６０の外形と略同一に形成される。これにより、窪み部２５０６０ｄの内側に第１入賞部材２５４００を配設できる。また、窪み部２５０６０ｄには、前後方向に貫通する挿通孔２５０６０ｄ３が形成される。
【０５３０】
挿通孔２５０６０ｄ３は、正面視円形状に形成されており、ベース板６０に後述する第１入賞部材２５４００を配設した状態において、第１入賞部材２５４００の挿通孔２５４１８と同軸上に形成される。また、挿通孔２５４１８は、前面側が皿ビスＮ２の頭部を収容できる大きさに拡径して形成される。
【０５３１】
第１入賞部材２５４００は、正面視横長矩形の板状体から形成される本体部２５４１０と、その本体部２５４１０の前面側から膨出する膨出部２５４２０と、その膨出部２５４２０側から打ち込まれる遊技釘ＹＫとを主に備えて形成される。
【０５３２】
膨出部２５４２０は、本体部２５４１０の長手方向（図５７（ｂ）左右方向）略中央位置に形成されると共に、本体部２５４１０の長手方向において本体部２５７４１０よりも短い外形寸法に形成される。本体部２５４１０は、長手方向両端部に前後方向（図５７（ｂ）上下方向）に貫通形成される挿通孔２５４１０が形成される。
【０５３３】
挿通孔２５４１８は、第１入賞部材２５４００を締結固定する皿ネジＮ２の先端を挿通する孔であり、皿ネジＮ２の先端側（軸部）の外径よりも内径が大きく形成される。また、挿通孔２５４１８は、その軸が、ベース板６０に形成される挿通孔２５０６０ｄ３の軸と同軸上に形成される。これにより、皿ネジＮ２を、ベース板６０の挿通孔２５０６０ｄ３を挿通させた後に、挿通孔２５４１８に挿通させることができる。
【０５３４】
締結部材２５４７０は、鉄材から形成されると共に、正面視横長矩形の板状体に形成される。締結部材２５４７０は、その長手方向寸法Ｌ１６（図５７（ｂ）参照）が第１入賞部材２５４００の長手方向寸法Ｌ１７（図５７（ｂ）参照）よりも大きく設定されると共に、長手方向中央位置が本体部２５４００の長手方向中央位置と前後方向（図５７）において同一位置に配設される。
【０５３５】
また、締結部材２５４７０は、その短手方向（図５７（ａ）上下方向）における中間位置が遊技釘ＹＫと第１入賞部材２５４００との連結部分の背面側に設定されると共に、左右の両端に前後方向に貫通形成される締結孔２５４７１を備える。遊技釘ＹＫと第１入賞部材２５４００との連結部分の背面側に配設される。即ち、遊技釘ＹＫの植設方向の延長線上に締結部材２５４７０を位置させることができる。よって、締結部材２５４７０の面積を抑制しつつ、第１入賞部材２５４００の支持剛性を効果的に高めることができるので、製品コストを抑制しつつ、第１入賞部材２５４００の前面に遊技釘ＹＫを植設する際に第１入賞部材２５４００に割れなどの損傷が生じることを抑制できる。
【０５３６】
締結孔２５４７１は、内部に皿ネジＮ２を螺合できる雌ねじが形成される。締結孔２５４７１は、その軸が上述した第１入賞部材２５４００の挿通孔２５４１８及びベース板６０を挿通孔２５４０６０ｄ３と同軸上に形成される。これにより、挿通孔２５４００ｄ３，２５４１８を挿通した皿ネジＮ２を、締結部材２５４７０の締結孔２５４７１に螺合させることができる。
【０５３７】
よって、ベース板６０に第１入賞部材２５４００を配設した状態で、ベース板６０の前面側から皿ネジＮ２を挿通孔２５０６０ｄ３及び挿通孔２５４１８を挿通させて締結孔２５４７１に螺合させることで、第１入賞部材２５４００をベース板６０に締結固定することができる。
【０５３８】
ここで、第１遊技盤部材（ベース板６０）と、その第１遊技盤部材に配設され第１遊技盤部材と共に遊技盤を形成する第２遊技盤部材とを備え、その第２遊技盤部材に釘（遊技釘ＹＫ）が植設された遊技機が知られている。かかる遊技機によれば、第２遊技盤部材を遊技盤に対して着脱できるので、例えば、第２遊技盤部材の釘が折れた場合には、第２遊技盤部材のみを交換して、遊技盤全体としての交換を不要とすることができる。しかしながら、上述した従来の遊技機では、釘を植設する作業性が悪いという問題点があった。即ち、第１遊技盤部材に釘を植設する工程とは別に第２遊技盤部材に釘を植設する工程が必要となるため、その分、工数が嵩む。更に、第２遊技盤部材が比較的小さいため、かかる第２遊技盤部材に所定の公差内で釘を植設するためには、第２遊技盤部材の保持精度を高めると共に植設動作の速度を低くすることが必要となり、その分、比較的大きな遊技盤への釘の植設の場合と比較して、工数が嵩む。
【０５３９】
これに対し、第２５実施形態によれば、ベース板６０の前面側から押圧された第１入賞部材２５４００を支持可能に形成されるので、ベース板６０に第１入賞部材２５４００を配設した状態で、かかる第１入賞部材２５４００に遊技釘ＹＫを植設できる。よって、第１入賞部材２５４００に遊技釘ＹＫを植設する作業性の向上を図ることができる。
【０５４０】
即ち、一対の皿ネジＮ２と、それら一対の皿ネジＮ２がそれぞれ螺合される締結孔２５４７１が形成されると共にベース板６０及び第１入賞部材２５４００よりも剛性が高い材料からなる締結部材２５４７０とを備え、ベース板６０の貫通孔２５６０ｄ３を挿通して第１入賞部材２５４００の背面側に突出された皿ネジＮ２が締結部材２５４７０の雌ねじに螺合されるので、ベース板６０に第１入賞部材２５４００が配設された状態において、第１入賞部材２５４００を背面側から締結部材２５４００によって支持することができる。よって、第１入賞部材２５４００の遊技面に遊技釘を植設する際に、第１入賞部材２５４００にわれ等の損傷が生じることを抑制できる。
【０５４１】
この場合、上述したように、締結部材２５４７０は、その長手方向寸法Ｌ１６が本体部２５４１０の長手方向寸法Ｌ１７よりも小さく形成されると共に、第１入賞部材２５４００の左右方向中央位置に配設されるので、締結部材２５４７０が、ベース板６０の背面側に乗り上げることを抑制できる。よって、締結部材２５４７０を第１入賞部材２５４００の背面に密着させやすくして、締結部材２５４７０による第１入賞部材２５４００の支持剛性を高めることができる。その結果、第１入賞部材２５４００の遊技面に遊技釘ＹＫを植設する際に、第１入賞部材２５４００に割れなどの損傷が生じることを抑制できる。
【０５４２】
次いで、図５８及び図５９を参照して、第２６実施形態における第１入賞部材２６４００について説明する。第２実施形態では、膨出部２４２０の左右方向両端における側面が前後方向（図１５（ｃ）上下方向）に平行に形成される場合を説明したが、第２６実施形態では、膨出部２６４２０の左右方向両端部における側面が背面側に向かって左右方向中央側に傾斜される。なお、上述した各実施形態と同一の部分には、同一の符号を付してその説明は省略する。
【０５４３】
図５８は、第２６実施形態における遊技盤１３の分解斜視正面図であり、図５９（ａ）及び図５９（ｂ）は、遊技盤１３の断面図である。なお、図５９（ａ）及び図５９（ｂ）は、図５７（ａ）の断面図に対応する。また、図５９（ａ）では、遊技釘ＹＫが、本体部２４１０に打ち込まれる前の状態が図示される。さらに、図５８及び図５９では、遊技盤１３から第２入賞部材２５００が取り外された状態が図示される。
【０５４４】
図５８及び図５９に示すように、第２６実施形態におけるベース板６０は、センターフレーム８６が取り付けられるベース板６０の中央開口の下側に連続して凹設部２６０６０ｃが凹設される。第１入賞部材２６４００は、その一部が凹設部２６０６０ｃの内側に挿入されると共に、ベース板６０の前面側から皿ネジＮ２により固定される。
【０５４５】
凹設部２６０６０ｃには、内側端面が背面側に向かって左右方向中央側に傾斜する傾斜面２６０６０ｃ１が形成される。傾斜面２６０６０ｃ１は、上下方向に延設して形成される。傾斜面２６０６０ｃ１は、その前後方向長さが、後述する第１入賞部材２６４００の膨出部２６４２０の前後方向長さよりも小さく設定される。
【０５４６】
第１入賞部材２５４００は、正面視横長矩形の板状体から形成される本体部２４１０と、その本体部２４１０の背面側（図５９（上方））から膨出する膨出部２６４２０と、本体部２４１０側から打ち込まれる遊技釘ＹＫとを主に備えて形成される。
【０５４７】
本体部２４１０には、左右の両端部に前後方向に貫通する貫通孔２６４１３が形成される。貫通孔２６４１３は、ベース板６０に形成される締結孔２６０６０ｄ４と同軸上に形成されており、第１入賞部材２６４００をベース板６０に配置した状態で、皿ネジＮ２を前面側から貫通孔２６４１３を挿通させると共に、締結孔２６０６０ｄ４に螺合することで、第１入賞部材２６４００をベース板６０に締結固定できる。
【０５４８】
膨出部２６４２０は、本体部２４１０の長手方向（図５９（ｂ）左右方向）略中央位置に形成されると共に、本体部２４１０の長手方向において、本体部２４１０よりも短い寸法に形成される。
【０５４９】
また、膨出部２６４２０は、その膨出部２６４２０の左右方向（図５９（ａ）左右方向）両端に位置し背面側に向かって左右方向内側に傾斜して形成される当接面２６４２４を備える。当接面２６４２４は、その傾斜角度が上述した傾斜面と略同一の傾斜角度に形成される。さらに、本体部２４１０側（前面側）の膨出部２６４２０の左右方向（図５９（ａ）左右方向）寸法は、ベース板６０の傾斜面２６０６０ｃ１の前面側（窪み部２０６０ｄとの境界）における左右方向寸法よりも大きな寸法に設定される。これにより、第１入賞部材２６４００をベース板６０に配設した場合に、当接面２６４２４と傾斜面２６０６０ｃ１とを当接させ、本体部２４１０の背面と窪み部２０６０ｄの正面との間に隙間を設けることができる。
【０５５０】
また、第１入賞部材２６４００をベース板６０に前面側から配設する場合に、第１入賞部材２６４００の当接面２６４２４を傾斜面２６０６０ｃ１に当接させつつ背面側に変位させることで、当接面２６４２４を傾斜面２６６０６０ｃ１に案内される。従って、第１入賞部材２６４００のベース板６０への位置決めを簡易にできる。
【０５５１】
さらに、第１入賞部材２６４００が、ベース板６０に配設された状態では、当接面２６４２４と傾斜面２６０６０ｃ１とを当接させた状態とできるので、前面側から押圧された第１入賞部材２６４００がベース部材６０へ作用せる力を、ベース板６０の板厚に直交する方向へ分散可能に形成される。よって、第１入賞部材２６４００に遊技釘ＹＫを植設する作業性の向上を図ることができる。
【０５５２】
詳しく説明すると、第１入賞部材２６４００とベース板６０とが当接する当接面２６４２４は、遊技釘ＹＫの打ち込み方向に対して傾斜する傾斜面２６０６０ｃ１として形成されるので、第１入賞部材２６４００に遊技釘ＹＫが植設される際の押圧力を、当接面２６４２４および傾斜面２６０６０ｃ１の傾斜（テーパー角）を利用して、ベース板６０の板厚方向（図５９（ａ）上下方向）と板厚に直交する方向（図５９（ａ）左右方向）とに分散させることができる。その結果、ベース板６０の負担を軽減して、ベース板６０に割れなどの損傷が生じることを抑制できる。
【０５５３】
以上、上記各実施形態に基づき本発明を説明したが、本発明は上記各実施形態に何ら限定されるものではなく、本発明の趣旨を逸脱しない範囲内で種々の変形改良が可能であることは容易に推察できるものである。
【０５５４】
上記各実施形態において、１の実施形態の一部または全部を他の１又は複数の実施形態の一部または全部と入れ替えて又は組み合わせて、遊技機を構成しても良い。
【０５５５】
上記各実施形態では、ベース板６０に着脱自在に配設される対象が入賞口ユニット３００等である場合を説明したが、必ずしもこれに限られるものではなく、他の部材や装置であっても良い。他の部材や装置としては、例えば、可動役物、アタッカー、センターフレームなどが例示される。同様に、第１入賞部材２４００等には、遊技釘ＹＫが植設される場合や遊技球が通過可能な通路が形成される場合を説明したが、必ずしもこれに限られるものではない。遊技釘ＹＫまたは通路の一方または両方が省略されていても良く、他の部材や装置が配設されていても良い。他の部材や装置としては、風車やセンサ装置などが例示される。
【０５５６】
上記各実施形態では、ベース板６０（第１遊技盤構成部材）が光透過性の樹脂材料から形成される場合を説明したが、必ずしもこれに限られるものではない。例えば、塗装やシールの貼着により、ベース部材６０を光を透過しない形態に形成しても良い。また、別の材料からベース板６０を形成しても良い。別の材料としては、木材（例えば、ベニヤ板に代表される合板）が例示される。なお、ベース板６０が木材からなる場合には、締結強度の確保が困難であり、特に、複数回の締結には不向きである。そのため、上記各実施形態における構成が特に有効となる。第１入賞部材２４００等（第２遊技盤構成部材）の材料についも同様である。
【０５５７】
上記第３実施形態では、第１入賞部材３４００を締結する皿ネジＮ２の頭部が遊技者側から視認可能とされる場合を説明したが、必ずしもこれに限られるものではない。例えば、上記第４実施形態の第２入賞部材４５００の覆設部４５１１を本体部３５１０に形成して、皿ネジＮ２の頭部が遊技者から視認し難くされていても良い。
【０５５８】
上記第６実施形態では、ベース部材６０の前面側（凹設部２０６０ｃの周囲）に窪み部６０６０ｄが凹設される場合を説明したが、必ずしもこれに限られるものではなく、窪み部６０６０ｄの凹設を省略しても良い。即ち、凹設部２０６０ｃの下面に締結孔６０６０ｄ４を形成する面が形成されていれば良い。これにより、窪み部６０６０ｄの形成を省略できる分、ベース部材６０の加工コストを低減でき、製品コストの削減を図ることができる。同時に、第１入賞部材６４００の外形も単純化できるので（第６実施形態では本体部６４１０と膨出部２４２０の正面視における外形が同一となる直方体形状）、この点からも製品コストの削減を図ることができる。
【０５５９】
上記第７実施形態では、貫通孔７０６０ｅの断面形状を円形に形成する場合を説明したが、必ずしもこれに限られるものではない。例えば、円形、楕円形、多角形、これらを組み合わせたものでもよい。また、貫通孔７０６０ｅは、少なくとも皿ネジＮ２が挿通可能に形成されれば足り、周面の一部が開放されていても良い。開放部分は、皿ネジＮ２の挿通方向に沿って連続していても良く、挿通方向の一部のみであってもよい。
【０５６０】
上記第７実施形態では、拡径部７０６０ｅ１は、その凹設寸法が円環突起７４１４の突設寸法よりも小さく形成される場合を説明したが、必ずしもこれに限られるものではない。例えば、拡径部７０６０ｅ１の凹設寸法が円環突起７４１４の突設寸法よりも大きく形成されても良い。この場合、第１入賞部材７４００が、ベース板６０に対して締結固定された状態では、第１入賞部材７４００の前面とベース板６０の背面とが当接された状態を形成できる。即ち、円環突起７４１４の突設先端と拡径部７０６０ｅ１の凹設底面との間に隙間が形成された状態を形成できる。よって、当接面積を確保して、第１入賞部材７４００をベース板６０に対して強固に固定することができる。
【０５６１】
上記第７実施形態では、ベース板６０の中央開口（窓部）にセンターフレーム８６が配設される場合を説明したが必ずしもこれに限られるものではない。例えば、センタ―フレーム８６の取り付けを省略して遊技盤１３を構成してもよい。この場合、第１入賞部材７４００は、皿ネジＮ２を取り外した状態では、ベース板６０の前面（遊技面）に平行な方向に沿ってスライド変位されることで、ベース板６０の中央開口側へ抜き取り可能に形成されるので、第１入賞部材７４００の背面側に他の部材や装置が配設されている場合でも、他の部材や装置（例えば、遊技球を送球する通路を形成する部材）を取り外すことなく、第１入賞部材７４００を交換することができる。よって、交換作業の作業性を向上できる。
【０５６２】
言い変えると、交換作業のためのスペースを第１入賞部材７４００の背面側に確保することを不要とでき、その分、かかる第１入賞部材７４００の背面側のスペースを、他の部材や装置（例えば、遊技球を送球する通路を形成する部材）を配設するためのスペースとして利用することができる。
【０５６３】
上記第１１実施形態では、ネジＮ３が挿通される挿通孔１１４１８が第１入賞部材１１４００に形成されると共に、ネジＮ３が螺合される締結孔６０６０ｄ４がベース板６０に形成される場合を説明したが、必ずしもこれに限られるものではない。例えば、ネジＮ３が挿通される挿通孔がベース板６０に形成されると共に、ネジＮ３が螺合される締結孔が第１入賞部材１１４００に形成されていてもよい。
【０５６４】
上記第１３実施形態では、背面部材１３７００は、ベース板６０の背面側に配設される場合を説明したが、背面部材１３７００は、ベース板６０に弾性的に係合されてもよい。背面部材１３７００をベース板６０の中央開口の下縁側の内側面に載置された状態に維持しやすくできるからである。なお、弾性的に係合された状態とは、例えば、ベース板６０または背面部材１３７００の一方に弾性変形可能に形成される弾性爪が他方に係合される形態、一方に弾性変形可能に対向配置される一対の対向辺の間に他方が挟持される形態などが例示される。
【０５６５】
上記第１４実施形態では、通路部材１４８００の突設部１４８１２と第１入賞部材１４４００の凹設部１４４２３ａとが係合するのみの場合を説明したが、必ずしもこれに限られるものではない。例えば、突設部１４８１２に第１入賞部材１４４００をベース板６０に締結固定する雌ねじを形成しても良い。
【０５６６】
この場合、皿ネジＮ２が螺合される雌ねじが通路部材１４８００に形成されるので、通路部材１４８００が配設されていることを、第１入賞部材１４４００をベース部材６０に締結固定するための要件とすることができる。よって、第１入賞部材１４４００を交換する際に、作業者が通路部材１４８００を付け忘れることを抑制できる。
【０５６７】
なお、通路部材１４８００が突設部１４８１２を備える場合には、かかる突設部１４８１２に雌ねじを形成する形態が好ましい。突設部１４８１２が不正に除去または使用により破損されている場合に、第１入賞部材１４４００をベース板６０に締結固定することを不能とできるので、不正を抑制できると共に、破損を認識させることができるからである。
【０５６８】
上記第１４実施形態では、通路部材１４８００の突設部１４８１２を第１入賞部材１４４００の凹設部１４４２３ａに挿入して係合する場合を説明したが必ずしもこれに限られるものではない。例えば、第１入賞部材１４４００の凹設部１４４２３ａに弾性変形可能に構成される鉤状部を形成して、ベース板６０への第１入賞部材１４４００の取り付けに伴い、鉤状部を介してベース板と第１入賞部材１４４００とが間接に係合され、第１入賞部材１４４００の取り外し方向への移動が規制されるので、第１入賞部材１４４００の脱落を防止するための工程を別途行う必要がないので、第１入賞部材１４４００の交換作業を簡素化できると共に、第１入賞部材１４４００の脱落を防止するための工程を実施し忘れることを抑制できる。
【０５６９】
上記第１９実施形態では、第１入賞部材２４００の取り外しを許容する第２入賞部材１９５００の許容位置が規制位置よりも、重力方向下側に設定される場合を説明したが、必ずしもこれに限られるものではなく、例えば、第１入賞部材２４００の取り外しを許容する第２入賞部材１９５００の許容位置が規制位置よりも、重力方向上方に設定されても良い。
【０５７０】
この場合、第２入賞部材１９５００をその自重により規制位置に配置させることができる。即ち、第１入賞部材２４００の交換が完了した際には、第２入賞部材１９５００を作業者が規制位置へ変位させる必要がない。よって、第２入賞部材１９５００が許容位置に配置されたままの状態とされる（即ち、規制位置へ戻し忘れる）ことを抑制できる。
【０５７１】
上記第２１実施形態では、弾性部材２１５１０を第１入賞部材２４００の左右方向中心位置に対して対称に配設する場合を説明したが、必ずしもこれに限られるものではない。例えば、弾性部材２１５１０が第１入賞部材２４００の一側に偏倚して配設されていてもよい。
【０５７２】
この場合、弾性部材２１５１０の弾性回復力を利用して、ベース板６０から第１入賞ｂ部材２４００を突出される際には、第１入賞部材２４００をその他側を支点として回転させる態様とできる。よって、両者の間の段差（第１入賞部材２４００の一側の突出量）をより大きくすることができる。その結果、作業者が段差を直接または間接に握持しやすくでき、ベース板６０から第１入賞部材２４００を取り外しやすくすることができる。
【０５７３】
上記第２５実施形態では、締結部材２５４７０は、直線状に形成される場合を説明したが必ずしもこれに限られるものではない。例えば、締結部材２５４７０の第１入賞部材２５４００の背面に対面される側の面であって、２箇所の締結孔２５４７１の間の領域における面が、第１入賞部材２５４００の背面に向けて凸の円弧状に湾曲されてもよい。
【０５７４】
この場合、２箇所の締結孔２５４７１への皿ネジＮ２の螺合に伴って、締結部材２５４７０が第１入賞部材２５４００へ押し付けられ、かかる締結部材２５４７０を第１入賞部材２５４００の配面に密着させやすくできる。よって、締結部材２５４７０による第１入賞部材２５４００の支持剛性を高めることができる。その結果、第１入賞部材２５４００の前面に遊技釘ＹＫを植設する際に、第１入賞部材２５４００にわれ等の損傷が生じることを抑制できる。
【０５７５】
上記第２６実施形態では、皿ネジＮ２が挿通される貫通孔２６４１３が、当接面２６４１４以外の箇所に形成される場合を説明したが、必ずしもこれに限られるものではない。例えば、皿ネジＮ２が挿通される貫通孔２６４１３が、第１入賞部材２６４１３の当接面に形成されると共に、第１入賞部材２６４００の貫通孔２６４１３に挿通された皿ネジＮ２が螺合される締結孔２６０６０ｄ４が、ベース板６０の傾斜面２６０６０ｃ１に形成されても良い。
【０５７６】
この場合、第１入賞部材２６４００とベース板６０との間に隙間が形成されることを抑制できる。よって、皿ネジＮ２の軸力を確保できるので、ベース板６０への第１入賞部材２６４００を強固に締結固定できる。
【０５７７】
上記第２６実施形態では、遊技釘ＹＫの植設方向の延長線上と異なる位置に当接面２６０６０ｃ１が形成される場合を説明したが、必ずしもこれに限られるものではない。例えば、遊技釘ＹＫの植設方向の延長線上に当接面２６０６０ｃ１及び傾斜面２６０６０ｃ１が形成されていてもよい。
【０５７８】
この場合、遊技釘ＹＫの植設に伴う押圧力を当接面２６０６０ｃ１及び傾斜面２６０６０ｃ１へ直接作用させることができる。これにより、第１入賞部材２６４００の曲げ変形を抑制して、割れなどの破損が生じることを抑制できる。
【０５７９】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０５８０】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０５８１】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０５８２】
以下に、本発明の遊技機に加えて上述した実施形態に含まれる各種発明の概念を示す。
【０５８３】
＜入賞口ユニット３００を一例とする発明の概念について＞
第１遊技盤部材と、その第１遊技盤部材に締結固定され前記第１遊技盤部材と共に遊技盤を形成する第２遊技盤部材とを備えた遊技機において、前記第１遊技盤部材に前記第２遊技盤部材を締結固定する１又は複数のねじ部材を備え、前記第１遊技盤部材側には、前記ねじ部材が螺合可能な複数のめねじが形成され、前記第２遊技盤部材には、前記ねじ部材が挿通可能な１又は複数の挿通孔が形成され、前記めねじの数よりも少ない数の前記ねじ部材により前記第２遊技盤部材が前記第１遊技盤部材に締結固定されていることを特徴とする遊技機Ａ１。
【０５８４】
ここで、第１遊技盤部材と、その第１遊技盤部材に締結固定され第１遊技盤部材と共に遊技盤を形成する第２遊技盤部材とを備えた遊技機が知られている（例えば、特開２００３−３１０９０５号公報）。第２遊技盤部材には挿通孔が、第１遊技盤部材にはめねじが、それぞれ形成され、第２遊技盤部材の挿通孔に挿通されたねじ部材が、第１遊技盤部材のめねじに螺合されることで、第２遊技盤部材が第１遊技盤部材に対して締結固定される。かかる遊技機によれば、第２遊技盤部材を第１遊技盤部材に対して着脱できる。即ち、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材を交換する毎に、めねじとねじ部材との螺合が繰り返され、めねじのねじ山にへたり（摩耗やかじり）が生じるため、交換回数が嵩むと、締結固定の信頼性が低下するという問題点があった。
【０５８５】
これに対し、遊技機Ａ１によれば、第１遊技盤部材に第２遊技盤部材を締結固定する１又は複数のねじ部材を備え、第１遊技盤部材側には、ねじ部材が螺合可能な複数のめねじが形成され、第２遊技盤部材には、ねじ部材が挿通可能な１又は複数の挿通孔が形成され、めねじの数よりも少ない数のねじ部材により第２遊技盤部材が第１遊技盤部材に締結固定されているので、１のめねじのねじ山にへたり（摩耗やかじり）が生じた場合には、他のめねじを使用できる。よって、交換回数が嵩んだ場合でも、締結固定の信頼性を確保することができる。
【０５８６】
なお、挿通孔の断面形状は任意であり、例えば、円形、楕円形、多角形、これらの組み合せが例示される。また、挿通孔は、少なくともねじ部材が挿通可能に形成されれば足り、周面の一部が開放されていても良い。開放部分は、ねじ部材の挿通方向に沿って連続していても良く、挿通方向の一部のみであっても良い。
【０５８７】
遊技機Ａ１において、前記挿通孔の数が前記めねじの数よりも少なくされると共に、前記第２遊技盤部材の前記第１遊技盤部材に対する姿勢が第１姿勢または第２姿勢を少なくとも選択可能に形成され、前記第１姿勢と前記第２姿勢とでは、前記挿通孔に連なるめねじが異なるめねじとされることを特徴とする遊技機Ａ２。
【０５８８】
遊技機Ａ２によれば、遊技機Ａ１の奏する効果に加え、第２遊技盤部材の第１遊技盤部材に対する姿勢が第１姿勢または第２姿勢を少なくとも選択可能に形成され、第１姿勢と第２姿勢とでは、挿通孔に連なるめねじが異なるめねじとされるので、１のめねじのねじ山にへたり（摩耗やかじり）が生じた場合には、第２遊技盤部材の姿勢を変更することで、他のめねじを使用できる。よって、交換回数が嵩んだ場合でも、締結固定の信頼性を確保することができる。
【０５８９】
特に、遊技機Ａ２によれば、挿通孔の数がめねじの数よりも少なくされるので、第２遊技盤部材が第１遊技盤部材の正面に視認可能に配設される場合に、ねじ部材が挿通されていない状態で遊技者に視認される挿通孔の数を低減できる。よって、挿通孔を被覆するための他の部材の面積を抑制できる。なお、挿通孔の数と同数のねじ部材により第２遊技盤部材が第１遊技盤部材に締結固定されることが好ましい。この場合には、ねじ部材が挿通されていない状態で遊技者に視認される挿通孔を無くすことができる。よって、他の部材による挿通孔の被覆を不要とすることができる。
【０５９０】
また、挿通孔の数が減らせることで、その分、第２遊技盤部材の強度を確保できる。ここで、第２遊技盤部材は、比較的小型となるため、その強度の確保が困難である。一方、釘が植設されるものとして第２遊技盤部材が形成される場合は、釘を植設する際の打ち込み荷重に対し、或いは、遊技中に遊技球が釘に衝突する際の衝撃に対し、強度を確保する必要がある。よって、釘が植設される第２遊技盤部材では、挿通孔の数を減らせることが強度確保の観点から特に有効となる。
【０５９１】
遊技機Ａ２において、前記第１遊技盤部材には、前記第２遊技盤部材を支持する座面に所定の傾斜角度が付与され、前記第２遊技盤部材には、前記座面に支持される被支持面に対して垂直に釘が植設されることを特徴とする遊技機Ａ３。
【０５９２】
遊技機Ａ３によれば、遊技機Ａ２の奏する効果に加え、第１遊技盤部材には、第２遊技盤部材を支持する座面に所定の傾斜角度が付与され、第２遊技盤部材には座面に支持される被支持面に対して垂直に釘が植設されるので、第２遊技盤部材の姿勢（第１姿勢または第２姿勢）を変更しても、第１遊技盤部材（遊技面）に対する釘の傾斜角度を一定に維持することができる。
【０５９３】
遊技機Ａ３において、前記第１姿勢と前記第２姿勢とで同じ位置に配置されるように前記釘が前記第２遊技盤部材に植設されることを特徴とする遊技機Ａ４。
【０５９４】
遊技機Ａ４によれば、遊技機Ａ３の奏する効果に加え、第１姿勢と第２姿勢とで同じ位置に配置されるように釘が第２遊技盤部材に植設されるので、第２遊技盤部材の姿勢（第１姿勢または第２姿勢）を変更しても、第１遊技盤部材（遊技面）に対する釘の位置を所定位置に維持することができる。
【０５９５】
遊技機Ａ３又はＡ４において、前記座面の傾斜方向に沿って延びる前記第２遊技盤部材の正面縁部またはその第２遊技盤部材の正面縁部に並設される前記第１遊技盤部材の正面縁部の一方には、他方へ向けて下降傾斜する傾斜面が形成されることを特徴とする遊技機Ａ５。
【０５９６】
遊技機Ａ５によれば、遊技機Ａ３又はＡ４の奏する効果に加え、座面の傾斜方向に沿って延びる第２遊技盤部材の正面縁部またはその第２遊技盤部材の縁部に並設される第１遊技盤部材の正面縁部の一方には、他方へ向けて下降傾斜する傾斜面が形成されるので、両者の正面どうしを滑らかに連ねることができる。即ち、第１遊技盤部材の座面が傾斜されることで、第１遊技盤部材の正面と第２遊技盤部材の正面との間に段差が形成されることを抑制できる。よって、かかる段差を抑制するために、第１遊技盤部材の正面または第２遊技盤部材の正面に他の部材を配設することを不要とできる。
【０５９７】
遊技機Ａ１において、前記第２遊技盤部材には、前記複数のめねじに対応する位置に前記挿通孔がそれぞれ貫通形成されることを特徴とする遊技機Ａ６。
【０５９８】
遊技機Ａ６によれば、遊技機Ａ１の奏する効果に加え、第２遊技盤部材には、複数のめねじに対応する位置に挿通孔がそれぞれ貫通形成されるので、１のめねじのねじ山にへたり（摩耗やかじり）が生じた場合には、他のめねじを使用できる。よって、交換回数が嵩んだ場合でも、締結固定の信頼性を確保することができる。
【０５９９】
この場合、遊技機Ａ６によれば、他のめねじを使用する場合に、第２遊技盤部材の第１遊技盤部材に対する姿勢を変更する必要がない。即ち、第２遊技盤部材が選択可能な姿勢の数にめねじの数が限定されない。よって、めねじの数をより多く確保することができる。その結果、第２遊技盤部材の交換可能な回数をより多く確保できる。
【０６００】
遊技機Ａ６において、前記第１遊技盤部材に配設される第２部材を備え、前記挿通孔が前記第２遊技盤部材の正面に開口されると共に、前記第２部材が前記第２遊技盤部材の挿通孔の正面に張り出す張出部を備えることを特徴とする遊技機Ａ７。
【０６０１】
遊技機Ａ７によれば、遊技機Ａ６の奏する効果に加え、第１遊技盤部材に配設される第２部材を備え、挿通孔が第２遊技盤部材の正面に開口されると共に、第２部材が第２遊技盤部材の挿通孔の正面に張り出す張出部を備えるので、ねじ部材が挿通されていない挿通孔を被覆して、遊技者から隠すことができる。よって、外観の向上を図ることができる。また、第２遊技盤部材の一側のみがねじ部材により第１遊技盤部材に締結固定されている場合に、第２遊技盤部材の正面に第２部材の張出部が張り出されていることで、第２遊技盤部材の他側の浮き上がりを抑制できる。
【０６０２】
遊技機Ａ６において、前記めねじ及び挿通孔が前記第１遊技盤部材の正面に略平行に延設されることを特徴とする遊技機Ａ８。
【０６０３】
遊技機Ａ８によれば、遊技機Ａ６の奏する効果に加え、めねじ及び挿通孔が第１遊技盤部材の正面に略平行に延設されるので、挿通孔またはねじ部材の頭が第１遊技盤部材の正面（遊技面）に露出されないようにできる。よって、ねじ部材が挿通されていない挿通孔を遊技者に視認させ難くできるので、挿通孔を被覆するための他の部材の面積を抑制または不要とすることができる。また、ねじ部材の頭が遊技球の転動面（遊技面）に露出されないので、皿ねじとすることや頭を収容する座繰り（凹部）を設けることを不要とでき、構造を簡素化できる。
【０６０４】
遊技機Ａ１において、前記第１遊技盤部材の背面に変位可能に支持されると共に前記複数のめねじが形成される被締結部材を備えることを特徴とする遊技機Ａ９。
【０６０５】
遊技機Ａ９によれば、遊技機Ａ１の奏する効果に加え、第１遊技盤部材の背面に変位可能に支持されると共に複数のめねじが形成される被締結部材を備えるので、１のめねじのねじ山にへたり（摩耗やかじり）が生じた場合には、被締結部材を変位させることで、他のめねじを使用できる。よって、交換回数が嵩んだ場合でも、締結固定の信頼性を確保することができる。
【０６０６】
特に、遊技機Ａ９によれば、被締結部材が第１遊技盤部材の背面に支持されているので、第２遊技盤部材を取り外した際に、被締結部材が脱落しないように、又は、第２遊技盤部材を取り付ける際に、ねじ部材を被締結部材のめねじに螺合させるために、第１遊技盤部材の背面から作業者が手で被締結部材を保持しておく必要がない。よって、第２遊技盤部材を交換する際に、第１遊技盤部材（遊技盤）を開放させる必要がなく、第１遊技盤部材（遊技盤）を閉じた状態のままで、正面から第２遊技盤部材の交換作業を行うことができる。よって、第２遊技盤部材を交換する作業の作業性を向上できる。
【０６０７】
遊技機Ａ９において、前記被締結部材は、正面視円形に形成されると共に前記円形の中心を回転軸として前記第１遊技盤部材に回転可能に軸支されることを特徴とする遊技機Ａ１０。
【０６０８】
遊技機Ａ１０によれば、遊技機Ａ９の奏する効果に加え、被締結部材が、正面視円形に形成されると共にその円形の中心を回転軸として第１遊技盤部材に回転可能に軸支されるので、ねじ部材を螺合させるめねじを変更するために、被締結部材を回転させても、遊技者から視認される被締結部材の外観を一定に維持できる。特に、第１遊技盤部材が光透過性の材料から形成され被締結部材が第１遊技盤部材を介して透視される場合には、正面視円形の形状が外観の維持に対して有効となる。
【０６０９】
遊技機Ａ９又はＡ１０において、前記第１遊技盤部材は、前記第２遊技盤部材が配設される領域に開口形成されると共に前記被締結部材に連通される開口を備えることを特徴とする遊技機Ａ１１。
【０６１０】
遊技機Ａ１１によれば、遊技機Ａ９又はＡ１０の奏する効果に加え、第１遊技盤部材は、第２遊技盤部材が配設される領域に開口形成されると共に被締結部材に連通される開口を備えるので、かかる開口を介して第１遊技盤部材の正面から被締結部材を作業者が操作することを可能とできる。即ち、第２遊技盤部材を取り付ける際に、被締結部材を変位（又は回転）させてめねじの位置を調整しておく必要があるところ、かかる調整を、第１遊技盤部材を閉じた状態のままで行うことができる。よって、第２遊技盤部材を交換する作業の作業性を向上できる。
【０６１１】
また、かかる開口は、第２遊技盤部材が配設される領域に開口形成されるので、第１遊技盤部材に第２遊技盤部材を取り付けた状態では、第２遊技盤部材により被覆して開口を遊技者から隠すことができる。よって、外観の向上を図ることができる。
【０６１２】
＜入賞口ユニット７３００を一例とする発明の概念について＞
第１遊技盤部材と、その第１遊技盤部材に締結固定され前記第１遊技盤部材と共に遊技盤を形成する第２遊技盤部材とを備えた遊技機において、前記第１遊技盤部材に前記第２遊技盤部材を締結固定するねじ部材を備え、前記ねじ部材が挿通される挿通孔が、前記第１遊技盤部材側に形成されると共に、前記第１遊技盤部材側の挿通孔に挿通された前記ねじ部材が螺合されるめねじが、前記第２遊技盤部材に形成されることを特徴とする遊技機Ｂ１。
【０６１３】
ここで、第１遊技盤部材と、その第１遊技盤部材に締結固定され第１遊技盤部材と共に遊技盤を形成する第２遊技盤部材とを備えた遊技機が知られている（例えば、特開２００３−３１０９０５号公報）。第２遊技盤部材には挿通孔が、第１遊技盤部材にはめねじが、それぞれ形成され、第２遊技盤部材の挿通孔に挿通されたねじ部材が、第１遊技盤部材のめねじに螺合されることで、第２遊技盤部材が第１遊技盤部材に対して締結固定される。かかる遊技機によれば、第２遊技盤部材を第１遊技盤部材に対して着脱できる。即ち、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材を交換する毎に、めねじとねじ部材との螺合が繰り返され、めねじのねじ山にへたり（摩耗やかじり）が生じるため、交換回数が嵩むと、締結固定の信頼性が低下するという問題点があった。
【０６１４】
これに対し、遊技機Ｂ１によれば、ねじ部材が挿通される挿通孔が、第１遊技盤部材側に形成されると共に、第１遊技盤部材側の挿通孔に挿通されたねじ部材が螺合されるめねじが、第２遊技盤部材に形成されるので、第２遊技盤部材を交換する際には、その交換に伴って、新しいめねじを使用できる。よって、交換回数が嵩んだ場合でも、締結固定の信頼性を確保することができる。
【０６１５】
なお、挿通孔の断面形状は任意であり、例えば、円形、楕円形、多角形、これらの組み合せが例示される。また、挿通孔は、少なくともねじ部材が挿通可能に形成されれば足り、周面の一部が開放されていても良い。開放部分は、ねじ部材の挿通方向に沿って連続していても良く、挿通方向の一部のみであっても良い。
【０６１６】
遊技機Ｂ１において、前記第２遊技盤部材の第１面から突設される突部と、その突部を受け入れ可能に前記第１遊技盤部材の第２面に凹設される凹部とを備え、前記めねじが前記第２遊技盤部材の突部に形成されると共に、前記挿通孔が前記第１遊技盤部材の凹部に連通して形成されることを特徴とする遊技機Ｂ２。
【０６１７】
遊技機Ｂ２によれば、遊技機Ｂ１の奏する効果に加え、第２遊技盤部材の第１面から突設される突部と、その突部を受け入れ可能に第１遊技盤部材の第２面に凹設される凹部とを備え、めねじが第２遊技盤部材の突部に形成されると共に、挿通孔が第１遊技盤部材の凹部に連通して形成されるので、めねじのねじ部（完全ねじ部）の長さを確保できる。よって、その分、ねじ部材の軸力を高めることができ、第２遊技盤部材を第１遊技盤部材に対して強固に締結固定しやすくできる。
【０６１８】
なお、第２遊技盤部材は、比較的小型となるため、その強度の確保が困難であるところ、遊技機Ｂ２のように、突部にめねじを形成して、ねじ部の長さを確保することで、ねじ部材に所定の軸力を付与可能としつつ、第２遊技盤部材の負担を分散させることができる。即ち、突部にめねじを設ける構成が、強固な締結固定と第２遊技盤部材の破損防止とを両立させる観点から特に有効となる。
【０６１９】
遊技機Ｂ２において、前記突部の突設寸法が前記凹部の凹設寸法よりも大きな寸法に設定されることを特徴とする遊技機Ｂ３。
【０６２０】
遊技機Ｂ３によれば、遊技機Ｂ２の奏する効果に加え、突部の突設寸法が凹部の凹設寸法よりも大きな寸法に設定されるので、第２遊技盤部材が第１遊技盤部材に対して締結固定された状態では、突部の突設先端と凹部の凹設底面とが当接された状態を形成できる。即ち、第２遊技盤部材の第１面と第１遊技盤部材の第２面との間に隙間が形成された状態を形成できる。よって、突部の弾性変形を利用して、第２遊技盤部材を第１遊技盤部材に対して相対変位させやすくできる。その結果、例えば、第２遊技盤部材に釘が植設される場合には、遊技中に遊技球が釘に衝突する際の振動を吸収して、釘の破損（折損）を抑制できる。
【０６２１】
なお、この場合には、凹部の内径寸法が突部の外径寸法よりも小さい寸法に設定されることが好ましい。また、突部の突設先端と凹部の凹設底面とを除き、他の部分では第２遊技盤部材と第１遊技盤部材とが当接しないことが好ましい。これらにより、突部をより弾性変形しやすくすることができるからである。
【０６２２】
遊技機Ｂ２において、前記突部の突設寸法が前記凹部の凹設寸法よりも小さな寸法に設定されることを特徴とする遊技機Ｂ４。
【０６２３】
遊技機Ｂ４によれば、遊技機Ｂ２の奏する効果に加え、突部の突設寸法が凹部の凹設寸法よりも小さな寸法に設定されるので、第２遊技盤部材が第１遊技盤部材に対して締結固定された状態では、第２遊技盤部材の第１面と第１遊技盤部材の第２面とが当接された状態を形成できる。即ち、突部の突設先端と凹部の凹設底面との間に隙間が形成された状態を形成できる。よって、当接面積を確保して、第２遊技盤部材を第１遊技盤部材に対して強固に固定することができる。
【０６２４】
遊技機Ｂ１からＢ４のいずれかにおいて、前記第１遊技盤部材には、液晶表示装置を視認可能とするための窓部と、前記第２遊技盤部材を配設するための開口とが開口形成され、それら窓部と開口とが連通されていることを特徴とする遊技機Ｂ５。
【０６２５】
遊技機Ｂ５によれば、遊技機Ｂ１からＢ４のいずれかにおいて、第１遊技盤部材には、液晶表示装置を視認可能とするための窓部と、第２遊技盤部材を配設するための開口とが開口形成され、それら窓部と開口とが連通されているので、構造部材を交換する際に、第１遊技盤部材の窓部を利用して、作業者に構造部材を把持させることができる。よって、交換作業の作業性の向上を図ることができる。例えば、第２遊技盤部材に釘が植設される場合には、釘を把持しなくても交換作業ができるので、新たに取り付ける第２遊技盤部材の釘が把持されることを抑制して、釘が屈曲したり釘どうしの間隔が変更されることを抑制できる。
【０６２６】
遊技機Ｂ５において、前記第２遊技盤部材は、非締結状態では、遊技面に平行な方向に沿ってスライド変位されることで、前記第１遊技盤部材の窓部側へ抜き取り可能に形成されることを特徴とする遊技機Ｂ６。
【０６２７】
遊技機Ｂ６によれば、遊技機Ｂ５の奏する効果に加え、第２遊技盤部材は、非締結状態では、遊技面（第１遊技盤部材の正面）に平行な方向に沿ってスライド変位されることで、第１遊技盤部材の窓部側へ抜き取り可能に形成されるので、第２遊技盤部材の背面側に他の部材や装置が配設されている場合でも、他の部材や装置を取り外すことなく、第２遊技盤部材を交換することができる。よって、交換作業の作業性を向上できる。言い換えると、交換作業のためのスペースを第２遊技盤部材の背面側に確保することを不要とでき、その分、かかる第２遊技盤部材の背面側のスペースを、他の部材や装置を配設するためのスペースとして利用することができる。
【０６２８】
遊技機Ｂ６において、前記第１遊技盤部材の開口の内側面または前記第２遊技盤部材の外側面の一方から突出される突片と、その突片を受け入れ可能に前記第１遊技盤部材の開口の内側面または前記第２遊技盤部材の外側面の他方に凹設されると共に遊技面に平行な方向に沿って連続して延設され前記窓部に連なる凹溝とを備えることを特徴とする遊技機Ｂ７。
【０６２９】
遊技機Ｂ７によれば、遊技機Ｂ６の奏する効果に加え、第１遊技盤部材の開口の内側面または第２遊技盤部材の外側面の一方から突出される突片と、その突片を受け入れ可能に第１遊技盤部材の開口の内側面または第２遊技盤部材の外側面の他方に凹設されると共に遊技面（第１遊技盤部材の正面）に平行な方向に沿って連続して延設され窓部に連なる凹溝とを備えるので、第２遊技盤部材を第１遊技盤部材の窓部側へ抜き取ることを可能としつつ、遊技に伴う振動により或いは不正な手段によりねじ部材が緩んだり取り外された場合でも、第１遊技盤部材から第２遊技盤部材が脱落することを抑制できる。
【０６３０】
遊技機Ｂ７において、前記第１遊技盤部材の開口の内側面から張り出し前記挿通孔が形成される遊技盤張出部と、前記第２遊技盤部材の外側面から張り出し前記めねじが形成される構成部材張出部とを備え、前記第２遊技盤部材の前記構成部材張出部から前記突片が突出されると共に、前記第１遊技盤部材の前記遊技盤張出部の非形成部分に前記凹溝が凹設されることを特徴とする遊技機Ｂ８。
【０６３１】
遊技機Ｂ８によれば、遊技機Ｂ７の奏する効果に加え、第１遊技盤部材の開口の内側面から張り出し挿通孔が形成される遊技盤張出部と、第２遊技盤部材の外側面から張り出しめねじが形成される構成部材張出部とを備え、第２遊技盤部材の構成部材張出部から突片が突出されると共に、第１遊技盤部材の遊技盤張出部の非形成部分に凹溝が凹設されるので、めねじのねじ部（完全ねじ部）の長さを確保できる。よって、その分、ねじ部材の軸力を高めることができ、第２遊技盤部材を第１遊技盤部材に対して強固に締結固定しやすくできる。
【０６３２】
なお、第２遊技盤部材は、比較的小型となるため、その強度の確保が困難であるところ、遊技機Ｂ８のように、第２遊技盤部材の構成部材張出部から突片を突出して、ねじ部の長さを確保することで、ねじ部材に所定の軸力を付与可能としつつ、第２遊技盤部材の負担を分散させることができる。即ち、第２遊技盤部材の構成部材張出部から突片を突出する構成が、強固な締結固定と第２遊技盤部材の破損防止とを両立させる観点から特に有効となる。
【０６３３】
遊技機Ｂ７において、前記第１遊技盤部材の開口の内側面から張り出し前記挿通孔が形成される遊技盤張出部と、前記第２遊技盤部材の外側面から張り出し前記めねじが形成される構成部材張出部とを備え、前記第１遊技盤部材の前記遊技盤張出部から前記突片が突出されると共に、前記第２遊技盤部材の前記構成部材張出部の非形成部分に前記凹溝が凹設されることを特徴とする遊技機Ｂ９。
【０６３４】
遊技機Ｂ８によれば、遊技機Ｂ７の奏する効果に加え、第１遊技盤部材の開口の内側面から張り出し挿通孔が形成される遊技盤張出部と、第２遊技盤部材の外側面から張り出しめねじが形成される構成部材張出部とを備え、第１遊技盤部材の遊技盤張出部から突片が突出されると共に、第２遊技盤部材の構成部材張出部の非形成部分に凹溝が凹設されるので、めねじのねじ部（完全ねじ部）の長さを確保できる。よって、その分、ねじ部材の軸力を高めることができ、第２遊技盤部材を第１遊技盤部材に対して強固に締結固定しやすくできる。
【０６３５】
なお、第２遊技盤部材は、比較的小型となるため、その強度の確保が困難であるところ、遊技機Ｂ９のように、第１遊技盤部材の遊技盤張出部から突片を突出して、ねじ部の長さを確保することで、ねじ部材に所定の軸力を付与可能としつつ、第２遊技盤部材の負担を分散させることができる。即ち、第１遊技盤部材の遊技盤張出部から突片を突出する構成が、強固な締結固定と第２遊技盤部材の破損防止とを両立させる観点から特に有効となる。
【０６３６】
遊技機Ｂ１からＢ９のいずれかにおいて、前記第２遊技盤部材には２本の釘が植設され、それら２本の釘を結ぶ仮想線の延長線上には前記めねじが非形成とされることを特徴とする遊技機Ｂ１０。
【０６３７】
遊技機Ｂ１０によれば、遊技機Ｂ１からＢ９のいずれかにおいて、第２遊技盤部材には２本の釘が植設され、それら２本の釘を結ぶ仮想線の延長線上にはめねじが非形成とされるので、第２遊技盤部材の割れを抑制できる。即ち、２本の釘の植設に伴うひずみ（第２遊技盤部材の弾性変形）が２本の釘を結ぶ仮想線の方向で重なるため、仮想線の延長線上の領域では、第２遊技盤部材の割れが発生しやすいところ、かかる領域には、めねじが非形成とされることで、釘の植設に伴うひずみに、ねじ部材の螺合に伴う負荷が更に重なることを抑制できる。その結果、第２遊技盤部材の割れを抑制できる。
【０６３８】
なお、仮想線の延長線とめねじとの離間距離は、第２遊技盤部材の割れを抑制する観点より、ねじ部材の外径の基準寸法（ねじの呼び径）以上に設定されることが好ましく、ねじ部材の外径の基準寸法の２倍以上に設定されることがより好ましい。
【０６３９】
＜入賞口ユニット１０３００を一例とする発明の概念について＞
第１遊技盤部材と、その第１遊技盤部材に着脱自在に配設され前記第１遊技盤部材と共に遊技盤を形成する第２遊技盤部材とを備え、前記第２遊技盤部材に釘が植設された遊技機において、前記釘への外力の作用に伴う前記第２遊技盤部材の破損を抑制可能に形成されることを特徴とする遊技機Ｃ１。
【０６４０】
ここで、第１遊技盤部材と、その第１遊技盤部材に着脱自在に配設され第１遊技盤部材と共に遊技盤を形成する第２遊技盤部材とを備え、第２遊技盤部材に釘が植設された遊技機が知られている（例えば、特開２００３−３１０９０５号公報）。かかる遊技機によれば、第２遊技盤部材の釘に折損が生じた場合には、第２遊技盤部材のみの交換により、遊技盤全体としての交換を不要とすることができる。しかしながら、上述した従来の遊技機では、第２遊技盤部材が比較的小型に形成されるため、その第２遊技盤部材の剛性を確保することが困難である。そのため、遊技球の衝突により釘に外力が作用されると、第２遊技盤部材が破損しやすいという問題点があった。
【０６４１】
これに対し、遊技機Ｃ１によれば、釘への外力の作用に伴う前記第２遊技盤部材の破損を抑制可能に形成されるので、遊技球の衝突により釘に外力が作用された場合に、第２遊技盤部材が破損することを抑制できる。
【０６４２】
遊技機Ｃ１において、前記第２遊技盤部材は、前記釘が植設される植設部と、その植設部よりも厚み寸法が小さくされると共に前記第１遊技盤部材に当接されて締結固定される当接部とを備え、前記当接部が、前記第１遊技盤部材との当接面から突設されると共に前記植設部に連なる厚肉部を備えることを特徴とする遊技機Ｃ２。
【０６４３】
遊技機Ｃ２によれば、遊技機Ｃ１の奏する効果に加え、第２遊技盤部材は、釘が植設される植設部と、その植設部よりも厚み寸法が小さくされると共に第１遊技盤部材に当接されて締結固定される当接部とを備え、当接部が、第１遊技盤部材との当接面から突設されると共に植設部に連なる厚肉部を備えるので、その分、植設部の剛性を高めることができる。よって、遊技球の衝突により釘に外力が作用された場合に、第２遊技盤部材（植設部）が破損することを抑制できる。
【０６４４】
遊技機Ｃ２において、前記第２遊技盤部材には２本の釘が植設され、それら２本の釘を結ぶ仮想線の延長線に沿って前記厚肉部が形成されることを特徴とする遊技機Ｃ３。
【０６４５】
遊技機Ｃ３によれば、遊技機Ｃ２の奏する効果に加え、第２遊技盤部材には２本の釘が植設され、それら２本の釘を結ぶ仮想線の延長線に沿って厚肉部が形成されるので、第２遊技盤部材（植設部）の破損を抑制できる。即ち、２本の釘の植設に伴うひずみ（第２遊技盤部材の弾性変形）が２本の釘を結ぶ仮想線の方向で重なるため、仮想線の延長線上の領域では、第２遊技盤部材の割れが発生しやすいところ、かかる領域に厚肉部が形成されることで、その分、釘の植設に伴うひずみを緩和することができる。よって、釘の植設に伴うひずみに、釘への遊技球の衝突に伴う負荷が更に重なることを抑制できる。その結果、第２遊技盤部材の割れを抑制できる。
【０６４６】
遊技機Ｃ３において、前記２本の釘を結ぶ仮想線に直交する方向における前記植設部の寸法が、前記２本の釘を結ぶ仮想線に直交する方向における前記厚肉部の寸法よりも大きくされることを特徴とする遊技機Ｃ４。
【０６４７】
遊技機Ｃ４によれば、遊技機Ｃ３の奏する効果に加え、２本の釘を結ぶ仮想線に直交する方向における植設部の寸法が、２本の釘を結ぶ仮想線に直交する方向における厚肉部の寸法よりも大きくされるので、２本の釘を結ぶ仮想線に直交する方向における第２遊技盤部材（植設部）の剛性を高めることができる。その結果、第２遊技盤部材（植設部）の破損を抑制できる。
【０６４８】
遊技機Ｃ４において、前記第１遊技盤部材に前記第２遊技盤部材を締結固定するねじ部材を備え、前記第２遊技盤部材の当接部には、前記ねじ部材が挿通される挿通孔または前記ねじ部材が螺合されるめねじが、前記厚肉部を挟んだ位置に形成されることを特徴とする遊技機Ｃ５。
【０６４９】
遊技機Ｃ５によれば、遊技機Ｃ４の奏する効果に加え、第２遊技盤部材の当接部には、ねじ部材が挿通される挿通孔またはねじ部材が螺合されるめねじが、厚肉部を挟んだ位置に形成されるので、第２遊技盤部材の剛性を高めるための領域と、第１遊技盤部材に第２遊技盤部材を締結固定するための領域との両者を効率的に確保できる。その結果、第２遊技盤部材の破損の抑制と第２遊技盤部材の小型化との両立を図ることができる。
【０６５０】
遊技機Ｃ２からＣ５のいずれかにおいて、前記第１遊技盤部材が、前記第２遊技盤部材の当接部との当接面に凹設され前記厚肉部を受け入れる受入部を備えると共に、その受入部に前記第２遊技盤部材の厚肉部の少なくとも一部が内嵌されることを特徴とする遊技機Ｃ６。
【０６５１】
遊技機Ｃ６によれば、遊技機Ｃ２からＣ５のいずれかの奏する効果に加え、第１遊技盤部材が、第２遊技盤部材の当接部との当接面に凹設され厚肉部を受け入れる受入部を備えると共に、その受入部に第２遊技盤部材の厚肉部の少なくとも一部が内嵌されるので、第１遊技盤部材に厚肉部の少なくとも一部を保持させることができる。即ち、厚肉部の少なくとも一部が保持される分、第１遊技盤部材の剛性を利用して、第２遊技盤部材の剛性を高めることができる。その結果、第２遊技盤部材の破損を抑制できる。
【０６５２】
なお、厚肉部の少なくとも一部が受入部に内嵌されるとは、厚肉部の少なくとも一部の外側面が、受入部の内側面に当接されることを意味する。よって、厚肉部の少なくとも一部が弾性的に圧縮変形された状態で受入部の内側面に圧入された状態であっても良い。圧入された状態であれば、厚肉部の少なくとも一部をより強固に保持できるので、第１遊技盤部材の剛性による第２遊技盤部材の剛性の向上効果を高めることができる。
【０６５３】
遊技機Ｃ１において、前記第１遊技盤部材および第２遊技盤部材よりも弾性係数が小さい材料からなる弾性部材を備え、前記第１遊技盤部材に前記第２遊技盤部材が前記弾性部材を介して配設されることを特徴とする遊技機Ｃ７。
【０６５４】
遊技機Ｃ７によれば、遊技機Ｃ１の奏する効果に加え、第１遊技盤部材および第２遊技盤部材よりも弾性係数が小さい材料からなる弾性部材を備え、第１遊技盤部材に第２遊技盤部材が弾性部材を介して配設されるので、弾性部材の弾性変形を利用して、第２遊技盤部材を第１遊技盤部材に対して相対変位させやすくできる。即ち、その相対変位（弾性変形）により、遊技球の釘への衝突に伴う外力を吸収して、第２遊技盤部材の破損を抑制できる。
【０６５５】
遊技機Ｃ７において、前記第１遊技盤部材に前記第２遊技盤部材を締結固定するねじ部材を備え、前記ねじ部材が挿通される挿通孔が前記第１遊技盤部材または第２遊技盤部材の一方に形成されると共に、前記挿通孔に挿通された前記ねじ部材が螺合されるめねじが前記第１遊技盤部材または第２遊技盤部材の他方に形成され、前記弾性部材が略筒状に形成され前記挿通孔と前記ねじ部材の軸との間に介設されることを特徴とする遊技機Ｃ８。
【０６５６】
遊技機Ｃ８によれば、遊技機Ｃ７の奏する効果に加え、第１遊技盤部材に第２遊技盤部材を締結固定するねじ部材を備え、ねじ部材が挿通される挿通孔が第１遊技盤部材または第２遊技盤部材の一方に形成されると共に、挿通孔に挿通されたねじ部材が螺合されるめねじが第１遊技盤部材または第２遊技盤部材の他方に形成され、弾性部材が略筒状に形成され挿通孔とねじ部材の軸との間に介設されるので、第１遊技盤部材に対して第２遊技盤部材が相対変位する際の変位方向の自由度を高めることができる。即ち、ねじ部材の軸に直交する方向だけでなく、ねじ部材の軸に傾斜する方向（こじり方向）にも相対変位させやすくできる。その結果、遊技球の釘への衝突に伴う外力を吸収して、第２遊技盤部材の破損を抑制しやすくできる。
【０６５７】
また、弾性部材の弾性を利用して、ねじ部材の緩みを抑制できると共に、ねじ部材が緩んだとしても、ねじ部材の脱落を抑制できる。
【０６５８】
遊技機Ｃ８において、前記弾性部材は、前記挿通孔と前記ねじ部材の軸との間に介設される略筒状の筒部と、その筒部の両側の軸方向端部において径方向外方へフランジ状に張り出す一対のフランジ部とを備え、一方のフランジ部が前記第１遊技盤部材と前記第２遊技盤部材との間に介設される共に他方のフランジ部がねじ部材の頭部と第１遊技盤部材または第２遊技盤部材との間に介設されることを特徴とする遊技機Ｃ９。
【０６５９】
遊技機Ｃ９によれば、遊技機Ｃ８の奏する効果に加え、弾性部材は、前記挿通孔と前記ねじ部材の軸との間に介設される略筒状の筒部と、その筒部の両側の軸方向端部において径方向外方へフランジ状に張り出す一対のフランジ部とを備え、一方のフランジ部が前記第１遊技盤部材と前記第２遊技盤部材との間に介設される共に他方のフランジ部がねじ部材の頭部と第１遊技盤部材または第２遊技盤部材との間に介設されるので、第１遊技盤部材と第２遊技盤部材とを弾性部材のみで連結できる（即ち、第２遊技盤部材から第１遊技盤部材への振動伝達経路の少なくとも一部に弾性部材のみからなる部分を形成できる）。よって、第１遊技盤部材に対して第２遊技盤部材を相対変位させやすくして、遊技球の釘への衝突に伴う外力を吸収しやすくできる。
【０６６０】
また、ねじ部材の軸方向にも相対変位させることができ、第１遊技盤部材に対する第２遊技盤部材の相対変位方向の自由度を高めることができる。よって、この点からも、遊技球の釘への衝突に伴う外力を吸収しやすくできる。
【０６６１】
更に、一方のフランジ部が前記第１遊技盤部材と前記第２遊技盤部材との間に介設されるので、第１遊技盤部材に対して第２遊技盤部材が自重で傾倒することを抑制できる。特に、経時に伴う弾性部材の劣化時（へたり時）に有効となる。
【０６６２】
遊技機Ｃ１からＣ９のいずれかにおいて、前記第２遊技盤部材は、前記釘が植設される植設面から突出されると共に前記釘の根本を囲む胴部を備えることを特徴とする遊技機Ｃ１０。
【０６６３】
遊技機Ｃ１０によれば、遊技機Ｃ１からＣ９のいずれかの奏する効果に加え、第２遊技盤部材は、釘が植設される植設面から突出されると共に釘の根本を囲む胴部を備えるので、釘を保持する部分の剛性を胴部により高めることができる。よって、遊技球の衝突により釘に外力が作用された場合に、第２遊技盤部材が破損することを抑制できる。
【０６６４】
遊技機Ｃ１０において、前記釘と前記植設面とに当接された遊技球の外面よりも前記第２遊技盤部材側に前記胴部が位置されることを特徴とする遊技機Ｃ１１。
【０６６５】
遊技機Ｃ１１によれば、遊技機Ｃ１０の奏する効果に加え、釘と植設面とに当接された遊技球の外面よりも第２遊技盤部材側に胴部が位置されるので、遊技球が胴部に衝突することを回避して、胴部が破損することを抑制できる。
【０６６６】
遊技機Ｃ１０又はＣ１１において、前記植設面に近接するに従って前記胴部の断面積が大きくされることを特徴とする遊技機Ｃ１２。
【０６６７】
遊技機Ｃ１２によれば、遊技機Ｃ１０又はＣ１１の奏する効果に加え、植設面に近接するに従って胴部の断面積が大きくされるので、遊技球が胴部に衝突することを回避しつつ、釘を保持する部分の剛性をより高めることができる。即ち、遊技球が胴部に直接衝突することによる胴部の破損と、遊技球が釘に衝突することによる第２遊技盤部材の破損との両者を効果的に抑制できる。
【０６６８】
なお、胴部の断面積とは、釘の植設方向に直交する平面で胴部を切断した断面における面積を意味する。この場合、胴部の断面形状は任意であり、例えば、円形、楕円形、多角形、これらの組み合せが例示される。但し、胴部の断面形状は、円形に形成されることが好ましい。遊技球との衝突を回避しつつ、胴部の体積を最大として、その剛性をより高めることができるからである。
【０６６９】
＜入賞口ユニット１３３００を一例とする発明の概念について＞
第１遊技盤部材と、その第１遊技盤部材に締結固定され前記第１遊技盤部材と共に遊技盤を形成する第２遊技盤部材とを備えた遊技機において、前記締結固定が解除された状態で、前記第１遊技盤部材からの前記第２遊技盤部材の取り外しが規制されていることを特徴とする遊技機Ｄ１。
【０６７０】
ここで、第１遊技盤部材と、その第１遊技盤部材に締結固定され第１遊技盤部材と共に遊技盤を形成する第２遊技盤部材とを備えた遊技機が知られている（例えば、特開２００３−３１０９０５号公報）。かかる遊技機によれば、第２遊技盤部材を第１遊技盤部材に対して着脱できる。よって、第２遊技盤部材に故障や破損が生じた場合には、かかる第２遊技盤部材のみを交換して、遊技盤全体としての交換を不要とすることができる。しかしながら、上述した従来の遊技機では、例えば、遊技に伴う振動に起因して、第１遊技盤部材への第２遊技盤部材の締結固定が解除される（緩む）恐れがあり、その場合には、第１遊技盤部材から第２遊技盤部材が脱落する恐れがあるという問題点があった。
【０６７１】
これに対し、遊技機Ｄ１によれば、締結固定が解除された状態で、第１遊技盤部材からの第２遊技盤部材の取り外しが規制されているので、例えば、第１遊技盤部材への第２遊技盤部材の締結固定が解除された（緩んだ）場合でも、第１遊技盤部材から第２遊技盤部材が脱落することを抑制できる。
【０６７２】
遊技機Ｄ１において、前記第１遊技盤部材に配設される第２部材を備え、その第２部材が前記第２遊技盤部材の取り外し方向への移動を規制可能な位置に配設されることを特徴とする遊技機Ｄ２。
【０６７３】
遊技機Ｄ２によれば、遊技機Ｄ１の奏する効果に加え、第１遊技盤部材に配設される第２部材を備え、その第２部材が第２遊技盤部材の取り外し方向への移動を規制可能な位置に配設されるので、第１遊技盤部材への第２遊技盤部材の締結固定が解除された場合でも、第２部材を利用して、第１遊技盤部材から第２遊技盤部材が脱落することを抑制できる。
【０６７４】
遊技機Ｄ２において、前記第１遊技盤部材には、液晶表示装置を視認可能とするための窓部が開口形成され、前記窓部の下縁側の内側面に前記第２部材が配設されることを特徴とする遊技機Ｄ３。
【０６７５】
遊技機Ｄ３によれば、遊技機Ｄ２の奏する効果に加え、第１遊技盤部材には、液晶表示装置を視認可能とするための窓部が開口形成され、その窓部の下縁側の内側面に第２部材が配設されるので、第１遊技盤部材に対する第２部材の保持（例えば、締結固定）が解除されたとしても、第２部材をその自重を利用して窓部の下縁側の内側面に載置された状態に維持することができる。即ち、第２遊技盤部材の取り外し方向への移動を規制可能な位置に第２部材が配設された状態を維持することができる。その結果、第１遊技盤部材から第２遊技盤部材が脱落することを抑制できる。
【０６７６】
この場合、第２部材は、第１遊技盤部材に弾性的に係合可能に形成されることが好ましい。第２部材を窓部の下縁側の内側面に載置された状態に維持しやすくできるからである。なお、弾性的に係合された状態とは、例えば、第１遊技盤部材または第２部材の一方に弾性変形可能に形成される弾性爪が他方に係合される形態、一方に弾性変形可能に対向配置される一対の対向片の間に他方が挟持される形態などが例示される。
【０６７７】
遊技機Ｄ２において、前記第２遊技盤部材または第２部材の一方に係合部が形成されると共に、その係合部を受け入れ可能な係合凹部が前記第２遊技盤部材または第２部材の他方に凹設され、前記係合部が前記係合凹部に係合されることで、前記第２遊技盤部材の取り外し方向への移動が規制されることを特徴とする遊技機Ｄ４。
【０６７８】
遊技機Ｄ４によれば、遊技機Ｄ２において、第２遊技盤部材または第２部材の一方に係合部が形成されると共に、その係合部を受け入れ可能な係合凹部が第２遊技盤部材または第２部材の他方に凹設され、係合部が係合凹部に係合されることで、第２遊技盤部材の取り外し方向への移動が規制されるので、係合部を係合凹部により外部から遮蔽することができる。よって、係合部と係合凹部との係合が不正に解除されることを抑制できる。
【０６７９】
遊技機Ｄ４において、前記第１遊技盤部材には、前記第２遊技盤部材を配設するための開口が開口形成され、前記第２遊技盤部材が前記第１遊技盤部材の正面に配設されると共に前記第２部材が前記第１遊技盤部材の背面に配設され、前記開口を介して前記係合部が前記係合凹部に係合されることを特徴とする遊技機Ｄ５。
【０６８０】
遊技機Ｄ５によれば、遊技機Ｄ４の奏する効果に加え、第１遊技盤部材には、第２遊技盤部材を配設するための開口が開口形成され、第２遊技盤部材が前記第１遊技盤部材の正面に配設されると共に第２部材が第１遊技盤部材の背面に配設され、開口を介して係合部が係合凹部に係合されるので、第１遊技盤部材を利用して、正面から第２部材へアクセスし難くできる。よって、係合部と係合凹部との係合が不正に解除されることを抑制できる。
【０６８１】
遊技機Ｄ２からＤ５のいずれかにおいて、前記第１遊技盤部材に前記第２遊技盤部材を締結固定するねじ部材を備え、前記ねじ部材が挿通される挿通孔が前記第１遊技盤部材および第２遊技盤部材に形成されると共に、前記ねじ部材が螺合されるめねじが前記第２部材に形成されることを特徴とする遊技機Ｄ６。
【０６８２】
遊技機Ｄ６によれば、遊技機Ｄ２からＤ５のいずれかの奏する効果に加え、ねじ部材が挿通される挿通孔が第１遊技盤部材および第２遊技盤部材に形成されると共に、ねじ部材が螺合されるめねじが第２部材に形成されるので、第２部材が配設されていることを、第２遊技盤部材を第１遊技盤部材に締結固定するための要件とすることができる。よって、第２遊技盤部材を交換する際に作業者が第２部材を付け忘れることを抑制できる。
【０６８３】
なお、第２部材が係合部を備える場合には、かかる係合部にめねじを形成する形態が好ましい。係合部が不正に除去または使用により破損されている場合に、第２遊技盤部材を第１遊技盤部材に締結固定することを不能とできるので、不正を抑制できると共に、破損を認識させることができるからである。
【０６８４】
遊技機Ｄ１において、前記第１遊技盤部材または第２遊技盤部材の一方に配設され弾性変形可能に形成される弾性手段を備え、前記第１遊技盤部材への前記第２遊技盤部材の取り付けに伴い、前記弾性手段を介して前記第１遊技盤部材と前記第２遊技盤部材とが直接または間接に係合され、前記第２遊技盤部材の取り外し方向への移動が規制されることを特徴とする遊技機Ｄ７。
【０６８５】
遊技機Ｄ７によれば、第１遊技盤部材または第２遊技盤部材の一方に配設され弾性変形可能に形成される弾性手段を備え、第１遊技盤部材への第２遊技盤部材の取り付けに伴い、弾性手段を介して第１遊技盤部材と第２遊技盤部材とが直接または間接に係合され、第２遊技盤部材の取り外し方向への移動が規制されるので、第２遊技盤部材の脱落を防止するための工程を別途行う必要がないので、第２遊技盤部材の交換作業を簡素化できると共に、第２遊技盤部材の脱落を防止するための工程を実施し忘れることを抑制できる。
【０６８６】
遊技機Ｄ７において、前記弾性手段は、弾性変形可能に形成される弾性片と、その弾性片から突出される爪部とを備え、前記弾性片が前記第２遊技盤部材に配設されると共に、前記爪部が前記第１遊技盤部材に係合可能に形成されることを特徴とする遊技機Ｄ８。
【０６８７】
遊技機Ｄ８によれば、遊技機Ｄ７の奏する効果に加え、弾性手段は、弾性変形可能に形成される弾性片と、その弾性片から突出される爪部とを備え、弾性片が第２遊技盤部材に配設されると共に、爪部が第１遊技盤部材に係合可能に形成されるので、第２遊技盤部材を交換する際には、その交換に伴って、新しい弾性手段を使用できる。即ち、弾性片が第１遊技盤部材に配設され、爪部が第２遊技盤部材に係合される構成では、交換回数が嵩むと、弾性手段の弾性変形が繰り返され、弾性力が低下するため、係合が解除されやすくなる。これに対し、遊技機Ｄ８によれば、交換回数が嵩んだ場合でも、交換毎に新しい弾性手段を使用できるので、係合の信頼性を確保することができる。
【０６８８】
遊技機Ｄ８において、前記第１遊技盤部材または第２遊技盤部材の一方に形成される挿通孔に挿通されると共に前記第１遊技盤部材または第２遊技盤部材の他方に形成されるめねじに螺合されるねじ部材を備え、そのねじ部材が取り外された状態では、前記挿通孔およびめねじにより形成される空間の一端が前記第２遊技盤部材に開口されると共に他端が前記第１遊技盤部材に開口され、前記他端の開口に対面される位置において前記爪部が前記第１遊技盤部材に係合されることを特徴とする遊技機Ｄ９。
【０６８９】
遊技機Ｄ９によれば、遊技機Ｄ８の奏する効果に加え、ねじ部材が取り外された状態では、挿通孔およびめねじにより形成される空間の一端が構成第２遊技盤部材に開口されると共に他端が第１遊技盤部材に開口され、他端の開口に対面される位置において爪部が第１遊技盤部材に係合されるので、ねじ部材を取り外した後、挿通孔およびめねじの一端から治具を挿入することで、他端から突出された治具により爪部を押し出して係合を解除することができる。即ち、例えば、第１遊技盤部材を開放して、その背面側から爪部の係合を解除する作業を行う必要がなく、第１遊技盤部材を閉じたままで、爪部の係合を解除できる。よって、第１遊技盤部材から第２遊技盤部材を取り外す作業の作業性を向上できる。即ち、爪部の係合を解除するために、第１遊技盤部材を開放する必要がなく、第１遊技盤部材を閉じたままの状態で、正面から第２遊技盤部材の交換を完了することができる。
【０６９０】
遊技機Ｄ１からＤ９のいずれかにおいて、前記第１遊技盤部材の正面に配設されるガラス板を備え、前記第２遊技盤部材の前記第１遊技盤部材からの取り外し方向が前記第１遊技盤部材の正面側へ向けた方向とされると共に、前記第１遊技盤部材から前記第２遊技盤部材を取り外すために必要とされる前記取り外し方向への距離が、前記第２遊技盤部材と前記ガラス板との間の対向間隔よりも大きくされることを特徴とする遊技機Ｄ１０。
【０６９１】
遊技機Ｄ１０によれば、遊技機Ｄ１からＤ９のいずれかの奏する効果に加え、第１遊技盤部材の正面に配設されるガラス板を備え、第２遊技盤部材の第１遊技盤部材からの取り外し方向が第１遊技盤部材の正面側へ向けた方向とされると共に、第１遊技盤部材から第２遊技盤部材を取り外すために必要とされる取り外し方向への距離が、第２遊技盤部材とガラス板との間の対向間隔よりも大きくされるので、第１遊技盤部材への第２遊技盤部材の締結固定が解除された場合でも、ガラス板を利用して、第１遊技盤部材から第２遊技盤部材が脱落することを抑制できる。
【０６９２】
遊技機Ｄ１０において、前記第２遊技盤部材には釘が植設され、前記第１遊技盤部材から前記第２遊技盤部材を取り外すために必要とされる前記取り外し方向への距離が、前記第２遊技盤部材の釘の先端と前記ガラス板との間の対向間隔よりも大きくされることを特徴とする遊技機Ｄ１１。
【０６９３】
遊技機Ｄ１１によれば、遊技機Ｄ１０の奏する効果に加え、第２遊技盤部材には釘が植設され、第１遊技盤部材から第２遊技盤部材を取り外すために必要とされる取り外し方向への距離が、第２遊技盤部材の釘の先端とガラス板との間の対向間隔よりも大きくされるので、第２遊技盤部材の釘の先端がガラス板に当接されることで、第１遊技盤部材から第２遊技盤部材が脱落することを抑制できる。即ち、釘の長さを利用できる分、第２遊技盤部材の厚み寸法（取り外し方向における寸法）を小さくできる。
【０６９４】
＜入賞口ユニット１８３００を一例とする発明の概念について＞
第１遊技盤部材と、その第１遊技盤部材に着脱自在に配設され前記第１遊技盤部材と共に遊技盤を形成する第２遊技盤部材とを備えた遊技機において、前記第２遊技盤部材の一部に重畳された状態で前記第１遊技盤部材に配設される第２部材を備え、前記第２部材が少なくとも前記第１遊技盤部材に保持された状態で前記第２遊技盤部材が取り外し可能に形成されることを特徴とする遊技機Ｅ１。
【０６９５】
ここで、第１遊技盤部材と、その第１遊技盤部材に着脱自在に配設され第１遊技盤部材と共に遊技盤を形成する第２遊技盤部材とを備えた遊技機が知られている（例えば、特開２００３−３１０９０５号公報）。かかる遊技機によれば、第２遊技盤部材が第１遊技盤部材にねじ部材により締結固定されているため、ねじ部材が不正に取り外されたり遊技中の振動により不用意に緩んだりした場合には、第１遊技盤部材（遊技盤）から第２遊技盤部材が脱落するおそれがある。これに対し、本願出願人は、第２遊技盤部材の一部と重畳された状態で第１遊技盤部材に第２部材を配設することで、かかる重畳された部分による両者の係合を利用して、第２遊技盤部材が第１遊技盤部材から脱落することを抑制する技術に想到した（本願出願時において未公知）。
【０６９６】
しかしながら、上述した技術では、第２遊技盤部材の交換作業を行う場合には、第２遊技盤部材だけでなく、第２部材も第１遊技盤部材から取り外す必要があるため、その分、工数が嵩み、第２遊技盤部材の交換作業が煩雑になるという問題点があることが分った。
【０６９７】
これに対し、遊技機Ｅ１によれば、第２部材が少なくとも第１遊技盤部材に保持された状態で第２遊技盤部材が取り外し可能に形成されるので、その分、工数を抑制して、第２遊技盤部材の交換作業を簡素化できる。即ち、第２部材を第１遊技盤部材から取り外す必要がないので、かかる第２部材を取り付け直す工程における工数を抑制できるだけなく、作業者が、第２部材を紛失することや、第２部材の取り付け方を間違えることを抑制できる。
【０６９８】
遊技機Ｅ１において、前記第２部材は、前記第２遊技盤部材の第１方向への移動を規制可能に形成され、前記第１遊技盤部材は、前記第２遊技盤部材の前記第１方向とは異なる第２方向への移動であって、前記第２部材による前記第２遊技盤部材の前記第１方向への移動が規制不能となる位置までの移動を許容可能に形成されることを特徴とする遊技機Ｅ２。
【０６９９】
遊技機Ｅ２によれば、遊技機Ｅ１の奏する効果に加え、第２部材は、第２遊技盤部材の第１方向への移動を規制可能に形成され、第１遊技盤部材は、第２遊技盤部材の第１方向とは異なる第２方向への移動であって、第２部材による第２遊技盤部材の第１方向への移動が規制不能となる位置までの移動を許容可能に形成されるので、第２部材を第１遊技盤部材から取り外すことなく、第２遊技盤部材を取り外すことができる。また、第２部材を遊技盤に配設した状態のままで、第２遊技盤部材を取り付けることができる。よって、その分、工数を抑制して、第２遊技盤部材の交換作業を簡素化できる。
【０７００】
遊技機Ｅ２において、前記第２方向が少なくとも重力方向上方成分を含む方向であることを特徴とする遊技機Ｅ３。
【０７０１】
遊技機Ｅ３によれば、遊技機Ｅ２の奏する効果に加え、第２方向が少なくとも重力方向上方成分を含む方向であるので、第２遊技盤部材の第１方向への移動を第２部材が規制可能な位置に第２遊技盤部材が配置された状態を、第２遊技盤部材の自重（重力の作用）により維持させることができる。即ち、第２遊技盤部材を第１遊技盤部材に固定する手段（例えば、ねじ部材）が不正に取り外されたり遊技中の振動により不用意に緩んだりした場合でも、第２遊技盤部材がその一部を第２部材と重畳された位置（第１方向への移動が規制される位置）に維持されるので、重畳された部分による両者の係合（第１方向への移動の規制）により、第２遊技盤部材が第１遊技盤部材から脱落することを抑制できる。
【０７０２】
なお、第２方向は、鉛直方向に沿って重力方向上方を向く方向であることが好ましい。第２遊技盤部材の自重（重力の作用）を最大限に利用できるからである。
【０７０３】
遊技機Ｅ２又はＥ３によれば、前記第２遊技盤部材の一部に重畳された状態で前記第１遊技盤部材に配設されると共に前記第２遊技盤部材の第１方向への移動を規制可能に形成され第３部材を備えることを特徴とする遊技機Ｅ４。
【０７０４】
ここで、遊技機Ｅ２のように、第２遊技盤部材の第１方向への移動を規制可能とし且つ第１方向への移動の規制を解除可能な位置まで第２遊技盤部材の第２方向への移動を許容可能とする構造を第１遊技盤部材と第２部材とのみで形成するためには、第１遊技盤部材の形状が複雑となり、その成形が煩雑となる（工数が嵩む）。
【０７０５】
これに対し、遊技機Ｅ４によれば、第２遊技盤部材の一部に重畳された状態で第１遊技盤部材に配設されると共に第２遊技盤部材の第１方向への移動を規制可能に形成され第３部材を備えるので、遊技機Ｅ２又はＥ３の奏する効果に加え、第１遊技盤部材の形状を簡素化して、その成形を容易とできる。
【０７０６】
なお、第２部材と第３部材とは、第２遊技盤部材を挟んで第２方向一側および第２方向他側に配設されることが好ましい。上述したように、第１遊技盤部材の形状を簡素化できるからである。この形態としては、例えば、第２遊技盤部材に釘が植設され、第２部材が、球が入球可能な開口と通路とを有する入球装置として、第３部材が、第１遊技盤部材の窓部に装着されるセンターフレームとして、それぞれ形成されるものが例示される。
【０７０７】
遊技機Ｅ１において、前記第２部材は、前記第２遊技盤部材の取り外しを規制する規制位置と前記第２遊技盤部材の取り外しを許容する許容位置との間で変位可能に前記第１遊技盤部材に配設されることを特徴とする遊技機Ｅ５。
【０７０８】
遊技機Ｅ５によれば、遊技機Ｅ１の奏する効果に加え、第２部材は、第２遊技盤部材の取り外しを規制する規制位置と第２遊技盤部材の取り外しを許容する許容位置との間で変位可能に第１遊技盤部材に配設されるので、第２部材を第１遊技盤部材から取り外すことなく、第２遊技盤部材を取り外すことができる。また、第２部材を第１遊技盤部材に配設した状態のままで、第２遊技盤部材を取り付けることができる。よって、その分、工数を抑制して、第２遊技盤部材の交換作業を簡素化できる。
【０７０９】
遊技機Ｅ５において、前記許容位置が前記規制位置よりも重力方向下方に設定されることを特徴とする遊技機Ｅ６。
【０７１０】
遊技機Ｅ６によれば、遊技機Ｅ５の奏する効果に加え、許容位置が前記規制位置よりも重力方向下方に設定されるので、第２部材をその自重（重力の作用）により許容位置に維持させることができる。即ち、第２遊技盤部材を交換（取り外し及び取り付け）する際に、第２部材を作業者が許容位置に保持しておく必要がない。よって、工数を抑制して、第２遊技盤部材の交換作業を簡素化できる。
【０７１１】
遊技機Ｅ５において、前記規制位置が前記許容位置よりも重力方向下方に設定されることを特徴とする遊技機Ｅ７。
【０７１２】
遊技機Ｅ７によれば、遊技機Ｅ５の奏する効果に加え、規制位置が許容位置よりも重力方向下方に設定されるので、第２部材をその自重（重力の作用）により規制位置に配置させることができる。即ち、第２遊技盤部材の交換（取り付け）が完了した際には、第２部材を作業者が規制位置へ変位させる必要がない。よって、第２部材が許容位置に配置されたままの状態とされる（即ち、規制位置へ戻し忘れる）ことを抑制できる。
【０７１３】
遊技機Ｅ５又はＥ６において、遊技球の通過を検出する検出センサを備えると共に、前記第２部材が前記検出センサに検出可能に形成される被検出部を備え、前記第２部材が前記許容位置に配置されると前記被検出部が前記検出センサに検出可能な位置に配置されることを特徴とする遊技機Ｅ８。
【０７１４】
遊技機Ｅ８によれば、遊技機Ｅ５，６の奏する効果に加え、第２部材が許容位置に配置されると被検出部が検出センサに検出可能な位置に配置されるので、検出センサによる検出状態（例えば、波形）を監視することで、第２部材が許容位置に配置されたままの状態である（即ち、規制位置へ戻し忘れている）ことを検出できる。即ち、球が通過する際に検出センサがオン（又はオフ）される時間は比較的短いものとされる一方、第２部材が許容位置に配置されたままとされた状態では検出センサがオン（又はオフ）される時間が継続されるため、検出センサが所定時間（閾値）を越えてオン（又はオフ）された場合には、第２部材が許容位置に配置されたままの状態と判断できる。
【０７１５】
遊技機Ｅ８において、前記第２部材が前記許容位置に配置された状態では、遊技球の通過が前記第２部材の被検出部により規制されることを特徴とする遊技機Ｅ９。
【０７１６】
遊技機Ｅ９によれば、遊技機Ｅ８の奏する効果に加え、第２部材が許容位置に配置された状態では、遊技球の通過が第２部材の被検出部により規制されるので、不適切な状態で遊技が行われることを抑制できる。例えば、不適切な状態とは、第２部材に入球口が形成されると共に、その入球口への遊技球の入球に影響を与える釘が第２遊技盤部材に植設され、第２部材が許容位置に配置されると、規制位置に配置されている場合よりも、第２部材の入球口が第２遊技盤部材の釘から離間され、その分、入球口へ遊技球が入球しやすくされる状態が例示される。よって、不正な手段により第２部材を許容位置に配置して、入球口へ遊技球を入球しやすくする不正が行われることを防止できる。
【０７１７】
遊技機Ｅ８又はＥ９において、前記被検出部が金属材料から形成され、前記第２部材が前記規制位置に配置された状態では、前記遊技球の通過する通路の内壁の一部が前記被検出部により形成されることを特徴とする遊技機Ｅ１０。
【０７１８】
遊技機Ｅ１０によれば、遊技機Ｅ８，９の奏する効果に加え、被検出部が金属材料から形成され、第２部材が規制位置に配置された状態では、遊技球の通過する通路の内壁の一部が被検出部により形成されるので、通路の耐久性の向上を図ることができる。
【０７１９】
なお、第１の通路とその第１の通路の下流側に屈曲して連設される第２の通路における第２の通路の一部（第１の通路から流下される遊技球が衝突される部位）が被検出部により形成されることが好ましい。破損が生じやすい部位を補強して、耐久性の向上を効果的に図ることができるからである。
【０７２０】
＜入賞口ユニット２０３００を一例とする発明の概念について＞
第１遊技盤部材と、その第１遊技盤部材に着脱自在に配設され前記第１遊技盤部材と共に遊技盤を形成する第２遊技盤部材とを備えた遊技機において、前記第１遊技盤部材に前記第２遊技盤部材を締結固定するねじ部材を備え、少なくとも前記ねじ部材が取り外されると、前記第２遊技盤部材を直接または間接に把持可能に形成されることを特徴とする遊技機Ｆ１。
【０７２１】
ここで、第１遊技盤部材と、その第１遊技盤部材に着脱自在に配設され第１遊技盤部材と共に遊技盤を形成する第２遊技盤部材とを備えた遊技機が知られている（例えば、特開２００３−３１０９０５号公報）。かかる遊技機によれば、第２遊技盤部材を第１遊技盤部材に対して着脱できるので、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材が第１遊技盤部材から取り外し難いという問題点があった。例えば、釘が植設された第２遊技盤部材では、作業者は、釘を把持することで、第２遊技盤部材を第１遊技盤部材から取り外すことができるところ、釘が折れている場合には、第２遊技盤部材に把持する部位がなくなるため、取り外しが困難となる。第２遊技盤部材と第１遊技盤部材との遊技面（正面）どうしが面一となる態様で、第２遊技盤部材が第１遊技盤部材に埋め込まれている場合には、かかる問題点が特に顕著となる。
【０７２２】
これに対し、遊技機Ａ１によれば、少なくともねじ部材が取り外されると、第２遊技盤部材を直接または間接に把持可能に形成されるので、第１遊技盤部材から第２遊技盤部材を取り外しやすくすることができる。
【０７２３】
遊技機Ｆ１において、前記第１遊技盤部材に配設される第２部材を備え、その第２部材に係合部が形成されると共にその第２部材の係合部が係合される被係合部が前記第２遊技盤部材に形成されることを特徴とする遊技機Ｆ２。
【０７２４】
遊技機Ｆ２によれば、遊技機Ｆ１の奏する効果に加え、第１遊技盤部材に配設される第２部材を備え、その第２部材に係合部が形成されると共にその第２部材の係合部が係合される被係合部が第２遊技盤部材に形成されるので、第２遊技盤部材を作業者が把持できない場合であっても（例えば、把持すべき部位が形成されていない又はその部位が破損されている場合など）、第２部材を取り外す際に、係合部と被係合部との係合を利用して、第２遊技盤部材も併せて取り外すことができる。
【０７２５】
なお、第２部材は、第２遊技盤部材の取り外し方向への移動を規制可能な位置に配設されることが好ましい。例えば、第２遊技盤部材を第１遊技盤部材に締結固定するねじ部材が不正に取り外されり遊技中の振動により緩んだ場合でも、第２遊技盤部材が第１遊技盤部材から脱落することを抑制できるからである。
【０７２６】
遊技機Ｆ２において、前記係合部または被係合部の一方は、弾性変形可能に形成される弾性片と、その弾性片から突出される爪部とを備えると共に、その爪部が前記係合部または被係合部の他方に係合可能に形成されることを特徴とする遊技機Ｆ３。
【０７２７】
遊技機Ｆ３によれば、遊技機Ｆ２の奏する効果に加え、係合部または被係合部の一方は、弾性変形可能に形成される弾性片と、その弾性片から突出される爪部とを備えると共に、その爪部が係合部または被係合部の他方に係合可能に形成されるので、第２遊技盤部材と第２部材とを第１遊技盤部材に別々に取り付けた場合でも、弾性片の弾性変形を利用して、係合部と被係合部とを係合させることができる。よって、第２遊技盤部材または第２部材を一体化した状態（即ち、係合部に被係合部を係合させた状態）で第１遊技盤部材に取り付ける必要がないので、第２遊技盤部材および第２部材を第１遊技盤部材に取り付ける際の作業性の向上を図ることができる。
【０７２８】
遊技機Ｆ３において、前記係合部または被係合部の他方は、前記弾性片が挿通される挿通部分の一部が開放して形成され、その開放して形成される部分を、前記挿通部分に挿通された前記弾性片が通過可能に形成されることを特徴とする遊技機Ｆ４。
【０７２９】
遊技機Ｆ４によれば、遊技機Ｆ３の奏する効果に加え、係合部または被係合部の他方は、弾性片が挿通される挿通部分の一部が開放して形成され、その開放して形成される部分を、挿通部分に挿通された弾性片が通過可能に形成されるので、第１遊技盤部材から一体（即ち、係合部と被係合部が係合された状態）で取り外された第２遊技盤部材および第２部材を分解する作業を容易に行うことができる。
【０７３０】
遊技機Ｆ１において、弾性変形可能に形成され前記第１遊技盤部材と前記第２遊技盤部材との間に弾性変形された状態で介設される弾性部材を備えることを特徴とする遊技機Ｆ５。
【０７３１】
遊技機Ｆ５によれば、遊技機Ｆ１の奏する効果に加え、弾性変形可能に形成され第１遊技盤部材と第２遊技盤部材との間に弾性変形された状態で介設される弾性部材を備えるので、弾性部材の弾性回復力を利用して、第１遊技盤部材から第２遊技盤部材を突出させ、両者の間に段差を形成することができる。よって、作業者が段差を直接または間接に把持できることで、第１遊技盤部材から第２遊技盤部材を取り外しやすくすることができる。
【０７３２】
遊技機Ｆ５において、前記弾性部材が前記第２遊技盤部材の一側に偏倚して配設されることを特徴とする遊技機Ｆ６。
【０７３３】
遊技機Ｆ６によれば、遊技機Ｆ５の奏する効果に加え、弾性部材が第２遊技盤部材の一側に偏倚して配設されるので、弾性部材の弾性回復力を利用して、第１遊技盤部材から第２遊技盤部材を突出させる際には、第２遊技盤部材をその他側を支点として回転させる態様とできる。よって、両者の間の段差（第２遊技盤部材の一側の突出量）をより大きくすることができる。その結果、作業者が段差を直接または間接に把持しやすくでき、第１遊技盤部材から第２遊技盤部材を取り外しやすくすることができる。
【０７３４】
遊技機Ｆ１において、前記第１遊技盤部材に配設される第２部材を備えると共に、前記第２遊技盤部材から前記第２部材へ向けて突出部が形成されると共に、その突出部を受け入れる受入部が前記第２部材に凹設されることを特徴とする遊技機Ｆ７。
【０７３５】
遊技機Ｆ７によれば、遊技機Ｆ１の奏する効果に加え、第１遊技盤部材に配設される第２部材を備えると共に、第２遊技盤部材から第２部材へ向けて突出部が形成されると共に、その突出部を受け入れる受入部が第２部材に凹設されるので、遊技状態では突出部を第２部材により遊技者から隠して、外観の向上を図りつつ、第２部材を取り外した状態では、作業者が突出部を把持可能として、第１遊技盤部材から第２遊技盤部材を取り外しやすくすることができる。
【０７３６】
遊技機Ｆ７において、遊技球が通過可能な通路が前記第２遊技盤部材および第２部材に形成され、前記受入部が前記通路により形成されると共に、前記通路における転動面が前記突出部により形成されることを特徴とする遊技機Ｆ８。
【０７３７】
遊技機Ｆ８によれば、遊技機Ｆ７の奏する効果に加え、遊技球が通過可能な通路が第２遊技盤部材および第２部材に形成され、受入部が通路により形成されると共に、通路における転動面が突出部により形成されるので、受入部および突出部を別途設ける必要がなく、通路を形成するための部位として兼用することができるので、その分、製品コストを低減することができる。
【０７３８】
遊技機Ｆ１において、前記第２遊技盤部材に出没可能に配設される出没部材と、その出没部材を突出方向へ付勢する付勢手段と、前記第１遊技盤部材に配設される第２部材とを備え、前記第２部材が前記第２遊技盤部材の出没部材を没入させる位置に配設されることを特徴とする遊技機Ｆ９。
【０７３９】
遊技機Ｆ９によれば、遊技機Ｆ１の奏する効果に加え、第２遊技盤部材に出没可能に配設される出没部材と、その出没部材を突出方向へ付勢する付勢手段と、第１遊技盤部材に配設される第２部材とを備え、第２部材が第２遊技盤部材の出没部材を没入させる位置に配設されるので、遊技状態では出没部材を第２部材により遊技者から隠して、外観の向上を図りつつ、第２部材を取り外した状態では、作業者が出没部材を把持可能として、第１遊技盤部材から第２遊技盤部材を取り外しやすくすることができる。
【０７４０】
遊技機Ｆ９において、前記第２部材は前記第１遊技盤部材に締結固定されるものであり、前記第２部材の前記第１遊技盤部材への締結方向が、前記出没部材の出没方向と平行な方向に設定されることを特徴とする遊技機Ｆ１０。
【０７４１】
遊技機Ｆ１０によれば、遊技機Ｆ９の奏する効果に加え、第２部材の第１遊技盤部材への締結方向が、出没部材の出没方向と平行な方向に設定されるので、第２部材を第１遊技盤部材へ締結固定しつつ出没部材を没入させることができる。即ち、出没部材を没入させる作業工程と、第２部材を第１遊技盤部材へ締結固定する作業工程とを別々に行う必要がないので、工数を削減でき、その分、第２遊技盤部材および第２部材を第１遊技盤部材へ取り付ける作業の作業性の向上を図ることができる。
【０７４２】
遊技機Ｆ１において、前記第２遊技盤部材には、遊技球が通過可能に形成される通路が形成されると共に、その通路の内壁に前記第１遊技盤部材の背面側に段差面を向けた段差が形成されることを特徴とする遊技機Ｆ１１。
【０７４３】
遊技機Ｆ１１によれば、遊技機Ｆ１の奏する効果に加え、第２遊技盤部材には、遊技球が通過可能に形成される通路が形成されると共に、その通路の内壁に第１遊技盤部材の背面側に段差面を向けた段差が形成されるので、段差面を利用して、第２遊技盤部材を第１遊技盤部材から引き抜くことができる。即ち、第２遊技盤部材の背面に到達するまで指を通路内へ挿通させて、第２遊技盤部材の背面で指を係止させる必要がなく、比較的浅い位置の段差面で指を係止させることができるので、第２遊技盤部材を第１遊技盤部材から取り外しやすくできる。
【０７４４】
遊技機Ｆ１１において、前記通路の前記段差面が形成される内壁と反対側に位置する前記第２遊技盤部材の外側面が、前記第２遊技盤部材の背面へ向かうに従って前記第２遊技盤部材の外形を小さくする方向へ傾斜されることを特徴とする遊技機Ｆ１２。
【０７４５】
遊技機Ｆ１２によれば、遊技機Ｆ１１の奏する効果に加え、通路の前記段差面が形成される内壁と反対側に位置する第２遊技盤部材の外側面が、第２遊技盤部材の背面へ向かうに従って第２遊技盤部材の外形を小さくする方向へ傾斜されるので、段差面を利用して、第２遊技盤部材を第１遊技盤部材から引き抜く際に、通路の段差面が形成される内壁側に位置する第２遊技盤部材の外側面を支点として、第２遊技盤部材を回転させる態様を形成できる。よって、第１遊技盤部材から第２遊技盤部材を取り外し（引き抜き）やすくすることができる。
【０７４６】
＜入賞口ユニット２５３００を一例とする発明の概念について＞
第１遊技盤部材と、その第１遊技盤部材に着脱自在に配設され前記第１遊技盤部材と共に遊技盤を形成する第２遊技盤部材とを備え、前記第２遊技盤部材に釘が植設された遊技機において、前記植設の方向から押圧された前記第２遊技盤部材を支持可能または前記植設の方向から押圧された力を前記第１遊技盤部材の板厚に直交する方向へ分散可能に形成されることを特徴とする遊技機Ｇ１。
【０７４７】
ここで、第１遊技盤部材と、その第１遊技盤部材に着脱自在に配設され第１遊技盤部材と共に遊技盤を形成する第２遊技盤部材とを備え、第２遊技盤部材に釘が植設された遊技機が知られている（例えば、特開２００３−３１０９０５号公報）。かかる遊技機によれば、第２遊技盤部材を第１遊技盤部材に対して着脱できるので、例えば、第２遊技盤部材の釘が折れた場合には、第２遊技盤部材のみを交換して、遊技盤全体としての交換を不要とすることができる。しかしながら、上述した従来の遊技機では、釘を植設する作業性が悪いという問題点があった。即ち、第１遊技盤部材に釘を植設する工程とは別に第２遊技盤部材に釘を植設する工程が必要となるため、その分、工数が嵩む。更に、第２遊技盤部材が比較的小さいため、かかる第２遊技盤部材に所定の公差内で釘を植設するためには、第２遊技盤部材の保持精度を高めると共に植設動作の速度を低く（遅く）することが必要となり、その分、比較的大きな遊技盤への釘の植設の場合と比較して、工数が嵩む。
【０７４８】
これに対し、遊技機Ｇ１によれば、植設の方向（釘を植設する方向）から押圧された第２遊技盤部材を支持可能または植設の方向（釘を植設する方向）から押圧された力を第１遊技盤部材の板厚に直交する方向へ分散可能に形成されるので、第１遊技盤部材に第２遊技盤部材を配設した状態で、かかる第２遊技盤部材に釘を植設できる。よって、第２遊技盤部材に釘を植設する作業性の向上を図ることができる。
【０７４９】
遊技機Ｇ１において、少なくとも一対のねじ部材と、それら一対のねじ部材がそれぞれ螺合されるめねじが少なくとも２カ所に形成されると共に前記第１遊技盤部材および第２遊技盤部材よりも剛性が高い材料からなる被締結部材とを備え、前記第１遊技盤部材の挿通孔に前記植設の方向から挿通され前記第２遊技盤部材の挿通孔を通過して前記第２遊技盤部材の背面側に突出された前記ねじ部材が前記被締結部材のめねじに螺合される、又は、前記第２遊技盤部材の挿通孔に前記植設の方向から挿通され前記第１遊技盤部材の挿通孔を通過して前記第１遊技盤部材の背面側に突出された前記ねじ部材が前記被締結部材のめねじに螺合されることを特徴とする遊技機Ｇ２。
【０７５０】
遊技機Ｇ２によれば、遊技機Ｇ１の奏する効果に加え、少なくとも一対のねじ部材と、それら一対のねじ部材がそれぞれ螺合されるめねじが少なくとも２カ所に形成されると共に第１遊技盤部材および第２遊技盤部材よりも剛性が高い材料からなる被締結部材とを備え、第１遊技盤部材の挿通孔に植設の方向（釘を植設する方向）から挿通され第２遊技盤部材の挿通孔を通過して第２遊技盤部材の背面側に突出されたねじ部材が被締結部材のめねじに螺合される、又は、第２遊技盤部材の挿通孔に植設の方向（釘を植設する方向）から挿通され第１遊技盤部材の挿通孔を通過して第１遊技盤部材の背面側に突出されたねじ部材が被締結部材のめねじに螺合されるので、第１遊技盤部材に第２遊技盤部材が配設（締結固定）された状態において、第２遊技盤部材を背面側から被締結部材によって支持することができる。第２遊技盤部材のに釘を植設する際に、第２遊技盤部材に割れなどの損傷が生じることを抑制できる。
【０７５１】
なお、被締結部材は、金属材料からなることが好ましい。また、第２遊技盤部材への釘の植設位置は、前記一対のねじ部材の間の領域とされることが好ましい。これらにより、被締結部材の剛性を高めると共に、その被締結部材による第２遊技盤部材の支持効率を高めることができ、第２遊技盤部材の割れなどの損傷を抑制しやすくなるからである。
【０７５２】
遊技機Ｇ２において、前記第１遊技盤部材の挿通孔に前記植設の方向から挿通され前記第２遊技盤部材の挿通孔を通過して前記第２遊技盤部材の背面側に突出された前記ねじ部材が前記被締結部材のめねじに螺合される場合には、前記被締結部材の大きさが、前記第２遊技盤部材の背面のみに当接され、前記第１遊技盤部材の背面には非当接となる大きさに設定されることを特徴とする遊技機Ｇ３。
【０７５３】
遊技機Ｇ３によれば、遊技機Ｇ２の奏する効果に加え、第１遊技盤部材の挿通孔に植設の方向（釘を植設する方向）から挿通され第２遊技盤部材の挿通孔を通過して第２遊技盤部材の背面側に突出されたねじ部材が被締結部材のめねじに螺合される場合には、被締結部材の大きさが、第２遊技盤部材の背面のみに当接され、第１遊技盤部材の背面には非当接となる大きさに設定されるので、被締結部材が第１遊技盤部材の背面に乗り上げることを抑制できる。よって、被締結部材を第２遊技盤部材の背面に密着させやすくして、被締結部材による第２遊技盤部材の支持剛性を高めることができる。その結果、第２遊技盤部材に釘を植設する際に、第２遊技盤部材に割れなどの損傷が生じることを抑制できる。
【０７５４】
遊技機Ｇ２又はＧ３において、前記被締結部材は、前記２カ所のめねじの間を直線状に連結する形状に形成され、前記第２遊技盤部材には２本の釘が植設されると共に、それら２本の釘を結ぶ仮想線の延長線上には前記挿通孔が形成とされることを特徴とする遊技機Ｇ４。
【０７５５】
遊技機Ｇ４によれば、遊技機Ｇ２又はＧ３の奏する効果に加え、被締結部材は、２カ所のめねじの間を直線状に連結する形状に形成され、第２遊技盤部材には２本の釘が植設されると共に、それら２本の釘を結ぶ仮想線の延長線上には挿通孔が形成とされるので、釘の植設方向の延長線上に被締結部材を位置させることができる。よって、被締結部材の面積を抑制しつつ、第２遊技盤部材の支持剛性を効果的に高めることができるので、製品コストを抑制しつつ、第２遊技盤部材に釘を植設する際に第２遊技盤部材に割れなどの損傷が生じることを抑制できる。
【０７５６】
遊技機Ｇ２からＧ４のいずれかにおいて、前記被締結部材の前記第２遊技盤部材または第１遊技盤部材の背面に対面される側の面であって、前記２カ所のめねじの間の領域における面が、前記第２遊技盤部材または第１遊技盤部材の背面へ向けて凸の円弧状に湾曲されることを特徴とする遊技機Ｇ５。
【０７５７】
遊技機Ｇ５によれば、遊技機Ｇ２からＧ４のいずれかの奏する効果に加え、被締結部材の第２遊技盤部材または第１遊技盤部材の背面に対面される側の面であって、２カ所のめねじの間の領域における面が、第２遊技盤部材または第１遊技盤部材の背面へ向けて凸の円弧状に湾曲されるので、２カ所のめねじへのねじ部材の螺合に伴って被締結部材が第２遊技盤部材または第１遊技盤部材へ押し付けられることで、かかる被締結部材を第２遊技盤部材の背面に密着させやすくできる。よって、被締結部材による第２遊技盤部材の支持剛性を高めることができる。その結果、第２遊技盤部材に釘を植設する際に、第２遊技盤部材に割れなどの損傷が生じることを抑制できる。
【０７５８】
遊技機Ｇ１において、前記第２遊技盤部材の前記釘が植設される面と反対側に形成される被支持面を前記第１遊技盤部材の座面が支持するように形成され、前記第１遊技盤部材の座面が前記第２遊技盤部材から離間するに従って面間隔が狭くなるテーパー面または前記面間隔が広くなる逆テーパー面として形成されると共に、前記第２遊技盤部材の被支持面が前記第１遊技盤部材の座面に対応して形成されることを特徴とする遊技機Ｇ６。
【０７５９】
遊技機Ｇ６によれば、遊技機Ｇ１の奏する効果に加え、第２遊技盤部材の釘が植設される面と反対側に形成される被支持面を第１遊技盤部材の座面が支持するように形成され、第１遊技盤部材の座面が第２遊技盤部材から離間するに従って面間隔が狭くなるテーパー面または面間隔が広くなる逆テーパー面として形成されると共に、第２遊技盤部材の被支持面が第１遊技盤部材の座面に対応して形成されるので、第２遊技盤部材に釘が植設される際の押圧力を、支持面および座面の傾斜（テーパー角）を利用して、第１遊技盤部材の板厚方向と板厚に直交する方向とに分散させることができる。その結果、第１遊技盤部材の負担を軽減して、第１遊技盤部材に割れなどの損傷が生じることを抑制できる。
【０７６０】
遊技機Ｇ６において、ねじ部材を備え、そのねじ部材が挿通される挿通孔が前記第２遊技盤部材の被支持面に形成されると共に、前記第２遊技盤部材の挿通孔に挿通された前記ねじ部材が螺合されるめねじが前記第１遊技盤部材の座面に形成されることを特徴とする遊技機Ｇ７。
【０７６１】
遊技機Ｇ７によれば、遊技機Ｇ６の奏する効果に加え、ねじ部材が挿通される挿通孔が第２遊技盤部材の被支持面に形成されると共に、第２遊技盤部材の挿通孔に挿通されたねじ部材が螺合されるめねじが第１遊技盤部材の座面に形成されるので、第２遊技盤部材と第１遊技盤部材との間に隙間が形成されることを抑制できる。よって、ねじ部材の軸力を確保できるので、第１遊技盤部材へ第２遊技盤部材を強固に締結固定できる。
【０７６２】
遊技機Ｇ６又はＧ７において、前記釘の植設方向の延長線上に前記座面および被支持面が位置されることを特徴とする遊技機Ｇ８。
【０７６３】
遊技機Ｇ８によれば、遊技機Ｇ６又はＧ７の奏する効果に加え、釘の植設方向の延長線上に座面および被支持面が位置されるので、釘の植設に伴う押圧力を座面および被支持面へ直接作用させることができる。これにより、第２遊技盤部材の曲げ変形を抑制して、割れなどの破損が生じることを抑制できる。
【０７６４】
遊技機Ａ１からＡ１１，Ｂ１からＢ１０，Ｃ１からＣ１２，Ｄ１からＤ１１，Ｅ１からＥ１０，Ｆ１からＦ１２及びＧ１からＧ８のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０７６５】
遊技機Ａ１からＡ１１，Ｂ１からＢ１０，Ｃ１からＣ１２，Ｄ１からＤ１１，Ｅ１からＥ１０，Ｆ１からＦ１２及びＧ１からＧ８のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０７６６】
遊技機Ａ１からＡ１１，Ｂ１からＢ１０，Ｃ１からＣ１２，Ｄ１からＤ１１，Ｅ１からＥ１０，Ｆ１からＦ１２及びＧ１からＧ８のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０７６７】
１０                          パチンコ機（遊技機）
１３                          遊技盤
１６                          ガラスユニット（ガラス板）
６０                          ベース板（第１遊技部材）
８１                          第３図柄表示装置（液晶表示装置）
８６                          センターフレーム（窓部）
２０６０ｄ１                  円環突起の内周（めねじ）
２０６０ｃ，１８０６０ｃ      凹設部（開口）
２３１３                      貫通孔（挿通孔）
２４００，３４００，４４００，５４００，６４００，７４００，８４００，９４００，１０４００，１１４００，１２４００，１３４００，１４４００，１５４００，１６４００，１７４００，１８４００，２０４００，２２４００，２３４００，２４４００，２５４００，２６４００          第１入賞部材（第２遊技部材）
２５００，３５００，４５００，９５００，１９５００，２０５００，２２５００            第２入賞部材（第２部材）
３０６０ｄ２                  傾斜面（座面）
３０６０ｄ６                  面取部（傾斜面）
３４２０                      膨出部（張出部）
５６００                      回転部材（非締結部材）
５０６０ｄ３                  挿通孔
６０６０ｄ４，８０６０ｄ４，１８０６０ｄ４  締結孔（めねじ）
７０６０ｅ                    貫通孔（挿通孔）
７０６０ｄ                    窪み部（凹部）
７０６０ｋ                    遊技盤張出部
７４１４                      円環突起の内周（めねじ）
７４３７                      本体側張出部（突部、構成部材張出部、当接部）
８０６０ｇ                    突出部（突片）
８４１５                      締結孔（めねじ）
８４２１                      溝部（凹溝）
１０４２２                    突設部（厚肉部）
１００６０ｈ                  切欠き部（受入部）
１１４１８                    挿通孔
１２４１９                    円環部（胴部）
１４８１２                    突設部（係合部）
１４４２３                    凹設部（係合凹部）
１５４３１                    鉤状部（弾性手段）
１９３４３                    金属体（非検出部）
２０５１３                    係合部
２０４３２                    凹部（非係合部）
２１５１０                    弾性部材
２２３２１ａ                  溝部（受入部）
２２４３３                    突出部
２３４５０                    保持部材（出没部材）
２４４３４ａ                  突壁（段差）
２５４７０                    締結部材（非締結部材）
２６４２４                    当接面（非支持面）
２６０６０ｃ１                傾斜面（座面）
ＹＫ                          遊技釘（釘）
Ｎ２                          皿ネジ（ネジ部材）
Ｎ３                          ネジ（ネジ部材）
Ｎ４                          ネジ（ネジ部材）
ＳＰ                          コイルスプリング（付勢手段）
ＧＣ                          ゴムカラー（弾性部材）
ＳＥ                          センサ装置（検出センサ）
【図１】
2020073086.tif 000003
【図２】
2020073086.tif 000004
【図３】
2020073086.tif 000005
【図４】
2020073086.tif 000006
【図５】
2020073086.tif 000007
【図６】
2020073086.tif 000008
【図７】
2020073086.tif 000009
【図８】
2020073086.tif 000010
【図９】
2020073086.tif 000011
【図１０】
2020073086.tif 000012
【図１１】
2020073086.tif 000013
【図１２】
2020073086.tif 000014
【図１３】
2020073086.tif 000015
【図１４】
2020073086.tif 000016
【図１５】
2020073086.tif 000017
【図１６】
2020073086.tif 000018
【図１７】
2020073086.tif 000019
【図１８】
2020073086.tif 000020
【図１９】
2020073086.tif 000021
【図２０】
2020073086.tif 000022
【図２１】
2020073086.tif 000023
【図２２】
2020073086.tif 000024
【図２３】
2020073086.tif 000025
【図２４】
2020073086.tif 000026
【図２５】
2020073086.tif 000027
【図２６】
2020073086.tif 000028
【図２７】
2020073086.tif 000029
【図２８】
2020073086.tif 000030
【図２９】
2020073086.tif 000031
【図３０】
2020073086.tif 000032
【図３１】
2020073086.tif 000033
【図３２】
2020073086.tif 000034
【図３３】
2020073086.tif 000035
【図３４】
2020073086.tif 000036
【図３５】
2020073086.tif 000037
【図３６】
2020073086.tif 000038
【図３７】
2020073086.tif 000039
【図３８】
2020073086.tif 000040
【図３９】
2020073086.tif 000041
【図４０】
2020073086.tif 000042
【図４１】
2020073086.tif 000043
【図４２】
2020073086.tif 000044
【図４３】
2020073086.tif 000045
【図４４】
2020073086.tif 000046
【図４５】
2020073086.tif 000047
【図４６】
2020073086.tif 000048
【図４７】
2020073086.tif 000049
【図４８】
2020073086.tif 000050
【図４９】
2020073086.tif 000051
【図５０】
2020073086.tif 000052
【図５１】
2020073086.tif 000053
【図５２】
2020073086.tif 000054
【図５３】
2020073086.tif 000055
【図５４】
2020073086.tif 000056
【図５５】
2020073086.tif 000057
【図５６】
2020073086.tif 000058
【図５７】
2020073086.tif 000059
【図５８】
2020073086.tif 000060
【図５９】
2020073086.tif 000061
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
第１部材と、その第１部材に着脱可能に配設される第２部材とを備え、前記第１部材と前記第２部材との前面に遊技盤の遊技領域を形成する遊技機において、
前記第２部材の一部に正面視において少なくとも一部が重なる状態で前記第１部材に配設される第３部材を備え、
前記第１部材、前記第２部材および前記第３部材は、前記第３部材が最も正面側に配設され、
前記第３部材が少なくとも前記第１部材に配設された状態で前記第２部材が取り外し可能に形成されることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、第１部材と、その第１部材に着脱可能に配設される第２部材とを備え、第１部材と第２部材との前面に遊技盤の遊技領域を形成する遊技機が知られている（特許文献１）。
【先行技術文献】
【特許文献】
【０００３】
【特許文献１】特開２００３−３１０９０５号公報
【発明の概要】
【発明が解決しようとする課題】
【０００４】
しかしながら、上述した遊技機では、第２部材の交換作業が煩雑になるという問題点があった。
【０００５】
本発明は、上記例示した問題点を解決するためになされたものであり、第２部材の交換作業を簡素化できる遊技機を提供することを目的とする。
【課題を解決するための手段】
【０００６】
この目的を達成するために請求項１記載の遊技機は、第１部材と、その第１部材に着脱可能に配設される第２部材とを備え、前記第１部材と前記第２部材との前面に遊技盤の遊技領域を形成するものであり、前記第２部材の一部に正面視において少なくとも一部が重なる状態で前記第１部材に配設される第３部材を備え、前記第１部材、前記第２部材および前記第３部材は、前記第３部材が最も正面側に配設され、前記第３部材が少なくとも前記第１部材に配設された状態で前記第２部材が取り外し可能に形成される。
【０００７】
【０００８】
【発明の効果】
【０００９】
請求項１記載の遊技機によれば、第２部材の交換作業を簡素化できる。
【００１０】
【００１１】
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤の分解斜視正面図である。
【図６】（ａ）は、入賞口ユニットの正面図であり、（ｂ）は、入賞口ユニットの背面図である。
【図７】（ａ）は、入賞口ユニットの側面図であり、（ｂ）は、図６（ａ）のＶＩＩｂ−ＶＩＩｂ線における入賞口ユニットの断面図である。
【図８】（ａ）は、入賞口ユニットの斜視正面図であり、（ｂ）は、入賞口ユニットの斜視背面図である。
【図９】第２実施形態におけるパチンコ機の正面図である。
【図１０】パチンコ機の分解斜視正面図である。
【図１１】（ａ）は、入賞口ユニットの正面図であり、（ｂ）は、図１１（ａ）のＸＩｂ−ＸＩｂ線における入賞口ユニットの断面図であり、（ｃ）は、図１１（ａ）のＸＩｃ−ＸＩｃ線における入賞口ユニットの断面図である。
【図１２】入賞口ユニットの分解斜視正面図である。
【図１３】入賞口ユニットの分解斜視背面図である。
【図１４】（ａ）は、遊技盤の正面図であり、（ｂ）は、図１４（ａ）のＸＩＶｂ−ＸＩＶｂ線における遊技盤の断面図であり、（ｃ）は、図１４（ａ）のＸＩＶｃ−ＸＩＶｃ線における遊技盤の断面図である。
【図１５】（ａ）は、遊技盤の正面図であり、（ｂ）は、図１５（ａ）のＸＶｂ−ＸＶｂ線における遊技盤の断面図であり、（ｃ）は、図１５（ａ）のＸＶｃ−ＸＶｃ線における遊技盤の断面図である。
【図１６】（ａ）は、第３実施形態における遊技盤の正面図であり、（ｂ）は、図１６（ａ）のＸＶＩｂ−ＸＶＩｂ線における遊技盤の断面図である。
【図１７】遊技盤の斜視正面図である。
【図１８】遊技盤の分解斜視正面図である。
【図１９】（ａ）は、第４実施形態における遊技盤の正面図であり、（ｂ）は、図１９（ａ）のＸＩＸｂ−ＸＩＸｂ線における遊技盤の断面図である。
【図２０】遊技盤の分解斜視正面図である。
【図２１】（ａ）は、第５実施形態における遊技盤の正面図であり、（ｂ）は、図２１（ａ）のＸＸＩｂ−ＸＸＩｂ線における遊技盤の断面図である。
【図２２】遊技盤の分解斜視正面図である。
【図２３】（ａ）は、第６実施形態における遊技盤の正面図であり、（ｂ）は、図２３（ａ）のＸＸＩＩＩｂ−ＸＸＩＩＩｂ線における遊技盤の断面図である。
【図２４】遊技盤の分解斜視正面図である。
【図２５】（ａ）は、第７実施形態における遊技盤の正面図であり、（ｂ）は、図２５（ａ）のＸＸＶｂ−ＸＸＶｂ線における遊技盤の断面図である。
【図２６】遊技盤の分解斜視正面図である。
【図２７】（ａ）は、第８実施形態における遊技盤の断面図である。（ｂ）は、第９実施形態における遊技盤の断面図である。
【図２８】第１０実施形態における第１入賞部材の背面斜視図であり、（ｂ）は、第１入賞部材およびベース板の分解斜視正面図である。
【図２９】（ａ）は、遊技盤の正面図であり、（ｂ）は、図２９（ａ）のＸＸＩＸｂ−ＸＸＩＸｂ線における遊技盤の断面図である。
【図３０】（ａ）は、第１１実施形態における第１入賞部材およびベース板の分解斜視正面図であり、（ｂ）は、第１入賞部材およびベース板の断面図である。
【図３１】（ａ）は、第１２実施形態における第１入賞部材の分解斜視正面図であり、（ｂ）は、図３１（ａ）の第１入賞部材の分解上面図である。
【図３２】（ａ）は、第１入賞部材の上面図であり、（ｂ）は、図３２（ａ）の範囲ＸＸＸＩＩｂにおける第１入賞部材の部分拡大上面図である。
【図３３】（ａ）は、第１３実施形態における遊技盤の断面図であり、（ｂ）は、図３３（ａ）のＸＸＸＩＩＩｂ−ＸＸＸＩＩＩｂ線における遊技盤の断面図である。
【図３４】遊技盤の分解斜視正面図である。
【図３５】第１４実施形態における遊技盤及び通路形成部材の分解斜視正面図である。
【図３６】（ａ）及び（ｂ）は、遊技盤および通路形成部材の断面図である。
【図３７】（ａ）は、第１５実施形態における第１入賞部材の斜視正面図であり、（ｂ）は、遊技盤の断面図である。
【図３８】（ａ）及び（ｂ）は、第１６実施形態における遊技盤および前面枠の断面図である。
【図３９】第１７実施形態における遊技盤の分解斜視正面図である。
【図４０】（ａ）は、遊技盤の正面図であり、（ｂ）は、図４０（ａ）のＸＬｂ−ＸＬｂ線における遊技盤の断面図である。
【図４１】（ａ）は、第１８実施形態における遊技盤の正面図であり、（ｂ）は、図４１（ａ）のＸＬＩｂ−ＸＬＩｂ線における遊技盤の断面図である。
【図４２】遊技盤の分解斜視正面図である。
【図４３】（ａ）から（ｃ）は、遊技盤の断面図である。
【図４４】第１９実施形態における遊技盤の分解斜視正面図である。
【図４５】（ａ）は、遊技盤の正面図であり、（ｂ）は、図４５（ａ）のＸＬＶｂ−ＸＬＶｂ線における遊技盤の断面図である。
【図４６】（ａ）は、遊技盤の正面図であり、（ｂ）は、図４６（ａ）のＸＬＶＩｂ−ＸＬＶＩｂ線における遊技盤の断面図である。
【図４７】（ａ）は、第２０実施形態における遊技盤の正面図であり、（ｂ）は、図４７（ａ）のＸＬＶＩＩｂ−ＸＬＶＩＩｂ線における遊技盤の断面図である。
【図４８】遊技盤の分解斜視正面図である。
【図４９】（ａ）は、第２１実施形態における遊技盤の正面図であり、（ｂ）は、図４９（ａ）のＸＬＩＸｂ−ＸＬＩＸｂ線における遊技盤の断面図である。
【図５０】（ａ）及び（ｂ）は、図４９（ａ）のＬｂ−Ｌｂ線における遊技盤の断面図である。
【図５１】（ａ）は、第２２実施形態における入賞口ユニットの分解斜視図であり、（ｂ）は、遊技盤の正面図である。
【図５２】（ａ）は、図５１（ｂ）のＬＩＩａ−ＬＩＩａ線における遊技盤の断面図であり、（ｂ）は、図５２（ａ）のＬＩＩｂ−ＬＩＩｂ線における遊技盤の断面図である。
【図５３】（ａ）は、第２３実施形態における第１入賞部材の斜視正面図であり、図５３（ｂ）は、遊技盤の正面図である。
【図５４】（ａ）及び（ｂ）は、図５３（ａ）のＬＩＶａ−ＬＩＶａ線における遊技盤の断面図である。
【図５５】第２４実施形態における第１入賞部材について説明する。
【図５６】第２５実施形態における第１入賞部材のベース板への締結方向について説明する。
【図５７】（ａ）は、遊技盤の正面図であり、（ｂ）及び（ｃ）は、図５７（ａ）のＬＶＩＩ−ＬＶＩＩ線における遊技盤の断面図である。
【図５８】第２６実施形態における遊技盤の分解斜視正面図である。
【図５９】（ａ）及び（ｂ）は、遊技盤の断面図である。
【発明を実施するための形態】
【００１３】
以下、本発明の実施形態について、添付図面を参照して説明する。まず、図１から図８を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１５】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００１７】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【００１８】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２１】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その左側に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、正面方向に付勢されており、その付勢に抗して背面方向へスライドさせることにより、下皿５０の底面に形成された底面口が開口して、その底面口から球が自然落下して排出される。この球抜きレバー５４ｂの操作は、通常、下皿５０の下方に下皿５０から排出された球を受け取る箱（一般に「千両箱」と称される）を置いた状態で行われる。
【００２５】
図２に示すように、遊技盤１３は、正面視略正方形状に切削加工したベース板６０に、球案内用の多数の釘（図示せず）や風車の他、レール６１，６２、一般入賞口６３、第１入賞口６４、第２入賞口６４０、可変入賞装置６５、スルーゲート６７、可変表示装置ユニット８０等を組み付けて構成され、その周縁部が内枠１２（図１参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入賞口６４、第２入賞口６４０、可変入賞装置６５、可変表示装置ユニット８０は、ルータ加工によってベース板６０に形成された貫通穴に配設され、遊技盤１３の前面側からタッピングネジ等により固定されている。
【００２６】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００２７】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２とレール間を繋ぐ樹脂製の外縁部材７３とにより区画して形成される領域（入賞口等が配設され、発射された球が流下する領域）である。
【００２８】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３０】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３１】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３５】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。
【００３７】
また、可変表示装置ユニット８０には、第３図柄表示装置８１の外周を囲むようにして、センターフレーム８６が配設されている。このセンターフレーム８６の中央に開口される開口部から第３図柄表示装置８１が視認可能とされる。
【００３８】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３９】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４０】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４２】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４３】
スルーゲート６７は、可変表示装置ユニット８０の下側の領域における右方において遊技盤に組み付けられ、遊技盤に発射された球のうち、遊技盤の右方を流下する球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４５】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可変表示装置ユニット８０の右方に限定されるものではなく、例えば、可変表示装置ユニット８０の左方でも良い。また、第１図柄表示装置３７Ａ，３７Ｂにより保留球数が示されるので、第２図柄保留ランプにより点灯表示を行わないものとしてもよい。
【００４６】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４７】
一方、第１入賞口６４の正面視右方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４８】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００４９】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００５０】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（引込み状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００５１】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【００５２】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５３】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００５４】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５５】
第１入賞口６４の右側には可変入賞装置６５が配設されており、その略中央部分に横長矩形状の特定入賞口（大開放口）６５ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５６】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５７】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００５８】
第１入賞口６４の左上には第２可変入賞装置８２ａが配設され、その近傍に第２特定入賞口８２が設けられている。通常は第２可変入賞装置８２ａが閉鎖状態（縮小状態）となって、球が第２特定入賞口８２へと入賞できないようになっている。一方、特定の大当たり（例えば、１５Ｒ確変大当たり）の際に第２可変入賞装置が開放する（拡大状態となる）ことで、球が第２特定入賞口８２に入賞しやすい特別遊技状態とすることができる。
【００５９】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の上方右側に限らず、例えば、可変表示装置ユニット８０の左方でも良い。
【００６０】
遊技盤１３の下側における右隅部には、証紙や識別ラベル等を貼着するための貼着スペースＫ１が設けられ、貼着スペースＫ１に貼られた証紙等は、前面枠１４の小窓３５（図１参照）を通じて視認することができる。
【００６１】
遊技盤１３には、第１アウト口７１が設けられている。遊技領域を流下する球であって、いずれの入賞口６３，６４，６５ａ，６４０，にも入賞しなかった球は、第１アウト口７１を通って図示しない球排出路へと案内される。第１アウト口７１は、第１入賞口６４の下方に配設される。
【００６２】
遊技盤１３には、球の落下方向を適宜分散、調整等するために多数の釘が植設されているとともに、風車等の各種部材（役物）とが配設されている。
【００６３】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６４】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６５】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６６】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６７】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６８】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００６９】
次に、図４を参照して、本パチンコ機１０の電気的構成について説明する。図４は、パチンコ機１０の電気的構成を示すブロック図である。
【００７０】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００７１】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７２】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７３】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７４】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７５】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７６】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７７】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７８】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７９】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８０】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８１】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。
【００８２】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８３】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８４】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８５】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８６】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８７】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８８】
次いで、図５から図８を参照して、第１入賞口６４が形成される入賞口ユニット３００について詳しく説明する。
【００８９】
初めに、図５から図８を参照して、入賞口ユニット３００の構成について説明する。図５は、遊技盤１３の分解斜視正面図である。図６（ａ）は、入賞口ユニット３００の正面図であり、図６（ｂ）は、入賞口ユニット３００の背面図である。図７（ａ）は、入賞口ユニット３００の側面図であり、図７（ｂ）は、図６（ａ）のＶＩＩｂ−ＶＩＩｂ線における入賞口ユニット３００の断面図である。図８（ａ）は、入賞口ユニット３００の斜視正面図であり、図８（ｂ）は、入賞口ユニット３００の斜視背面図である。なお、図５では、遊技盤１３からセンターフレーム８６及び入賞口ユニット３００を取り外した状態が図示される。また、図６（ｂ）及び図７（ａ）には、断面略Ｄ字に形成される通路形成部材３３０の上方端部の屈曲部分の延設方向に沿って仮想線Ｓ１が図示される。
【００９０】
図５に示すように、ベース板６０には、センターフレーム８６が取り付けられる中央開口のやや下側（図２下側）に厚み方向に貫通する貫通孔６０ａがルータ加工によって形成される。入賞口ユニット３００は、後述する通路形成部材３３０が貫通孔６０ａに挿入されると共に、遊技盤１３の前面側からタッピングネジ等により固定される。
【００９１】
次いで、図６から図８に示すように、入賞口ユニット３００は、板状体に形成されるベース部材３１０と、そのベース部材３１０の正面側（図６（ａ）紙面手前側）に突出する球入賞部材３２０と、ベース板６０の背面側に突出する通路形成部材３３０と主に備え、これらベース部材３１０，球入賞部材３２０及び通路形成部材３３０が一体に樹脂材料から形成される。
【００９２】
ベース部材３１０は、貫通孔６０ａよりも大きい板状に形成されると共に、ベース板６０と平行に配設される（図５参照）。また、ベース部材３１０は、前面側（図７（ａ）右側）から背面側（図７（ａ）左側）に貫通形成される開口部３１１と、その開口部３１１の上方（図２上方）に位置し、前面側から背面側に向かって凹設される２つの凹設部３１２（図７（ｂ）参照）と、ベース部材３１０の周縁部に貫通形成される複数の貫通孔３１３と、円柱状に形成されると共に背面側に突出形成される突起３１４とを主に備えて形成される。
【００９３】
開口部３１１は、後述する球入賞部材３２０（第１入賞口６４）の内部に送球された遊技球を背面側に送球可能にする孔であり、遊技球の直径よりも大きい寸法に形成される。
【００９４】
凹設部３１２は、後述する遊技釘ＹＫをベース板６０に打ち込むための下孔であり、遊技釘ＹＫを打ち込む延長線上に凹設される。また、凹設部３１２は、遊技釘ＹＫを打ち込む方向視において、円形状に形成されており、その内径が遊技釘の外形よりもやや小さく形成される。これにより、遊技釘ＹＫを凹設部３１２に打ち込む場合に、遊技釘ＹＫと凹設部３１２との接触抵抗を減らすと共に、遊技釘ＹＫを凹設部３１２の内面で保持することができる。
【００９５】
なお、遊技釘ＹＫは、上方（図７（ａ）上方）に５度傾斜して、ベース部材３１０（入賞口ユニット３００）に打ち込まれる。従って、凹設部３１２は、前面側から背面側に向かって５度下方に傾斜して凹設される。
【００９６】
遊技釘ＹＫは、ベース部材３１０に２本配設されると共に、釘の頭側が遊技領域に飛び出した状態とされる。２本の遊技釘ＹＫは、後述する球入賞部材３２０の側壁３２１の上方端部の上方にそれぞれ配設されると共に、２本が同一の高さに設定される。これにより、２本の遊技釘ＹＫの間隔を調整して、遊技領域を流下する遊技球の球数に対して、第１入賞口６４に流入する球数を調整できる。
【００９７】
貫通孔３１３は、入賞口ユニット３００をベース板６０に締結固定するためのネジを挿通する貫通孔であり、ベース部材３１０の周縁部に４つ貫通形成される。また、貫通孔３１３は、前面側が拡径して形成される。これにより、皿ネジの先端側（ネジ部分側）を貫通孔３１３の前面側から挿通してベース板６０に螺合させると、皿ネジの頭部が前面側に突出することを抑制できる。よって、遊技球が遊技領域を流下する場合に、遊技球の流下が皿ビスに阻害されることを抑制できる。その結果、遊技領域を流下する遊技球の流下を安定させることができる。
【００９８】
突起３１４は、ベース板６０と入賞口ユニット３００の位置決めをする突起であり、開口部３１０を挟んで左右に２つ形成される。また、突起３１４と対向する位置のベース板６０には、凹部６０ｂ（図５参照）が凹設して形成される。凹部６０ｂは、突起３１４の外形と略同一の内径の円形状に凹設して形成される。これにより、ベース板６０に締結前の入賞口ユニット３００を、ベース板６０に配置した際に、突起３１４が凹部６０ｂの内側に挿入されることで、ベース板６０に対して入賞口ユニット３００を位置決めすることができる。
【００９９】
球入賞部材３２０は、貫通孔３１１の周囲から前面側（図７（ａ）右側）に突出する側壁３２１と、その側壁３２１の突出先端側を連結する前壁３２２とから形成され、側壁３２１と前壁３２２とで囲われる領域に第１入賞口６４が形成される。
【０１００】
側壁３２１は、上方が開放した断面Ｕ字状に形成され、対向する内壁の対向間の距離寸法が遊技球の直径よりも大きく形成される。前壁３２２は、側壁３２１の突出先端を塞ぐ態様に形成される。従って、第１入賞口６４は、上方が開放する態様に形成される。
【０１０１】
側壁３２１は、底面（図７（ｂ）下側の面）に、上方に向かって立設される転動部３２３が形成される。転動部３２３は、後述する通路形成部材３３０の背面側（図７（ｂ）左側）端部から前壁３２２に亘って一定の板厚で形成される。
【０１０２】
また、転動部３２３は、前面側（前壁３２２側）に向かって上方傾斜して形成されると共に、側壁３２１の対向間の中間位置に形成される。これにより、第１入賞口６４に流入した遊技球は、転動部３２３の上面に送球されると共に転動部３２３の傾斜により転動して、背面側に送球される。
【０１０３】
通路形成部材３３０は、ベース部材３１０の開口部３１１の周囲から背面側に突出して形成される。通路形成部材３３０は、背面視において下方側が湾曲する略Ｄ字状に形成されており、内側に遊技球を挿通可能な大きさの空間が形成される。これにより、第１入賞口６４に流入した遊技球を通路形成部材３３０の背面側に送球すると共に、通路形成部材３３０の背面側に連通される通路部材（図示しない）に送球することができる。
【０１０４】
また、通路形成部材３３０は、背面視における上方（図６上方）に位置する２箇所の屈曲部分（仮想線Ｓ１で示す部分（図６（ｂ）及び図７（ａ）参照））が、凹設部３１２の凹設基端側の中心位置の背面側に位置される。さらに、通路形成部材３３０の２箇所の屈曲部分には、仮想線Ｓ１を軸にして径方向外側に膨出する膨出部３３１が形成される。これにより、凹設部３１２の周囲の剛性を高めることができる。その結果、凹設部３１２に遊技釘ＹＫが打ち込まれた際の衝撃により、入賞口ユニット３００が破損することを抑制できる。
【０１０５】
また、上述したように、遊技釘ＹＫは、ベース部材３１０の平面に対して直交する方向と非平行（ベース部材３１０に打ち込まれた先端側に向かって下方に傾斜する方向）に配設されるので、先端部分が仮想線Ｓ１よりも下方に位置される。これにより、遊技釘ＹＫの先端側の上部に位置する膨出部３３１の厚みが大きくされる。従って、遊技釘ＹＫの先端側を上方に変位し難くすることができる。
【０１０６】
ここで、入賞口ユニット３００は、上方から遊技球が流下する途中に配設されるので、遊技領域側に突出する遊技釘ＹＫの上方側に流下する遊技球が衝突しやすくなる。そのため、遊技球が遊技釘ＹＫの上部に衝突する衝撃で、遊技釘ＹＫの先端部分に、上方に変位する力が作用し易い。従って、遊技釘ＹＫを植設する入賞口ユニット３００の背面側を厚く形成する必要があり、入賞口ユニット３００の製造コストが増加するという問題があった。
【０１０７】
これに対し、本実施形態では、仮想線Ｓ１（通路形成部材３３０の上端の屈曲部分）を遊技釘ＹＫが打ち込まれる位置の背面側に配置すると共に、その仮想線Ｓ１の軸を中心に膨出部３３１が形成されるので、必要以上に膨出部３３１を大きくする必要がない。その結果、入賞口ユニット３００の製造コストが増加することを抑制できる。
【０１０８】
また、通路形成部材３３０は、下方（図６下方）（背面視Ｄ字の湾曲部分）に位置し、第１入賞口６４に入賞した遊技球の転動を案内する案内部３３３を備え、その案内部３３３と膨出部３３１とが第１連結部３３４により連結される。
【０１０９】
これにより、膨出部３３１の上下方向の剛性を高くすることができる。従って、遊技領域側に突出する遊技釘ＹＫの上部に遊技領域を流下する遊技球が衝突した場合に、遊技釘ＹＫが上下方向に変位することを抑制できる。
【０１１０】
さらに、通路形成部材３３０は、２箇所の膨出部３３１の間を連結する第２連結部３３５を備えて形成される。これにより、２箇所の膨出部３３１を連結する方向（図６（ｂ）左右方向）の膨出部３３１の剛性を高くすることができる。
【０１１１】
入賞口ユニット３００は、上述したように、センタフレーム８６が取付られるベース板６０の中央開口の下方に配設される。そのため、センタフレーム８６の周りを流下する遊技球が第１入賞口６４に流入する場合には、ベース板６０（遊技盤１３）の左右（図２左右）両側から遊技球が送球される。従って、遊技球が遊技釘ＹＫに衝突した場合に遊技釘ＹＫを左右に変位させる力が作用しやすい。
【０１１２】
また、遊技釘ＹＫは、第１入賞口６４に流入する遊技球の量を調整する場合に、２本の間の隙間を変更する必要があり、その際に、左右方向に折り曲げられる。従って、この点からも、遊技釘ＹＫには左右方向への力が作用しやすい。
【０１１３】
本実施形態では、２箇所の膨出部３３１の間が第２連結部３３５により連結されるので、遊技領域に突出する遊技釘にベース部材６０の左右両側から流下される遊技球が衝突した場合および２本の遊技釘ＹＫの間の間隔を調整する場合に、その衝撃で遊技釘ＹＫが左右方向（図６（ｂ）左右方向）に変位することを抑制できる。
【０１１４】
以上のように構成される入賞口ユニット３００は、上述したように、第１入賞口６４の上方に配設される遊技釘ＹＫがベース部材３１０に打ち込まれて配設される。よって、遊技釘ＹＫが折れた状態または、遊技釘ＹＫがベース部材３１０から抜け出た状態となり、正常な遊技が不能とされる場合には、ベース部材３１０の貫通孔３１３に挿通した皿ビスを取り外して、入賞口ユニット３００をベース板６０から取り外し、正常な状態の入賞口ユニット３００をベース板６０に取り付けることで、正常な遊技を可能とすることができる。
【０１１５】
即ち、第１入賞口６４の上部に位置し、第１入賞口６４へ流入する遊技球の球数を調整する遊技釘ＹＫは、その調整により、折れる又は、抜け落ちる可能性が高い。この場合、遊技釘ＹＫのみを交換すると、新しい遊技釘ＹＫを同じ下孔（凹設部３１２）に打ち込むため、遊技釘ＹＫを保持する力が足りず、新しい遊技釘ＹＫがすぐに抜け落ちてしまう恐れがある。
【０１１６】
これに対し、本実施形態では、遊技釘ＹＫが、折れる又は、抜け落ちた場合に、下孔（凹設部３１２）が形成されるベース部材３１０を交換することができるので、交換した遊技釘ＹＫがすぐに抜け落ちることを抑制できる。
【０１１７】
次いで、図９から図１５を参照して、第２実施形態について説明する。第１実施形態では、入賞口ユニット３００が１部材から形成される場合を説明したが、第２実施形態では、入賞口ユニット２３００が２部材から形成される。なお、上述した各実施形態と同一の部分には同一の符号を付して、その説明は省略する。
【０１１８】
初めに、図９及び図１０を参照して、第２実施形態における入賞口ユニット２３００の配設位置について説明する。図９は、第２実施形態におけるパチンコ機１０の正面図である。図１０は、パチンコ機１０の分解斜視正面図である。なお、図９及び図１０ではベース板６０に配設される遊技釘の一部が図示される。また、図１０では、ベース板６０からセンターフレーム８６及び入賞口ユニット２３００を取り外した状態が図示される。
【０１１９】
図９及び図１０に示すように、第２実施形態におけるベース板６０には、センターフレーム８６が取付られるベース板６０の中央開口の下側（図９側）に連続する凹設部２０６０ｃが貫通形成される。入賞口ユニット２３００は、その一部が凹設部２０６０ｃの内側に挿入されると共に、ベース板６０の前面側（図９紙面手前側）からタッピングネジ等により固定される。
【０１２０】
凹設部２０６０ｃの中央開口側の周囲には、ベース板６０の前面側から背面側に向かって凹設される窪み部２３６０ｄが形成される。窪み部２３６０ｄは、正面視における外形が後述する第２入賞部材２５００の外形と略同一に形成される。これにより、第２入賞部材２５００を窪み部２３６０ｄの内側に配設できる。
【０１２１】
また、凹設部２３６０ｄには、円環形状に形成されると共に、正面側に突出する円環突起２０６０ｄ１が複数個形成される。円環突起２３６０ｄ１は、その内縁部分に第２入賞部材２５００を挿通したネジを締結可能に形成される。なお、本実施形態では、円環突起２０６０ｄ１は、凹設部２３６０ｄに４箇所形成される。
【０１２２】
次いで、図１１から図１３を参照して、入賞口ユニット２３００の構成について説明する。図１１（ａ）は、入賞口ユニット２３００の正面図であり、図１１（ｂ）は、図１１（ａ）のＸＩｂ−ＸＩｂ線における入賞口ユニット２３００の断面図であり、図１１（ｃ）は、図１１（ａ）のＸＩｃ−ＸＩｃ線における入賞口ユニット２３００の断面図である。図１２は、入賞口ユニット２３００の分解斜視正面図であり、図１３は、入賞口ユニット２３００の分解斜視背面図である。なお、図１１（ｃ）では、第２入賞部材２５００の図示が省略される。
【０１２３】
図１１から図１３に示すように、入賞口ユニット２３００は、ベース板６０の前面側に配設されると共に遊技釘ＹＫが打ち込まれる第１入賞部材２４００と、その第１入賞部材２４００の前面側に配設されると共に第１入賞口６４を有する第２入賞部材２５００とを主に備えて形成される。
【０１２４】
第１入賞部材２４００は、正面視略矩形の板状体から形成される本体部２４１０と、その本体部２４１０の背面側から膨出する膨出部２４２０とから形成される。また、第１入賞部材２４００には、正面側から遊技釘ＹＫが打ち込まれる。
【０１２５】
本体部２４１０は、正面視において水平方向（図１１（ａ）左右方向）両端部から内側に向かって凹設される第１凹部２４１１と、正面視において重力方向両端部から内側に向かって凹設される第２凹部２４１２と、４方の角部に板厚方向に貫通される貫通孔２４１３とを主に備えて形成される。また、本体部２４１０の板厚方向の距離寸法は、ベース板６０の窪み部２０６０ｄの背面側への凹み寸法と略同一または凹み寸法よりも小さく形成される。これにより、第１入賞部材２４００をベース板６０に配設した場合に、本体部２４１０の前面側が、遊技領域側に突出することを抑制できる。その結果、遊技球の流下が、第１入賞部材２４００により阻害されることを抑制できる。
【０１２６】
第１凹設部２４１１は、本体部２４１０の重力方向（図１１（ａ）上下方向）中間位置に形成される。これにより、第１入賞部材２４００をベース板６０の窪み部２４６０ｄに嵌め込んだ場合に第１入賞部材２４００とベース板６０の接地面を大きくできる。従って、第１入賞部材２４１０ベース板６０に対して重力方向に位置ずれすることを抑制できる。
【０１２７】
第２凹設部２４１２は、本体部２４１０の水平方向（図１１（ａ）左右方向）中間位置に形成される。これにより、センターフレーム８６と第１入賞口６４とが離間する距離を小さくできる。その結果、センタフレーム８６の上部から流下する遊技球を第１入賞口６４に流入しやすくできる。
【０１２８】
貫通孔２４１３は、第１入賞部材２４００をベース板６０に締結する場合に、ネジの先端側を挿入する孔である。また、貫通孔２４１３は、正面側（図１１（ｂ）右側）に向かって拡径される。これにより、貫通孔２４１３に第１入賞部材２４００の正面側から皿ネジを挿入した場合に、ネジの頭を貫通孔２４１３の内部に挿入することができる。
【０１２９】
さらに、貫通孔２４１３は、板厚方向中間位置よりも背面側部分に拡径された拡径部２４１３ａを備える。拡径部２４１３ａは、上述した円環突起２０６０ｄ１の外径よりも大きい内径に形成されると共に、板厚方向の凹み寸法（本体部２４１０の背面から拡径部２４１３ａの凹設底面までの距離）が円環突起２０６０ｄ１の突出寸法よりも小さく形成される。
【０１３０】
これにより、第１入賞部材２４００を窪み部２３６０ｄの内側に配設する場合に、拡径部２４１３ａの内側に円環突起２３６０ｄ１を挿入できると共に、拡径部２４１３ａの凹設底面と円環突起２３６０の突出先端面とを当接できる。その結果、ネジの締結位置を円環突起２３６０ｄ１の突設距離分、正面側に位置させることができ、ネジの先端側の長さを短くすることができる。また、拡径部２４１３ａの凹設底面と円環突起２３６０の突設先端面とが当接されるので、その分、螺合の長さを増やすことができ、ネジを締結した際の締結力を確保できる。
【０１３１】
膨出部２４２０は、ベース板６０の凹設部２０６０ｃと前後方向（図１１（ｂ）左右方向）に重なる位置に形成される。また、膨出部２４２０と前後方向に重なる位置に遊技釘ＹＫが打ち込まれる。これにより、遊技釘ＹＫが打ち込まれる位置の第１入賞部材２４００の剛性を高くすることができる。その結果、遊技釘ＹＫを第１入賞部材２４００に打ち込んだ場合、又は、流下領域を流下する遊技球が遊技釘ＹＫに衝突した場合に、第１入賞部材２４００が破損することを抑制できる。
【０１３２】
第２入賞部材２５００は、正面視菱形の板状体から形成されるベース部材２５１０と、そのベース部材２５１０の正面側（図１１（ｂ）右側）に突出形成される球入賞部材３２０とを主に備え、これらベース板２５１０及び球入賞部材３２０が一体に樹脂材料から形成される。
【０１３３】
ベース部材２５１０は、上述した凹設部２０６０ｃよりも正面視において水平方向（図１１（ａ）左右方向）寸法が大きく設定される。これにより、ベース部材２５１０を凹設部２０６０ｃの前面側（図１１（ｂ）右側）に配置すると共に、ベース部材２５１０の水平方向両端部をベース板６０の前面（正面）に当接させることができる。
【０１３４】
ベース部材２５１０は、その上端部（図１１（ａ）上端部）から下方に向かって凹設される開口部３１１と、水平方向（図１１（ｂ）紙面垂直方向）両端部に板厚方向（図１１（ｂ）左右方向））に貫通する貫通孔３１３とを主に備えて形成される。なお、第２実施形態における開口部３１１は、ベース部材２５１０の外縁部に連なって形成される。また、貫通孔３１３は、２箇所に形成される。
【０１３５】
次いで、図１４及び図１５を参照して、ベース板６０への入賞口ユニット２３００の組み付けについて説明する。図１４（ａ）及び図１５（ａ）は、遊技盤１３の正面図である。図１４（ｂ）は、図１４（ａ）のＸＩＶｂ−ＸＩＶｂ線における遊技盤１３の断面図であり、図１５（ｂ）は、図１５（ａ）のＸＶｂ−ＸＶｂ線における遊技盤１３の断面図である。図１４（ｃ）は、図１４（ａ）のＸＩＶｃ−ＸＩＶｃ線における遊技盤１３の断面図であり、図１５（ｃ）は、図１５（ａ）のＸＶｃ−ＸＶｃ線における遊技盤１３の断面図である。
【０１３６】
なお、図１４（ａ）から図１４（ｃ）では、ベース板６０に第１入賞部材２４００が配設された状態（第１入賞部材２５００が配設される前の状態）が図示され、図１５（ａ）から図１５（ｃ）では、入賞口ユニット２３００がベース板６０に組み付けられた状態が図示される。
【０１３７】
図１４に示すように、ベース板６０への入賞口ユニット２３００の組み付けは、第１に遊技釘ＹＫを打ち込み前の第１入賞部材２４００をベース板６０に取り付ける。この場合、ベース板６０の窪み部２０６０ｄに沿って第１入賞部材２４００を挿入することで、上述したように、貫通孔２４１３に形成される拡径部２４１３ａの内側にベース板６０の円形突起２０６０ｄ１が挿入される。
【０１３８】
拡径部２４１３ａの内側に円形突起２０６０ｄ１が挿入された状態で、前面側から皿ビスの先端を貫通孔２４１３の内側に挿入すると共に、その皿ビスの先端部分を円形突起２０６０ｄ１の内周面に螺合させる。これにより、遊技釘ＹＫを打ち込み前の第１入賞部材２４００がベース板６０に取付られる。なお、第１入賞部材２４００は、その前面がベース板６０の前面と略同一（面一）の位置に設定される。
【０１３９】
遊技釘ＹＫは、第１入賞部材２４００をベース板６０に締結固定した状態で前面側から第１入賞部材２４００に打ち込まれる。これにより、比較的小型に形成される第１入賞部材２４００に遊技釘ＹＫを打ち込みやすい。また、ベース板６０に打ち込まれる釘との相対位置を合わせることができる。
【０１４０】
次いで、図１５に示すように、前面側に第２入賞部材２５００が取付られる。これにより、第１入賞口６４と遊技釘の間隔を狭めることができる。即ち、遊技釘ＹＫが打ち込まれる第１入賞部材２４００に第１入賞口６４（球入賞部材３２０）が形成された状態では、遊技釘を打ち込む際に遊技釘ＹＫを打ち込む機械と第１入賞口６４との干渉を避けるために、遊技釘ＹＫを第１入賞口６４から所定距離離間させる必要があるところ、第１入賞口６４は、遊技釘ＹＫが打ち込まれる第１入賞部材２４００とは異なると共に、第１入賞部材２４００よりも後工程で取付られる第２入賞部材２５００に形成されるので、遊技釘ＹＫを第１入賞部材２４００に打ち込んだ後に、第１入賞口６４を遊技釘ＹＫに近づけて配設することができる。
【０１４１】
次いで、図１６から図１８を参照して、第３実施形態について説明する。第２実施形態では、第１入賞部材２４００を新しい部材に交換した場合に締結するネジを交換前と交換後とで同一のネジ穴（円環突起２０６０ｄ１に形成されるめねじ）に螺合する場合を説明したが、第３実施形態では、第１入賞部材３４００を交換した場合に、第１入賞部材３４００を締結するネジが交換前と交換後とで異なるネジ孔（異なる円環突起２０６０ｄ１に形成されるめねじ）に螺合される。なお、上述した各実施形態と同一の部分には同一の符号を付してその説明は省略する。
【０１４２】
図１６（ａ）は、第３実施形態における遊技盤１３の正面図であり、図１６（ｂ）は、図１６（ａ）のＸＶＩｂ−ＸＶＩｂ線における遊技盤１３の断面図である。図１７は、遊技盤１３の斜視正面図であり、図１８は、遊技盤１３の分解斜視正面図である。なお、図１８では、センターフレーム８６が取り外された状態が図示される。また、図１６から図１７では、入賞口ユニット３３００及びベース板６０の外形が簡略化されて図示される。
【０１４３】
図１６から図１８に示すように、第３実施形態における入賞口ユニット３３００は、その一部（第１入賞部材３４００）が凹設部２０６０ｃの内側に挿入されると共に、ベース板６０の前面側（図１６（ａ）紙面手前側）からタッピングネジ等により固定される。
【０１４４】
凹設部２０６０ｃの中央開口（センターフレーム８６）側の周囲には、ベース板６０の前面側（図１６（ａ）紙面手前側）から背面側（図１６（ａ）紙面奥側）に向かって凹設される窪み部３０６０ｄが形成される。窪み部３０６０ｄは、正面視における外形が後述する第１入賞部材３４００の外形と略同一に形成される。これにより、第１入賞部材３４００を窪み部３０６０ｄの内側に配設できる。
【０１４５】
また、窪み部３０６０ｄには、円環形状に形成されると共に、正面側に突出する円環突起２０６０ｄ１と、前面側の左右の縁部に面取部３０６０ｄ６と、円環突起２０６０ｄ１が形成される平面の下方（図１６（ｂ）下方）から上方（図１６（ｂ）上方）に向かって背面側（図１６（ｂ）左側）に傾斜する傾斜面３０６０ｄ２とを備えて形成される。なお、傾斜面３０６０ｄ２は、下方から上方に向かって背面側に５度傾斜して形成される。
【０１４６】
円環突起２０６０ｄ１は、水平方向（図１６（ａ）左右方向）同一の高さに間に凹設部２０６０ｃを挟む態様で２箇所に形成される２組が、上下方向（図１６（ｂ）上下方向）に位置の２箇所に形成される（即ち、２組合計４箇所にネジ穴（雌ねじ）が形成される）。
【０１４７】
面取部３０６０ｄ６は、第１入賞部材３４００が配設される左右両側（図１６（ａ）左右両側）の前面側（図１６紙面手前側）縁部を切り欠いて形成される。面取部３０６０ｄ１は、左右方向中央側に向かって背面側に傾斜して形成されると共に、切り欠き面積が下方（図１６（ａ）下方）から上方（図１６（ａ）上方）に向かって大きくされる。また、面取部３０６０ｄ６は、左右方向内側端部が、ベース板６０の前面に対して背面側上方に向かって５度傾斜して形成される。即ち、傾斜面３０６０ｄ２と略同一の角度で切欠き形成される。
【０１４８】
入賞口ユニット３３００は、ベース板６０の凹設部２０６０ｃの内側に配設される第１入賞部材３４００と、その第１入賞部材３４００及びベース板６０の前面側に配設される第２入賞部材３５００とから形成される。
【０１４９】
第１入賞部材３４００は、正面視横長略矩形の板状体から形成される本体部３４１０と、その本体部３４１０の背面側から膨出する膨出部と２４２０と、正面側から打ち込まれる遊技釘ＹＫとを主に備えて形成される。また、第１入賞部材は３４００は、後述する本体部３４１０の短手方向が、上述した傾斜面３０６０ｄ２の傾斜方向と平行な状態で配設される。よって、第１入賞部材３４００は、ベース板６０に配設される場合、ベース板６０の平面に対して背面側に傾斜した状態で配設される。
【０１５０】
本体部３４１０は、板厚方向に断面円形状に貫通する２つの貫通孔３４１３と、背面側（図１６（ｂ）左側）から正面側（図１６（ｂ）右側）に断面円形状に凹設される２つの凹部３４１４とを備えて形成される。凹部３４１４は、後述する貫通孔３４１３の拡径部３４１３ａと同一の形状（凹設寸法および内径が略同一）に設定される。また、遊技釘ＹＫは、本体部３４１０の短手方向における位置が貫通孔３４１３の軸と凹部３５１４の軸との中間位置に打ち込まれる。即ち、貫通孔３４１３の軸から遊技釘ＹＫの軸までの距離寸法Ｌ１（図１６（ｂ）参照）と、凹部３４１４の軸から遊技釘ＹＫの軸までの距離寸法Ｌ２（図１６（ｂ）参照）とが同一の距離に設定される。
【０１５１】
貫通孔３４１３は、第１入賞部材３４００をベース板６０に締結する場合に、ネジの先端側を挿入する孔である。貫通孔３４１３は、正面側（図１６（ｂ）右側）に向かって拡径される。これにより、貫通孔３４１３はに第１入賞部材３４１０の正面側から皿ネジを挿入した場合にネジの頭を貫通孔２４１３の内側に挿入できる。
【０１５２】
さらに、貫通孔３４１３は、板厚方向略中間位置よりも背面側（図１６（ｂ）左側）に拡径された拡径部３４１３ａを備える。拡径部３４１３ａは、円環突起２０６０ｄ１の外径よりも大きい内径に形成されると共に、板厚方向の凹み寸法が円環突起２０６０ｄ１の突出寸法よりも小さく形成される。
【０１５３】
貫通孔３４１３は、第１入賞部材３４００がベース板６０に配設された状態において、上述した４箇所の円環突起２０６０ｄ１のうち上方（図１６（ｂ）上方）に形成される２箇所の円環突起２０６０ｄ１と対向する位置に形成される。一方、４箇所の円環突起２０６０ｄ１のうち下方（図１６（ｂ）下方）に形成される２箇所の円環突起２０６０ｄ１と対向する位置には、凹部３４１４が形成される。
【０１５４】
よって、第１入賞部材３４００を窪み部２３６０ｄの内側に配設する場合に、拡径部３４１３ａの内側に、４箇所の円環突起２０６０ｄ１のうち上方に配設される２箇所の円環突起２０６０ｄ１を挿入できると共に、拡径部３４１３ａの内側に円環突起２０６０ｄ１を当接できる。
【０１５５】
これにより、４箇所の円環突起２０６０ｄ１のうち上方に形成される２箇所の円環突起２０６０ｄ１と、第１入賞部材３４００に形成される貫通孔とを皿ネジで締結して固定することができる。
【０１５６】
また、第１入賞部材３４００を窪み部２３６０ｄの内側に配設する場合に、凹部３４１４の内側に４箇所の円環突起２０６０ｄ１のうち下方に配設される２箇所の円環突起２０６０ｄ１を挿入できると共に、凹部３４１４の凹設底面に円環突起２０６０ｄ１の突設先端面を当接できる。
【０１５７】
上述したように、貫通孔３４１３と凹部３４１４とは、第１入賞部材３４００の短手方向における位置が、遊技釘ＹＫを挟んで同一距離離れた位置に形成される。従って、第１入賞部材３４００をベース板６０から取り外した場合には、第１入賞部材３４００の上下を反転させることで、下方の円環突起２０６０ｄ１を貫通孔３４１３の拡径部３４１３ａの内側に挿入できると共に、上方の円環突起２０６０ｄ１を凹部３４１４の内側に挿入できる。即ち、第１入賞部材３４００を上下反転させることで、ベース板６０に第１入賞部材３４００を取り付け可能とすることができる。このように、本実施形態では、第１入賞部材３４００を２通りの姿勢でベース板６０に取り付けることができる。
【０１５８】
よって、入賞口ユニット３３００の第１入賞部材３４００は、第１姿勢と、その第１姿勢から上下を反転させた第２姿勢とで同じ位置に遊技釘ＹＫが植設されるので、第１入賞部材３４００の姿勢を変更しても、ベース板６０に対する遊技釘ＹＫの位置を所定位置に維持することができる。
【０１５９】
また、上述したように、ベース板６０には、入賞口ユニット３３００の第１入賞部材３４００の前面縁部に向かって切り欠かれる面取部３０６０ｄ６が形成されるので、ベース板６０の正面と第１入賞部材３４００の前面とを滑らかに連ねることができる。即ち、ベース板６０に傾斜面３０６０ｄ２が形成されることで、ベース板６０の前面と第１入賞部材３４００の前面との間に段差が形成されることを抑制できる。よって、かかる段差を抑制するために、ベース板６０の正面または第１入賞部材３３００の正面に他の部材（例えば、第２入賞部材２５００の一部）を配設する事を不要とできる。
【０１６０】
第２入賞口３５００は、正面視横長矩形の板状体から形成されるベース部材３５１０と、そのベース部材４５１０の正面側（図１６（ｂ）右側）に突出形成される球入賞部材３２０と、を主に備えて形成される。
【０１６１】
ベース部材３５１０は、正面視において凹設部２０６０ｃよりも長手方向（図１６（ａ）左右方向）の幅寸法が大きく形成される。これにより、ベース部材３５１０を凹設部２０６０ｃの正面側に配設できると共に、ベース部材３５１０の長手方向両端部をベース板６０の前面に当接できる。
【０１６２】
ベース部材３５１０は、球入賞部材３２０の背面側に貫通形成される開口部３１１と、長手方向（図１９（ａ）左右方向）両端部に貫通する貫通孔３１３と、を主に備える。
【０１６３】
以上のように構成される入賞口ユニット３３００によれば、第１入賞部材３４００の遊技釘ＹＫが折れた場合や、遊技釘ＹＫが第１入賞部材３４００から抜け落ちた場合に、第２入賞部材３５００をベース板６０から取り外した後に、不良の第１入賞部材３４００を取り外して、新しい（正常な）第１入賞部材３４００を取り付けることで修理することができる。
【０１６４】
ここで、第１遊技盤部材（ベース板６０）と、その第１遊技盤部材に締結固定され第１遊技盤部材と共に遊技盤を形成する第２遊技盤部材とを備えた遊技機が知られている。第２遊技盤部材には挿通孔（貫通孔２４１３）が、第１遊技盤部材にはめねじ（円環突起２０６０ｄ１の内縁部分）が、それぞれ形成され、第２遊技盤部材の挿通孔に挿通されたねじ部材（皿ネジＮ２）が、第１遊技盤部材のめねじに螺合されることで、第２遊技盤部材が第２遊技盤部材に対して締結固定される。かかる遊技機によれば、第２遊技盤部材を第１遊技盤部材に対して着脱できる。即ち、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材を交換する毎に、めねじとねじ部材との螺合が繰り返され、めねじのねじ山にへたり（摩耗やかじり）が生じるため、交換回数が嵩むと、締結固定の信頼性が低下するという問題点があった。
【０１６５】
これに対し、第３実施形態によれば、ベース板６０に入賞口ユニット３３００の第１入賞部材３４００を締結固定する複数（本実施形態では４個）の円環突起２０６０ｄ１を備え、入賞口ユニット３３００の第１入賞部材３４００は、皿ネジＮ２が挿通可能な複数（本実施形態では２個）の貫通孔２４１３が形成され、円環突起２０６０ｄ１の数よりも少ない数（本実施形態では２個）の皿ネジＮ２により第１入賞部材３４００がベース板６０に締結固定されているので、１の雌ねじのネジ山にへたり（摩耗やかじり）が生じた場合には、他の円環突起２０６０ｄ１の内縁部分（めねじ）を使用できる。よって、第１入賞部材３３００の交換回数が嵩んだ場合でも、締結固定の信頼性を確保することができる。
【０１６６】
また、第３実施形態では、入賞口ユニット３３００の第１入賞部材３４００が、ベース板６０に対する姿勢が第１姿勢または、その第１姿勢から上下を反転させた第２姿勢を少なくとも選択可能に形成され、第１姿勢と第２姿勢とでは、貫通孔２４１３に連なる円環突起２０６０ｄ１の内縁が異なる円環突起２０６０ｄ１の内縁とされるので、１の円環突起２０６０ｄ１の内縁のねじ山にへたりが生じた場合には、第１入賞部材３４００の姿勢を変更することで、他の円環突起２０６０ｄ１の雌ねじを使用できる。よって、交換回数が嵩んだ場合でも締結固定の信頼性を確保することができる。
【０１６７】
例えば、第１入賞部材３４００を図１６から図１８に示すように、貫通孔２４１３を第１入賞部材３４００の上方に位置させた状態でベース板６０に配設した場合には、第１入賞部材３４００をベース板６０に締結する皿ネジＮ２が、ベース板６０の上方に形成される２箇所の円環突起２０６０ｄ１に螺合される。第１入賞部材３４００に不良が発生して交換する場合には、交換後の第１入賞部材３４００の貫通孔２４１３を第１入賞部材３４００の下方に位置した状態でベース板６０に配設する。これより、第１入賞部材３４００をベース板６０に締結する皿ネジＮ２が、ベース板６０の下方に形成される２箇所の円環突起２０６０ｄ１の内側に螺合される。
【０１６８】
さらに、第１入賞部材３４００は、貫通孔２４１３の数が円環突起２０６０ｄ１の数よりも少なくされるので、第１入賞部材３４００がベース板６０の正面に視認可能に配設可能に配設される場合に、皿ネジＮ２が挿通されていない状態で遊技者に視認される貫通孔３４００の数を低減できる。よって、貫通孔３４００を被覆するための他の部材（例えば、第２入賞部材３５００）の面積を抑制できる。なお、貫通孔３４００の数と同数の皿ネジＮ２により第１入賞部材３３００がベース板６０により第１入賞部材３４００がベース板６０に締結固定されることが好ましい。この場合には、皿ネジＮ２が挿通されていない状態で遊技者に視認される貫通孔２４１３を無くすことができる。よって、他の部材による貫通孔３４００の被覆を不要とすることができる。
【０１６９】
また、貫通孔２４１３の数を減らせることで、その分、第１入賞部材３４００の強度を確保できる。ここで、第１入賞部材３４００は比較的小型となるため、その強度の確保が困難である。一方、遊技釘ＹＫが植設されるものとして、第１入賞部材３４００が形成される場合は、遊技釘ＹＫを植設する際の打ち込み荷重に対し、或いは、遊技中に遊技球が遊技釘ＹＫに衝突する際の衝撃に対し、強度を確保する必要がある。よって、遊技釘ＹＫが植設される第１入賞部材３４００では、貫通孔２４１２の数を減らせることが強度確保の観点から特に有効となる。
【０１７０】
また、ベース板６０には、入賞口ユニット３３００の第１入賞部材３４００を支持する傾斜面３０６０ｄ２に所定の傾斜角度（本実施形態では５度）が付与され、第１入賞部材３４００には、傾斜面３０６０ｄ２に支持される本体部３４１０に対して垂直に釘が植設されるので、第１入賞部材３４００の姿勢（第１姿勢又は第２姿勢）を変更しても、ベース板６０に対する釘の傾斜角度を一定に維持することができる。
【０１７１】
次いで、図１９及び図２０を参照して、第４実施形態について説明する。第２実施形態では、第１入賞部材２４００を交換した場合に締結するネジを交換前と交換後とで同一の雌ねじ部分（円環突起２０６０ｄ１）に螺合する場合を説明したが、第４実施形態では、第１入賞部材３４００を交換した場合に、第１入賞部材３４００を締結するネジが交換前と交換後とで異なる雌ねじ部分（円環突起２０６１ｄ１）に螺合される。なお、上述した各実施形態と同一の部分には同一の符号を付してその説明は省略する。
【０１７２】
図１９（ａ）は、第４実施形態における遊技盤１３の正面図であり、図１９（ｂ）は、図１９（ａ）のＸＩＸｂ−ＸＩＸｂ線における遊技盤１３の断面図である。図２０は、遊技盤１３の分解斜視正面図である。なお、図２０では、センターフレーム８６が取り外された状態が図示される。また、図１９及び図２０では、入賞口ユニット４３００及びベース板６０の外形が簡略化されて図示される。
【０１７３】
図１９及び図２０に示すように、第４実施形態における入賞口ユニット４３００は、その一部（第１入賞部材４４００）が凹設部２０６０ｃの内側に挿入されると共にベース板６０の前面側（図１９（ａ）紙面手前側）からタッピングネジ等により固定される。
【０１７４】
凹設部２０６０ｃの中央開口（センターフレーム８６）側の周囲には、ベース板６０の前面側（図１９（ａ）紙面手前側）から背面側（図１９（ｂ）紙面奥側）に向かって凹設される窪み部４０６０ｄが形成される。
【０１７５】
窪み部４０６０ｄには、円環形状に形成されると共に、正面側に突出する円環突起２０６０ｄ１が形成される。なお、本実施形態における円環突起２０６０ｄ１は、窪み部４０６０ｄに上下方向（図２０上下方向）に３個並んで形成されると共に、凹設部２０６０ｃを挟んで合計６個形成される。
【０１７６】
入賞口ユニット４３００は、ベース板６０の凹設部２０６０ｃの内側に配設される第１入賞部材４４００と、その第１入賞部材４４００及びベース板６０の前面側に配設される第２入賞部材３５００とから形成される。
【０１７７】
第１入賞部材４４００は、正面視横長矩形の板状体から形成される本体部４４１０と、その本体部４４１０の背面側から膨出する膨出部２４２０と、正面側から打ち込まれる遊技釘ＹＫとから形成される。
【０１７８】
本体部４４１０は、板厚方向に断面円形状に貫通する貫通孔２４１３を備えて形成される。貫通孔２４１３は、第１入賞部材４４００がベース板６０に配設された状態において、ベース板６０に形成される６個の円環突起２０６０ｄ１の前面側（図１９（ｂ）右側）にそれぞれ形成される。即ち、貫通孔２４１３は、本体部４４１０に６箇所形成される。
【０１７９】
よって、第１入賞部材４４００を窪み部４３６０ｄの内側に配設する場合に、拡径部２４１３ａの内側にそれぞれ円環突起２０６０ｄ１を挿入できる。なお、第４実施形態では、第１入賞部材４４００とベース板６０とを締結する皿ネジＮ２が２本とされ、６個の円環突起２０６０ｄ１のうちの２箇所に皿ネジＮ２が螺合される。
【０１８０】
なお、皿ネジＮ２を螺合する円環突起２０６０ｄ１は、凹設部２０６０ｃを挟んで左右方向両側に形成される２箇所の窪み部４０６０ｄからそれぞれ１箇所ずつとすることが好ましい。これによれば、第１入賞部材４４００の長手方向両端で皿ネジＮ２を締結することができる。よって、第１入賞部材４４００が遊技球の衝突や衝撃によりベース板６０に対して揺れ動くことを抑制できる。
【０１８１】
第２入賞口４５００は、正面視横長矩形の板状体から形成されるベース部材４５１０と、そのベース部材４５１０の正面側に（図１９（ｂ）右側）に突出形成される球入賞部材３２０とを主に備えて形成される。
【０１８２】
ベース部材４５１０は、正面視において凹設部２０６０ｃよりも長手方向（図１９（ａ）左右方向）の幅寸法が大きく形成される。これにより、ベース部材４５１０を凹設部２０６０ｃの正面側に配設できると共に、ベース部材４５１０の長手方向両端部をベース板６０の前面に当接できる。
【０１８３】
ベース部材４５１０は、球入賞部材３２０の背面側に貫通形成される開口部３１１と、長手方向（図１９（ａ）左右方向）両端部に貫通する貫通孔３１３と、長手方向（図１９（ａ）左右方向）両側から、上方（図１９（ａ）上方）に延設される覆設部材４５１１とを備える。
【０１８４】
覆設部４５１１は、第２入賞部材４５００がベース板６０に配設された状態において、ベース板６０の円環突起２０６０ｄ１の正面側に位置して形成される。これにより、第１入賞部材４４００を締結する皿ネジＮ２の正面側に覆設部材４５１１が配設され、第１入賞部材を締結するネジを遊技者から視認し難くできる。また、第１入賞部材３４００を第２入賞部材３５００をベース板６０から取り外した後で、第１入賞部材３４００の取り外しが可能となるので、不正操作により遊技者が遊技盤１３の正面に配設される前面枠１４を開放して、第１入賞口３４００のみを取り外して不正を働くことを抑制できる。同時に皿ネジＮ２が締結されていない貫通孔２４１３を覆設して遊技者から視認し難くできる。
【０１８５】
以上のように構成される入賞口ユニット４３００によれば、第１入賞部材４４００の遊技釘ＹＫが折れた場合や、遊技釘ＹＫが第１入賞部材４４００から抜け落ちた場合に、第２入賞部材３５００をベース板６０から取り外した後に、不良の第１入賞部材４４００を取り外して、新しい（正常な）第１入賞部材４４００を取り付けることで修理することができる。
【０１８６】
上述したように、入賞口ユニット４３００の第１入賞部材３３００には、複数の円環突起２０６０ｄ１の雌ねじに対応する位置に貫通孔２４１３がそれぞれ貫通形成されるので、１の雌ねじのねじ山にへたり（摩耗やかじり）が生じた場合には、他の雌ねじを使用できる。よって、交換回数が嵩んだ場合でも、締結固定の信頼性を確保することができる。
【０１８７】
また、第４実施形態では、第１入賞部材４４００をベース板６０に取り付ける場合に、６個の円環突起２０６１ｄ１に対して２個の皿ネジＮ２で締結されるので、他の雌ねじを使用する場合に、第１入賞部材４４００の姿勢を変更する必要がない。即ち、第１入賞部材４４００が選択可能な姿勢の数に雌ねじの数が限定されない。よって、雌ねじの数をより多く確保することができる。その結果、第１入賞部材４４００の交換可能な回数をより多く確保できる。
【０１８８】
さらに、第２入賞部材４５００には、覆設部４５１１が形成され、その覆設部４５１１が、第１入賞部材４４００の前面側に位置して配設されるので、皿ネジＮ２が挿通されていない貫通孔２４１３を被覆して、遊技者から隠すことができる。よって、外観の向上を図ることができる。また、第１入賞部材４４００の下側（図１９（ａ）下側）のみが皿ネジＮ２により遊技盤１３に締結固定されている場合に、第１入賞部材４４００の前面に第２入賞部材４５００の覆設部４５１１が張り出されていることで、第１入賞部材４４００の上側（図１９（ａ）上側）の浮き上がりを抑制できる。
【０１８９】
次いで、図２１及び図２２を参照して、第５実施形態について説明する。第２実施形態では、第１入賞部材２４００を締結する皿ネジＮ２の螺合対象（円環突起２０６１ｄ１の雌ねじ）をベース板６０に形成する場合を説明したが、第５実施形態では、皿ネジＮ２の螺合対象（雌ねじ）が別部材に形成される。なお。上述した各実施形態と同一の部分には同一の符号を付してその説明は省略する。
【０１９０】
図２１（ａ）は、第５実施形態における遊技盤１３の正面図であり、図２１（ｂ）は、図２１（ａ）のＸＸＩｂ−ＸＸＩｂ線における遊技盤１３の断面図である。図２２は、遊技盤１３の分解斜視正面図である。なお、図２２では、センターフレーム８６が取り外された状態が図示される。また、図２１及び図２２では、入賞口ユニット５３００及びベース板６０の外形が簡略化されて図示される。
【０１９１】
図２１及び図２２に示すように、第５実施形態における入賞口ユニット５３００は、その一部（第１入賞部材２４００）が凹設部２０６０ｃの内側に挿入されると共に、ベース板６０の前面側（図２１（ａ）紙面手前側）からタッピングネジ等により固定される。
【０１９２】
凹設部２０６０ｃの中央開口（センタフレーム８６）側の周囲には、ベース板６０の前面側（図２１（ａ）紙面手前側）から背面側（図２１（ａ）紙面奥側）に向かって凹設される窪み部５０６０ｄが形成される。
【０１９３】
窪み部５０６０ｄは、正面視における外形が第１入賞部材２４００の外形と略同一に形成される。これにより、窪み部５０６０ｄの内側に第１入賞部材２４００を挿入して配設できる。また、窪み部５０６０ｄには、前面側から背面側に貫通する挿通孔５０６０ｄ３が形成される。
【０１９４】
挿通孔５０６０ｄ３は、正面視円形状に形成されており、ベース板６０に第１入賞部材５４００を配設した状態において、第１入賞部材５４００の貫通孔２４１３の軸と同軸上に形成される。
【０１９５】
また、遊技盤１３には、ベース板６０の背面側に正面視円形状の板からなる回転部材５６００が配設される。また、回転部材５６００の背面側には、円柱状に形成され、回転部材５６００の中心に挿入される回転軸部５６５０が配設される。
【０１９６】
回転部材５６００は、その中心に円形に貫通する軸孔５６１０と、回転部材５６００の中心からそれぞれ同一距離離間する位置に貫通形成される複数の締結孔５６２０とを備える。軸孔５６１０は、後述する回転軸部５６５０が内側に配設される孔であり、その内径が回転軸部５６５０（支持部５６６０）の外径よりも小さく形成される。
【０１９７】
締結孔５６２０は、回転部材５６００の中心を軸とする周方向にそれぞれ隣合う締結孔５６２０と所定の角度分離間して形成される。本実施形態では、締結孔５６２０が回転部材５６００に８箇所形成され、それぞれ隣合う締結孔５６２０が回転部材５６００の軸を中心に略４５度離間する位置に形成される。また、締結孔５６２０は、第１入賞部材２４００を締結するための皿ネジＮ２が螺合される部分であり、タッピング加工により内側に雌ねじが形成される。
【０１９８】
回転軸部５６５０は、回転部材５６００を回転可能に支持する支持部であり、円柱状に形成される支持部５６６０と、その支持部５６６０の背面側に位置し径方向外側に膨出する係合部５６７０とを主に備えて形成される。
【０１９９】
支持部５６６０は、その外径が回転部材５６００の軸孔５６１０の内径よりも小さく形成される。これにより、支持部５６６０を軸孔５６１０の内側に挿入して、軸孔５６１０を回転可能に支持できる。また、支持部５６６０には、前面側から背面側に貫通する貫通孔５６６１が２箇所に形成される。背面側から貫通孔５６６１にネジを挿通すると共に、ベース板６０の背面側に螺合することで、回転軸部５６５０がベース板６０から脱落不能に保持される。
【０２００】
係合部５６７０は、外形が回転部材５６００の軸孔５６１０の内径よりも大きく形成される。これにより、回転部材５６００の軸孔５６１０の内側に回転軸部５６５０の支持部５６６０を挿入した場合に回転部材５６００が背面側に抜け落ちることを抑制できる。
【０２０１】
回転部材５６００は、その中心がセンターフレーム８６が配設されるベース板６０の中央開口よりも下方に位置して配設されると共に、その一部がベース板６０の凹設部２０６０ｃの背面側に位置される。また、複数の締結孔５６２０は、そのうちの２箇所がベース板６０の窪み部５０６０ｄの挿通孔５０６０ｄ３の同軸上に配置される。これにより、後述する第１入賞部材５４００を皿ネジＮ２で締結固定できる。
【０２０２】
上述したように、回転部材５６００は、ベース板６０に対して回転可能に配設され、締結孔５６２０が回転部材５６００の中心を軸とする周方向に一定間隔で形成されるので、回転部材５６００を回転した場合に、２箇所の挿通孔５０６０ｄ３と２箇所の締結孔５６２０との軸位置を合わせることができる。
【０２０３】
入賞口ユニット５３００は、ベース板６０の凹設部２０６０ｃの内側に配設される第１入賞部材５４００が形成される。第１入賞部材５４００は、正面視横長矩形の板状体から形成される本体部５４１０と、その本体部５４１０の背面側から膨出する膨出部２４２０と、前面側から打ち込まれる遊技釘ＹＫとから形成される。
【０２０４】
本体部５４１０は、板厚方向に円形状に貫通する貫通孔２４１３が形成される。貫通孔２４１３は、第１入賞部材５４００がベース板６０に配設された状態において、ベース板６０に形成される２箇所の挿通孔５０６０ｄ３と同軸上に形成される。よって、第１入賞部材５４００の前面側から皿ネジＮ２を貫通孔２４１３に挿入させることで、皿ネジＮ２先端をベース板６０の挿通孔５０６０ｄ３に挿通させることができる。上述したように、挿通孔５０６０ｄ３の背面側には、回転部材５６００の締結孔５６２０が位置されるので、皿ネジＮ２を締結孔５６２０に締結固定できる。
【０２０５】
以上のように、構成される入賞口ユニット５３００及び回転部材５６００によれば、第１入賞部材５４００の遊技釘ＹＫが折れた場合や、遊技釘ＹＫが第１入賞部材５４００から抜け落ちた場合に、第２入賞部材２５００をベース板６０から取り外した後に、不良の第１入賞部材５４００を取り外し、新しい（正常な）第１入賞部材５４００を取り付けることで修理することができる。
【０２０６】
また、ベース板６０の背面に変位可能に支持されると共に複数の雌ねじが形成される円盤部材５６００を備えるので、１の雌ねじのネジ山にへたり（摩耗やかじり）が生じた場合には、円盤部材５６００を変位させることで、他の雌ねじを使用できる。よって、入賞口ユニット５３００の第１入賞部材５４００の交換回数が嵩んだ場合でも、締結固定の信頼性を確保することができる。
【０２０７】
即ち、第５実施形態では、回転部材５６００が、ベース板６０に対して回転可能に配設されると共に、皿ネジＮ２を螺合できる締結孔５６２０が周方向に一定の間隔で複数箇所（８箇所）に形成される。よって、第１入賞部材５４００を交換する場合には、回転部材５６００を回転させると共に、皿ネジＮ２の螺合が一度もされていない締結孔５６２０とベース板６０の挿通孔５０６０ｄ３とを位置わせした後に、交換後の第１入賞部材５４００に皿ネジＮ２を挿通して、締結孔５６２０に螺合させる。これにより、皿ネジＮ２を締結するための雌ねじを第１入賞部材５４００の交換前と交換後とで異ならせることができる。
【０２０８】
よって、皿ネジＮ２が螺合される雌ねじ部分（締結孔５６２０）を第１入賞部材５４００の交換に伴って変更できるので、雌ねじ部分がへたることを抑制できる。その結果、第１入賞部材５４００の締結固定の信頼性を確保することができる。
【０２０９】
特に、第５実施形態では、円盤部材５６００がベース板６０の背面に支持されているので、第１入賞部材５４００を取り外した際に、円盤部材５６００が脱落しないように、又は、第１入賞部材５４００を取り付ける際に、皿ネジＮ２を円盤部材５６００の雌ねじに螺合させるために、ベース板６０の背面から作業者が手で円盤部材５６００を保持しておく必要がない。よって、第１入賞部材５４００を交換する際に、遊技盤１３を開放させる必要がなく、遊技盤１３を閉じた状態のままで、前面から第１入賞部材５４００の交換作業を行うことができる。よって、第１入賞部材５４００を交換する作業の作業性を向上できる。
【０２１０】
また、円盤部材５６００が、正面視円形に形成されると共にその円形の中心を回転軸としてベース板６０に回転可能に軸支されるので、皿ネジＮ２を螺合させる雌ねじを変更する為に、円盤部材５６００を回転させても、遊技者から視認される円盤部材５６００の外観を一定に維持できる。特に、ベース板６０が光透過性の材料から形成され、円盤部材５６００がベース板６０を介して透視される場合には、正面視円形の形状が外観の維持に対して特に有効となる。
【０２１１】
さらに、ベース板６０は、第１入賞部材５４００が配設される領域に開口形成されると共に、円板部材５６００に連通される凹設部２０６０ｃを備えるので、かかる凹設部２０６０ｃを介して、ベース板６０の正面から円盤部材５６００を作業者が操作することを可能とできる。即ち、第１入賞部材５４００を取り付ける際に、円盤部材５６００を回転させて雌ねじを位置を調整しておく必要があるところ、かかる調整を、遊技盤１３を閉じた状態のままで行うことができる。また、第１入賞部材５４００により被覆して凹設部２０６０ｃを遊技者から隠すことができる。よって、外観の向上を図ることができる。
【０２１２】
次いで、図２３及び図２４を参照して、第６実施形態について説明する。第２実施形態では、第１入賞部材２４００を締結する皿ネジＮ２が遊技盤１３の前面側から挿入される場合について説明したが、第６実施形態では、皿ネジＮ２が上方側から挿入される。なお、上述した各実施形態と同一の部分には、同一の符号を付してその説明は省略する。
【０２１３】
図２３（ａ）は、第６実施形態における遊技盤１３の正面図であり、図２３（ｂ）は、図２３（ａ）のＸＸＩＩＩｂ−ＸＸＩＩＩｂ線における遊技盤１３の断面図である。図２４は、遊技盤１３の分解斜視正面図である。なお、図２３（ａ）及び図２３（ｂ）では、第２入賞部材２５００が取り外された状態が図示され、図２４では、センターフレーム８６が取り外された状態が図示される。また、図２３及び図２４では、入賞口ユニット６３００及びベース板６０の外形が簡略化されて図示される。
【０２１４】
図２３及び図２４に示すように、第６実施形態におけるベース板６０は、凹設部２０６０ｃの中央開口（センターフレーム８６）側の周囲に前面側（図２３（ａ）紙面手前側）から背面側に向かって凹設される窪み部６０６０ｄが形成される。
【０２１５】
窪み部６０６０ｄは、正面視における外形が第１入賞部材２４００の外形と略同一に形成される。これにより、窪み部６０６０ｄの内側に第１入賞部材６４００を挿入して配設できる。また、窪み部６０６０ｄが形成された下面には、下方に凹設される締結孔６０６０ｄ４が複数個形成される。
【０２１６】
締結孔６０６０ｄ４は、上面視円形状に形成されており、ベース板６０に第１入賞部材６４００を配設した状態において、第１入賞部材６４００の貫通孔６４１３の軸と同軸上に形成される。
【０２１７】
入賞口ユニット６３００は、ベース板６０の凹設部２０６０ｃの内側に配設される第１入賞部材６４００と、その第１入賞部材６４００及びベース板６０の前面側に配設される第２入賞部材２５００とから形成される。
【０２１８】
第１入賞部材６４００は、正面視横長矩形の板状体から形成される本体部６４１０と、その本体部６４１０の背面側から膨出する膨出部２４２０と、前面側から打ち込まれる遊技釘ＹＫとから形成される。
【０２１９】
本体部６４１０及び膨出部２４２０には、上下方向（図２３（ａ）上下方向）に貫通する貫通孔６４１３が複数個形成される。貫通孔６４１３は、第１入賞部材５４００を締結するためのネジＮ４を挿入する孔であり、ネジＮ４の先端の外径よりも大きく形成される。また、貫通孔６４１３は、上端側がネジＮ４の頭部を挿入可能な大きさに拡径される。これにより、第１入賞部材５４００を締結した場合に、ネジＮ４の頭部が上方（センタフレーム８６）側に突出することを抑制できる。
【０２２０】
貫通孔６４１３は、第１入賞部材６４００の長手方向（図２３（ａ）左右方向）の両端に３箇所ずつ形成される（合計６箇所形成される）。上述したように、第１入賞部材６４００の貫通孔６４１３は、ベース板６０の締結孔６０６０ｄ４と同軸上に形成される。よって、第１入賞部材６４００は、ネジＮ４を貫通孔６４１３に挿通すると共に、締結孔６０６０ｄ４に螺合することで、ベース板６０に締結固定される。
【０２２１】
以上のように構成される入賞口ユニット６３００によれば、第１入賞部材６４００の遊技釘ＹＫが折れた場合や、遊技釘ＹＫが第１入賞部材６４００から抜け落ちた場合に、センターフレーム８６をベース板６０から取り外した後に、不良の第１入賞部材５４０を取り外し、新しい（正常な）第１入賞部材６４００を取り付けることで修理することができる。
【０２２２】
上述したように、貫通孔６４１３は、第１入賞部材６４００に複数箇所（６箇所）形成される。よって、第１入賞部材６４００を交換する場合には、交換後の第１入賞部材６４００をベース板６０に配置したあとに、ネジＮ４の螺合が一度もされていない締結孔６０６０ｄ４と同軸上に位置する貫通孔６４１３にネジＮ４を挿通すると共に、ネジＮ４を締結孔６０６０ｄ４に螺合させる。これにより、ネジＮ４を締結するための雌ねじを第１入賞部材６４００の交換前と交換後とで異ならせることができる。
【０２２３】
従って、ネジＮ４が螺合される雌ねじ（締結孔６０６０ｄ４）を第１入賞部材６４００の交換に伴って変更できるので、雌ねじがへたることを抑制できる。その結果、ベース板６０へ螺合するネジＮ４が衝撃等で取り外れることを抑制できる。
【０２２４】
また、貫通孔６４１３及び締結孔６０６０ｄ４がベース板６０の前面に略平行に延設されるので、貫通孔６４１３又はネジＮ４の頭が遊技盤１３の前面（遊技面）に露出されないようにできる。よって、ネジＮ４が挿通されていない貫通孔６４１３を遊技者に視認させ難くできるので、貫通孔６４１３を被覆するための他の部材の面積を抑制または不要とすることができる。また、ネジＮ４の頭が遊技球の転動面（遊技面）に露出されないので、ネジＮ４を皿ネジとすることや、ネジＮ４の頭を収容する座繰り（凹部）を設けることを不要とでき、構造を簡素化できる。
【０２２５】
次いで、図２５及び図２６を参照して、第７実施形態について説明する。第２実施形態では、ベース板６０に形成される円環突起２０６０ｄ１に皿ネジＮ２を螺合する場合を説明したが、第７実施形態では、皿ネジＮ２が螺合される螺合部分（円環突起２０６０ｄ１）が第１入賞部材７４００に形成される。なお、上述した各実施形態と同一の部分には同一の符号を付してその説明は省略する。
【０２２６】
図２５（ａ）は、第７実施形態における遊技盤１３の正面図であり、図２５（ｂ）は、図２５（ａ）のＸＸＶｂ−ＸＸＶｂ線における遊技盤１３の断面図である。図２６は、遊技盤１３の分解斜視正面図である。なお、図２６では、センタ―フレーム８６が取り外された状態が図示される。また、図２５及び図２６では、入賞口ユニット７３００及びベース板６０の外形が簡略化されて図示される。さらに、図２５（ａ）及び図２５（ｂ）では、入賞口ユニット７３００の第１入賞部材２５００が透明視されると共に、その外形が鎖線で図示される。
【０２２７】
図２５及び図２６に示すように、第７実施形態におけるベース板６０は、凹設部２０６０ｃの中央開口（センタフレーム８６）側の周囲に背面側（図２５（ａ）紙面奥側）から前面側（図２５（ａ）紙面手前側）に凹設される窪み部７０６０ｄが形成され、その窪み部７０６０ｄの前面側の非凹設部分に遊技盤張出部７０６０ｋが形成される。
【０２２８】
窪み部７０６０ｄは、背面視における外形が第１入賞部材７４００の外形と略同一に形成される。これにより、窪み部７０６０ｄの内側に第１入賞部材７４００を挿入して配設できる。また、窪み部７０６０ｄには、前面側に貫通する貫通孔７０６０ｅが複数個形成される。
【０２２９】
貫通孔７０６０ｅは、正面視円形状に形成されており、ベース板６０に第１入賞部材７４００を配設した状態において、第１入賞部材７４００の円環突起７４１４の軸と同軸上に形成される。また、貫通孔７０６０ｅは、前面側が皿ビスＮ２の頭部を収容できるように拡径して形成されると共に、背面側が円環突起７４１４を収容できるように拡径して形成される。即ち、拡径部７０６０ｅは、背面側に拡径部７０６０ｅ１を備える。
【０２３０】
拡径部７０６０ｅ１は、後述する円環突起７４１４の外径よりも大きく形成されると共に、前面側への凹設寸法が後述する円環突起７４１４の突設寸法よりも小さく形成される。これにより、第１入賞部材７４００をベース板６０に配設した状態において、円環突起７４１４を拡径部７０６０ｅ１の内側に挿入できると共に、円環突起７４１４の突設先端面を拡径部７０６０ｅ１の凹設底面に当接させることができる。
【０２３１】
即ち、第１入賞部材７４００がベース板６０に対して締結固定された状態では、第１入賞部材７４００の背面とベース板６０の前面との間に隙間が形成された状態を形成できる。よって、円環突起７４１４の弾性変形を利用して、第１入賞部座７４００をベース板６０に対して相対変位させやすくできる。その結果、例えば、第１入賞部材７４００に遊技釘ＹＫが植設される場合には、遊技中に遊技球が遊技釘ＹＫに衝突する際の振動を吸収して、遊技釘ＹＫの破損（折損）を抑制できる。
【０２３２】
なお、この場合には、円環突起７４１４は、拡径部７０６０ｅ１の内側寸法よりも小さい寸法に設定されることが好ましい。また、円環突起７４１４の突設先端と拡径部７０６０ｅ１の凹設底面とを除き、他の部分では、第１入賞部材７４００とベース板６０とが当接しないことが好ましい。これらにより、円環突起７４１４をより弾性変形しやすくすることができる。
【０２３３】
入賞口ユニット７３００は、ベース板６０の凹設部２０６０ｃの内側に配設される第１入賞部材７４００と、その第１入賞部材７４００及びベース板６０の前面側に配設される第２入賞部材２５００とから形成される。
【０２３４】
第１入賞部材７４００は、正面視横長矩形の板状体から形成される本体部７４１０と、その本体部７４１０の前面側から膨出する膨出部７４２０と、その膨出部７４２０側（前面側）から打ち込まれる遊技釘ＹＫとを主に備えて形成される。
【０２３５】
膨出部７４２０は、本体部７４１０の長手方向（図２５（ａ）左右方向）略中央位置に形成されると共に、本体部７４１０の長手方向において本体部７４１０よりも短く形成される。これにより、本体部７４１０の長手方向外側には、膨出部７４２０よりも外側に張り出した本体側張出部７４３７が形成される。本体部７４１０の本体側膨出部７４３７には、前面側のベース板６０側に円環状に突出する円環突起７４１４が形成される。
【０２３６】
円環突起７４１４は、本体部７４１０の長手方向両端部にそれぞれ２個ずつ形成される（合計４個形成される）。また、円環突起７４１４は、皿ネジＮ２が螺合される部分であり、円環状の内周部分に雌ねじが形成される。
【０２３７】
第１入賞部材７４００を締結する４本の皿ネジＮ２は、ベース板６０の貫通孔７０６０ｅを挿通されると共に、第１入賞部材７４００の円環突起７４１４に螺合される。これにより、第１入賞部材７４００をベース板６０に締結固定できる。
【０２３８】
以上にように構成される入賞ユニット７３００によれば、第１入賞部材７４００の遊技釘ＹＫが折れた場合や、遊技釘ＹＫが第１入賞部材７４００から抜け落ちた場合に、第２入賞部材７５００をベース板７０から取り外した後に、不良の第１入賞部材７４００を取外して、新しい（正常な）第１入賞部材７４００を取り付けることで修理することができる。
【０２３９】
ここで、第１遊技盤部材（ベース板６０）と、その第１遊技盤部材に締結固定され第１遊技盤部材と共に遊技盤を形成する第２遊技盤部材（入賞口ユニット３３００）とを備えた遊技機が知られている。第２遊技盤部材には挿通孔（貫通孔２４１３）が、第１遊技盤部材にはめねじ（円環突起２０６０ｄ１の内縁部分）が、それぞれ形成され、第２遊技盤部材の挿通孔に挿通されたねじ部材（皿ネジＮ２）が、第１遊技盤部材のめねじに螺合されることで、第２遊技盤部材が第１遊技盤部材に対して締結固定される。かかる遊技機によれば、第２遊技盤部材を第１遊技盤部材に対して着脱できる。即ち、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材を交換する毎に、めねじとねじ部材との螺合が繰り返され、めねじのねじ山にへたり（摩耗やかじり）が生じるため、交換回数が嵩むと、締結固定の信頼性が低下するという問題点があった。
【０２４０】
これに対し、第７実施形態によれば、皿ネジＮ２が挿通される貫通孔７０６０ｅがベース板６０に形成されると共に、ベース板６０の貫通孔７０６０ｅに挿通された皿ネジＮ２が螺合される雌ねじ（円環突起７４１４）が第１入賞部材７４００に形成されるので、第１入賞部材７４００を交換する際には、その交換に伴って、新しい雌ねじを使用できる。よって、交換回数が嵩んだ場合でも、締結固定の信頼性を確保することができる。
【０２４１】
また、第１入賞部材７４００の前面から突設される円環突起７４１４と、その円環突起７４１４を受け入れ可能にベース板６０の背面に凹設される拡径部７０６０ｅ１とを備え、雌ねじが第１入賞部材７４００の円環突起７４１４に形成されると共に、貫通孔７０６０ｅがベース板６０の拡径部７０６０ｅ１に連通して形成されるので、雌ねじのネジ部（軸部）の長さを確保できる。よって、その分、皿ネジＮ２の軸力を高めることができ、第１入賞部材７４００をベース板６０に対して強固に締結固定しやすくできる。
【０２４２】
なお、第１部材７４００は、比較的小型となるため、その強度の確保が困難であるところ、円環突起７１４１に雌ねじを形成して、ネジ部の長さを確保することで、皿ネジＮ２に所定の軸力を付与可能としつつ、第１入賞部材７４００の負担を分散させることができいる。即ち、円環突起７１４１に雌ねじを設ける構成が、強固な締結固定と構成部材の破損防止とを両立させる観点から特に有効となる。
【０２４３】
また、第１入賞部材７４００は、窪み部７０６０ｄが背面側から前面側に向かって凹設されるので、遊技釘ＹＫを打ち込んだ場合に、ベース板６０が破損することを抑制できる。
【０２４４】
即ち、上述した第２実施形態では、窪み部２０６０ｄが前面側から背面側に向かって凹設されるので、遊技釘ＹＫを第１入賞部材２４００に打ち込んだ際の衝撃が、第１入賞部材２４００から窪み部２０６０ｄの背面側部分（窪み部２０６０ｄにより薄肉化された部分）のベース板６０に伝達される。従って、薄肉化された部分のベース板６０には、窪み部２０６０ｄから離れる方向（背面方向）に力が作用する。その結果、窪み部２０６０ｄの角部分に力が集中して、ベース板６０が破損する恐れがあった。
【０２４５】
これに対し、第７実施形態では、遊技釘ＹＫを打ち込んだ際の衝撃が、皿ネジＮ２から窪み部７０６０ｄの正面側部分（窪み部２０６０ｄにより薄肉化された部分）のベース板６０に伝達される。従って、薄肉化された部分のベース板６０には、窪み部７０６０ｄ側に近づく方向に力が作用する。その結果、窪み部７０６０ｄの角部に力が集中することを抑制でき、ベース板６０が破損することを抑制できる。
【０２４６】
さらに、ベース板６０には、第３図柄表示装置８１を視認可能とするための中央開口（窓部）と、第１入賞部材７４００を配設するための凹設部２０６０ｃとが開口形成され、それら中央開口と凹設部２０６０ｃとが連通されているので、第１入賞部材７４００を交換する際に、ベース板６０の中央開口を利用して作業者に第１入賞部材７４００を握持（把持）させることができる。よって、第１入賞部材７４００の交換作業の作業性の向上を図ることができる。例えば、第１入賞部材７４００に遊技釘ＹＫが植設される場合には、遊技釘ＹＫを握持しなくても交換作業ができるので、新たに取り付ける第１入賞部材７４００の遊技釘ＹＫが握持されることを抑制して遊技釘が屈曲したり遊技釘ＹＫ同士の間隔が変更されることを抑制できる。
【０２４７】
また、第１入賞部材７４００には２本の遊技釘ＹＫが植設され、それら２本の遊技釘ＹＫを結ぶ仮想線の延長線上には雌ねじが非形成とされるので、第１入賞部材７４００の割れを抑制できる。即ち、２本の遊技釘ＹＫの植設に伴うひずみ（第１入賞部材７４００の弾性変形）が２本の遊技釘ＹＫを結ぶ仮想線の方向で重なるため、仮想線の延長線上の領域では、第１入賞部材７４００の割れが発生しやすいところ、かかる領域には、雌ねじが非形成とされることで、遊技釘ＹＫの植設に伴うひずみに、皿ネジＮ２の螺合に伴う負荷が更に重なることを抑制できる。その結果、第１入賞部材７４００の割れを抑制できる。
【０２４８】
なお、仮想線の延長線と雌ねじとの離間距離は、第１入賞部材７４００の割れを抑制する観点より、皿ネジＮ２の外径の基準寸法（ネジの呼び径）以上に設定されることが好ましく、皿ネジＮ２の外径の基準寸法の２倍以上に設定されることがより好ましい。
【０２４９】
次いで、図２７（ａ）を参照して第８実施形態について説明する。第２実施形態では、第１入賞部材２４００がベース板６０に対して正面側から取り外し可能に形成される場合を説明したが、第８実施形態では、第１入賞部材８４００がベース板６０に対して上方側から取り外し可能に形成される。なお、上述した各実施形態と同一の部分には、同一の符号を付してその説明は省略する。
【０２５０】
図２７（ａ）は、第８実施形態における遊技盤１３の断面図である。なお、図２７（ａ）は、図２５（ｂ）の断面図と対応する。また、図２７（ａ）では、入賞口ユニット８３００及び及びベース板６０の外形が簡略化されて図示される。さらに、図２７（ａ）では、入賞口ユニット８３００の第２入賞部材２５００が透明視されると共に、その外形が破線で図示される。
【０２５１】
図２７（ａ）に示すように、第８実施形態におけるベース板６０は、ベース板６０の背面に前面側へ向けて凹設される窪み部７０６０ｄと、その窪み部７０６０ｄの反対側に形成される（ベース板６０の前面に背面側へ向けて凹設される）第２窪み部８０６０ｆと、窪み部７０６０ｄ及び第２窪み部８０６０ｆの間に形成される突出部８０６０ｇと、窪み部７０６０ｄからベース板６０の前面に貫通形成される貫通孔７０６０ｅとを主に備えて形成される。
【０２５２】
第２窪み部８０６０ｆは、凹設部２０６０ｃに連なって形成されると共に、左右方向（図２７（ａ）左右方向）の距離寸法が窪み部７０６０ｄの左右方向寸法よりも小さく形成される。貫通孔７０６０ｅは、窪み部７０６０ｄが形成される前面側に形成されると共に、第２凹設部８０６０ｆの左右方向外側に位置される。
【０２５３】
突出部８０６０ｇは、後述する第１入賞部材８４００の溝部８４１４の内側に挿入される板であり、窪み部７０６０ｄの上下方向（図２７（ａ）紙面手前側から紙面奥側の方向）寸法と略同一の上下方向寸法に形成される。
【０２５４】
入賞口ユニット７３００は、ベース板６０の凹設部２０６０ｃの内側に配設される第１入賞部材８４００と、その第１入賞部材８４００及びベース板６０の前面側に配設される第２入賞部材３５００とから形成される。
【０２５５】
第１入賞部材８４００は、正面視横長矩形の板状体から形成される本体部８４１０と、その本体部８４１０の前面側から膨出する膨出部８４２０と、その膨出部８４２０側（前面側）から打ち込まれる遊技釘ＹＫとを主に備えて形成される。
【０２５６】
膨出部８４２０は、本体部８４１０の長手方向（図２７（ａ）左右方向）略中央位置に形成されると共に、本体部８４１０の長手方向において本体部８４１０よりも短く形成される。また、膨出部８４２０には、本体部８４１０との連結部分側の左右方向（図２７（ａ）左右方向）の側面から中央側に向かって溝部８４２１が形成（凹設）される。
【０２５７】
本体部８４１０には、膨出部８４２０よりも長手方向外側に皿ネジＮ２を螺合できる雌ねじ（締結孔８４１５）が形成される。また、締結孔８４１５は、第１入賞部材８４００をベース板６０に配設した状態において、ベース板６０の貫通孔７０６０ｅと同軸上に形成される。よって、第１入賞部材８４００は、皿ネジＮ２を貫通孔７０６０ｅに挿入した後に締結孔８４１５に螺合することでベース板６０に締結固定される。
【０２５８】
溝部８４２１は、本体部８４１０の短手方向（図２７（ａ）紙面手前側と紙面奥側とを結ぶ方向）に全域に形成される。また、溝部８４２１は、その前後方向（図２７（ａ）上下方向）の対向間寸法が上述した突出部８０６０ｇの前後方向寸法よりも大きく形成されると共に、左右方向の凹設寸法が突出部８０６０ｇの突出寸法よりも大きく形成される。
【０２５９】
これにより、第１入賞部材８４００は、凹設部２０６０ｃの上方（図２７（ａ）紙面手前側）から下方（図２７（ａ）紙面奥側）に変位させると共に、溝部８４２１の内側に突出部８０６０ｇを挿入してベース板６０に配設できる。即ち、突出部８０６０ｇと溝部８４２１とが係合した状態とされる。
【０２６０】
以上のように構成される入賞口ユニット８３００によれば、第１入賞部材８４００の遊技釘ＹＫが折れた場合や、遊技釘ＹＫが第１入賞部材８４００から抜け落ちた場合に、センターフレーム８６をベース板６０から取り外した後に、不良の第１入賞部材８４００を取り外して、新しい（正常な）第１入賞部材８４００を取り付けることで修理することができる。
【０２６１】
上述したように、第１入賞部材８４００をベース板６０に締結するための締結孔８４１５は、第１入賞部材８４００に形成される。よって、第１入賞部材８４００を交換した場合には、第１入賞部材８４００を締結するための締結孔８４１５も交換されるので、第１入賞部材８４００を交換する度に雌ねじ部分が摩耗してへたることを抑制できる。その結果、第１入賞部材８４００の締結孔８４１５に締結する皿ネジＮ２が衝撃等で取れる（緩む）ことを抑制できる。
【０２６２】
また、第８実施形態では、上述したようにベース板６０の凹設部２０６０ｃの内側面から突出される突出部８０６０ｇと、その突出部８０６０ｇを受け入れ可能に第１入賞部材８４００の外側面に凹設されると共にベース板６０の前面（遊技面）に平行な方向に沿って連続して延設され中央開口（窓部）に連なる溝部８４２１とを備えるので、第１入賞部材８４００をベース板６０の中央開口側へ抜き取ることを可能としつつ、遊技に伴う振動により或いは不正な手段により皿ネジＮ２がゆるんだり取り外された場合でも、ベース板６０から第１入賞部材８４００が脱落することを抑制できる。
【０２６３】
即ち、突出部８０６０ｇと溝部８４２１とが係合した状態とされるので、仮に皿ネジＮ２が衝撃等で締結孔８４１５から抜け出た場合に、突出部８０６０ｇと溝部８４２１との係合により、第１入賞部材８４００がベース板６０に対して前後方向に動くことを抑制できる。
【０２６４】
さらに、ベース板６０の凹設部２０６０ｃの内側面から張り出し挿通孔７０６０ｅが形成される遊技盤張出部７０６０ｋと、第１入賞部材８４００の外側面から張り出し雌ねじが形成される本体部側張出部７４３７とを備え、ベース板６０の遊技盤張出部７０６０ｋから突出部８０６０ｇが突出されると共に、第１入賞部材８４００の本体側張出部７４３７の非形成部分（膨出部８４２０の外側面）に溝部８４２１が凹設されるので、雌ねじのねじ部（完全ネジ部）の長さを確保できる。よって、その分、皿ネジＮ２の軸力を高めることができ、第１入賞部材８４００をベース板６０に対して強固に締結固定しやすくできる。
【０２６５】
なお、第１入賞部材８４００は、比較的小型となるため、その強度の確保が困難であるところ、ベース板６０の遊技盤張出部７０６０ｋから突出部８０６０ｇが突出して、ネジ部の長さを確保することで、皿ネジＮ２に所定の軸力を付与可能としつつ、第１入賞部材８４００の負担を分散させることができる。即ち、ベース板６０の遊技盤張出部７０６０ｇから突出部８０６０ｇを突出する構成が、強固な締結固定と第１入賞部材８４００の破損防止とを両立させる観点から特に有効となる。
【０２６６】
次いで、図２７（ｂ）を参照して、第９実施形態について説明する。第２実施形態では、第１入賞部材２４００がベース板６０に対して正面側から取り外し可能に形成される場合を説明したが、第９実施形態では第１入賞部材９４００がベース板６０に対して上方側から取り外し可能に形成される。なお、上述した各実施形態と同一の部分には、同一の符号を付してその説明は省略する。
【０２６７】
図２７（ｂ）は、第９実施形態における遊技盤１３の断面図である。なお、図２７（ｂ）は、図２５（ｂ）の断面図と対応する。また、図２７（ｂ）では、入賞口ユニット８３００及びベース板６０の外形が簡略化されて図示される。さらに、図２７（ｂ）では、入賞口ユニット８３００の第２入賞部材２５００が透明視されて図示されると共に、その外形が破線で図示される。
【０２６８】
図２７（ｂ）に示すように、第９実施形態におけるベース板６０は、背面側（図２７（ｂ）上方側）から前面側（図２７（ｂ）下方側）に凹設される窪み部９０６０ｄを備えて形成される。窪み部９０６０ｄには、ベース板６０の背面側の端部における内壁から内側に向かってする突出部９０６０ｇが突出して形成される。
【０２６９】
突出部９０６０ｇは、窪み部９０６０ｄの背面と突出部９０６０ｇとの対向面を形成するための壁部であり、窪み部９０６０ｄの背面と所定の間隔を隔てて形成される。これにより、後述する第１入賞部材９４００の係合部９４１７を窪み部９０６０ｄの背面と突出部９０６０ｇとの対向間に挿入できる。
【０２７０】
また、突出部９０６０ｇは、ベース板６０の幅方向（図２７（ｂ）左右方向）の突出先端位置が、貫通孔７０６０ｅよりもベース板６０の幅方向方向外側に設定される。これにより、皿ネジＮ２と第１入賞部材８４００との螺合距離を確保することができる。
【０２７１】
入賞口ユニット９３００は、ベース板６０の凹設部２０６０ｃの内側に配設される第１入賞部材９４００と、その第１入賞部材９４００及びベース板６０の前面側に配設される第２入賞部材２５００とから形成される。
【０２７２】
第１入賞部材９４００は、正面視横長矩形の板状体から形成される本体部９４１０と、その本体部９４１０の前面側から膨出する膨出部９４２０と、その膨出部９４２０側（前面側）から打ち込まれる遊技釘ＹＫとを主に備えて形成される。
【０２７３】
膨出部９４２０は、本体部９４１０の長手方向（図２７（ｂ）左右方向）略中央位置に形成されると共に、本体部９４１０の長手方向において本体部９４１０よりも短く形成される。また、本体部９４１０には、長手方向外側に皿ネジＮ２を螺合できる雌ねじ（締結孔８４１５）が形成される。また、締結孔８４１５は、第１入賞部材９４００をベース板６０に配設した状態において、ベース板６０の貫通孔７０６０ｅと同軸上に形成される。よって、第１入賞部材９４００は、皿ネジＮ２を貫通孔７０６０ｅに挿入した後に締結孔８４１５に螺合することでベース板６０に締結固定される。
【０２７４】
本体部９４１０には、背面側（図２７（ｂ）上方側）の長手方向（図２７（ｂ）左右方向）両端部から内側に凹設される凹設部９４１６が形成されることで、凹設部９１４６の前面側に左右方向外側に部分的に突出する係合部９４１７が形成される。
【０２７５】
凹設部９４１６は、左右方向外側の端部に形成されると共に、上下方向全域に形成される。また、凹設部９４１６は、左右方向の凹設寸法が、ベース板６０の突出部９０６０ｇの左右方向の突出寸法よりも大きく設定されると共に、前後方向の凹設寸法が、ベース板６０の突出部９０６０ｇの前後方向寸法よりも大きく設定される。これにより、第１入賞部材９４００は、凹設部２０６０ｃの上方側（図２７（ａ）紙面手前側）から下方に変位させると共に、突出部９０６０ｇと窪み部９０６０ｄとの対向間に係合部９４１７を挿入して配設できる。その結果、突出部９０６０ｇと窪み部９０６０ｄとの対向間および係合部９４１７を係合した状態とできる。
【０２７６】
以上の様に構成される入賞口ユニット９３００によれば、第１入賞部材９４００の遊技釘ＹＫが折れた場合や、遊技釘ＹＫが第１入賞部材９４００から抜け落ちた場合に、センターフレーム８６をベース板６０から取り外した後に、不良の第１入賞部材９４００を取り外して新しい（正常な）第１入賞部材９４００を取り付けることで修理することができる。
【０２７７】
上述したように、第１入賞部材９４００をベース板６０に締結するための締結孔８４１５は、第１入賞部材９４００に形成される。よって、第１入賞部材９４００を交換した場合には、第１入賞部材９４００を締結するための締結孔８４１５も交換されるので、第１入賞部材９４００を交換する度に雌ねじ部分が摩耗してへたることを抑制できる。その結果、第１入賞部材９４００の締結孔９４１５に締結する皿ネジＮ２が衝撃等で取れる（緩む）ことを抑制できる。
【０２７８】
また、第９実施形態では、上述したように第１入賞部材９４００の外側面から突出される係合部９４１７と、その係合部９４１７を受け入れ可能にベース板６０の凹設部２０６０ｃに内周面に凹設されると共にベース板６０の前面（遊技面）に平行な方向に沿って連続して延設され中央開口に連なる窪み部９０６０ｄとを備えるので、第１入賞部材９４００をベース板６０の中央開口側へ抜き取ることを可能としつつ、遊技に伴う振動により或いは不正な手段により皿ネジＮ２がゆるんだり取り外された場合でも、ベース板６０から第１入賞部材９４００が脱落することを抑制できる。
【０２７９】
即ち、突出部９０６０ｇと窪み部９０６０ｄとが係合した状態とされるので、仮に皿ネジＮ２が衝撃等で締結孔８４１５から抜け出た場合に、第１入賞部材８４００がベース板６０に対して前後方向に動くことを抑制できる。
【０２８０】
ベース板６０の凹設部２０６０ｃの内側面から張り出し貫通孔７０６０ｅが形成される遊技盤張出部７０６０ｋと、第１入賞部材９４００の外側面から張り出し雌ねじが形成される本体側張出部７４３７とを備え、第１入賞部材９４００の本体側張出部７４３７から係合部９４１７が突出されると共に、ベース板６０の遊技盤張出部７０６０ｋの非形成部分に窪み部９０６０ｇが凹設されるので、雌ねじのネジ部（完全ネジ部）の長さを確保できる。よって、その分、皿ネジＮ２の軸力を高めることができ、第１入賞部材９４００をベース板６０に対して強固に締結固定しやすくできる。
【０２８１】
なお、第１入賞部材９４００は、比較的小型となるため、その強度の確保が困難であるところ、第１入賞部材９４００の本体側張出部７４３７から係合部９４１７を突出して、ネジ部の長さを確保することで、皿ネジＮ２に所定の軸力を付与可能としつつ、第１入賞部材９４００の負担を分散させることができる。即ち、第１入賞部材９４００の本体側張出部７４３７から係合部９４１７を突出する構成が、強固な締結固定と第１入賞部材９４００の破損防止とを両立させる観点から特に有効となる。
【０２８２】
次いで、図２８及び図２９を参照して第１０実施形態について説明する。第２実施形態では、第１入賞部材２４００の膨出部２４２０の左右の両面が上下方向に連続して延設される（即ち、本体部２４１０の背面側に突出されない）場合を説明したが、第１０実施形態の第１入賞部材１０４００における膨出部１０４２０には左右方向外側に突出する突設部１０４２２が形成される。なお、上述した各実施形態と同一の部分には、同一の符号を付してその説明は省略する。
【０２８３】
図２８（ａ）は、第１０実施形態における第１入賞部材１０４００の背面斜視図であり、図２８（ｂ）は、第１入賞部材１０４００及びベース板６０の分解斜視正面図である。図２９（ａ）は、遊技盤１３の正面図であり、図２９（ｂ）は、図２９のＸＸＩＸｂ−ＸＸＩＸｂ線における遊技盤１３の断面図である。なお、図２８（ａ）及び図２８（ｂ）では、第１入賞部材１０４００及びベース板６０の外形が簡略化されて図示される。また、図２９（ａ）及び図２９（ｂ）では、第２入賞部材２５００が取り外された状態が図示される。
【０２８４】
図２８に示すように、第１０実施形態におけるベース板６０は、ベース板６０の中央開口下側から下方に凹設される凹設部２０６０ｃと、その凹設部２０６０ｃに連結して凹設形成される窪み部２０６０ｄと、窪み部２０６０ｄの一部から背面側に切り欠き形成（開口形成）される切欠き部１００６０ｈとを主に備えて形成される。
【０２８５】
切欠き部１００６０ｈは、後述する第１入賞部材１０４００に形成される突設部１０４２２を受け入れる開口である。切欠き部１００６０ｈは、凹設部２０６０ｃに連通する開口として左右方向（図２９（ａ）左右方向）外側へ向けてベース板６０における窪み部２０６０ｄの形成部分の残部に切り欠き形成される。
【０２８６】
入賞口ユニット１０３００は、ベース板６０の凹部２０６０ｃの内側に配設される第１入賞部材１０４００と、その第１入賞部材１０４００及びベース板６０の前面側に配設される第２入賞部材２５００（図１２参照）とから形成される。
【０２８７】
第１入賞部材１０４００は、正面視横長矩形の板状体から形成される本体部２４１０と、その本体部２４１０の背面側から膨出する膨出部２４２０と、その膨出部２４２０から本体部２４１０の長手方向外側（図２９（ａ）左右方向）に突出する突設部１０４２２と、本体部２４１０の前面から打ち込まれる遊技釘ＹＫとを主に備えて形成される。
【０２８８】
突設部１０４２２は、本体部２４１０の短手方向（図２９（ａ）上下方向）に膨出部２４２０を３等分した中間部分から本体部２４１０の長手方向（図２９（ａ）左右方向）に突設される。また、突設部１０４２２は、突設先端（左右の端部）外側が本体部２４１０の長手方向両端面（外周面）と略面一なる平坦面として形成され、設定され、本体部２４１０側から植設される２本の遊技釘ＹＫを結ぶ仮想線の延長線上に沿って形成される。
【０２８９】
さらに、膨出部１０４００は、２本の遊技釘ＹＫを結ぶ仮想線に直交する方向（上下方向（図２９（ｂ）上下方向）における寸法が、突設部１０４２２の寸法よりも大きくされるので、２本の遊技釘ＹＫを結ぶ仮想線に直交する方向における第１入賞部材１０４００の剛性を高めることができる。その結果、第１入賞部材１０４００の破損を抑制できる。
【０２９０】
また、本体部２４１０に形成される貫通孔２４１３は、正面視において本体部２４１０の上下左右の端部に形成され、上下の２箇所が突設部１０４２２を挟んだ位置に形成される。これにより、第１入賞部材１０４００の剛性を高めるための領域と、ベース板６０に第１入賞部材１０４００を締結固定するための領域との両者を効率的に確保できる。その結果、第１入賞部材１０４００の破損の抑制と第１入賞部材１０４００の小型化との両立を図ることができる。
【０２９１】
上述した切欠き部１００６０ｈは、正面視において突設部１０４２２の外形と略同一の形状に形成され、第１入賞部材１０４００がベース板６０に配設された状態において、突設部１０４２２が切欠き部１００６０ｈに圧入される。これにより、ベース板６０に突設部１０４２２を保持させることができる。即ち、突設部１０４２２の少なくとも一部が保持される分、ベース板６０の剛性を利用して、第１入賞部材１０４００の構成を高めることができる。その結果、第１入賞部材１０４００の破損を抑制できる。
【０２９２】
また、遊技釘ＹＫは、本体部２４１０の短手方向中間位置に打ち込まれる。よって、突設部１０４２２は、本体部２４１０側に植設される２本の遊技釘ＹＫを結ぶ仮想線の延長線上に沿って形成されるので、第１入賞部材１０４００の破損を抑制できる。即ち、２本の遊技釘ＹＫの植生に伴うひずみ（第１入賞部材１０４００の弾性変形）が２本の遊技釘を結ぶ仮想線の方向で重なるため、仮想線の延長線上の領域では、第１入賞部材１０４００の割れが発生しやすいところ、かかる領域に突設部１０４２２が形成されることで、その分、遊技釘ＹＫの植設に伴うひずみを緩和することができる。よって、遊技釘ＹＫの植設に伴うひずみに、遊技釘ＹＫへの遊技球の衝突にともなう負荷が更に重なることを抑制できる。
【０２９３】
以上のように構成される入賞口ユニット１０３００によれば、第１入賞部材１０４００の遊技釘ＹＫが折れた場合や、遊技釘ＹＫが第１入賞部材１０４００から抜け落ちた場合に、第１入賞部材２５００をベース板６０から取り外した後に、不良の第１入賞部材１０４００を取り外して新しい（正常な）第１入賞部材１０４００を取り付けることで修理することができる。
【０２９４】
ここで、第１遊技盤部材（ベース板６０）と、その第１遊技盤部材に着脱自在に配設され第１遊技盤部材と共に遊技盤を形成する第２遊技盤部材（第１入賞部材２４００）とを備え、第２遊技盤部材の遊技面に釘（遊技釘ＹＫ）が植設された遊技機が知られている。かかる遊技機によれば、第２遊技盤部材の釘に折損が生じた場合には、第２遊技盤部材のみの交換により、遊技盤全体としての交換を不要とすることができる。しかしながら、上述した従来の遊技機では、第２遊技盤部材が比較的小型に形成されるため、その第２遊技盤部材の剛性を確保することが困難である。そのため、遊技球の衝突により釘に外力が作用されると、第２遊技盤部材が破損しやすいという問題点があった。
【０２９５】
これに対し、第１０実施形態では、遊技釘ＹＫへの外力の作用に伴う第１入賞部材１０４００の破損を抑制可能に形成されるので、遊技球の衝突により遊技釘ＹＫに外力が作用された場合に、第１入賞部材１０４００が破損することを抑制できる。
【０２９６】
即ち、第１入賞部材１０４００は、遊技釘ＹＫが植設される膨出部２４２０と、その膨出部よりも厚み寸法が小さくされると共にベース板６０に当接されて締結固定される本体側張出部２４３７とを備え、本体側張出部２４３７が、ベース板６０との当接面から突設されると共に、膨出部２４２０に連なる突設部１０４２２を備えるので、その分、膨出部２４２０の剛性を高めることができる。よって、遊技球の衝突により遊技釘ＹＫに外力が作用された場合に、第１入賞部材１０４００が破損することを抑制できる。
【０２９７】
また、上述したように、切欠き部１００６０ｈは、正面視において突設部１０４２２の外形と略同一の形状に形成されるので、第１入賞部材１０４００をベース板６０に配設した状態において、突設部１０４２２の上下の面を切欠き部１００６０ｈと当接させることができる。これにより、遊技釘ＹＫに遊技球が当接した場合に、第１入賞部材１０４００が破損することを抑制できる。
【０２９８】
即ち、遊技釘ＹＫに遊技球が上方から衝突した場合に、その衝突の衝撃により、遊技釘ＹＫと第１入賞部材２４００との連結部分を中心に、遊技釘ＹＫの頭部側を下方に押し下げる回転力が作用する。第１０実施形態では、遊技釘ＹＫが打ち込まれる背面側部分で、突設部１０４２２の上下の面を切欠き部１００６０ｈと当接させることができる。よって、遊技釘ＹＫと第１入賞部材２４００との連結部分を中心に、遊技釘ＹＫの頭部側を下方に押し下げる回転力に対して、面同士で当接させすくできる。従って、遊技球が当接した衝撃を面同士で当接して力を分散することができる。その結果、第１入賞部材１０４００が破損することを抑制できる。
【０２９９】
次いで、図３０を参照して、第１１実施形態について説明をする。第２実施形態では、第１入賞部材２４００がベース板６０に直接固定される場合を説明したが、第１１実施形態の第１入賞部材１０４００は、ゴムカラーＧＣを間に介在させて、ベース板６０に間接的に取り付けられる。なお、上述した各実施形態と同一の部分には、同一の符号を付してその説明は省略する。
【０３００】
図３０（ａ）は、第１１実施形態における第１入賞部材１１４００及びベース板６０の分解斜視正面図であり、図３０（ｂ）は、第１入賞部材１１４００及びベース板６０の断面図である。なお、図３０（ｂ）の断面図は、図２５（ｂ）の断面図と対応する。また、図３０（ａ）及び図３０（ｂ）では、第１入賞部材１１４００及びベース板６０の外形が簡略化されて図示される。
【０３０１】
図３０に示すように、第１１実施形態におけるベース板６０は、ベース板６０の中央開口下側から下方に凹設される凹設部２０６０ｃと、その凹設部２０６０ｃに連結されつつベース板６０の前面に凹設形成される窪み部２０６０ｄとを主に備えて形成される。
【０３０２】
また、正面視における窪み部２０６０ｄの外周面（隙間形成面１１０６０ｄ５）は、正面側に向かって外側に傾斜した傾斜面として形成される。これにより、第１入賞部材１１４００と窪み部２０６０ｄとの対向間に隙間を形成できる。窪み部２０６０ｄには、前後方向に貫通されると共に、内面に雌ねじが形成される締結孔６０６０ｄ４が形成される。これにより、第１入賞部材１１４００をベース板６０に締結できる。
【０３０３】
入賞口ユニット１１３００は、ベース板６０の凹部２０６０ｃの内側に配設される第１入賞部材１１３１０と、その第１入賞部材１０４００及びベース板６０の前面側に配設される第２入賞部材２５００（図１２参照）とから形成される。
【０３０４】
第１入賞部材１１４００は、正面視横長矩形の板状体から形成される本体部１１４１０と、その本体部１１４１０の背面側から膨出する膨出部２４２０と、本体部１１４１０側（前面側）から打ち込まれる遊技釘ＹＫとを主に備えて形成される。
【０３０５】
本体部１１４１０は、正面視横長矩形の板状体から形成され、ベース板６０の締結孔６０６０ｄ４と同軸上に貫通形成される挿通孔１１４１８を備える。挿通孔１１４１８は、第１入賞部材１１４００を締結するネジＮ３を挿通させる孔である。挿通孔１１４１８は、正面側が拡径されて形成され、その内側に後述するゴムカラーＧＣの大径側の頭部を挿入できる。また、挿通孔１１４１８の内径は、ゴムカラーＧＣの小径側の胴部の外径よりも大きく形成される。これにより、ゴムカラーＧＣの小径側を挿通孔１１４１８の内側に挿入できる。
【０３０６】
ゴムカラーＧＣは、円環状に形成されると共に、胴部の軸方向の一方側に外側に拡径する大径部を備える。ゴムカラーＧＣは、ゴム状の弾性体から形成されており、外力が作用することで弾性変形することができる。また、ゴムカラーＧＣは、第１入賞部材１１４００の挿通孔１１４１８の前面側と背面側と１個ずつ配設されており、挿通孔１１４１８の内側に小径側（胴部）が挿入される。
【０３０７】
第１入賞部材１１４００は、挿通孔１１４１８の内側にゴムカラーＧＣを配設した状態で、正面側からネジＮ３を挿通してベース板６０の締結孔６０６０ｄ４に螺合することで、ベース板６０に取り付けられる。よって、第１入賞部材１１４００とベース板６０との間に弾性部材（ゴムカラーＧＣ）が介設された状態にできる。
【０３０８】
上述したように、ベース板６０には、隙間形成面１１０６０ｄ５が形成され、窪み部２０６０ｄと第１入賞部材１１４００との対向間に隙間が形成されるので、弾性部材（カラー部材ＧＣ）の弾性変位に伴って、第１入賞部材１１４００がベース板６０に対して相対変位した場合の両者の衝突を抑制することができる。
【０３０９】
以上のように構成される入賞口ユニット１１３００によれば、第１入賞部材１１４００を第１入賞部材１１４００の遊技釘ＹＫが折れた場合や、遊技釘ＹＫが第１入賞部材１１４００から抜け落ちた場合に、第１入賞部材２５００をベース板６０から取り外した後に、不良の第１入賞部材１１４００を取り外して新しい（正常な）第１入賞部材１１４００を取り付けることで修理することができる。
【０３１０】
また、上述したように、ベース板６０及び第１入賞部材１１４００よりも弾性係数が小さい材料からなるゴムカラーＧＣを備え、ベース板６０に第１入賞部材１１４００がゴムカラーＧＣを介して配設されるので、ゴムカラーＧＣの弾性変形を利用して、第１入賞部材をベース板６０に対して相対変位させやすくできる。即ち、その相対変位（弾性変形）により、遊技球の遊技釘ＹＫへの衝突に伴う外力を吸収して、第１入賞部材１１４００の破損を抑制できる。
【０３１１】
さらに、隙間形成面１１０６０ｄ５は、上述したように、正面側に向かって外側に傾斜して形成されるので、第１入賞部材１１４００の下側の隙間形成面１１０６０ｄ５を外側（前面）へ向けて下降傾斜する面とできる。よって、第１入賞部材１１４００とベース板６０との間のゴミ等を、隙間形成面１１０６０ｄ５の下降傾斜を利用して前面側へ落とすことができる。従って、第１入賞部材１１４００とベース板６０との間にゴミ等が詰まり第１入賞部材１１４００の動きが阻害されることを抑制できる。
【０３１２】
また、ネジＮ３の頭部をゴムカラーＧＣに密着させることができる。よって、ネジＮ３を回転し難くできるので、遊技球が遊技釘ＹＫに衝突した衝撃等でネジＮ３が回転して緩むことを抑制できる。
【０３１３】
さらに、ゴムカラーＧＣが略筒状に形成され、貫通孔とネジＮ３の軸との間に介設されるので、ベース板６０に対して第１入賞部材１１４００が相対変位する際の変位方向の自由度を高めることができる。即ち、ネジＮ３の軸に直交する方向だけでなく、ネジＮ３の軸に傾斜する方向（こじり方向）にも相対変位させやすくできる。その結果、遊技球の遊技釘ＹＫへの衝突に伴う外力を吸収して、第１入賞部材１１４００の破損を抑制できる。
【０３１４】
また、第１入賞部材１１４００の背面側に配設されるゴムカラーＧＣは、大径部がベース板６０と第１入賞部材１１４００との間に介設されるので、ベース板６０と第１入賞部材１１４００とをゴムカラーＧＣのみで連結できる（即ち、第１入賞部材１１４００からベース板６０への振動伝達経路の少なくとも一部にゴムカラーＧＣのみからなる部分を形成できる）。よって、ベース板６０に対して、第１入賞部材１１４００を相対変位させやすくして、遊技球の遊技釘ＹＫへの衝突にともなう外力を吸収しやすくできる。
【０３１５】
また、ネジＮ３の軸方向にも相対変位させることができ、ベース板６０に対する第１入賞部材１１４００の相対変位方向の自由度を高めることができる。よって、この点からも、遊技球の遊技釘ＹＫへの衝突にともなる外力を吸収しやすくできる。
【０３１６】
さらに、ゴムカラーＧＣの外径部がベース板６０と第１入賞部材１１４００との間に介設されることで、ベース板６０に対して第１入賞部材１１４００が自重で傾倒することを抑制できる。特に、経時に伴うゴムカラーＧＣの劣化時（へたり時）に特に有効となる。
【０３１７】
次いで、図３１及び図３２を参照して、第１２実施形態について説明する。第２実施形態では、第１入賞部材２４００の前面の全体が平坦面として形成される場合を説明したが、第１２実施形態における第１入賞部材１２４００の前面は、その一部がベース板６０の前面側に突出される。なお、上述した各実施形態と同一の部分には、同一の符号を付してその説明を省略する。
【０３１８】
図３１（ａ）は、第１２実施形態における第１入賞部材１２４００の分解斜視正面図であり、図３１（ｂ）は、図３１（ａ）の第１入賞部材１２４００の分解上面図である。図３２（ａ）は、第１入賞部材１２４００の上面図であり、図３２（ｂ）は、図３２（ａ）の範囲ＸＸＸＩＩｂにおける第１入賞部材１２４００の部分拡大上面図である。
【０３１９】
図３１及び図３２に示すように、第１２実施形態における第１入賞部材１２４００は、正面視横長矩形の板状体から形成される本体部１２４１０と、その本体部１２４１０の背面側から膨出する膨出部２４２０と、本体部１２４１０の前面側から打ち込まれる遊技釘ＹＫとを主に備えて形成される。
【０３２０】
本体部１２４１０は、正面視横長矩形の板状体から形成され、皿ネジＮ２を挿通する貫通孔２４１３と、遊技釘ＹＫが打ち込まれる孔の周囲から前面側に突出する円環部１２４１９とを主に備えて形成される。
【０３２１】
よって、遊技釘ＹＫへの外力の作用に伴う第１入賞部材１１４００の破損を抑制可能に形成されるので、遊技球の衝突により遊技釘ＹＫに外力が作用された場合に、第１入賞部材１０４００が破損することを抑制できる。
【０３２２】
即ち、第１入賞部材１２４００は、遊技釘ＹＫが植設される本体部１２４２０から突出されると共に遊技釘ＹＫの根本を囲う円環部１２４１９を備えるので、遊技釘ＹＫを保持する部分の剛性を円環部１２４１９により高めることができる。よって、遊技球の衝突により遊技釘に外力が作用された場合に、第１入賞部材が破損することを抑制できる。
【０３２３】
円環部１２４１９は、その内径が遊技釘ＹＫの先端部分の外径と略同一又は若干小さな寸法に設定される。また、円環部１２４１９の内縁から外縁までの幅寸法Ｌ４（図３２（ｂ）参照）と、円環部１２４１９の前面側への突出寸法Ｌ５（図３２（ｂ）参照）とは、円環部１２４１９の外面が、遊技球Ｔが第１入賞部材１２４００の前面と遊技釘ＹＫとに当接された状態における内側の空間Ｎ（図３２（ｂ）参照）に位置する大きさに設定される。なお、本実施形態では、内縁から外縁までの幅寸法Ｌ４と、円環部１２４１９の前面側への突出寸法Ｌ５とが略同一に設定される（Ｌ４＝Ｌ５）。
【０３２４】
これにより、円環部１２４１９に遊技球Ｔが衝突することを抑制できる。その結果、遊技領域を流下する遊技球が円環部１２４１９に衝突して円環部１２４１９が破損することを抑制できる。また、円環部１２４１９が前面側に突出する分、遊技釘ＹＫを支持する領域を大きくできる。その結果、遊技領域を流下する遊技球Ｔが遊技釘ＹＫに衝突して第１入賞部材１２４００が破損することを抑制できる。
【０３２５】
即ち、遊技釘ＹＫと植設面１２４１９とに当接された遊技球の外面よりも、第１入賞部材１２４００側に円環部１２４１９が位置されるので、遊技球Ｔが円環部１２４１９に衝突することを回避して、円環部１２４１９が破損することを抑制できる。
【０３２６】
また、円環部１２４１９の突出先端部の内縁には、前面側に向かって拡径する傾斜部１２４１９ａが形成される。これにより、第１入賞部材１２４００に遊技釘ＹＫを打ち込む際に、遊技釘ＹＫの先端を円環部１２４１９の内側に案内することができる。
【０３２７】
ここで、第１入賞部材１２４００は、ベース板６０と異なる部材から形成され、遊技釘ＹＫが折れた場合や、遊技釘ＹＫが第１入賞部材１２４００から抜け落ちた場合に、新しい（正常な）第１入賞部材１２４００に取り換え可能とされる。そのため、第１入賞部材１２４００の交換部品を形成する場合には、第１入賞部材１２４００のみに遊技釘ＹＫを打ち込む作業が行われる。
【０３２８】
第１入賞部材１２４００は、ベース板６０に比べて小さい部品であるため、遊技釘ＹＫを打ち込む際の第１入賞部材１２４００の位置決めを確実に行う必要がある。従って、第１入賞部材１２４００に遊技釘ＹＫを打ち込む際の治具が複雑化する恐れがあった。
【０３２９】
これに対し、第１２実施形態では、傾斜部１２４１９ａが形成されるので、第１入賞部材１２４００に遊技釘ＹＫを打ち込む際の位置ずれを吸収することができる。その結果、第１入賞部材１２４００に遊技釘ＹＫを打ち込む際の治具を簡易化することができる。
【０３３０】
また、傾斜部１２４１９ａの前後方向（図３２（ｂ）の前後方向）寸法は、円環部１２４１９の突出寸法よりも小さく設定される。よって、円環部１２４１９の形成により、第１入賞部材１２４１９の破損を防止できると共に、第１入賞部材１２４００に遊技釘ＹＫを打ち込む際の治具を簡易化することができる。
【０３３１】
さらに、円環部１２４１９は、本体部１２４１０側に向かって、本体部１２４１０側に向かって断面積が大きくされるので、遊技球が円環部１２４１９に衝突することを回避しつつ、遊技釘ＹＫを保持する部分の剛性をより高めることができる。即ち、遊技釘ＹＫが円環部１２４１９に直接衝突することによる円環部１２４１９の破損と、遊技球Ｔが遊技釘ＹＫに衝突することによる第１入賞部材１２４１０の破損との両者を効果的に抑制できる。
【０３３２】
なお、円環部１２４１９の断面積とは、遊技釘ＹＫの植設方向に直交する平面で円環部１２４１９を切断した断面を意味する。この場合、円環部の断面形状は任意であり、例えば、円形、楕円形、多角形これらの組み合わせが例示される。但し、円環部１２４１９の断面形状は、円形に形成されることが好ましい。遊技球との衝突を回避しつつ、円環部１２４１９の体積を最大として、その剛性をより高めることができるからである。
【０３３３】
次いで、図３３及び図３４を参照して、第１３実施形態について説明する。第２実施形態では、第２入賞部材２４００がベース板６０の前面側から取り付けられる場合を説明したが、第１３実施形態では、第２入賞部材１３４００がベース板６０の背面側から取り付けれる。なお、上述した各実施形態と同一の部分には、同一の符号を付してその説明は省略する。
【０３３４】
図３３（ａ）は、第１３実施形態における遊技盤１３の断面図であり、図３３（ｂ）は、図３３（ａ）のＸＸＸＩＩＩｂ−ＸＸＸＩＩＩｂ線における遊技盤１３の断面図である。図３４は、遊技盤１３の分解斜視正面図である。なお、図３３及び図３４では、第２入賞口２５００が取り外された状態が図示される。また、図３３及び図３４では、第１入賞部材１３４００及びベース板６０の外形が簡略化されて図示される。
【０３３５】
図３３及び図３４に示すように、第１３実施形態におけるベース板６０は、背面側（図３３（ｂ）上方側）から前面側（図３３（ｂ）下方側）に凹設される窪み部１３０６０ｄを備えて形成される。窪み部１３０６０ｄは、背面側に向かって階段状に左右方向方向に大きく形成されており、前面側に位置する第１収容部１３０６０ｄ７と、その第１収容部１３０６０ｄ７の背面側に位置しベース板６０の背面と連結される第２収容部１３０６０ｄ８とを主に備えて形成される。
【０３３６】
第１収容部１３０６０ｄ７は、後述する第１入賞部材１３４００の本体部１３４１０を内側に収容する窪みであり、本体部１３４１０の正面視における外形よりもやや大きい外形に形成される。また、第１収容部１３６００ｄ７の前後方向（図３３（ｂ）上下方向）の深さ寸法は、本体部１３４１０の前後方向の厚み寸法と略同一または、少し大きく形成される。これにより、第１入賞部材１３４００を凹設部２０６０ｃの内側に配設した場合に、第２収容部１３０６０ｄ８側に本体部１３４１０が突出することを抑制できる。
【０３３７】
第２収容部１３０６０ｄ８は、後述する背面部材１３７００を内側に収容する窪みであり、背面部材１３７００の正面視における外形よりもやや大きい外形に形成される。また第２収容部１３０６０ｄ８の前後方向（図３３（ｂ）上下方向）の深さ寸法は、背面部材１３７００の前後方向の厚み寸法と略同一または、やや大きく形成される。
【０３３８】
背面部材１３７００は、正面視横長矩形に形成され、センターフレーム８６と一体に形成される。背面部材１３７００の長手方向寸法は、第１入賞部材１３４００の本体部１３４１０の長手方向寸法よりも大きく形成される。
【０３３９】
第１入賞部材１３４００は、正面視横長矩形の板状体から形成される本体部１３４１０と、その本体部１３４１０の前面側から膨出する膨出部７４２０と、その膨出部７４２０側（前面側）から打ち込まれる遊技釘ＹＫとを主に備えて形成される。
【０３４０】
本体部１３４１０は、左右の両端部に第１入賞部材１３４００をベース板６０に締結するねじを螺合するための締結孔８４１５が形成される。これにより、皿ネジＮ２をベース板６０の貫通孔７０６０ｅの内側に挿通させると共に締結孔８４１５に螺合させることで、第１入賞部材１３４００とベース板６０を締結固定できる。
【０３４１】
この場合、第１入賞部材１３４００は、センターフレーム８６がベース板６０に取り付けられる前に、ベース板６０に取り付けられる。即ち、ベース板６０に第１入賞装置１３４００を締結固定（配設）した後、センターフレーム８６がベース板６０に取り付けられる。これにより、ベース板６０の第１収容部１３０６０ｄ７の前面と背面部材１３７００の正面との対向間に第１入賞部材１３４００が配設（挟持）される。また、第１入賞部材１３０６０ｄ７の上端面には、センターフレーム８６の底面が対面される。
【０３４２】
以上のように構成される遊技盤１３によれば、第１入賞部材１３４００の遊技釘ＹＫが折れた場合や、遊技釘ＹＫが第１入賞部材１３４００から抜け落ちた場合にセンターフレーム８６をベース板６０から取り外した後に、不良の第１入賞部材１３４００を取り外して新しい（正常な）第１入賞部材１３４００を取り付けることで修理できる。
【０３４３】
ここで、第１遊技盤部材（ベース板６０）と、その第１遊技盤部材に締結固定され第１遊技盤部材と共に遊技盤を形成する第２遊技盤部材（第１入賞部材１３４００）とを備えた遊技機が知られている。かかる遊技機によれば、第２遊技盤部材を遊技盤に対して着脱できる。よって、第２遊技盤部材に故障や破損が生じた場合には、かかる第２遊技盤部材のみを交換して、遊技盤全体としての交換を不要とすることができる。しかしながら、上述した従来の遊技機では、例えば、遊技に伴う振動に起因して、第１遊技盤部材への第２遊技盤部材の締結固定が解除される（緩む）恐れがあり、その場合には、第１遊技盤部材から第２遊技盤部材が脱落する恐れがあるという問題点があった。
【０３４４】
これに対し、第１３実施形態では、ベース板６０からの第１入賞部材１３４００の取り外しを規制できるので、例えば、ベース板６０への第１入賞部材１３４００の締結固定が解除された（緩んだ）場合でも、第１入賞部材１３４００から第１入賞部材１３４００が脱落することを抑制できる。
【０３４５】
即ち、ベース板６０にセンターフレーム８６が配設されると、そのセンターフレーム８６の底面および背面部材１３７００が第１入賞部材１３４００の取り外し方向（上方および背面側）への移動を規制可能な位置に配設される。これにより、ベース板６０への第１入賞部材１３４００の締結固定が解除された場合でも、センターフレーム８６（背面部材１３７００）を利用して、ベース板６０から第１入賞部材１３４００が脱落することを抑制できる。
【０３４６】
ベース板６０には、中央開口の下縁側の内側面に背面部材１３７００が配設されるので、ベース板６０に対する背面部材１３７００の保持（例えば、締結固定）が解除されたとしても、背面部材をその自重を利用して、中央開口の下縁側の内側面に載置された状態に維持することができる。即ち、第１入賞部材１３４００の取り外し方向への移動を規制可能な位置に背面部材１３７００が配設された状態を維持することができる。その結果、ベース板６０から第１入賞部材１３４００が脱落することを防止できる。
【０３４７】
次いで、図３５及び図３６を参照して第１４実施形態について説明する。第２実施形態では、第１入賞部材２４００の正面側に第２入賞部材２５００が配設される場合を説明したが、第１４実施形態の第１入賞部材１４４００は、正面側に第２入賞部材２５００が配設されることに加え、通路形成部材１３８００が係合状態で配設される。なお、上述した各実施形態と同一の部分には、同一の符号を付してその説明を省略する。
【０３４８】
図３１は、第１４実施形態における遊技盤１３及び通路形成部材１３８００の分解斜視正面図である。図３２（ａ）及び図３２（ｂ）は、遊技盤１３及び通路形成部材１３８００の断面図である。なお、図３２（ａ）及び図３２（ｂ）は、図１５（ｂ）の断面図と対応する。また、図３２（ａ）では、通路形成部材１３８００が遊技盤１３に取付前の状態が、図３２（ｂ）では、通路形成部材１３８００が遊技盤１３に取付後の状態が、それぞれ図示される。図３１では、第２入賞部材１３５００の図示が省略されると共に、外形が鎖線で図示される。
【０３４９】
図３５及び図３６に示すように、第１４実施形態における第１入賞部材１４４００は、正面視横長矩形の板状体から形成される本体部２４１０と、その本体部２４１０の背面側（図３６（ａ）左側）から膨出する膨出部２４２０と、本体部２４１０の前面側から打ち込まれる遊技釘ＹＫとを主に備えて形成される。
【０３５０】
膨出部２４２０は、凹設部１４４２３ａを備える。凹設部１４４２３ａは、膨出部２４２０の基部側（図３６（ａ）右側）の下面（図３６（ａ）下側の面）に上方（図３６（ａ）上方）に向かって凹設される。
【０３５１】
凹設部１４４２３ａは、内側に後述する通路部材１４８００の突設部１４８１２が挿入される凹部であり、内側形状が突設部１４８１２の外部形状と略同一に設定される。また、凹設部１４４２３ａの凹設寸法は、突設部１４８１２の突設寸法よりも大きく設定される。従って、凹設部１４４２３ａの内側に突設部１４８１２を挿入可能とされる。
【０３５２】
通路部材１４８００は、外形が上下方向に長い長方体に形成されると共に、その内側に内部空間を備えて形成される。通路部材１４８００は、正面側（第１入賞部材１４４００側）の上端部に内部空間と外部とを連通できる開口１４８１１と、上端面から上方に突出する突設部１４８１２とを主に備えて形成される。
【０３５３】
開口１４８１１は、通路部材１４８００が遊技盤１３に配設された状態において、第１入賞口６４の背面側（図３６（ｂ）左側）に形成される。これにより、第１入賞口６４から背面側に送球された遊技球を、開口１４８１１を通して通路部材１４８００の内側に送球することができる。
【０３５４】
突設部１４８１２は、開口１４８１１側（図３６（ｂ）右側）の端部から上方（図３６（ｂ）上方）に突出して形成される。突設部１４８１２の凹設部１４４２３ａへの挿入は、第１入賞部材１４４００をベース板６０に配設した状態において、通路部材１４８００をベース板６０の背面側に位置させると共に、上方に変位させることで行われる。
【０３５５】
なお、通路部材１４８００は、背面側からネジ（図示しない）を挿通させると共に、そのネジをベース板６０の背面側に螺合させることでベース板６０に取り付けられる。
【０３５６】
以上のように構成される遊技盤１３によれば、第１入賞部材１４４００の遊技釘ＹＫが折れた場合や、遊技釘ＹＫが第１入賞部材１４４００から抜け落ちた場合に、通路部材１４８００を取り外した後に、不良の第１入賞部材１３４００を取り外して新しい（正常な）第１入賞部材１４４００を取り付けることで修理できる。
【０３５７】
ここで、第１入賞部材１４４００を前面側からのみの作業により取り外し可能とすると、遊技者の不正行為により前面枠１４が開放された際に、遊技者が持ち込んだ第１入賞部材１４４００等に交換されやすくなる。
【０３５８】
これに対して、第１入賞部材１４４００に突設部１４８１２が形成されると共に、その突設部１４８１２を受け入れ可能な凹設部１４４２３ａが通路部材１４８００に凹設され、突設部１４８１２が凹設部１４４２３ａに係合されることで、第１入賞部材１４４００の取り外し方向への移動が規制されるので、突設部１４８１２を凹設部１４４２３ａにより外部から遮蔽することができる。よって、突設部１４８１２と凹設部１４４２３ａとの係合が不正に解除されることを抑制できる。
【０３５９】
さらに、上述したように、通路部材１４８００は、遊技盤１３の背面側からネジ（図示しない）によりベース板６０の背面に取り付けられるので、第１入賞部材１４４００を取り外す不正を防止することができる。
【０３６０】
即ち、第１入賞部材１４４００の突設部１４８１２と通路部材１４４２３の凹設部１４４２３ａとが凹設部２０６０ｃを介して係合されるので、ベース板６０を利用して、正面から通路部材１４４２３へアクセスし難くできる。よって、突設部１４８１２と凹設部１４４２３ａとの係合が不正に解除されることを抑制できる。
【０３６１】
さらに、第１入賞部材１４４００が通路部材１４８００と係合する状態とすることができるので、第１入賞部材１４４００をベース板６０へ締結固定する皿ネジＮ２が衝撃等で外れた場合に、第１入賞部材１４４００が、ベース板６０の前面側または背面側に移動して、ベース板６０から脱落することを防止できる。
【０３６２】
次いで、図３７を参照して第１５実施形態における第１入賞部材１５４００について説明する。第２実施形態では、第１入賞部材２４００がベース板６０に締結固定されるのみの場合を説明したが、第１５実施形態では、第１入賞部材１５４００の鈎部１５４３１がベース板６０と係合される。なお、上述した各実施形態と同一の部分には、同一の符号を付してその説明を省略する。
【０３６３】
図３７（ａ）は、第１５実施形態における第１入賞部材１５４００の斜視正面図であり、図３７（ｂ）は、遊技盤１３の断面図である。なお、図３７（ｂ）は、図１４（ｃ）の断面図に対応すると共に、第２入賞部材２５００が取り外された状態が図示される。
【０３６４】
図３７に示すように、第１５実施形態における第１入賞部材１５４００は、正面視横長矩形の板状体から形成される本体部２４１０と、その本体部２４１０の背面側（図３７（ｂ）上側）から膨出する膨出部２４２０と、本体部２４１０の前面側から打ち込まれる遊技釘ＹＫとを主に備えて形成される。
【０３６５】
膨出部２４２０は、本体部２４１０の長手方向（図３７（ｂ）左右方向）における両端部の背面側（図３７（ｂ）上方）に突出すると共にその突出先端が本体部２４１０の長手方向（図３７（ｂ）左右方向）外側に屈曲形成される形状の鉤状部１５４３１を備える。
【０３６６】
鉤状部１５４３１は、第１入賞部材１５４００をベース板６０に配設した状態において、先端がベース板６０の背面側（図３７（ｂ）の上方）に重なる位置に配置される。よって、第１入賞部材１５４００をベース板６０に係合した状態にできる。従って、第１入賞部材１５４００をベース板６０に締結する皿ネジＮ２が衝撃等により外れた場合に、第１入賞部材１５４００が、ベース板６０の前面側（図３７（ｂ）下側）に落下することを防止できる。その結果、遊技者の遊技中に皿ネジＮ２が外れた場合に、遊技者が遊技を継続することができる。
【０３６７】
鉤状部１５４３１は、本体部２４１０に４個形成される貫通孔２４１３のうちの上方に形成される貫通孔２４１３と略同一の高さ位置に形成され、突出先端の屈曲形成された部分の背面（図３７（ｂ）下側の面）が、貫通孔２４１３の軸と重なる位置に形成される。即ち、鉤状部１５４３１の屈曲部分の背面が、ベース板６０に開口する貫通孔２４１３を塞ぐ。
【０３６８】
また、鉤状部１５４３１は、突出先端の外側面（本体部２４１０の長手方向外側の面）に傾斜面１５４３１ａが形成される。傾斜面１５４３１ａは、突出先端ほど細幅となるように傾斜して形成される。
【０３６９】
これにより、第１入賞部材１５４００をベース板６０に配設する場合に、ベース板６０の前面側から挿入して配設可能とできる。即ち、鉤状部１５４３１は、上述したように本体部２４１０の長手方向（図３７（ｂ）左右方向）に屈曲する分、本体部２４１０の長手方向における膨出部２４２０の幅寸法がベース板６０の凹設部２０６０ｃの対向間の距離寸法よりも大きくされるので、第１入賞部材１５４００を配設する際に、鉤状部１５４３１が凹設部２０６０ｃの対向間を挿通できなくなるところ、鉤状部１５４３１には、傾斜面１５４３１が形成されるので、傾斜面１５４３１ａを凹設部２０６０ｃの壁面に当接させることで、鉤状部１５４３１を内側に弾性変形させることができ、第１入賞部材１５４００をベース板６０の前面側から挿入して配設可能とできる。
【０３７０】
従って、ベース板６０への第１入賞部材１５４００の取り付けに伴い鉤状部１５４３１ａを介してベース板６０と第１入賞部材１５４００とが直接係合され、第１入賞部材１５４００の取り外し方向への移動が規制されるので、第１入賞部材１５４００の脱落を防止するための工程を別途行う必要がない。よって、第１入賞部材１５４００の交換作業を簡素化できると共に、第１入賞部材１５４００の脱落を防止するための工程を実施し忘れることを抑制できる。
【０３７１】
また、第１入賞部材１５４００に鉤状部１５４３１が形成されるので、第１入賞部材１５４００を交換する際には、その交換に伴って、新しい鉤状部１５４３１を使用できる。即ち、鉤状部１６５４１がベース板６０に配設され、爪部が第１入賞部材１５４００に係合される構成では、交換回数が嵩むと鉤状部１６５４１の弾性変形が繰り返され、弾性力が低下するため、係合が解除されやすくなる。これに対し、第１５実施形態によれば、交換回数が嵩んだ場合でも、交換毎に新しい鉤状部１５４３１を使用できるので、係合の信頼性を確保することができる。
【０３７２】
一方、第１入賞部材１５４００をベース板６０から取り外す場合には、上述したように鉤状部１５４３１の屈曲先端側の端部が、鉤状部１５４３１と同一の高さ位置に形成される貫通孔２４１３の軸と重なる位置に形成されるので、第１入賞部材１５４００とベース板６０とを締結する皿ネジＮ２を取り外した後に、第１入賞部材１５４００の貫通孔２４１３に、貫通孔２４１３よりも外形の小さい円柱状の治具を挿入することで、鉤状部１５４３１を弾性変形させて取り外すことができる。
【０３７３】
即ち、例えば、遊技盤１３を開放して、その背面側から鉤状部１５４３１の係合を解除する作業を行う必要がなく、遊技盤１３を閉じたままで、鉤状部１５４３１の係合を解除できる。よって、遊技盤１３から第１入賞部材１５４００を取り外す作業の作業性を向上できる、即ち、鉤状部１５４３１の係合を解除するために、遊技盤１３を開放する必要がなく。遊技盤１３を閉じたままの状態で、正面から第１入賞部材１５４００の交換を完了することができる。
【０３７４】
また、通常の遊技状態時には、鉤状部１５４３１ａの係合を解除する孔の内部を遊技者から隠すことができるので、遊技盤１３の意匠性を確保することができる。
【０３７５】
次いで、図３８を参照して、第１６実施形態における第１入賞部材１６４００について説明する。第２実施形態では、第１入賞部材２４００の膨出部２４２０の背面側がベース板６０の背面と略同一の平面上に配置される場合を説明したが、第１６実施形態では、第１入賞部材１６４００の膨出部１６４２０がベース板６０の背面側に突出される。なお、上述した各実施形態と同一の部分には、同一の符号を付してその説明を省略する。
【０３７６】
図３８（ａ）及び図３８（ｂ）は、第１６実施形態における遊技盤１３及び前面枠１４の断面図である。なお、図３８（ａ）及び図３８（ｂ）では、第２入賞部材２５００の図示が省略される。また、図３８（ａ）及び図３８（ｂ）は、図１４（ｃ）の断面図に対応する。さらに、図３８（ａ）では、第１入賞部材１６４００がベース板６０に取り付けられた状態が図示され、図３８（ｂ）では、第１入賞部材１６４００がベース板６０から取り外された状態が図示される。
【０３７７】
図３８（ａ）に示すように、第１６実施形態では、第１入賞部材１６４００が、正面視横長矩形状の板状体から形成される本体部２４１０と、その本体部２４１０の背面側（図３８（ａ）上側）から膨出する膨出部１６４２０と、本体部２４１０の前面側から打ち込まれる遊技釘ＹＫとを主に備えて形成される。
【０３７８】
膨出部１６４２０は、本体部２４１０の背面側に膨出して形成されており、前後方向（図３８（ａ）上下方向）における幅寸法Ｌ７（図３８（ａ）参照）が、ベース板６０に第１入賞部材１６４００を配設した状態における遊技釘ＹＫの頭部から前面枠１４のガラスユニット１６までの距離寸法Ｌ８（図３８（ａ）参照）よりも大きく設定される（Ｌ７＞Ｌ８）。
【０３７９】
従って、図３８（ｂ）に示すように、第１入賞部材１６４００及び第２入賞部材２５００をベース板６０に締結する皿ネジＮ１，Ｎ２が外れて、第１入賞部材１６４００が前面側（図３８（ｂ）下側）に変位した場合に、第１入賞部材１６４００がベース板６０から抜け出て落下することを抑制できる。
【０３８０】
詳しく説明すると、膨出部の幅寸法Ｌ７が、遊技釘ＹＫの頭部からガラスユニット１３までの距離寸法Ｌ８よりも大きく設定されるので、遊技釘ＹＫの頭部とガラスユニット１３とが当接する最大距離分、第１入賞部材１６４００が変位した場合に、膨出部１６４２０の少なくとも一部を凹設部２０６０ｃの対向間に位置させることができる。その結果、ベース板６０への第１入賞部材１６４００の締結固定が解除された場合でも、ガラスユニット１３を利用して、ベース板６０から第１入賞部材１６４００が脱落することを抑制できる。
【０３８１】
また、この場合、第１入賞部材１６４００の遊技釘ＹＫの先端がガラスユニット１３に当接されることで、ベース板６０から第１入賞部材１６４００が脱落することを抑制できる。即ち、遊技釘ＹＫの長さを利用できる分、第１入賞部材１６４００の厚み寸法（取り外し方向における寸法）を小さくできる。
【０３８２】
次いで、図３９及び図４０を参照して、第１７実施形態について説明する。第２実施形態では、第１入賞部材２４００がベース板６０に締結固定されるのみの場合を説明したが、第１７実施形態では、第１入賞部材１７４００のボールプランジャ１７４５０が、センターフレーム８６に係合する。なお、上述した各実施形態と同一の部分には、同一の符号を付してその説明を省略する。
【０３８３】
図３９は、第１７実施形態における遊技盤１３の分解斜視正面図である。図４０（ａ）は、遊技盤１３の正面図であり、図４０（ｂ）は、図４０（ａ）のＸＬｂ−ＸＬｂ線における遊技盤１３の断面図である。なお、図３９では、センターフレーム８６の図示が省略される。また、図３９、図４０（ａ）及び図４０（ｂ）では、第２入賞部材２５００の図示が省略される。
【０３８４】
図３９及び図４０に示すように、第１７実施形態における第１入賞部材１７４００は、正面視横長矩形の板状体から形成される本体部２４１０と、その本体部２４１０の背面側（図４０（ｂ）左側）から膨出する膨出部２４２０と、本体部２４１０及び膨出部２４２０の上面側（図４０（ｂ）上側面）に配設されるボールプランジャ１７４５０と、本体部２４１０の前面側から打ち込まれる遊技釘ＹＫとを主に備えて形成される。
【０３８５】
ボールプランジャ１７４５０は、筒状に形成されると共に一方側（図４０（ｂ）下側）が塞がれる保持部１７４５１と、その保持部１７４５１の内側に配設される球状の球体１７４５２と、その球体１７４５２と保持部１７４５１の一方との間に配設される弾性体のバネ部材１７４５３とを主に備えて形成される。
【０３８６】
保持部１７４５１は、円筒状に形成されると共に、開放側の他方側（図４０（ｂ）上側）の内径が、内部に配設される球体１７４５２よりも小さくされる。よって、球体１７４５２が保持部１７４５１内側から抜け出ることを抑制できる。
【０３８７】
バネ部材１７４５３は、螺旋状に巻かれて形成されるバネであり、球体１７４５２と保持部１７４５１の底面との間に予圧縮をされた状態で配設される。これにより、球体１７４５２の一部を保持部１７４５１の外側に突出させた状態で保持できる。
【０３８８】
ボールプランジャ１７４５０は、保持部１７４５１の上端面（開放側の面）（図４０（ｂ）上端の面）が、第１入賞部材１７４００の本体部２４１０及び膨出部２４２０の上面と同一平面上に位置される。また、ボールプランジャ１７４５０は、本体部１７４１０の長手方向（図４０（ａ）左右方向）略中間位置に配設されると共に、第１入賞部材２４１０の前後方向（図４０（ｂ）左右方向略中間位置に配設される。
【０３８９】
センタフレーム８６は、その下端部（図４０（ｂ）下側端部）に、背面側に屈曲形成された屈曲部１７０８６ａを備える。屈曲部１７０８６の下面は、背面側に向かって上方に傾斜する傾斜面１７０８６ａ１が形成される。
【０３９０】
また、傾斜面１７０８６ａ１の前後方向（図４０（ｂ）左右方向）略中央位置から対向するベース板６０の端面までの対向間寸法Ｌ９は、第１入賞部材１７４００が、ベース板６０に配設されていない状態における、第１入賞部材１７４００の上下方向（図４０（ｂ）上下方向）寸法よりも小さく形成される。よって、第１入賞部材１７４００をベース板６０に配設した場合に、球体１７４５２を保持部１７４５１の内側に挿入した状態にできる。
【０３９１】
この場合、上述したように傾斜面１７０８６ａ１は、背面側に向かって上方に傾斜するので、球体１７４５２がバネ部材１７４５３に押し上げられる力により、第１入賞部材１７４００全体を背面側（図４０（ｂ）左側）に付勢することができる。
【０３９２】
従って、第１入賞部材１７４００をベース板６０に締結固定する皿ネジＮ２が衝撃等で取れた場合に、第１入賞部材１７４００が、ベース板６０の前面側（Ｄ０９（ｂ）右側）に落下することを抑制できる。その結果、遊技者が遊技中に皿ビスＮ２が外れた場合に、遊技者に遊技を継続させることができる。
【０３９３】
また、ボールプランジャ１７４５０は、球体１７４５２がバネ部材１７４５３により弾性支持された状態とされるので、遊技釘ＹＫに遊技球が衝突される際の入力に対して、球体１７４５２を質量体として作用させることができる。即ち、ボールプランジャ１７４５０をダイナミックダンパとして機能させることができる。その結果、遊技球の遊技釘ＹＫへの衝突に伴う振動を抑制して、遊技釘ＹＫ及び第１入賞部材１７４００の破損を抑制できる。特に、バネ部材１７４５３の伸縮方向（球体１７４５２の弾性支持の方向）が上下方向とされ、遊技球の落下方向（即ち、遊技釘ＹＫへの衝突方向）に一致されるので、上述した遊技球の衝突に対するダイナミックダンパとしての機能（破損防止）を効果的に発揮させることができる。
【０３９４】
次いで、図４１から図４３を参照して、第１８実施形態について説明する。第２実施形態では、第１入賞部材２４００をベース板６０から取り外す際に、第２入賞部材２５００を取り外す作業が必要となる場合を説明したが、第１８実施形態では、第１入賞部材１８４００をベース板６０から取り外す際に、第２入賞部材２５００を取り外す作業が不必要とされる。なお、上述した各実施形態と同一の部分には、同一の符号を付してその説明は省略する。
【０３９５】
初めに、図４１及び図４２を参照して、第１８実施形態における遊技盤１３の全体構成について説明する。図４１（ａ）は、第１８実施形態における遊技盤１３の正面図であり、図４１（ｂ）は、図４１（ａ）のＸＬＩｂ−ＸＬＩｂ線における遊技盤１３の断面図である。図４２は、遊技盤１３の分解斜視正面図である。なお、図４２では、センターフレーム８６が取り外された状態が図示される。また、図４１及び図４２では、第１入賞部材１８４００及びベース板６０の外形が簡略化されて図示される。
【０３９６】
図４１及び図４２に示すように、第１８実施形態におけるベース板６０は、センターフレーム８６が取り付けられる中央開口側から下方（図４１（ａ）下方）に凹設される凹設部１８０６０ｃと、その凹設部１８０６０ｃの左右方向（図４１（ａ）左右方向）両端に連なると共に、前面側（図４１（ｂ）右側）から背面側（図４１（ｂ）左側）に凹設される窪み部１８０６０ｄと、凹設部１８０６０ｃの左右方向中央部に連なって下方に凹設される第２凹設部１８０６０ｊとを備える。
【０３９７】
凹設部１８０６０ｃは、正面視横長矩形状に中央開口側から凹設して形成され、正面視における形状が、後述する第１入賞部材１８４００の膨出部１８４２０の背面視における形状と略同一に設定される。
【０３９８】
窪み部１８０６０ｄは、凹設部１８０６０ｃの左右方向両端部に連なって形成されており、ベース板６０の前面側から背面側に向かって板厚方向の略中央位置まで凹設される。また、窪み部１８０６０ｄは、後述する第１入賞部材１８４００の本体部１８４１０の一部（膨出部１８４２０から下方に突出する部分）を収容する部分であり、正面視において膨出部１８４２０から下方に突出する本体部１８４１０の突出量と略同一の凹設寸法で下方に凹設される。
【０３９９】
窪み部１８０６０ｄには、前面側から背面側に貫通する締結孔１８６０ｄ４が形成される。締結孔１８０６０ｄ４は、その内側に、第１入賞部材１８４００をベース板６０に締結固定する皿ネジＮ２を螺合させる雌ねじが形成される。
【０４００】
第２凹設部部１８０６０ｊは、第２入賞部材２５００の第１入賞口６４に流入した遊技球をベース板６０の背面側に流通可能にする開口であり、第２入賞部材２５００の第１入賞６４よりも下側に凹設される。
【０４０１】
入賞口ユニット１８３００は、ベース板６０の凹設部１８０６０ｃの内側に配設される第１入賞部材１８４００と、その第１入賞部材１８４００及びベース板６０の前面側（図４１（ｂ）右側）に配設される第２入賞部材２５００とから形成される。
【０４０２】
第１入賞部材１８４００は、正面視横長矩形の板状体から形成される本体部１８４１０と、その本体部１８４１０の背面側（図４１（ｂ）左側）から膨出する膨出部１８４２０と、本体部１８４１０側（前面側）から打ち込まれる遊技釘ＹＫとを主に備えて形成される。
【０４０３】
本体部１８４１０は、下側（図４１（ａ）下側）の端部の長手方向（図４１（ａ）左右方向）の両端部に前後方向に貫通して形成される貫通孔１８４１３が形成される。貫通孔１８４１３は、窪み部１８０６０ｄに形成される締結孔１８６０ｄ４と同軸上に形成される。これにより、貫通孔１８４１３に挿通した皿ネジＮ２を、締結孔１８６０ｄ４に螺合させて、第１入賞部材１８４００をベース板６０に締結固定できる。
【０４０４】
また、貫通孔１８４１３は、皿ネジＮ２が挿入される前面側に向かって拡径して形成される。これにより、皿ネジＮ２の頭部を貫通孔１８４１３の内側に挿入できる。これにより、第１入賞部材１８４１３をベース板６０に締結した場合に、遊技釘ＹＫの先端が遊技領域に突出することを抑制できる。
【０４０５】
膨出部１８４２０の上端は、本体部１８４１０の上端と面一に形成されると共に、膨出部１８４２０の下端よりも本体部１８４００の下端が下方へ突出して形成される。また、膨出部１８４２０は、本体部１８４００の左右方向全域に亘って形成される。
【０４０６】
ベース板６０の中央開口に配設されるセンターフレーム８６は、ベース板６０に第１入賞部材１８４００が配設された状態において、その一部が第１入賞部材１８４００の上端部（図４１（ｂ）上方端部）と前後方向（図４１（ｂ）左右方向）に重なる部分（正面張出部）を有して形成される。よって、第１入賞部材１８４００を引き抜く方向への移動をセンターフレーム８６により規制できるので、ベース板６０の形状を簡素化して、その形成を容易とできる。なお、第２入賞部材２５００とセンタフレーム８６とは、第１入賞部材１８４００を挟んで重力方向の両側に配設されることがこのましい。ベース板６０の形状を簡素化できるからである。
【０４０７】
また、センターフレーム８６は、ベース板６０に第１入賞部材１８４００が配設された状態において、第１入賞部材１８４００の上端面と所定の距離を隔てた位置に、正面張出部から背面側に突出する突出部１８０８６ｂが形成される。
【０４０８】
なお、ベース板６０に第１入賞部材１８４００が配設された状態において、突出部１８０８６ｂと第１入賞部材１８４００との対向間の距離寸法Ｌ１０（図４１（ｂ）参照）は、第１入賞部材１８４００と第２入賞部材２５００とが前後方向に重なる領域の上下方向寸法Ｌ１１（図４１（ｂ）参照）よりも大きく設定される。
【０４０９】
次いで、図４３を参照して、第１入賞部材１８４００をベース板６０から取り外す手順について説明する。図４３（ａ）から図４３（ｃ）は、遊技盤１３の断面図である。なお、図４３（ａ）から図４３（ｃ）は、図４１（ｂ）の断面図と対応する。また、図４３（ａ）から図４３（ｃ）は、第１入賞部材１８４００を取り外す場合の遷移状態が順に図示される。
【０４１０】
初めに、図４３（ａ）に示すように、第１入賞部材１８４００を取り外す場合には、第１入賞部材１８４００をベース板６０に締結固定している皿ネジＮ２を取り外す。
【０４１１】
第２に、図４３（ｂ）に示すように、第１入賞部材１８４００をベース板６０に対して上方に持ち上げる。上述したように、突出部１８０８６ｂと第１入賞部材１８４００との対向間の距離寸法Ｌ１０は、第１入賞部材１８４００と第２入賞部材２５００とが前後方向に重なる領域の上下方向寸法Ｌ１１よりも大きくされるので、第１入賞部材１８４００を上方に持ち上げることで、第１入賞部材１８４００の下方（図４３（ｂ）下方）の端部を第２入賞部材２５００よりも上方に位置させることができる。
【０４１２】
従って、図４３（ｂ）に示す状態から、第１入賞部材１８４００の下方の端部を前方に回転させることで、図４３（ｃ）に示すように、第１入賞部材１８４００の下方の端部をベース板６０の正面より前方に位置させることができる。最後に、第１入賞部材１８４００の下方の端部を本体部１８４１０の短手方向に引き抜くことで、第１入賞部材１８４００の上方の端部をベース板６０から引き出すことができる。なお、第１入賞部材１８４００を取り付ける場合には、反対の手順を行うことで第１入賞部材１８４００をベース板６０に取り付けることができる。
【０４１３】
よって、第１入賞部材１８４００の遊技釘ＹＫが折れた場合や、遊技釘ＹＫが第１入賞部材１８４００から抜け落ちた場合に不良の第１入賞部材１８４００を取り外して新しい（正常な）第１入賞部材１８４００を取り付けることで修理できる。
【０４１４】
ここで、第１遊技盤部材（ベース板６０）と、その第１遊技盤部材に配設され第１遊技盤部材と共に遊技盤を形成する第２遊技盤部材（第１入賞部材１８４００）とを備えた遊技機が知られている。かかる遊技機によれば、第２遊技盤部材が第１遊技盤部材にねじ部材（皿ネジＮ２）により締結固定されているため、ねじ部材が不正に取り外されたり遊技中の振動により不用意に緩んだりした場合には、第１遊技盤部材から第２遊技盤部材が脱落するおそれがある。これに対し、本願出願人は、第２遊技盤部材の一部と重畳された状態で第１遊技盤部材に第２部材を配設することで、かかる重畳された部分による両者の係合を利用して、第２遊技盤部材が第１遊技盤部材から脱落することを抑制する技術に想到した（本願出願時において未公知）。
【０４１５】
しかしながら、上述した技術では、第２遊技盤部材の交換作業を行う場合には、第２遊技盤部材だけでなく、第２部材も遊技盤から取り外す必要があるため、その分、工数が嵩み、第２遊技盤部材の交換作業が煩雑になるという問題点があることが分った。
【０４１６】
これに対し、第１８実施形態によれば、第２入賞部材２５００がベース板６０に保持された状態で第１入賞部材１８４００が取り外し可能に形成されるので、その分、工数を抑制して、第１入賞部材１８４００の交換作業を簡素化できる。即ち、第２入賞部材２５００をベース板６０から取り外す必要がないので、かかる第２入賞部材２５００を取り付け直す工程における工数を抑制するだけでなく、作業者が、第２入賞部材２５００を紛失することや、第２入賞部材２５００の取り付け方を間違えることを抑制できる。
【０４１７】
即ち、第２入賞部材２５００は、第１入賞部材１８４００を引き抜く方向への移動を規制可能な位置に配設され、第１入賞部材１８４００は、引き抜く方向と異なる上方向へ移動させることで、引き抜く方向への移動が許容されるので、第２入賞部材２５００をベース板６０から取り外すことなく、第１入賞部材１８４００を取り外すことできる。また、第２入賞部材をベース板６０に配設した状態のままで、第１入賞部材１８４００を取り付けることができる。よって、その分、工数を抑制して、第１入賞部材１８４００の交換作業を簡素化できる。
【０４１８】
また、第１入賞部材１８４００の引き抜く方向への移動を許容する際の移動方向が、重力方向と平行とされるので、第１入賞部材１８４００の引き抜き方向への移動を第２入賞部材２５００が規制可能な位置に第１入賞部材１８４００が配置された状態を、第１入賞部材１８４００の自重（重力の作用）により維持させることができる。即ち、第１入賞部材１８４００をベース板６０に固定する皿ネジＮ２が不正に取外されたり、遊技中の振動により不要に緩んだりした場合でも、第１入賞部材１８４００がその一部を第２入賞部材２５００と重畳された位置（引き抜き方向への移動が規制される位置）に維持されるので、重畳された部分による両者の係合により、第１入賞部材１８４００がベース板６０から脱落することを抑制できる。
【０４１９】
さらに、第１入賞部材１８４００は、本体部１８４１０の下端部分が、第２入賞部材２５００のベース部材２５１０の背面と、窪み部１８０６０ｄの前面との対向間に配設されるので、第１入賞部材１８４００を締結固定する皿ネジＮ２が衝撃等で取れた場合に、第１入賞部材１８４００がベース板６０の前面側（図４１（ｂ）右側）に落下することを抑制できる。その結果、遊技者が遊技中に皿ネジＮ２が外れた場合にも、遊技者に遊技を継続させることができる。
【０４２０】
次いで、図４５及び図４６を参照して、第１９実施形態について説明する。第２実施形態では、第１入賞部材２４００をベース板６０から取り外す際に、第２入賞部材２５００を取り外す作業が必要となる場合を説明したが、第１９実施形態では、第１入賞部材１９４００をベース板６０から取り外す際に、第２入賞部材１９５００を取り外す作業が不必要とされる。なお、上述した各実施形態と同一の部分には、同一の符号を付してその説明は省略する。
【０４２１】
初めに、図４４及び図４５を参照して、第１９実施形態における遊技盤１３の全体構成について説明する。図４４は、第１９実施形態における遊技盤１３の分解斜視正面図である。図４５（ａ）は、遊技盤１３の正面図であり、図４５（ｂ）は、図４５（ａ）のＸＬＶｂ−ＸＬＶｂ線における遊技盤１３の断面図である。なお、図４４では、センターフレーム８６が取り外された状態が図示される。また、図４４及び図４６では、第１入賞部材１８４００及びベース板６０の外形が簡略化されて図示される。
【０４２２】
図４４及び図４５に示すように、第１９実施形態における入賞口ユニット１９３００は、ベース板６０の凹設部２０６０ｃの内側に配設される第１入賞部材２４００と、その第１入賞部材２４００及びベース板６０の前面側（図４５（ｂ）右側）に配設される第２入賞部材１９５００とから形成される。
【０４２３】
第２入賞部材１９５００は、正面視菱形の板状体から形成されるベース部材１９５１０と、そのベース部材１９５１０の正面側（図４５（ｂ）右側）に突出形成される球入賞部材３２０と、ベース部材１９５１０を挟んで、球入賞部材３２０の反対側に位置する通路形成部材１９３３０とを主に備えて形成される。
【０４２４】
ベース部材１９５１０は、ベース板６０の凹設部２０６０ｃよりも正面視において左右方向（図４５（ａ）左右方向）寸法が大きく設定される。これにより、ベース部材１９５１０を凹設部２０６０ｃの前面側（図４５（ｂ）右側）に配置すると共に、ベース部材２５１０の左右方向両端部をベース板６０の前面に当接させることができる。
【０４２５】
ベース部材１９５１０は、正面視において略中央位置に板厚方向（図４５（ｂ）左右方向）に開口される開口部３１１と、左右方向両端部に板厚方向に貫通する摺動溝１９５１２とを主に備えて形成される。
【０４２６】
摺動溝１９５１２は、上下方向（図４５（ａ）上下方向）に延設して形成されると共に、前面側から背面側（図４５（ａ）紙面奥側）に向かってその内面が内側に傾斜して形成される。摺動溝１９５１２は、第２入賞部材１９５００をベース板６０に締結固定するための皿ネジＮ１を挿通する開口であり、内面の幅寸法が皿ネジＮ１の先端部（軸部）の外形よりも大きく形成される。
【０４２７】
また、摺動溝１９５１２は、下端部（図４５（ａ）下側端部）に皿ネジＮ２の頭部よりも大きい外形の傾斜面に形成される収容部１９５１２ａが形成される。さらに、収容部１９５１２ａは、第２入賞部材１９５００が、ベース板６０の配設位置（図４５に示す位置）に配設された場合に、皿ネジＮ２の軸と同一軸上に設定される。これにより、第２入賞部材１９５００の取り付けする位置を位置決めすることができる。また、摺動溝は１９５１２は、上下方向に延設されるので、皿ネジＮ１の締結を弱めることで、図４５に示す位置から第２入賞部材１９５００を下方に移動させることができる。
【０４２８】
通路形成部材１９３３０は、ベース部材１９３１０の開口部３１１の周囲から背面側に突出して形成される。通路形成部材１９３３０は、背面視において下方側が湾曲する略Ｕ字状に形成されており、内側に遊技球を挿通可能な大きさの空間が形成される。これにより、第１入賞口６４に流入した遊技球を、通路形成部材１９３３０の背面側に送球すると共に通路形成部材１９３３０の背面側に連通される通路部材１９８００に送球できる。
【０４２９】
また、通路形成部材１９３３０は、その左右両側（図４５（ａ）左右両側）の壁面の後端から後述する通路部材１９８００の内部に突出される延設部１９３４０を備える。延設部１９３４０は、通路形成部材３３０の左右両側の壁面の両端から背面側（図４５（ｂ）左側）に突出する棒状の一対の突出部１９３４１と、それら一対の突出部１９３４１の突出先端部を左右方向に連結する連結部１９３４２と、その連結部１９３４２と連結され下方に延設される金属体１９３４３とを主に備えて形成される。
【０４３０】
突出部１９３４１は、通路形成部材１９３３０の上端部から背面側へ突出され、その突出先端側が、後述する通路部材１９８００の開口１９８１１の内側に挿入される。また、突出部１９３４１は、その突出先端が通路部材１９８００の内側に形成される空間の前後方向略中間に位置される。
【０４３１】
連結部１９３４２は、棒状体から形成され、両端部が一対の突出部１９３４１の突出先端にそれぞれ連結される。また、連結部１９３４２の下面には、後述する金属体１９３４３が圧入して接続される溝が形成される。なお、連結部１９３４２と金属体１９３４３との連結は、圧入に限られるものではなく、接着やネジ締結等で連結しても良い。
【０４３２】
金属体１９３４３は、金属材料（本実施形態では、鉄）から形成される板部材であり、左右方向（図４５（ａ）左右方向）における幅寸法が、後述する通路部材１９８００の内部空間の幅寸法よりも小さく設定される。また、金属体１９３４３は、連結部１９３４２に接続された状態において、下方（図４５（ｂ）下側）に向かうに従って背面側（図４５（ｂ）左側）に傾斜する状態で配設される。
【０４３３】
金属体１９３４３は、第２入賞部材１９５００が、ベース部材６０に締結固定された状態において、通路形成部材１９３３０の下端面より上方に位置されると共に、通路部材１９８００の開口１９８１１の下面までの最短の距離寸法Ｌ１１（図４５（ｂ）参照）が遊技球の外径よりも大きく設定される。これにより、第２入賞部材１９５００の第１入賞口６４に流入した遊技球が、通路形成部材１９３３０を転動して通路部材１９８００の内側に送球された場合に、遊技球を通路形成部材３３０の前面側に衝突させることができる。
【０４３４】
従って、通路部材１９８００の内壁に遊技球を衝突させて遊技球の送球方向を変更する必要がなくなるので、通路部材１９８００が破損することを抑制できる。また、金属体１９３４３は、鉄から形成され、通路部材１９８００を形成する樹脂よりも剛性が高いので、通路部材１９８００が破損することを抑制できる。さらに、金属体１９３４３が破損した場合には、第２入賞部材１９５００をベース板６０に締結する皿ネジＮ１を取り外すことで、金属体１９３４３を交換できる。よって、金属体１９３４３の修理を簡易にすることができる。
【０４３５】
なお、金属体１９３４３は、鉄に限られるものではなく。後述するセンサ装置ＳＥに検知される材質であれば他の部材を採用してもよい。例えば、アルミやステンレス等で形成しても良い。
【０４３６】
通路部材１９８００は、外形が上下方向に長い長方体形状に形成されると共に、その内側に内部空間を備えて形成される。通路部材１９８００は、正面側（図４５（ｂ）右側）の上端部に開口され内部空間と外部とを連通させる開口１９８１１と、上下方向に延びる通路部材１９８００の内部空間の上端側に配設されるセンサ装置ＳＥとを主に備えて形成される。
【０４３７】
開口１９８１１は、通路部材１９８００が遊技盤１３に配設された状態において、第１入賞口６４の背面側（図４５（ｂ）左側）に形成される。これにより、第１入賞部材６４から背面側に送球された遊技球を、開口１９８１１を通して通路部材１９８００の内側（内部空間）に送球できる。
【０４３８】
センサ装置ＳＥは、通路部材１９８００の内側を通過する遊技球の球数を検出する部材であり、遊技球の外径よりも大きい内径を有して上下方向に貫通する開口を備える。
【０４３９】
なお、通路部材１９８００は、背面側からネジ（図示しない）を挿通させると共に、そのネジをベース板６０の背面側に螺合させることでベース板６０に取り付けられる。
【０４４０】
次いで、図４６を参照して、第２入賞部材１９５００の変位について説明する。図４６（ａ）は、遊技盤１３の正面図であり、図４６（ｂ）は、図４６（ａ）のＸＬＶＩｂ−ＸＬＶＩｂ線における遊技盤１３の断面図である。なお、図４６（ａ）及び図４６（ｂ）では、第２入賞部材１９５００をベース板６０に締結する皿ネジＮ１が緩められた状態が図示される。
【０４４１】
図４６に示すように、第２入賞部材１９５００を締結する皿ネジＮ１が緩められると、皿ネジＮ１の頭部が第２入賞部材１９５００の前面から少し離れることで、皿ネジＮ１の先端側（軸部）が摺動溝１９５１２の内部を摺動可能となり、第２入賞部材１９５００を下側に変位させることができる。
【０４４２】
これにより、第１入賞部材２４００と第２入賞部材１９５００とを前後方向に重ならない位置に配設することができる。従って、第１入賞部材２４００の遊技釘ＹＫが折れた場合や、遊技釘ＹＫが第１入賞部材２４００から抜け落ちた場合に、第２入賞部材１９５００をベース部材６０から取り外すことなく、不良の第１入賞部材２４００を取り外して新しい（正常な）第１入賞部材２４００を取り付けることで修理できる。
【０４４３】
即ち、第２入賞部材１９５００は、第１入賞部材２４００の取り外しを規制する規制位置と第１入賞部材２４００の取り外しを許容する許容位置との間で変位可能にベース板６０に配設されるので、第２入賞部材１９５００を遊技盤１３から取り外すことなく、第１入賞部材２４００を取り外すことができる。また、第２入賞部材１９５００をベース部材に配設した状態のままで、第１入賞部材２４００を取り付けることができる。よって、その分、工数を抑制して、第１入賞部材２４００の交換作業を簡素化できる。さらに、第２入賞部材１９５００をベース板６０から取り外さないので、第１入賞部材２４００を交換した場合に、第２入賞部材１９５００を取り付け忘れることを防止できる。
【０４４４】
さらに、第１入賞部材２４００の取り外しを許容する第２入賞部材１９５００の許容位置が規制位置よりも、重力方向下方に設定されるので、第２入賞部材１９５００をその自重により、許容位置に維持させることができる。即ち、第１入賞部材２４００を交換する際に、第２入賞部材１９５００を作業者が許容位置に保持しておく必要がない。よって、工数を抑制して、第１入賞部材２４００の交換作業を簡素化できる。
【０４４５】
また、第２入賞部材１９５００が、下方に変位された状態では、金属体１９３４３の前面と通路部材１９８００の開口１９８１１の下面との間の最短の距離寸法Ｌ１２（図４６（ｂ）参照）が、遊技球の外径よりも小さくされる。これにより、第１入賞部材２４００を交換した後に、第２入賞部材１９５００を正常な位置に戻し忘れた場合に、遊技球が通路部材１９８００を通過することを防止できる。その結果、遊技者が有利となる状態で、遊技可能な状態となることを防止できる。
【０４４６】
なお、遊技者が有利となる状態としては、第２入賞部材１９５００が下方に位置し、第１入賞部材２４００に打ち込まれた遊技釘ＹＫと離間された状態とれ、遊技領域を流下する遊技球が遊技釘ＹＫに阻害されず第１入賞口６４に入賞する状態が例示される。
【０４４７】
さらに、第２入賞部材１９５００が、下方に変位された状態では、第２入賞部材１９５００に連結される延設部１９３４０の金属体１９３４３が下方に移動されて、センサ装置ＳＥの開口内部に配置される。金属体１９３４３は、センサ装置ＳＥにより検出可能な材料から形成されるので、第１入賞部材２４００を交換した後に、第２入賞部材１９５００を正常な位置（図４５に示す位置）に戻し忘れた場合には、センサ装置ＳＥが金属体１９３４３を検知可能な状態を形成できる。よって、パチンコ機１０は、センサ装置ＳＥの検知状態を監視して、所定時間以上の検知が継続されていれば、第２入賞部材１９５００を所定位置に戻し忘れた状態を検知することができる。これにより、パチンコ機１０は、異常状態であることを店員に報知（例えば、異常音や特殊発光等）することができる。
【０４４８】
よって、第２入賞部材１９５００が許容位置に配置されると、金属体１９３４３がセンサ装置ＳＥに検出可能な位置に配置されるので、センサ装置ＳＥによる検出状態（例えば、波形）を監視することで、第２入賞部材１９５００が許容位置に配置されたままの状態である（即ち、規制位置へ戻し忘れている）ことを検出できる。即ち、球が通過する際にセンサ装置ＳＥがオン（又はオフ）される時間は比較的短いものとされる一方、第２入賞部材１９５００が許容位置に配置されたままとされた状態ではセンサ装置ＳＥがオン（又はオフ）される時間が継続されるため、センサ装置ＳＥが所定時間（閾値）を越えてオン（又はオフ）された場合には、第２入賞部材１９５００が許容位置に配置されたままの状態と判断できる。
【０４４９】
これにより、第１入賞部材２４００を交換した後に第２入賞部材１９５００を正常な位置に戻し忘れることを防止できる。また、遊技者が遊技中に皿ネジＮ１が緩んで、第２入賞部材１９５００が下方に変位した場合にも、店員に報知することができるので、異常な状態になったことに遊技者が気が付かなかったとしても店員に知らせることができる。従って、皿ネジＮ１が緩んで、第２入賞部材１９５００が異常な位置となった場合に、遊技者が遊技を継続することで遊技者に不利な状態となることを防止できる。
【０４５０】
また、検出部が金属材料から形成され、第２入賞部材１９５００が規制位置に配置された状態では、遊技球の通過する通路の内壁の一部が金属体１９３４３により形成されるので、通路の耐久性の向上を図ることができる。
【０４５１】
なお、第１の通路とその第１の通路の下流側に屈曲して連設される第２の通路における第２の通路の一部（第１の通路から流下される遊技球が衝突される部位）が金属体１９３９４３により形成されることが好ましい。破損が生じやすい部位を補強して、耐久性の向上を効果的に図ることができるからである。
【０４５２】
次いで、図４７及び図４８を参照して、第２０実施形態における第２入賞部材２０５００について説明する。第２実施形態では、第１入賞部材２４００と第２入賞部材２５００とが別々に取り外される場合を説明したが、第２０実施形態では、第１入賞部材２０４００と第２入賞部材２０５００とが同時に取り外される。なお、上述した各実施形態と同一の部分には、同一の符号を付してその説明は省略する。
【０４５３】
図４７（ａ）は、第２０実施形態における遊技盤１３の正面図であり、図４７（ｂ）は、図４７（ａ）のＸＬＶＩＩｂ−ＸＬＶＩＩｂ線における遊技盤１３の断面図である。図４８は、遊技盤１３の分解斜視正面図である。なお、図４８では、センターフレーム８６が取り外された状態が図示される。
【０４５４】
図４７及び図４８に示すように、第２０実施形態における入賞口ユニット２０３００は、ベース板６０の凹設部２０６０ｃの内側に配設される第１入賞部材２０４００と、その第１入賞部材２０４００及びベース板６０の前面側（図４７（ｂ）下側）に配設される第２入賞部材２０５００とから形成される。
【０４５５】
第１入賞部材２０４００は、正面視矩形の板状体から形成される本体部２０４１０と、その本体部２０４１０の背面側（図４７（ｂ）上側）から膨出する膨出部２４２０と、本体部２０４１０側（前面側）から打ち込まれる遊技釘ＹＫとを主に備えて形成される。
【０４５６】
本体部２０４１０及び膨出部２４２０は、左右方向（図４７（ｂ）左右方向）略中央位置に下方から上方に向かって凹部２０４３２が凹設され、本体部２０４１０の左右方向両端部には、第１入賞部材２０４００をベース板６０に締結する皿ネジＮ２が挿通される貫通孔２４１３が形成される。
【０４５７】
凹部２０４３２は、後述する第２入賞部材２０５００の通路形成部材３３０の左右方向（図４７（ｂ）左右方向）寸法よりも大きく形成されると共に第１入賞部材２０４００の前面側から背面側に亘って連続して形成される。これにより、第２入賞部材２０５００を第１入賞部材２０４００の前方に配設した際に、通路形成部材３３０を凹部２０４３２の内側に挿通して配設できる。
【０４５８】
また、凹部２０４３２は、下方が開放して形成されるので、かかる開放部分を通過せることで、ベース板６０から一体（即ち、凹部２０４３２と後述する係合部２０５１３とが係合された状態）で取り外された第１入賞部材２０４００及び第２入賞部材２０５００を分解する作業を容易に行うことができる。
【０４５９】
第２入賞部材２０５００は、正面視菱形の板状体から形成されるベース部材２０５１０と、そのベース部材２５１０の正面側（図４７（ｂ）下側）に突出形成される球入賞部材３２０と、ベース部材２５１０を挟んで、球入賞部材３２０の反対側に位置する通路形成部材３３０とを主に備えて形成される。
【０４６０】
ベース部材２５１０には、開口部３１１の上端側の左右の縁部から背面側に突出する係合部２０５１３が形成される。係合部２０５１３は、通路形成部材３３０の左右方向（図４７（ｂ）左右方向）両端部の上方に形成される。また、係合部２０５１３は、ベース板２５１０の背面から背面側（図４７（ｂ）上方側）に向かって突出形成されると共に、その突出先端が左右方向外側に向かって屈曲される。
【０４６１】
また、係合部２０５１３の背面側への突出寸法Ｌ１３（図４７（ｂ）参照）は、第１入賞部材２０５００の前後方向（図４７（ｂ）上下方向）の厚み寸法と略同一に設定される。また、係合部２０５１３は、基端側（第２入賞部材２０５００のベース部材２０５１０側）の左右方向の距離寸法Ｌ１４（図４７（ｂ）参照）が、上述した第１入賞部材２０４００の凹部２０４３２の左右方向における対向間寸法と略同一に設定されると共に、屈曲先端側の左右方向における距離寸法Ｌ１５（図４７（ｂ）参照）が、凹部２０４３２の左右方向における対向間寸法よりも大きく形成される。これにより、第１入賞部材２０４００に第２入賞部材２０５００を係合させることができる。
【０４６２】
さらに、係合部２０５１３には、弾性変形可能に形成される弾性片２０５１３ｂと、その弾性片から突出される爪部２０５１３ｃと、屈曲側の先端向かって背面側から前面側に傾斜する傾斜面２０５１３ａとが形成される。これにより、係合部２０５１３の傾斜面２０５１３ａを凹部２０４３２の内壁に当接させることで、第２入賞部材２０５００を第１入賞部材２０４００の前面側から配設（挿入）可能とできると共に、背面に到達することで、係合部２０５１３を第１入賞部材２０４００に係合させることができる。
【０４６３】
以上のように構成される入賞口ユニット２０３００によれば、第１入賞部材２０３００の遊技釘ＹＫが２本とも折れて第１入賞部材２０４００を交換する場合に、第２入賞部材２０５００をベース板６０から取り外すことで、第１入賞部材２０４００をベース板６０から取り外すことができる。
【０４６４】
ここで、第１遊技盤部材（ベース板６０）と、その第１遊技盤部材に締結固定され第１遊技盤部材と共に遊技盤を形成する第２遊技盤部材とを備えた遊技機が知られている。かかる遊技機によれば、第２遊技盤部材を第１遊技盤部材に対して着脱できるので、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材が第１遊技盤部材から取り外し難いという問題点があった。例えば、釘が植設された第２遊技盤部材では、作業者は、釘を把持することで、第２遊技盤部材を遊技盤から取り外すことができるところ、釘が折れている場合には、第２遊技盤部材に把持する部位がなくなるため、取り外しが困難となる。第２遊技盤部材と第１遊技盤部材との遊技面どうしが面一となる態様で、第２遊技盤部材が第１遊技盤部材に埋め込まれている場合には、かかる問題点が特に顕著となる。
【０４６５】
これに対し、第２０実施形態では、少なくとも皿ネジＮ２が取り外されると、作業者が第１入賞部材２０４００を直接または間接に把持可能に形成されるので、ベース板６０から第１入賞部材２０４００を取り外しやすくすることができる。
【０４６６】
即ち、第２０実施形態では、第１入賞部材２０４００と第２入賞部材２０５００とが係合部２０５１３により係合した状態で配設されるので、第１入賞部材２０４００の遊技釘ＹＫが２本とも折れた場合には、皿ネジＮ１，Ｎ２を取り外してベース板６０から前面側に位置して配設される第２入賞部材２０５００を指で保持して前面側に引き抜くことで、第１入賞部材２０４００を同時にベース板６０から取り外すことができる。その結果、第１入賞部材２０４００の取り換えを簡易にできる。
【０４６７】
さらに、係合部２０５１３は、弾性変形可能に形成される弾性片２０５０１３ｂと、その弾性片から突出される爪部２０５１３ｃとを備えると共に、その爪部２０５１３ｃが凹部２０４３２に係合可能に形成されるので、第１入賞部材２０４００と、第２入賞部材２０５００とを別々に取り付けた場合でも、弾弾性片２０５１３ｂの弾性変形を利用して、係合部２０５１３と凹部２０４３２とを係合させることができる。よって、第１入賞部材２０４００又は第２入賞部材２０５００を一体化した状態で、ベース板６０に取り付ける必要がないので、第１入賞部材２０４００及び第２入賞部材２０５００をベース板６０に取り付ける際の作業性の向上を図ることができる。
【０４６８】
また、第１入賞部材２０４００を取り外す必要がある場合に、第１入賞部材２０４００を指で保持しなくても第２入賞部材２０５００を保持して引き抜くことで第１入賞部材２０４００をベース板６０から取り外すことができるので、第１入賞部材２０４００の遊技釘ＹＫが作業者に保持されることを抑制できる。上述したように、遊技釘ＹＫは、その２本の間に遊技球が挿通可能な大きさに調整される箇所であるため、第１入賞部材２０４００を取り外す場合に遊技釘ＹＫを指で保持しては、その調整が狂う（遊技釘ＹＫが曲がる）恐れがある。
【０４６９】
これに対し、入賞口ユニット２０３００は、第２入賞部材２０５００と第１入賞部材２０４００とが同時に取り外し可能とされるので、遊技釘ＹＫを保持しなくても第１入賞部材２０４００をベース板６０から取り外すことができる。従って、第１入賞部材２０４００を取り外した場合に、遊技釘ＹＫの調整が狂う（遊技釘ＹＫが曲がる）ことを抑制できる。
【０４７０】
次いで、図４９及び図５０を参照して、第２１実施形態におけるベース板６０について説明する。第２実施形態では、第１入賞部材２４００がベース板６０に直接配設される場合を説明したが、第２１実施形態の第１入賞部材２４００は、ベース板６０との間に弾性部材２１５１０が介在される。なお、上述した各実施形態と同一の部分には、同一の符号を付してその説明は省略する。
【０４７１】
図４９（ａ）は、第２１実施形態における遊技盤１３の正面図であり、図４９（ｂ）は、図４９（ａ）のＸＬＩＸｂ−ＸＬＩＸｂ線における遊技盤１３の断面図である。図５０（ａ）及び図５０（ｂ）は、図４９（ａ）のＬａ−Ｌａ線における遊技盤１３の断面図である。なお、図４９及び図５０では、第２入賞部材２５００が取り外された状態が図示される。
【０４７２】
図４９及び図５０に示すように、第２１実施形態におけるベース板６０は、凹設部２０６０ｃの中央開口（センターフレーム８６）側の周囲に前面側（図４９（ａ）紙面手前側）から背面側に向かって凹設される窪み部２１０６０ｄが形成される。
【０４７３】
窪み部２１０６０ｄは、正面視における外形が第１入賞部材２４００の外形と略同一に形成される。これにより、窪み部２１０６０ｄの内側に第１入賞部材２４００を挿入して配設できる。また、窪み部２１０６０ｄは、正面に突出する円環突起２０６０ｄ１と、正面から背面に向かって半円形に凹設される湾曲部２１０６０ｄ９とを主に備える。
【０４７４】
湾曲部２１０６０ｄ９は、後述する弾性部材２１５１０を内側に挿入する凹部であり、左右方向（図５０（ａ）左右方向）に湾曲して形成される。また、湾曲部２１０６０ｄ９は、背面側への凹設最大距離が後述する弾性部材２１５１０の半径よりも大きく設定される。さらに、湾曲部２１０６０ｄ９は、上下（図４９（ａ）上下）の端部（内壁）が水平方向に平行な平面に形成される。
【０４７５】
弾性部材２１５１０は、ゴム材料から円柱状に形成される。また、弾性部材２１５１０は、軸方向寸法が、湾曲部２１０６０ｄ９の上下方向寸法よりも小さく形成される。よって、弾性部材２１５１０を湾曲部２１０６０ｄ９の内部に縦姿勢で配設することができる。
【０４７６】
また、上述したように、弾性部材２１５１０は、その半径が湾曲部２１０６０ｄ９の背面側への凹設最大距離よりも小さく形成される。よって、湾曲部２１０６０ｄ９の内側に弾性部材２１５１０を配設する場合に、弾性部材２１５１０を湾曲部２１０６０ｄ９の下面（下側の壁面）に乗せることで配設できる。従って、弾性部材２１５１０を簡易に配設できると共に、本体部２４１０を配設するまでの間、弾性部材２１５１０を自立させておける。
【０４７７】
さらに、弾性部材２１５１０は、その直径が湾曲部２１０６０ｄ９の背面側への凹設最大距離よりも大きく形成される。これにより、弾性部材２１５１０を湾曲部２１０６０ｄ９の内側に配設した場合に、弾性部材２１５１０の一部を窪み部２０６０ｄの前方に突出させることができる。
【０４７８】
第１入賞部材２３００は、ベース板６０に弾性部材２１５１０が配設された状態で前面側から凹設部２０６０ｃの内側に配設される。これにより、弾性部材２１５１０を弾性的に圧縮変形させつつ、第１入賞部材２３００をベース板６０に配設できる。
【０４７９】
以上のように構成される遊技盤１３によれば、第１入賞部材２４００をベース板６０に配設して皿ネジＮ２締結固定した状態では、第１入賞部材２４００の本体部２４１０により弾性部材２１５１０を押圧して弾性変形させた状態とすることができる。よって、第１入賞部材２４００を交換する場合に、第１入賞部材２４００を締結する皿ネジＮ２を取り外すと、第１入賞部材２４００の本体部２４１０が弾性部材２１５１０の弾性回復力により前面側に押し出される。従って、ベース板６０から第１入賞部材２４００を突出させ、両者の間に段差を形成することができる。よって、作業者が段差を直接または間接に把持できることで、ベース板６０から第１入賞部材２４００を取り外しやすくすることができる。
【０４８０】
また、第１入賞部材２４００の遊技釘ＹＫが２本とも折れて第１入賞部材２４００をベース板６０から取り外す場合には、皿ネジＮ２を取り外すことで、第１入賞部材２４００が前面側に押し出されることで、第１入賞部材２４００を指で掴む部分を形成できる。その結果、第１入賞部材２４００をベース板６０から取り外し易くできる。
【０４８１】
さらに、第１入賞部材２４００を取り外す場合に、遊技釘ＹＫ以外の箇所を掴むことができるので、第１入賞部材２４００を取り外す場合に、遊技釘ＹＫが曲がることを抑制できる。
【０４８２】
次いで、図５１及び図５２を参照して、第２２実施形態における入賞口ユニット２２３００について説明する。第２実施形態では、本体部２４１０の前面がベース板６０の前面と同一平面上に配設される場合を説明したが、第２３実施形態では、本体部２４１０に前面側に突出する突出部２２４３３が形成される。
【０４８３】
図５１（ａ）は、第２２実施形態における入賞口ユニット２２３００の分解斜視図であり、図５１（ｂ）は、遊技盤１３の正面図である。図５２（ａ）は、図５１（ｂ）のＬＩＩａ−ＬＩＩａ線における遊技盤１３の断面図であり、図５２（ｂ）は、図５２（ａ）のＬＩＩｂ−ＬＩＩｂ線における遊技盤１３の断面図である。なお、図５１（ｂ）、図５２（ａ）及び図５２（ｂ）では、第２入賞部材２２３００が透明視されると共に、外形が鎖線で図示される。
【０４８４】
図５１及び図５２に示すように、第２２実施形態における入賞口ユニット２２３００は、ベース板６０の凹設部２０６０ｃの内側に配設される第１入賞部材２２４００と、その第１入賞部材２２４００及びベース板６０の前面側（図４７（ａ）右側）に配設される第２入賞部材２２５００とから形成される。
【０４８５】
第１入賞部材２２４００は、正面視矩形の板状体から形成される本体部２２４１０と、その本体部２２４１０の背面側（図５２（ａ）左側）から膨出する膨出部２４２０と、本体部２２４１０側（前面側）から打ち込まれる遊技釘ＹＫとを主に備えて形成される。
【０４８６】
第１入賞部材２２４００は、遊技釘ＹＫの下方に位置し前後方向に遊技球の外径よりも大きい形状に開口する開口部２２４３４と、その開口部２２４３４の内縁の下端側から前面側に突出する突設部２２４３３と、本体部２２４１０の左右方向両端部に形成され第１入賞部材２２４００をベース板６０に締結する皿ネジＮ２を挿通する貫通孔２４１３とを主に備える。
【０４８７】
開口部２２４３４は、後述する第２入賞部材２２５００の開口３１１の背面側に位置して形成されており、第１入賞口６４に流入した遊技球を開口部２２４３４を挿通させてベース板６０の背面側に送球できる。
【０４８８】
突出部２２４３３は、開口部２２４３４から前面側に突出して形成されており、その上面が背面側に向かって下降傾斜して形成される。また、突出部２２４３３は、その突出寸法が、球入賞部材３２０の前面３２２の背面側に当接する寸法に設定される。
【０４８９】
第２入賞部材２２５００は、正面視菱形の板状体から形成されるベース部材２５１０と、そのベース部材２５１０の正面側（図５２（ａ）右側）に突出形成される球入賞部材３２０とを主に備えて形成される。
【０４９０】
球入賞部材３２０の側壁３２１の内面の下端部に下方には、突出部２２４３３が内嵌される溝部２２３２２ａが形成（凹設）される。即ち、溝部２２３２２ａは、上述した突出部２２４３３の前面側に形成されており、正面視における外形が、突出部２２４３３の外形と略同一に設定される。これにより、第２入賞部材２２５００を第１入賞部材２２４００の前面側に配設する場合に、突出部２２４３３と溝部２２３２１ａとで第１入賞部材２２４００に対して第２入賞部材２２５００を位置決めできる。
【０４９１】
よって、遊技状態では突出部２２４３３を第２入賞部材２２５００により遊技者から隠して、外観の向上を図りつつ、第２入賞部材２２５００を取り外した状態では、作業者が突出部２２４３３を把持可能として、遊技盤から構成部材を取り外しやすくすることができる。
【０４９２】
また、上述したように突出部２２４３３は、背面側に向かってその上面面が下降傾斜して形成されるので、第１入賞口６４に流入した遊技球をその上面に乗せて背面側に転動させることができる。よって、溝部２２３２１ａおよび突出部２２４３３を別途設ける必要がなく、通路を形成するための部位として兼用することができるので、その分、製品コストを低減することができる。
【０４９３】
以上のように形成される球入賞ユニット２２３００によれば、第１入賞部材２２４００の遊技釘ＹＫが２本とも折れて第１入賞部材２２４００を交換する場合に、第１入賞部材２２４００ベース板６０から取り外し易くできる。
【０４９４】
詳しく説明すると、第１入賞部材２２４００は、ベース板６０と前面が同一平面上に配設されるので、遊技釘ＹＫが２本とも取れた場合に、第１入賞部材２２４００を指で保持する箇所がなくなる。そのため、遊技釘ＹＫが２本とも折れた場合に、第１入賞部材２２４００をベース板６０から取り外し難くなる。
【０４９５】
これに対し、第２２実施形態では、第１入賞部材２２４００には、前面側に突出する突出部２２４３３が形成されるので、第１入賞部材２２４００の遊技釘ＹＫが２本とも折れた場合には、第２入賞部材２２５００を取り外すことで、突出部２２４３３をベース板６０の前面に突出させることができる。従って、突出部２２４３３を指で保持して第１入賞部材２２４００をベース板６０から取り外すことができる。その結果、第１入賞部材２２４００の取り換えを簡易にできる。
【０４９６】
さらに、第１入賞部材２２４００を取り外す場合に、遊技釘ＹＫ以外の箇所を掴むことができるので、第１入賞部材２２４００を取り外す場合に、遊技釘ＹＫが曲がることを抑制できる。
【０４９７】
また、上述したように突出部２２４３３は、溝部２２３２１ａに嵌る（内嵌される）ことで、第２入賞部材２２４００の位置決めをすることができると共に、第１入賞口６４に流入した遊技球を背面側に転動させる転動面として利用できる。従って、第２入賞部材２２４００を位置決めする部分及び遊技球を転動させる部分を新たに形成する必要がなくなるので、入賞口ユニット２２３００の製造コストを削減できる。
【０４９８】
ここで、本実施形態では、第１入賞部材２２４００に植設される遊技釘ＹＫと突出部２２４３３との相対位置が一定であるため、安定した遊技を遊技者へ提供できる。即ち、突出部２２４３３が入賞口ユニット２２３００に一体に形成される従来品では、各部品の寸法公差や取り付け作業時の作業公差に起因して、第１入賞部材２２４００に対する入賞口ユニット２２３００の取付位置にばらつきが発生するため、突出部２２４３３と遊技釘ＹＫとの相対位置が一定ではない。そのため、それらの位置関係によっては、第１入賞部材２２４００の一対の遊技釘ＹＫの間を通過して、第１入賞口６４に入球したとしても、突出部２２４３３への衝突位置によっては、跳ね返って、第１入賞口６４の外へ飛び出してしまうことがあった。
【０４９９】
これに対し、本実施形態では、第１入賞部材２２４００に突出部２２４３３が配設（一体に形成）されるので、第１入賞部材２２４００に植設される遊技釘ＹＫと突出部２２４３３との相対位置を一定とできる。よって、上述した跳ね返りを抑制でき、安定した遊技を遊技者へ提供できる。
【０５００】
次いで、図５３及び図５４を参照して、第２３実施形態における第１入賞部材２３４００について説明する。第２実施形態では、第１入賞部材２４００を取り外す際に保持する部材が取り付けられなかったが、第２３実施形態における第１入賞部材２３４００は、第１入賞部材２３４００に第１入賞部材を取り外す際に保持する保持部材２３４５０が配設される。
【０５０１】
図５３（ａ）は、第２３実施形態における第１入賞部材２３４００の斜視正面図であり、図５３（ｂ）は、遊技盤１３の正面図である。図５４（ａ）及び図５４（ｂ）は、図５３（ａ）のＬＩＶａ−ＬＩＶａ線における遊技盤１３の断面図である。なお、図５３（ｂ）では、第２入賞部材２５００が透明視されると共に、外形が鎖線で図示される。また、図５４（ｂ）は、第２入賞部材２５００が取り外された状態が図示される。
【０５０２】
図５３及び図５４に示すように、第２３実施形態における第１入賞部材２３４００は、正面視横長矩形の板状体から形成される本体部２３４１０と、その本体部２３４１０の背面側から膨出する膨出部２４２０と、その本体部２３４１０から打ち込まれる遊技釘ＹＫとを主に備えて形成される。
【０５０３】
本体部２３４１０は、遊技釘ＹＫの下方に位置し前後方向に貫通する第２貫通孔２３４３５と、その第２貫通孔２３４００に挿入される保持部材２３４５０と、左右方向両端部に第１入賞部材２３４００をベース板６０に締結する皿ネジＮ２を挿通する貫通孔２４１３とを主に備えて形成される。
【０５０４】
第２貫通孔２３４３５は、円形状に形成されると共に、前後方向（図Ｆ０６（ａ）左右方向）に貫通して形成される。また、第２貫通孔２３４３５は、前面側に形成される大径部２３４３５ａと背面側（図Ｆ０６（ａ）左側）に前面側（図Ｆ０６（ａ）右側）よりも小さい内径に形成される小径部２３４３５ｂとを備えて形成される。また、第２貫通孔２３４３５は、その軸が第２入賞部材２５００と前後方向に重なる位置に形成される。
【０５０５】
大径部２３４３５ａは、後述する保持部材２３４５０の頭部２３４５１を挿入する貫通孔であり、頭部２３４５１の外径よりも大きい内径に形成される。小径部２３４３５ｂは、後述する保持部材２３４５０の軸部２３４５２が挿通される貫通孔であり、軸部２３４５２の外径予知も大きい内径に形成される。
【０５０６】
保持部材２３４５０は、円柱状に形成される頭部２３４５１と、その頭部２３４５１と同軸上に配設されると共に、頭部２３４５１の外径よりも小さい外径の円柱状に形成される軸部２３４５４２と、その軸部２３４５２の背面側に凹設される溝部２３４５３とを備えて形成される。
【０５０７】
頭部２３４５１は、軸方向（図５４（ａ）左右方向長さ）が大径部２３４３５ａの軸方向長さよりも小さく形成される。また、軸部２３４５２の周囲に配設されるコイルスプリングＳＰよりもその外径が大きく形成される。これにより、頭部２３４５１を第２貫通孔２３４３５の内部に挿入した場合にコイルスプリングＳＰが前面側に抜け出ることを抑制できる。
【０５０８】
軸部２３４５２は、上述したように、第２貫通孔２３４３５に挿入され小径部２３４３５ｂの内側を前後方向に摺動する部材であり、第２貫通孔２３４３５の軸方向長さよりも軸方向に長く形成される。
【０５０９】
溝部２３４５３は、Ｅリング２３４５４を装着する溝であり、Ｅリング２３４５４の板厚よりも少し大きい幅で軸部２３４５２の周方向に亘って形成される。また、溝部２３４５３は、軸部２３４５２の背面側に形成されており、溝部２３４５３を第２貫通孔２３４５３の背面側（図５４（ａ）左側）から突出させた状態でＥリング２３４５４が取り付けられる。
【０５１０】
Ｅリング２３４５４は、第２貫通孔２３４５３の小径部２３４３５ｂよりも外径が大きく形成される。これにより、保持部材２３４５０を第２貫通孔２３４３５の内側に配設した状態を維持できる。また、軸部２３４５２の周囲にはコイルスプリングＳＰが配設される。よって、頭部２３４５１は、コイルスプリングＳＰの弾性回復力により前面側（図５４右側）に付勢された状態で保持される。
【０５１１】
よって、第１入賞部材２３４００は、第２貫通孔２３４３５の軸が第２入賞部材２５００と前後方向に重なる位置に形成されるので、第２入賞部材２５００をベース板６０に締結固定した状態では、第２入賞部材２５００のベース部材２５１０により、保持部材２３４５０の頭部２３４５１が背面側に押圧される。これにより、コイルスプリングＳＰが収縮されて、保持部材２３４５０の頭部２３４５１が、大径部２３４３５ａの内側に配置された状態とされる。
【０５１２】
一方、図５４（ｂ）に示すように、第２入賞部材２５００がベース板６０から取り外されると、コイルスプリングＳＰの弾性回復力により、保持部材２３４５０の頭部２３４５１が前面側に押し出される。これにより、保持部材２３４５０を前面側に変位させることができる。
【０５１３】
従って、第１入賞部材２３４００の遊技釘ＹＫが２本とも折れて第１入賞部材２３４００を交換する場合に、第１入賞部材２３４００ベース板６０から取り外し易くできる。
【０５１４】
詳しく説明すると、第１入賞部材２３４００は、ベース板６０と前面が同一平面上に配設されるので、遊技釘ＹＫが２本とも取れた場合に、第１入賞部材２３４００を指で保持する箇所がなくなる。そのため、遊技釘ＹＫが２本とも折れた場合に、第１入賞部材２３４００をベース板６０から取り外し難くなる。
【０５１５】
これに対し、第２３実施形態では、第１入賞部材２３４００に出没可能に配設される保持部材２３４５０と、その保持部材２３４５０を突出方向へ付勢するコイルスプリングＳＰと、ベース板６０に配設される第２入賞部材２５００とを備え、第２入賞部材２５００が第１入賞部材２３４００の保持部材２３４５０を没入させる位置に配設されるので、遊技状態では保持部材２３４５０を第２入賞部材２５００により遊技者から隠して、外観の向上を図りつつ、第２入賞部材２５００を取り外した状態では、作業者が保持部材２３４５０を把持可能として、ベース板６０から第１入賞部材２３４００を取り外しやすくすることができる。
【０５１６】
また、第２入賞部材２５００の遊技盤への締結方向が、保持部材２３４５０の出没方向と平行な方向に設定されるので、第２入賞部材２５００を遊技盤へ締結固定しつつ保持部材２３４５０を没入させることができる。即ち、保持部材２３４５０を没入させる作業工程と、第２入賞部材２５００を遊技盤へ締結固定する作業工程とを別々に行う必要がないので、工数を削減でき、その分、第１入賞部材２３４００および第２入賞部材２５００を遊技盤へ取り付ける作業の作業性の向上を図ることができる。
【０５１７】
さらに、第１入賞部材２３４００を取り外す場合に、遊技釘ＹＫ以外の箇所を掴むことができるので、第１入賞部材２３４００を取り外す場合に、遊技釘ＹＫが曲がることを抑制できる。
【０５１８】
また、保持部材２３４５０は、頭部２３４５１が軸部２３４５２よりも外径が大きく形成されるので、指に頭部２３４５１を引っ掛け易くできる。よって、その分、第１入賞部材２３４００をベース板６０から取り出し易くできる。
【０５１９】
次いで、図５５を参照して、第２４実施形態における第１入賞部材２４４００について説明する。第２実施形態では、第１入賞部材２４４００を取り外す場合に、その第１入賞部材２４４００の背面に指を係止可能とされる場合を説明したが、第２４実施形態の第１入賞部材２４４００は、開口部２４４３４の内壁に指を係止可能に形成される。なお、上述した各実施形態と同一の部分には、同一の符号を付してその説明は省略する。
【０５２０】
図５５（ａ）は、第２４実施形態における遊技盤１３の正面図であり、図５５（ｂ）は、図５５（ａ）のＬＶｂ−ＬＶｂ線における遊技盤１３の断面図である。なお、図５５（ａ）及び図５５（ｂ）では、第２入賞部材２５００が透明視されると共に外形が破線で図示される。
【０５２１】
図５５に示すように、第２４実施形態における第１入賞部材２４４００は、正面視矩形の板状体から形成される本体部２４４１０と、その本体部２４４１０の背面側（図５５（ｂ）左側）から膨出する膨出部２４２０と、本体部２４４１０側（前面側）から打ち込まれる遊技釘ＹＫとを主にそなえて形成される。
【０５２２】
本体部２４４１０は、遊技釘ＹＫの下方に位置し前後方向（図５５左右方向）に遊技球の外径よりも大きい形状に開口する開口部２４４３４と、その開口部２４４３４の内縁の上端から下方に突出する突壁２４４３４ａと、左右方向両端部に形成され第１入賞部材２４４００をベース板６０に締結する皿ネジＮ２を挿通する貫通孔２４１３とを主に備える。
【０５２３】
開口部２４４３４は、第２入賞部材２５００の開口部３１１の背面側に位置して形成されており、第１入賞口６４に流入した遊技球を開口部２４４３４を挿通させてベース板６０の背面側に送球できる。
【０５２４】
突壁２４４３４ａは、開口部２４４３４の内縁上端の前面側から下方に突出して形成される壁部である。開口部２４３３４の内壁にベース板６０の背面側に段差面を向けた突壁２４４３４ａが形成されるので、段差面を利用して、第１入賞部材２４４００をベース板６０から引き抜くことができる。即ち、第１入賞部材２４４００の背面に到達するまで指を通路内へ挿通させて、第１入賞部材２４４００の背面で指を係止させる必要がなく、比較的浅い位置の段差面で指を係止させることができるので、第１入賞部材２４４００をベース板６０から取り外しやすくできる。
【０５２５】
また、第１入賞部材２４４００は、その下端部分の背面側に第１入賞部材２４４００の幅方向（図５５（ａ）左右方向）全域にわたって切り欠き形成される切欠き部２４４３６を備える。切欠き部２４４３６は、背面側に向かって上方に傾斜して形成される。これにより、突壁２４４３４ａに指を引っ掛けて第１入賞部材２４４００をベース板６０から取り外す場合に、切欠き部２４４３６を利用して、第１入賞部材２４４００をベース板６０から引き抜く際に、開口部２４４３４の段差面が形成される内壁側に位置する第１入賞部材２４４００の外側面（図５５（ｂ）上側の面）を支点として、第１入賞部材２４４００を回転させる態様を形成できる。よって、ベース板６０から第１入賞部材２４４００を取り外し（引き抜き）やすくすることができる。
【０５２６】
次いで、図５６及び図５７を参照して、第２５実施形態における第１入賞部材２５４００のベース板６０への締結方向について説明する。第２実施形態では、ベース板６０に形成される円環突起２０６０ｄ１に皿ネジＮ２を螺合させる場合を説明したが、第２５実施形態では、皿ネジＮ２が第１入賞部材２５４００の背面側に配設される締結部材２５４７０に螺合される。なお、上述した各実施形態と同一の部分には、同一の符号を付してその説明は省略する。
【０５２７】
図５６は、第２５実施形態における遊技盤１３の分解斜視正面図である。図５７（ａ）は、遊技盤１３の正面図であり、図５７（ｂ）及び図５７（ｃ）は、図５７（ａ）のＬＶＩＩ−ＬＶＩＩ線における遊技盤１３の断面図である。なお、図５７（ｂ）では、遊技釘ＹＫが膨出部２５４２０に打ち込まれる前の状態が図示され、図５７（ｃ）では、遊技釘ＹＫが膨出部２５４２０に打ち込まれた後の状態が図示される。また、図５６及び図５７では、遊技盤１３から第２入賞部材２５００が取り外された状態が図示される。
【０５２８】
図５６及び図５７に示すように、第２５実施形態におけるベース板６０は、凹設部２０６０ｃの中央開口（センターフレーム８６）側の周囲に背面側（図５６（ｂ）上方側）から前面側（図５６（ｂ）下方側）に凹設される窪み部２５０６０ｄとを主に備えて形成される。
【０５２９】
窪み部２５０６０は、背面視における外形が第１入賞部材２５０６０の外形と略同一に形成される。これにより、窪み部２５０６０ｄの内側に第１入賞部材２５４００を配設できる。また、窪み部２５０６０ｄには、前後方向に貫通する挿通孔２５０６０ｄ３が形成される。
【０５３０】
挿通孔２５０６０ｄ３は、正面視円形状に形成されており、ベース板６０に後述する第１入賞部材２５４００を配設した状態において、第１入賞部材２５４００の挿通孔２５４１８と同軸上に形成される。また、挿通孔２５４１８は、前面側が皿ビスＮ２の頭部を収容できる大きさに拡径して形成される。
【０５３１】
第１入賞部材２５４００は、正面視横長矩形の板状体から形成される本体部２５４１０と、その本体部２５４１０の前面側から膨出する膨出部２５４２０と、その膨出部２５４２０側から打ち込まれる遊技釘ＹＫとを主に備えて形成される。
【０５３２】
膨出部２５４２０は、本体部２５４１０の長手方向（図５７（ｂ）左右方向）略中央位置に形成されると共に、本体部２５４１０の長手方向において本体部２５７４１０よりも短い外形寸法に形成される。本体部２５４１０は、長手方向両端部に前後方向（図５７（ｂ）上下方向）に貫通形成される挿通孔２５４１０が形成される。
【０５３３】
挿通孔２５４１８は、第１入賞部材２５４００を締結固定する皿ネジＮ２の先端を挿通する孔であり、皿ネジＮ２の先端側（軸部）の外径よりも内径が大きく形成される。また、挿通孔２５４１８は、その軸が、ベース板６０に形成される挿通孔２５０６０ｄ３の軸と同軸上に形成される。これにより、皿ネジＮ２を、ベース板６０の挿通孔２５０６０ｄ３を挿通させた後に、挿通孔２５４１８に挿通させることができる。
【０５３４】
締結部材２５４７０は、鉄材から形成されると共に、正面視横長矩形の板状体に形成される。締結部材２５４７０は、その長手方向寸法Ｌ１６（図５７（ｂ）参照）が第１入賞部材２５４００の長手方向寸法Ｌ１７（図５７（ｂ）参照）よりも大きく設定されると共に、長手方向中央位置が本体部２５４００の長手方向中央位置と前後方向（図５７）において同一位置に配設される。
【０５３５】
また、締結部材２５４７０は、その短手方向（図５７（ａ）上下方向）における中間位置が遊技釘ＹＫと第１入賞部材２５４００との連結部分の背面側に設定されると共に、左右の両端に前後方向に貫通形成される締結孔２５４７１を備える。遊技釘ＹＫと第１入賞部材２５４００との連結部分の背面側に配設される。即ち、遊技釘ＹＫの植設方向の延長線上に締結部材２５４７０を位置させることができる。よって、締結部材２５４７０の面積を抑制しつつ、第１入賞部材２５４００の支持剛性を効果的に高めることができるので、製品コストを抑制しつつ、第１入賞部材２５４００の前面に遊技釘ＹＫを植設する際に第１入賞部材２５４００に割れなどの損傷が生じることを抑制できる。
【０５３６】
締結孔２５４７１は、内部に皿ネジＮ２を螺合できる雌ねじが形成される。締結孔２５４７１は、その軸が上述した第１入賞部材２５４００の挿通孔２５４１８及びベース板６０を挿通孔２５４０６０ｄ３と同軸上に形成される。これにより、挿通孔２５４００ｄ３，２５４１８を挿通した皿ネジＮ２を、締結部材２５４７０の締結孔２５４７１に螺合させることができる。
【０５３７】
よって、ベース板６０に第１入賞部材２５４００を配設した状態で、ベース板６０の前面側から皿ネジＮ２を挿通孔２５０６０ｄ３及び挿通孔２５４１８を挿通させて締結孔２５４７１に螺合させることで、第１入賞部材２５４００をベース板６０に締結固定することができる。
【０５３８】
ここで、第１遊技盤部材（ベース板６０）と、その第１遊技盤部材に配設され第１遊技盤部材と共に遊技盤を形成する第２遊技盤部材とを備え、その第２遊技盤部材に釘（遊技釘ＹＫ）が植設された遊技機が知られている。かかる遊技機によれば、第２遊技盤部材を遊技盤に対して着脱できるので、例えば、第２遊技盤部材の釘が折れた場合には、第２遊技盤部材のみを交換して、遊技盤全体としての交換を不要とすることができる。しかしながら、上述した従来の遊技機では、釘を植設する作業性が悪いという問題点があった。即ち、第１遊技盤部材に釘を植設する工程とは別に第２遊技盤部材に釘を植設する工程が必要となるため、その分、工数が嵩む。更に、第２遊技盤部材が比較的小さいため、かかる第２遊技盤部材に所定の公差内で釘を植設するためには、第２遊技盤部材の保持精度を高めると共に植設動作の速度を低くすることが必要となり、その分、比較的大きな遊技盤への釘の植設の場合と比較して、工数が嵩む。
【０５３９】
これに対し、第２５実施形態によれば、ベース板６０の前面側から押圧された第１入賞部材２５４００を支持可能に形成されるので、ベース板６０に第１入賞部材２５４００を配設した状態で、かかる第１入賞部材２５４００に遊技釘ＹＫを植設できる。よって、第１入賞部材２５４００に遊技釘ＹＫを植設する作業性の向上を図ることができる。
【０５４０】
即ち、一対の皿ネジＮ２と、それら一対の皿ネジＮ２がそれぞれ螺合される締結孔２５４７１が形成されると共にベース板６０及び第１入賞部材２５４００よりも剛性が高い材料からなる締結部材２５４７０とを備え、ベース板６０の貫通孔２５６０ｄ３を挿通して第１入賞部材２５４００の背面側に突出された皿ネジＮ２が締結部材２５４７０の雌ねじに螺合されるので、ベース板６０に第１入賞部材２５４００が配設された状態において、第１入賞部材２５４００を背面側から締結部材２５４００によって支持することができる。よって、第１入賞部材２５４００の遊技面に遊技釘を植設する際に、第１入賞部材２５４００にわれ等の損傷が生じることを抑制できる。
【０５４１】
この場合、上述したように、締結部材２５４７０は、その長手方向寸法Ｌ１６が本体部２５４１０の長手方向寸法Ｌ１７よりも小さく形成されると共に、第１入賞部材２５４００の左右方向中央位置に配設されるので、締結部材２５４７０が、ベース板６０の背面側に乗り上げることを抑制できる。よって、締結部材２５４７０を第１入賞部材２５４００の背面に密着させやすくして、締結部材２５４７０による第１入賞部材２５４００の支持剛性を高めることができる。その結果、第１入賞部材２５４００の遊技面に遊技釘ＹＫを植設する際に、第１入賞部材２５４００に割れなどの損傷が生じることを抑制できる。
【０５４２】
次いで、図５８及び図５９を参照して、第２６実施形態における第１入賞部材２６４００について説明する。第２実施形態では、膨出部２４２０の左右方向両端における側面が前後方向（図１５（ｃ）上下方向）に平行に形成される場合を説明したが、第２６実施形態では、膨出部２６４２０の左右方向両端部における側面が背面側に向かって左右方向中央側に傾斜される。なお、上述した各実施形態と同一の部分には、同一の符号を付してその説明は省略する。
【０５４３】
図５８は、第２６実施形態における遊技盤１３の分解斜視正面図であり、図５９（ａ）及び図５９（ｂ）は、遊技盤１３の断面図である。なお、図５９（ａ）及び図５９（ｂ）は、図５７（ａ）の断面図に対応する。また、図５９（ａ）では、遊技釘ＹＫが、本体部２４１０に打ち込まれる前の状態が図示される。さらに、図５８及び図５９では、遊技盤１３から第２入賞部材２５００が取り外された状態が図示される。
【０５４４】
図５８及び図５９に示すように、第２６実施形態におけるベース板６０は、センターフレーム８６が取り付けられるベース板６０の中央開口の下側に連続して凹設部２６０６０ｃが凹設される。第１入賞部材２６４００は、その一部が凹設部２６０６０ｃの内側に挿入されると共に、ベース板６０の前面側から皿ネジＮ２により固定される。
【０５４５】
凹設部２６０６０ｃには、内側端面が背面側に向かって左右方向中央側に傾斜する傾斜面２６０６０ｃ１が形成される。傾斜面２６０６０ｃ１は、上下方向に延設して形成される。傾斜面２６０６０ｃ１は、その前後方向長さが、後述する第１入賞部材２６４００の膨出部２６４２０の前後方向長さよりも小さく設定される。
【０５４６】
第１入賞部材２５４００は、正面視横長矩形の板状体から形成される本体部２４１０と、その本体部２４１０の背面側（図５９（上方））から膨出する膨出部２６４２０と、本体部２４１０側から打ち込まれる遊技釘ＹＫとを主に備えて形成される。
【０５４７】
本体部２４１０には、左右の両端部に前後方向に貫通する貫通孔２６４１３が形成される。貫通孔２６４１３は、ベース板６０に形成される締結孔２６０６０ｄ４と同軸上に形成されており、第１入賞部材２６４００をベース板６０に配置した状態で、皿ネジＮ２を前面側から貫通孔２６４１３を挿通させると共に、締結孔２６０６０ｄ４に螺合することで、第１入賞部材２６４００をベース板６０に締結固定できる。
【０５４８】
膨出部２６４２０は、本体部２４１０の長手方向（図５９（ｂ）左右方向）略中央位置に形成されると共に、本体部２４１０の長手方向において、本体部２４１０よりも短い寸法に形成される。
【０５４９】
また、膨出部２６４２０は、その膨出部２６４２０の左右方向（図５９（ａ）左右方向）両端に位置し背面側に向かって左右方向内側に傾斜して形成される当接面２６４２４を備える。当接面２６４２４は、その傾斜角度が上述した傾斜面と略同一の傾斜角度に形成される。さらに、本体部２４１０側（前面側）の膨出部２６４２０の左右方向（図５９（ａ）左右方向）寸法は、ベース板６０の傾斜面２６０６０ｃ１の前面側（窪み部２０６０ｄとの境界）における左右方向寸法よりも大きな寸法に設定される。これにより、第１入賞部材２６４００をベース板６０に配設した場合に、当接面２６４２４と傾斜面２６０６０ｃ１とを当接させ、本体部２４１０の背面と窪み部２０６０ｄの正面との間に隙間を設けることができる。
【０５５０】
また、第１入賞部材２６４００をベース板６０に前面側から配設する場合に、第１入賞部材２６４００の当接面２６４２４を傾斜面２６０６０ｃ１に当接させつつ背面側に変位させることで、当接面２６４２４を傾斜面２６６０６０ｃ１に案内される。従って、第１入賞部材２６４００のベース板６０への位置決めを簡易にできる。
【０５５１】
さらに、第１入賞部材２６４００が、ベース板６０に配設された状態では、当接面２６４２４と傾斜面２６０６０ｃ１とを当接させた状態とできるので、前面側から押圧された第１入賞部材２６４００がベース部材６０へ作用せる力を、ベース板６０の板厚に直交する方向へ分散可能に形成される。よって、第１入賞部材２６４００に遊技釘ＹＫを植設する作業性の向上を図ることができる。
【０５５２】
詳しく説明すると、第１入賞部材２６４００とベース板６０とが当接する当接面２６４２４は、遊技釘ＹＫの打ち込み方向に対して傾斜する傾斜面２６０６０ｃ１として形成されるので、第１入賞部材２６４００に遊技釘ＹＫが植設される際の押圧力を、当接面２６４２４および傾斜面２６０６０ｃ１の傾斜（テーパー角）を利用して、ベース板６０の板厚方向（図５９（ａ）上下方向）と板厚に直交する方向（図５９（ａ）左右方向）とに分散させることができる。その結果、ベース板６０の負担を軽減して、ベース板６０に割れなどの損傷が生じることを抑制できる。
【０５５３】
以上、上記各実施形態に基づき本発明を説明したが、本発明は上記各実施形態に何ら限定されるものではなく、本発明の趣旨を逸脱しない範囲内で種々の変形改良が可能であることは容易に推察できるものである。
【０５５４】
上記各実施形態において、１の実施形態の一部または全部を他の１又は複数の実施形態の一部または全部と入れ替えて又は組み合わせて、遊技機を構成しても良い。
【０５５５】
上記各実施形態では、ベース板６０に着脱自在に配設される対象が入賞口ユニット３００等である場合を説明したが、必ずしもこれに限られるものではなく、他の部材や装置であっても良い。他の部材や装置としては、例えば、可動役物、アタッカー、センターフレームなどが例示される。同様に、第１入賞部材２４００等には、遊技釘ＹＫが植設される場合や遊技球が通過可能な通路が形成される場合を説明したが、必ずしもこれに限られるものではない。遊技釘ＹＫまたは通路の一方または両方が省略されていても良く、他の部材や装置が配設されていても良い。他の部材や装置としては、風車やセンサ装置などが例示される。
【０５５６】
上記各実施形態では、ベース板６０（第１遊技盤構成部材）が光透過性の樹脂材料から形成される場合を説明したが、必ずしもこれに限られるものではない。例えば、塗装やシールの貼着により、ベース部材６０を光を透過しない形態に形成しても良い。また、別の材料からベース板６０を形成しても良い。別の材料としては、木材（例えば、ベニヤ板に代表される合板）が例示される。なお、ベース板６０が木材からなる場合には、締結強度の確保が困難であり、特に、複数回の締結には不向きである。そのため、上記各実施形態における構成が特に有効となる。第１入賞部材２４００等（第２遊技盤構成部材）の材料についも同様である。
【０５５７】
上記第３実施形態では、第１入賞部材３４００を締結する皿ネジＮ２の頭部が遊技者側から視認可能とされる場合を説明したが、必ずしもこれに限られるものではない。例えば、上記第４実施形態の第２入賞部材４５００の覆設部４５１１を本体部３５１０に形成して、皿ネジＮ２の頭部が遊技者から視認し難くされていても良い。
【０５５８】
上記第６実施形態では、ベース部材６０の前面側（凹設部２０６０ｃの周囲）に窪み部６０６０ｄが凹設される場合を説明したが、必ずしもこれに限られるものではなく、窪み部６０６０ｄの凹設を省略しても良い。即ち、凹設部２０６０ｃの下面に締結孔６０６０ｄ４を形成する面が形成されていれば良い。これにより、窪み部６０６０ｄの形成を省略できる分、ベース部材６０の加工コストを低減でき、製品コストの削減を図ることができる。同時に、第１入賞部材６４００の外形も単純化できるので（第６実施形態では本体部６４１０と膨出部２４２０の正面視における外形が同一となる直方体形状）、この点からも製品コストの削減を図ることができる。
【０５５９】
上記第７実施形態では、貫通孔７０６０ｅの断面形状を円形に形成する場合を説明したが、必ずしもこれに限られるものではない。例えば、円形、楕円形、多角形、これらを組み合わせたものでもよい。また、貫通孔７０６０ｅは、少なくとも皿ネジＮ２が挿通可能に形成されれば足り、周面の一部が開放されていても良い。開放部分は、皿ネジＮ２の挿通方向に沿って連続していても良く、挿通方向の一部のみであってもよい。
【０５６０】
上記第７実施形態では、拡径部７０６０ｅ１は、その凹設寸法が円環突起７４１４の突設寸法よりも小さく形成される場合を説明したが、必ずしもこれに限られるものではない。例えば、拡径部７０６０ｅ１の凹設寸法が円環突起７４１４の突設寸法よりも大きく形成されても良い。この場合、第１入賞部材７４００が、ベース板６０に対して締結固定された状態では、第１入賞部材７４００の前面とベース板６０の背面とが当接された状態を形成できる。即ち、円環突起７４１４の突設先端と拡径部７０６０ｅ１の凹設底面との間に隙間が形成された状態を形成できる。よって、当接面積を確保して、第１入賞部材７４００をベース板６０に対して強固に固定することができる。
【０５６１】
上記第７実施形態では、ベース板６０の中央開口（窓部）にセンターフレーム８６が配設される場合を説明したが必ずしもこれに限られるものではない。例えば、センタ―フレーム８６の取り付けを省略して遊技盤１３を構成してもよい。この場合、第１入賞部材７４００は、皿ネジＮ２を取り外した状態では、ベース板６０の前面（遊技面）に平行な方向に沿ってスライド変位されることで、ベース板６０の中央開口側へ抜き取り可能に形成されるので、第１入賞部材７４００の背面側に他の部材や装置が配設されている場合でも、他の部材や装置（例えば、遊技球を送球する通路を形成する部材）を取り外すことなく、第１入賞部材７４００を交換することができる。よって、交換作業の作業性を向上できる。
【０５６２】
言い変えると、交換作業のためのスペースを第１入賞部材７４００の背面側に確保することを不要とでき、その分、かかる第１入賞部材７４００の背面側のスペースを、他の部材や装置（例えば、遊技球を送球する通路を形成する部材）を配設するためのスペースとして利用することができる。
【０５６３】
上記第１１実施形態では、ネジＮ３が挿通される挿通孔１１４１８が第１入賞部材１１４００に形成されると共に、ネジＮ３が螺合される締結孔６０６０ｄ４がベース板６０に形成される場合を説明したが、必ずしもこれに限られるものではない。例えば、ネジＮ３が挿通される挿通孔がベース板６０に形成されると共に、ネジＮ３が螺合される締結孔が第１入賞部材１１４００に形成されていてもよい。
【０５６４】
上記第１３実施形態では、背面部材１３７００は、ベース板６０の背面側に配設される場合を説明したが、背面部材１３７００は、ベース板６０に弾性的に係合されてもよい。背面部材１３７００をベース板６０の中央開口の下縁側の内側面に載置された状態に維持しやすくできるからである。なお、弾性的に係合された状態とは、例えば、ベース板６０または背面部材１３７００の一方に弾性変形可能に形成される弾性爪が他方に係合される形態、一方に弾性変形可能に対向配置される一対の対向辺の間に他方が挟持される形態などが例示される。
【０５６５】
上記第１４実施形態では、通路部材１４８００の突設部１４８１２と第１入賞部材１４４００の凹設部１４４２３ａとが係合するのみの場合を説明したが、必ずしもこれに限られるものではない。例えば、突設部１４８１２に第１入賞部材１４４００をベース板６０に締結固定する雌ねじを形成しても良い。
【０５６６】
この場合、皿ネジＮ２が螺合される雌ねじが通路部材１４８００に形成されるので、通路部材１４８００が配設されていることを、第１入賞部材１４４００をベース部材６０に締結固定するための要件とすることができる。よって、第１入賞部材１４４００を交換する際に、作業者が通路部材１４８００を付け忘れることを抑制できる。
【０５６７】
なお、通路部材１４８００が突設部１４８１２を備える場合には、かかる突設部１４８１２に雌ねじを形成する形態が好ましい。突設部１４８１２が不正に除去または使用により破損されている場合に、第１入賞部材１４４００をベース板６０に締結固定することを不能とできるので、不正を抑制できると共に、破損を認識させることができるからである。
【０５６８】
上記第１４実施形態では、通路部材１４８００の突設部１４８１２を第１入賞部材１４４００の凹設部１４４２３ａに挿入して係合する場合を説明したが必ずしもこれに限られるものではない。例えば、第１入賞部材１４４００の凹設部１４４２３ａに弾性変形可能に構成される鉤状部を形成して、ベース板６０への第１入賞部材１４４００の取り付けに伴い、鉤状部を介してベース板と第１入賞部材１４４００とが間接に係合され、第１入賞部材１４４００の取り外し方向への移動が規制されるので、第１入賞部材１４４００の脱落を防止するための工程を別途行う必要がないので、第１入賞部材１４４００の交換作業を簡素化できると共に、第１入賞部材１４４００の脱落を防止するための工程を実施し忘れることを抑制できる。
【０５６９】
上記第１９実施形態では、第１入賞部材２４００の取り外しを許容する第２入賞部材１９５００の許容位置が規制位置よりも、重力方向下側に設定される場合を説明したが、必ずしもこれに限られるものではなく、例えば、第１入賞部材２４００の取り外しを許容する第２入賞部材１９５００の許容位置が規制位置よりも、重力方向上方に設定されても良い。
【０５７０】
この場合、第２入賞部材１９５００をその自重により規制位置に配置させることができる。即ち、第１入賞部材２４００の交換が完了した際には、第２入賞部材１９５００を作業者が規制位置へ変位させる必要がない。よって、第２入賞部材１９５００が許容位置に配置されたままの状態とされる（即ち、規制位置へ戻し忘れる）ことを抑制できる。
【０５７１】
上記第２１実施形態では、弾性部材２１５１０を第１入賞部材２４００の左右方向中心位置に対して対称に配設する場合を説明したが、必ずしもこれに限られるものではない。例えば、弾性部材２１５１０が第１入賞部材２４００の一側に偏倚して配設されていてもよい。
【０５７２】
この場合、弾性部材２１５１０の弾性回復力を利用して、ベース板６０から第１入賞ｂ部材２４００を突出される際には、第１入賞部材２４００をその他側を支点として回転させる態様とできる。よって、両者の間の段差（第１入賞部材２４００の一側の突出量）をより大きくすることができる。その結果、作業者が段差を直接または間接に握持しやすくでき、ベース板６０から第１入賞部材２４００を取り外しやすくすることができる。
【０５７３】
上記第２５実施形態では、締結部材２５４７０は、直線状に形成される場合を説明したが必ずしもこれに限られるものではない。例えば、締結部材２５４７０の第１入賞部材２５４００の背面に対面される側の面であって、２箇所の締結孔２５４７１の間の領域における面が、第１入賞部材２５４００の背面に向けて凸の円弧状に湾曲されてもよい。
【０５７４】
この場合、２箇所の締結孔２５４７１への皿ネジＮ２の螺合に伴って、締結部材２５４７０が第１入賞部材２５４００へ押し付けられ、かかる締結部材２５４７０を第１入賞部材２５４００の配面に密着させやすくできる。よって、締結部材２５４７０による第１入賞部材２５４００の支持剛性を高めることができる。その結果、第１入賞部材２５４００の前面に遊技釘ＹＫを植設する際に、第１入賞部材２５４００にわれ等の損傷が生じることを抑制できる。
【０５７５】
上記第２６実施形態では、皿ネジＮ２が挿通される貫通孔２６４１３が、当接面２６４１４以外の箇所に形成される場合を説明したが、必ずしもこれに限られるものではない。例えば、皿ネジＮ２が挿通される貫通孔２６４１３が、第１入賞部材２６４１３の当接面に形成されると共に、第１入賞部材２６４００の貫通孔２６４１３に挿通された皿ネジＮ２が螺合される締結孔２６０６０ｄ４が、ベース板６０の傾斜面２６０６０ｃ１に形成されても良い。
【０５７６】
この場合、第１入賞部材２６４００とベース板６０との間に隙間が形成されることを抑制できる。よって、皿ネジＮ２の軸力を確保できるので、ベース板６０への第１入賞部材２６４００を強固に締結固定できる。
【０５７７】
上記第２６実施形態では、遊技釘ＹＫの植設方向の延長線上と異なる位置に当接面２６０６０ｃ１が形成される場合を説明したが、必ずしもこれに限られるものではない。例えば、遊技釘ＹＫの植設方向の延長線上に当接面２６０６０ｃ１及び傾斜面２６０６０ｃ１が形成されていてもよい。
【０５７８】
この場合、遊技釘ＹＫの植設に伴う押圧力を当接面２６０６０ｃ１及び傾斜面２６０６０ｃ１へ直接作用させることができる。これにより、第１入賞部材２６４００の曲げ変形を抑制して、割れなどの破損が生じることを抑制できる。
【０５７９】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０５８０】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０５８１】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０５８２】
以下に、本発明の遊技機に加えて上述した実施形態に含まれる各種発明の概念を示す。
【０５８３】
＜入賞口ユニット３００を一例とする発明の概念について＞
第１遊技盤部材と、その第１遊技盤部材に締結固定され前記第１遊技盤部材と共に遊技盤を形成する第２遊技盤部材とを備えた遊技機において、前記第１遊技盤部材に前記第２遊技盤部材を締結固定する１又は複数のねじ部材を備え、前記第１遊技盤部材側には、前記ねじ部材が螺合可能な複数のめねじが形成され、前記第２遊技盤部材には、前記ねじ部材が挿通可能な１又は複数の挿通孔が形成され、前記めねじの数よりも少ない数の前記ねじ部材により前記第２遊技盤部材が前記第１遊技盤部材に締結固定されていることを特徴とする遊技機Ａ１。
【０５８４】
ここで、第１遊技盤部材と、その第１遊技盤部材に締結固定され第１遊技盤部材と共に遊技盤を形成する第２遊技盤部材とを備えた遊技機が知られている（例えば、特開２００３−３１０９０５号公報）。第２遊技盤部材には挿通孔が、第１遊技盤部材にはめねじが、それぞれ形成され、第２遊技盤部材の挿通孔に挿通されたねじ部材が、第１遊技盤部材のめねじに螺合されることで、第２遊技盤部材が第１遊技盤部材に対して締結固定される。かかる遊技機によれば、第２遊技盤部材を第１遊技盤部材に対して着脱できる。即ち、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材を交換する毎に、めねじとねじ部材との螺合が繰り返され、めねじのねじ山にへたり（摩耗やかじり）が生じるため、交換回数が嵩むと、締結固定の信頼性が低下するという問題点があった。
【０５８５】
これに対し、遊技機Ａ１によれば、第１遊技盤部材に第２遊技盤部材を締結固定する１又は複数のねじ部材を備え、第１遊技盤部材側には、ねじ部材が螺合可能な複数のめねじが形成され、第２遊技盤部材には、ねじ部材が挿通可能な１又は複数の挿通孔が形成され、めねじの数よりも少ない数のねじ部材により第２遊技盤部材が第１遊技盤部材に締結固定されているので、１のめねじのねじ山にへたり（摩耗やかじり）が生じた場合には、他のめねじを使用できる。よって、交換回数が嵩んだ場合でも、締結固定の信頼性を確保することができる。
【０５８６】
なお、挿通孔の断面形状は任意であり、例えば、円形、楕円形、多角形、これらの組み合せが例示される。また、挿通孔は、少なくともねじ部材が挿通可能に形成されれば足り、周面の一部が開放されていても良い。開放部分は、ねじ部材の挿通方向に沿って連続していても良く、挿通方向の一部のみであっても良い。
【０５８７】
遊技機Ａ１において、前記挿通孔の数が前記めねじの数よりも少なくされると共に、前記第２遊技盤部材の前記第１遊技盤部材に対する姿勢が第１姿勢または第２姿勢を少なくとも選択可能に形成され、前記第１姿勢と前記第２姿勢とでは、前記挿通孔に連なるめねじが異なるめねじとされることを特徴とする遊技機Ａ２。
【０５８８】
遊技機Ａ２によれば、遊技機Ａ１の奏する効果に加え、第２遊技盤部材の第１遊技盤部材に対する姿勢が第１姿勢または第２姿勢を少なくとも選択可能に形成され、第１姿勢と第２姿勢とでは、挿通孔に連なるめねじが異なるめねじとされるので、１のめねじのねじ山にへたり（摩耗やかじり）が生じた場合には、第２遊技盤部材の姿勢を変更することで、他のめねじを使用できる。よって、交換回数が嵩んだ場合でも、締結固定の信頼性を確保することができる。
【０５８９】
特に、遊技機Ａ２によれば、挿通孔の数がめねじの数よりも少なくされるので、第２遊技盤部材が第１遊技盤部材の正面に視認可能に配設される場合に、ねじ部材が挿通されていない状態で遊技者に視認される挿通孔の数を低減できる。よって、挿通孔を被覆するための他の部材の面積を抑制できる。なお、挿通孔の数と同数のねじ部材により第２遊技盤部材が第１遊技盤部材に締結固定されることが好ましい。この場合には、ねじ部材が挿通されていない状態で遊技者に視認される挿通孔を無くすことができる。よって、他の部材による挿通孔の被覆を不要とすることができる。
【０５９０】
また、挿通孔の数が減らせることで、その分、第２遊技盤部材の強度を確保できる。ここで、第２遊技盤部材は、比較的小型となるため、その強度の確保が困難である。一方、釘が植設されるものとして第２遊技盤部材が形成される場合は、釘を植設する際の打ち込み荷重に対し、或いは、遊技中に遊技球が釘に衝突する際の衝撃に対し、強度を確保する必要がある。よって、釘が植設される第２遊技盤部材では、挿通孔の数を減らせることが強度確保の観点から特に有効となる。
【０５９１】
遊技機Ａ２において、前記第１遊技盤部材には、前記第２遊技盤部材を支持する座面に所定の傾斜角度が付与され、前記第２遊技盤部材には、前記座面に支持される被支持面に対して垂直に釘が植設されることを特徴とする遊技機Ａ３。
【０５９２】
遊技機Ａ３によれば、遊技機Ａ２の奏する効果に加え、第１遊技盤部材には、第２遊技盤部材を支持する座面に所定の傾斜角度が付与され、第２遊技盤部材には座面に支持される被支持面に対して垂直に釘が植設されるので、第２遊技盤部材の姿勢（第１姿勢または第２姿勢）を変更しても、第１遊技盤部材（遊技面）に対する釘の傾斜角度を一定に維持することができる。
【０５９３】
遊技機Ａ３において、前記第１姿勢と前記第２姿勢とで同じ位置に配置されるように前記釘が前記第２遊技盤部材に植設されることを特徴とする遊技機Ａ４。
【０５９４】
遊技機Ａ４によれば、遊技機Ａ３の奏する効果に加え、第１姿勢と第２姿勢とで同じ位置に配置されるように釘が第２遊技盤部材に植設されるので、第２遊技盤部材の姿勢（第１姿勢または第２姿勢）を変更しても、第１遊技盤部材（遊技面）に対する釘の位置を所定位置に維持することができる。
【０５９５】
遊技機Ａ３又はＡ４において、前記座面の傾斜方向に沿って延びる前記第２遊技盤部材の正面縁部またはその第２遊技盤部材の正面縁部に並設される前記第１遊技盤部材の正面縁部の一方には、他方へ向けて下降傾斜する傾斜面が形成されることを特徴とする遊技機Ａ５。
【０５９６】
遊技機Ａ５によれば、遊技機Ａ３又はＡ４の奏する効果に加え、座面の傾斜方向に沿って延びる第２遊技盤部材の正面縁部またはその第２遊技盤部材の縁部に並設される第１遊技盤部材の正面縁部の一方には、他方へ向けて下降傾斜する傾斜面が形成されるので、両者の正面どうしを滑らかに連ねることができる。即ち、第１遊技盤部材の座面が傾斜されることで、第１遊技盤部材の正面と第２遊技盤部材の正面との間に段差が形成されることを抑制できる。よって、かかる段差を抑制するために、第１遊技盤部材の正面または第２遊技盤部材の正面に他の部材を配設することを不要とできる。
【０５９７】
遊技機Ａ１において、前記第２遊技盤部材には、前記複数のめねじに対応する位置に前記挿通孔がそれぞれ貫通形成されることを特徴とする遊技機Ａ６。
【０５９８】
遊技機Ａ６によれば、遊技機Ａ１の奏する効果に加え、第２遊技盤部材には、複数のめねじに対応する位置に挿通孔がそれぞれ貫通形成されるので、１のめねじのねじ山にへたり（摩耗やかじり）が生じた場合には、他のめねじを使用できる。よって、交換回数が嵩んだ場合でも、締結固定の信頼性を確保することができる。
【０５９９】
この場合、遊技機Ａ６によれば、他のめねじを使用する場合に、第２遊技盤部材の第１遊技盤部材に対する姿勢を変更する必要がない。即ち、第２遊技盤部材が選択可能な姿勢の数にめねじの数が限定されない。よって、めねじの数をより多く確保することができる。その結果、第２遊技盤部材の交換可能な回数をより多く確保できる。
【０６００】
遊技機Ａ６において、前記第１遊技盤部材に配設される第２部材を備え、前記挿通孔が前記第２遊技盤部材の正面に開口されると共に、前記第２部材が前記第２遊技盤部材の挿通孔の正面に張り出す張出部を備えることを特徴とする遊技機Ａ７。
【０６０１】
遊技機Ａ７によれば、遊技機Ａ６の奏する効果に加え、第１遊技盤部材に配設される第２部材を備え、挿通孔が第２遊技盤部材の正面に開口されると共に、第２部材が第２遊技盤部材の挿通孔の正面に張り出す張出部を備えるので、ねじ部材が挿通されていない挿通孔を被覆して、遊技者から隠すことができる。よって、外観の向上を図ることができる。また、第２遊技盤部材の一側のみがねじ部材により第１遊技盤部材に締結固定されている場合に、第２遊技盤部材の正面に第２部材の張出部が張り出されていることで、第２遊技盤部材の他側の浮き上がりを抑制できる。
【０６０２】
遊技機Ａ６において、前記めねじ及び挿通孔が前記第１遊技盤部材の正面に略平行に延設されることを特徴とする遊技機Ａ８。
【０６０３】
遊技機Ａ８によれば、遊技機Ａ６の奏する効果に加え、めねじ及び挿通孔が第１遊技盤部材の正面に略平行に延設されるので、挿通孔またはねじ部材の頭が第１遊技盤部材の正面（遊技面）に露出されないようにできる。よって、ねじ部材が挿通されていない挿通孔を遊技者に視認させ難くできるので、挿通孔を被覆するための他の部材の面積を抑制または不要とすることができる。また、ねじ部材の頭が遊技球の転動面（遊技面）に露出されないので、皿ねじとすることや頭を収容する座繰り（凹部）を設けることを不要とでき、構造を簡素化できる。
【０６０４】
遊技機Ａ１において、前記第１遊技盤部材の背面に変位可能に支持されると共に前記複数のめねじが形成される被締結部材を備えることを特徴とする遊技機Ａ９。
【０６０５】
遊技機Ａ９によれば、遊技機Ａ１の奏する効果に加え、第１遊技盤部材の背面に変位可能に支持されると共に複数のめねじが形成される被締結部材を備えるので、１のめねじのねじ山にへたり（摩耗やかじり）が生じた場合には、被締結部材を変位させることで、他のめねじを使用できる。よって、交換回数が嵩んだ場合でも、締結固定の信頼性を確保することができる。
【０６０６】
特に、遊技機Ａ９によれば、被締結部材が第１遊技盤部材の背面に支持されているので、第２遊技盤部材を取り外した際に、被締結部材が脱落しないように、又は、第２遊技盤部材を取り付ける際に、ねじ部材を被締結部材のめねじに螺合させるために、第１遊技盤部材の背面から作業者が手で被締結部材を保持しておく必要がない。よって、第２遊技盤部材を交換する際に、第１遊技盤部材（遊技盤）を開放させる必要がなく、第１遊技盤部材（遊技盤）を閉じた状態のままで、正面から第２遊技盤部材の交換作業を行うことができる。よって、第２遊技盤部材を交換する作業の作業性を向上できる。
【０６０７】
遊技機Ａ９において、前記被締結部材は、正面視円形に形成されると共に前記円形の中心を回転軸として前記第１遊技盤部材に回転可能に軸支されることを特徴とする遊技機Ａ１０。
【０６０８】
遊技機Ａ１０によれば、遊技機Ａ９の奏する効果に加え、被締結部材が、正面視円形に形成されると共にその円形の中心を回転軸として第１遊技盤部材に回転可能に軸支されるので、ねじ部材を螺合させるめねじを変更するために、被締結部材を回転させても、遊技者から視認される被締結部材の外観を一定に維持できる。特に、第１遊技盤部材が光透過性の材料から形成され被締結部材が第１遊技盤部材を介して透視される場合には、正面視円形の形状が外観の維持に対して有効となる。
【０６０９】
遊技機Ａ９又はＡ１０において、前記第１遊技盤部材は、前記第２遊技盤部材が配設される領域に開口形成されると共に前記被締結部材に連通される開口を備えることを特徴とする遊技機Ａ１１。
【０６１０】
遊技機Ａ１１によれば、遊技機Ａ９又はＡ１０の奏する効果に加え、第１遊技盤部材は、第２遊技盤部材が配設される領域に開口形成されると共に被締結部材に連通される開口を備えるので、かかる開口を介して第１遊技盤部材の正面から被締結部材を作業者が操作することを可能とできる。即ち、第２遊技盤部材を取り付ける際に、被締結部材を変位（又は回転）させてめねじの位置を調整しておく必要があるところ、かかる調整を、第１遊技盤部材を閉じた状態のままで行うことができる。よって、第２遊技盤部材を交換する作業の作業性を向上できる。
【０６１１】
また、かかる開口は、第２遊技盤部材が配設される領域に開口形成されるので、第１遊技盤部材に第２遊技盤部材を取り付けた状態では、第２遊技盤部材により被覆して開口を遊技者から隠すことができる。よって、外観の向上を図ることができる。
【０６１２】
＜入賞口ユニット７３００を一例とする発明の概念について＞
第１遊技盤部材と、その第１遊技盤部材に締結固定され前記第１遊技盤部材と共に遊技盤を形成する第２遊技盤部材とを備えた遊技機において、前記第１遊技盤部材に前記第２遊技盤部材を締結固定するねじ部材を備え、前記ねじ部材が挿通される挿通孔が、前記第１遊技盤部材側に形成されると共に、前記第１遊技盤部材側の挿通孔に挿通された前記ねじ部材が螺合されるめねじが、前記第２遊技盤部材に形成されることを特徴とする遊技機Ｂ１。
【０６１３】
ここで、第１遊技盤部材と、その第１遊技盤部材に締結固定され第１遊技盤部材と共に遊技盤を形成する第２遊技盤部材とを備えた遊技機が知られている（例えば、特開２００３−３１０９０５号公報）。第２遊技盤部材には挿通孔が、第１遊技盤部材にはめねじが、それぞれ形成され、第２遊技盤部材の挿通孔に挿通されたねじ部材が、第１遊技盤部材のめねじに螺合されることで、第２遊技盤部材が第１遊技盤部材に対して締結固定される。かかる遊技機によれば、第２遊技盤部材を第１遊技盤部材に対して着脱できる。即ち、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材を交換する毎に、めねじとねじ部材との螺合が繰り返され、めねじのねじ山にへたり（摩耗やかじり）が生じるため、交換回数が嵩むと、締結固定の信頼性が低下するという問題点があった。
【０６１４】
これに対し、遊技機Ｂ１によれば、ねじ部材が挿通される挿通孔が、第１遊技盤部材側に形成されると共に、第１遊技盤部材側の挿通孔に挿通されたねじ部材が螺合されるめねじが、第２遊技盤部材に形成されるので、第２遊技盤部材を交換する際には、その交換に伴って、新しいめねじを使用できる。よって、交換回数が嵩んだ場合でも、締結固定の信頼性を確保することができる。
【０６１５】
なお、挿通孔の断面形状は任意であり、例えば、円形、楕円形、多角形、これらの組み合せが例示される。また、挿通孔は、少なくともねじ部材が挿通可能に形成されれば足り、周面の一部が開放されていても良い。開放部分は、ねじ部材の挿通方向に沿って連続していても良く、挿通方向の一部のみであっても良い。
【０６１６】
遊技機Ｂ１において、前記第２遊技盤部材の第１面から突設される突部と、その突部を受け入れ可能に前記第１遊技盤部材の第２面に凹設される凹部とを備え、前記めねじが前記第２遊技盤部材の突部に形成されると共に、前記挿通孔が前記第１遊技盤部材の凹部に連通して形成されることを特徴とする遊技機Ｂ２。
【０６１７】
遊技機Ｂ２によれば、遊技機Ｂ１の奏する効果に加え、第２遊技盤部材の第１面から突設される突部と、その突部を受け入れ可能に第１遊技盤部材の第２面に凹設される凹部とを備え、めねじが第２遊技盤部材の突部に形成されると共に、挿通孔が第１遊技盤部材の凹部に連通して形成されるので、めねじのねじ部（完全ねじ部）の長さを確保できる。よって、その分、ねじ部材の軸力を高めることができ、第２遊技盤部材を第１遊技盤部材に対して強固に締結固定しやすくできる。
【０６１８】
なお、第２遊技盤部材は、比較的小型となるため、その強度の確保が困難であるところ、遊技機Ｂ２のように、突部にめねじを形成して、ねじ部の長さを確保することで、ねじ部材に所定の軸力を付与可能としつつ、第２遊技盤部材の負担を分散させることができる。即ち、突部にめねじを設ける構成が、強固な締結固定と第２遊技盤部材の破損防止とを両立させる観点から特に有効となる。
【０６１９】
遊技機Ｂ２において、前記突部の突設寸法が前記凹部の凹設寸法よりも大きな寸法に設定されることを特徴とする遊技機Ｂ３。
【０６２０】
遊技機Ｂ３によれば、遊技機Ｂ２の奏する効果に加え、突部の突設寸法が凹部の凹設寸法よりも大きな寸法に設定されるので、第２遊技盤部材が第１遊技盤部材に対して締結固定された状態では、突部の突設先端と凹部の凹設底面とが当接された状態を形成できる。即ち、第２遊技盤部材の第１面と第１遊技盤部材の第２面との間に隙間が形成された状態を形成できる。よって、突部の弾性変形を利用して、第２遊技盤部材を第１遊技盤部材に対して相対変位させやすくできる。その結果、例えば、第２遊技盤部材に釘が植設される場合には、遊技中に遊技球が釘に衝突する際の振動を吸収して、釘の破損（折損）を抑制できる。
【０６２１】
なお、この場合には、凹部の内径寸法が突部の外径寸法よりも小さい寸法に設定されることが好ましい。また、突部の突設先端と凹部の凹設底面とを除き、他の部分では第２遊技盤部材と第１遊技盤部材とが当接しないことが好ましい。これらにより、突部をより弾性変形しやすくすることができるからである。
【０６２２】
遊技機Ｂ２において、前記突部の突設寸法が前記凹部の凹設寸法よりも小さな寸法に設定されることを特徴とする遊技機Ｂ４。
【０６２３】
遊技機Ｂ４によれば、遊技機Ｂ２の奏する効果に加え、突部の突設寸法が凹部の凹設寸法よりも小さな寸法に設定されるので、第２遊技盤部材が第１遊技盤部材に対して締結固定された状態では、第２遊技盤部材の第１面と第１遊技盤部材の第２面とが当接された状態を形成できる。即ち、突部の突設先端と凹部の凹設底面との間に隙間が形成された状態を形成できる。よって、当接面積を確保して、第２遊技盤部材を第１遊技盤部材に対して強固に固定することができる。
【０６２４】
遊技機Ｂ１からＢ４のいずれかにおいて、前記第１遊技盤部材には、液晶表示装置を視認可能とするための窓部と、前記第２遊技盤部材を配設するための開口とが開口形成され、それら窓部と開口とが連通されていることを特徴とする遊技機Ｂ５。
【０６２５】
遊技機Ｂ５によれば、遊技機Ｂ１からＢ４のいずれかにおいて、第１遊技盤部材には、液晶表示装置を視認可能とするための窓部と、第２遊技盤部材を配設するための開口とが開口形成され、それら窓部と開口とが連通されているので、構造部材を交換する際に、第１遊技盤部材の窓部を利用して、作業者に構造部材を把持させることができる。よって、交換作業の作業性の向上を図ることができる。例えば、第２遊技盤部材に釘が植設される場合には、釘を把持しなくても交換作業ができるので、新たに取り付ける第２遊技盤部材の釘が把持されることを抑制して、釘が屈曲したり釘どうしの間隔が変更されることを抑制できる。
【０６２６】
遊技機Ｂ５において、前記第２遊技盤部材は、非締結状態では、遊技面に平行な方向に沿ってスライド変位されることで、前記第１遊技盤部材の窓部側へ抜き取り可能に形成されることを特徴とする遊技機Ｂ６。
【０６２７】
遊技機Ｂ６によれば、遊技機Ｂ５の奏する効果に加え、第２遊技盤部材は、非締結状態では、遊技面（第１遊技盤部材の正面）に平行な方向に沿ってスライド変位されることで、第１遊技盤部材の窓部側へ抜き取り可能に形成されるので、第２遊技盤部材の背面側に他の部材や装置が配設されている場合でも、他の部材や装置を取り外すことなく、第２遊技盤部材を交換することができる。よって、交換作業の作業性を向上できる。言い換えると、交換作業のためのスペースを第２遊技盤部材の背面側に確保することを不要とでき、その分、かかる第２遊技盤部材の背面側のスペースを、他の部材や装置を配設するためのスペースとして利用することができる。
【０６２８】
遊技機Ｂ６において、前記第１遊技盤部材の開口の内側面または前記第２遊技盤部材の外側面の一方から突出される突片と、その突片を受け入れ可能に前記第１遊技盤部材の開口の内側面または前記第２遊技盤部材の外側面の他方に凹設されると共に遊技面に平行な方向に沿って連続して延設され前記窓部に連なる凹溝とを備えることを特徴とする遊技機Ｂ７。
【０６２９】
遊技機Ｂ７によれば、遊技機Ｂ６の奏する効果に加え、第１遊技盤部材の開口の内側面または第２遊技盤部材の外側面の一方から突出される突片と、その突片を受け入れ可能に第１遊技盤部材の開口の内側面または第２遊技盤部材の外側面の他方に凹設されると共に遊技面（第１遊技盤部材の正面）に平行な方向に沿って連続して延設され窓部に連なる凹溝とを備えるので、第２遊技盤部材を第１遊技盤部材の窓部側へ抜き取ることを可能としつつ、遊技に伴う振動により或いは不正な手段によりねじ部材が緩んだり取り外された場合でも、第１遊技盤部材から第２遊技盤部材が脱落することを抑制できる。
【０６３０】
遊技機Ｂ７において、前記第１遊技盤部材の開口の内側面から張り出し前記挿通孔が形成される遊技盤張出部と、前記第２遊技盤部材の外側面から張り出し前記めねじが形成される構成部材張出部とを備え、前記第２遊技盤部材の前記構成部材張出部から前記突片が突出されると共に、前記第１遊技盤部材の前記遊技盤張出部の非形成部分に前記凹溝が凹設されることを特徴とする遊技機Ｂ８。
【０６３１】
遊技機Ｂ８によれば、遊技機Ｂ７の奏する効果に加え、第１遊技盤部材の開口の内側面から張り出し挿通孔が形成される遊技盤張出部と、第２遊技盤部材の外側面から張り出しめねじが形成される構成部材張出部とを備え、第２遊技盤部材の構成部材張出部から突片が突出されると共に、第１遊技盤部材の遊技盤張出部の非形成部分に凹溝が凹設されるので、めねじのねじ部（完全ねじ部）の長さを確保できる。よって、その分、ねじ部材の軸力を高めることができ、第２遊技盤部材を第１遊技盤部材に対して強固に締結固定しやすくできる。
【０６３２】
なお、第２遊技盤部材は、比較的小型となるため、その強度の確保が困難であるところ、遊技機Ｂ８のように、第２遊技盤部材の構成部材張出部から突片を突出して、ねじ部の長さを確保することで、ねじ部材に所定の軸力を付与可能としつつ、第２遊技盤部材の負担を分散させることができる。即ち、第２遊技盤部材の構成部材張出部から突片を突出する構成が、強固な締結固定と第２遊技盤部材の破損防止とを両立させる観点から特に有効となる。
【０６３３】
遊技機Ｂ７において、前記第１遊技盤部材の開口の内側面から張り出し前記挿通孔が形成される遊技盤張出部と、前記第２遊技盤部材の外側面から張り出し前記めねじが形成される構成部材張出部とを備え、前記第１遊技盤部材の前記遊技盤張出部から前記突片が突出されると共に、前記第２遊技盤部材の前記構成部材張出部の非形成部分に前記凹溝が凹設されることを特徴とする遊技機Ｂ９。
【０６３４】
遊技機Ｂ８によれば、遊技機Ｂ７の奏する効果に加え、第１遊技盤部材の開口の内側面から張り出し挿通孔が形成される遊技盤張出部と、第２遊技盤部材の外側面から張り出しめねじが形成される構成部材張出部とを備え、第１遊技盤部材の遊技盤張出部から突片が突出されると共に、第２遊技盤部材の構成部材張出部の非形成部分に凹溝が凹設されるので、めねじのねじ部（完全ねじ部）の長さを確保できる。よって、その分、ねじ部材の軸力を高めることができ、第２遊技盤部材を第１遊技盤部材に対して強固に締結固定しやすくできる。
【０６３５】
なお、第２遊技盤部材は、比較的小型となるため、その強度の確保が困難であるところ、遊技機Ｂ９のように、第１遊技盤部材の遊技盤張出部から突片を突出して、ねじ部の長さを確保することで、ねじ部材に所定の軸力を付与可能としつつ、第２遊技盤部材の負担を分散させることができる。即ち、第１遊技盤部材の遊技盤張出部から突片を突出する構成が、強固な締結固定と第２遊技盤部材の破損防止とを両立させる観点から特に有効となる。
【０６３６】
遊技機Ｂ１からＢ９のいずれかにおいて、前記第２遊技盤部材には２本の釘が植設され、それら２本の釘を結ぶ仮想線の延長線上には前記めねじが非形成とされることを特徴とする遊技機Ｂ１０。
【０６３７】
遊技機Ｂ１０によれば、遊技機Ｂ１からＢ９のいずれかにおいて、第２遊技盤部材には２本の釘が植設され、それら２本の釘を結ぶ仮想線の延長線上にはめねじが非形成とされるので、第２遊技盤部材の割れを抑制できる。即ち、２本の釘の植設に伴うひずみ（第２遊技盤部材の弾性変形）が２本の釘を結ぶ仮想線の方向で重なるため、仮想線の延長線上の領域では、第２遊技盤部材の割れが発生しやすいところ、かかる領域には、めねじが非形成とされることで、釘の植設に伴うひずみに、ねじ部材の螺合に伴う負荷が更に重なることを抑制できる。その結果、第２遊技盤部材の割れを抑制できる。
【０６３８】
なお、仮想線の延長線とめねじとの離間距離は、第２遊技盤部材の割れを抑制する観点より、ねじ部材の外径の基準寸法（ねじの呼び径）以上に設定されることが好ましく、ねじ部材の外径の基準寸法の２倍以上に設定されることがより好ましい。
【０６３９】
＜入賞口ユニット１０３００を一例とする発明の概念について＞
第１遊技盤部材と、その第１遊技盤部材に着脱自在に配設され前記第１遊技盤部材と共に遊技盤を形成する第２遊技盤部材とを備え、前記第２遊技盤部材に釘が植設された遊技機において、前記釘への外力の作用に伴う前記第２遊技盤部材の破損を抑制可能に形成されることを特徴とする遊技機Ｃ１。
【０６４０】
ここで、第１遊技盤部材と、その第１遊技盤部材に着脱自在に配設され第１遊技盤部材と共に遊技盤を形成する第２遊技盤部材とを備え、第２遊技盤部材に釘が植設された遊技機が知られている（例えば、特開２００３−３１０９０５号公報）。かかる遊技機によれば、第２遊技盤部材の釘に折損が生じた場合には、第２遊技盤部材のみの交換により、遊技盤全体としての交換を不要とすることができる。しかしながら、上述した従来の遊技機では、第２遊技盤部材が比較的小型に形成されるため、その第２遊技盤部材の剛性を確保することが困難である。そのため、遊技球の衝突により釘に外力が作用されると、第２遊技盤部材が破損しやすいという問題点があった。
【０６４１】
これに対し、遊技機Ｃ１によれば、釘への外力の作用に伴う前記第２遊技盤部材の破損を抑制可能に形成されるので、遊技球の衝突により釘に外力が作用された場合に、第２遊技盤部材が破損することを抑制できる。
【０６４２】
遊技機Ｃ１において、前記第２遊技盤部材は、前記釘が植設される植設部と、その植設部よりも厚み寸法が小さくされると共に前記第１遊技盤部材に当接されて締結固定される当接部とを備え、前記当接部が、前記第１遊技盤部材との当接面から突設されると共に前記植設部に連なる厚肉部を備えることを特徴とする遊技機Ｃ２。
【０６４３】
遊技機Ｃ２によれば、遊技機Ｃ１の奏する効果に加え、第２遊技盤部材は、釘が植設される植設部と、その植設部よりも厚み寸法が小さくされると共に第１遊技盤部材に当接されて締結固定される当接部とを備え、当接部が、第１遊技盤部材との当接面から突設されると共に植設部に連なる厚肉部を備えるので、その分、植設部の剛性を高めることができる。よって、遊技球の衝突により釘に外力が作用された場合に、第２遊技盤部材（植設部）が破損することを抑制できる。
【０６４４】
遊技機Ｃ２において、前記第２遊技盤部材には２本の釘が植設され、それら２本の釘を結ぶ仮想線の延長線に沿って前記厚肉部が形成されることを特徴とする遊技機Ｃ３。
【０６４５】
遊技機Ｃ３によれば、遊技機Ｃ２の奏する効果に加え、第２遊技盤部材には２本の釘が植設され、それら２本の釘を結ぶ仮想線の延長線に沿って厚肉部が形成されるので、第２遊技盤部材（植設部）の破損を抑制できる。即ち、２本の釘の植設に伴うひずみ（第２遊技盤部材の弾性変形）が２本の釘を結ぶ仮想線の方向で重なるため、仮想線の延長線上の領域では、第２遊技盤部材の割れが発生しやすいところ、かかる領域に厚肉部が形成されることで、その分、釘の植設に伴うひずみを緩和することができる。よって、釘の植設に伴うひずみに、釘への遊技球の衝突に伴う負荷が更に重なることを抑制できる。その結果、第２遊技盤部材の割れを抑制できる。
【０６４６】
遊技機Ｃ３において、前記２本の釘を結ぶ仮想線に直交する方向における前記植設部の寸法が、前記２本の釘を結ぶ仮想線に直交する方向における前記厚肉部の寸法よりも大きくされることを特徴とする遊技機Ｃ４。
【０６４７】
遊技機Ｃ４によれば、遊技機Ｃ３の奏する効果に加え、２本の釘を結ぶ仮想線に直交する方向における植設部の寸法が、２本の釘を結ぶ仮想線に直交する方向における厚肉部の寸法よりも大きくされるので、２本の釘を結ぶ仮想線に直交する方向における第２遊技盤部材（植設部）の剛性を高めることができる。その結果、第２遊技盤部材（植設部）の破損を抑制できる。
【０６４８】
遊技機Ｃ４において、前記第１遊技盤部材に前記第２遊技盤部材を締結固定するねじ部材を備え、前記第２遊技盤部材の当接部には、前記ねじ部材が挿通される挿通孔または前記ねじ部材が螺合されるめねじが、前記厚肉部を挟んだ位置に形成されることを特徴とする遊技機Ｃ５。
【０６４９】
遊技機Ｃ５によれば、遊技機Ｃ４の奏する効果に加え、第２遊技盤部材の当接部には、ねじ部材が挿通される挿通孔またはねじ部材が螺合されるめねじが、厚肉部を挟んだ位置に形成されるので、第２遊技盤部材の剛性を高めるための領域と、第１遊技盤部材に第２遊技盤部材を締結固定するための領域との両者を効率的に確保できる。その結果、第２遊技盤部材の破損の抑制と第２遊技盤部材の小型化との両立を図ることができる。
【０６５０】
遊技機Ｃ２からＣ５のいずれかにおいて、前記第１遊技盤部材が、前記第２遊技盤部材の当接部との当接面に凹設され前記厚肉部を受け入れる受入部を備えると共に、その受入部に前記第２遊技盤部材の厚肉部の少なくとも一部が内嵌されることを特徴とする遊技機Ｃ６。
【０６５１】
遊技機Ｃ６によれば、遊技機Ｃ２からＣ５のいずれかの奏する効果に加え、第１遊技盤部材が、第２遊技盤部材の当接部との当接面に凹設され厚肉部を受け入れる受入部を備えると共に、その受入部に第２遊技盤部材の厚肉部の少なくとも一部が内嵌されるので、第１遊技盤部材に厚肉部の少なくとも一部を保持させることができる。即ち、厚肉部の少なくとも一部が保持される分、第１遊技盤部材の剛性を利用して、第２遊技盤部材の剛性を高めることができる。その結果、第２遊技盤部材の破損を抑制できる。
【０６５２】
なお、厚肉部の少なくとも一部が受入部に内嵌されるとは、厚肉部の少なくとも一部の外側面が、受入部の内側面に当接されることを意味する。よって、厚肉部の少なくとも一部が弾性的に圧縮変形された状態で受入部の内側面に圧入された状態であっても良い。圧入された状態であれば、厚肉部の少なくとも一部をより強固に保持できるので、第１遊技盤部材の剛性による第２遊技盤部材の剛性の向上効果を高めることができる。
【０６５３】
遊技機Ｃ１において、前記第１遊技盤部材および第２遊技盤部材よりも弾性係数が小さい材料からなる弾性部材を備え、前記第１遊技盤部材に前記第２遊技盤部材が前記弾性部材を介して配設されることを特徴とする遊技機Ｃ７。
【０６５４】
遊技機Ｃ７によれば、遊技機Ｃ１の奏する効果に加え、第１遊技盤部材および第２遊技盤部材よりも弾性係数が小さい材料からなる弾性部材を備え、第１遊技盤部材に第２遊技盤部材が弾性部材を介して配設されるので、弾性部材の弾性変形を利用して、第２遊技盤部材を第１遊技盤部材に対して相対変位させやすくできる。即ち、その相対変位（弾性変形）により、遊技球の釘への衝突に伴う外力を吸収して、第２遊技盤部材の破損を抑制できる。
【０６５５】
遊技機Ｃ７において、前記第１遊技盤部材に前記第２遊技盤部材を締結固定するねじ部材を備え、前記ねじ部材が挿通される挿通孔が前記第１遊技盤部材または第２遊技盤部材の一方に形成されると共に、前記挿通孔に挿通された前記ねじ部材が螺合されるめねじが前記第１遊技盤部材または第２遊技盤部材の他方に形成され、前記弾性部材が略筒状に形成され前記挿通孔と前記ねじ部材の軸との間に介設されることを特徴とする遊技機Ｃ８。
【０６５６】
遊技機Ｃ８によれば、遊技機Ｃ７の奏する効果に加え、第１遊技盤部材に第２遊技盤部材を締結固定するねじ部材を備え、ねじ部材が挿通される挿通孔が第１遊技盤部材または第２遊技盤部材の一方に形成されると共に、挿通孔に挿通されたねじ部材が螺合されるめねじが第１遊技盤部材または第２遊技盤部材の他方に形成され、弾性部材が略筒状に形成され挿通孔とねじ部材の軸との間に介設されるので、第１遊技盤部材に対して第２遊技盤部材が相対変位する際の変位方向の自由度を高めることができる。即ち、ねじ部材の軸に直交する方向だけでなく、ねじ部材の軸に傾斜する方向（こじり方向）にも相対変位させやすくできる。その結果、遊技球の釘への衝突に伴う外力を吸収して、第２遊技盤部材の破損を抑制しやすくできる。
【０６５７】
また、弾性部材の弾性を利用して、ねじ部材の緩みを抑制できると共に、ねじ部材が緩んだとしても、ねじ部材の脱落を抑制できる。
【０６５８】
遊技機Ｃ８において、前記弾性部材は、前記挿通孔と前記ねじ部材の軸との間に介設される略筒状の筒部と、その筒部の両側の軸方向端部において径方向外方へフランジ状に張り出す一対のフランジ部とを備え、一方のフランジ部が前記第１遊技盤部材と前記第２遊技盤部材との間に介設される共に他方のフランジ部がねじ部材の頭部と第１遊技盤部材または第２遊技盤部材との間に介設されることを特徴とする遊技機Ｃ９。
【０６５９】
遊技機Ｃ９によれば、遊技機Ｃ８の奏する効果に加え、弾性部材は、前記挿通孔と前記ねじ部材の軸との間に介設される略筒状の筒部と、その筒部の両側の軸方向端部において径方向外方へフランジ状に張り出す一対のフランジ部とを備え、一方のフランジ部が前記第１遊技盤部材と前記第２遊技盤部材との間に介設される共に他方のフランジ部がねじ部材の頭部と第１遊技盤部材または第２遊技盤部材との間に介設されるので、第１遊技盤部材と第２遊技盤部材とを弾性部材のみで連結できる（即ち、第２遊技盤部材から第１遊技盤部材への振動伝達経路の少なくとも一部に弾性部材のみからなる部分を形成できる）。よって、第１遊技盤部材に対して第２遊技盤部材を相対変位させやすくして、遊技球の釘への衝突に伴う外力を吸収しやすくできる。
【０６６０】
また、ねじ部材の軸方向にも相対変位させることができ、第１遊技盤部材に対する第２遊技盤部材の相対変位方向の自由度を高めることができる。よって、この点からも、遊技球の釘への衝突に伴う外力を吸収しやすくできる。
【０６６１】
更に、一方のフランジ部が前記第１遊技盤部材と前記第２遊技盤部材との間に介設されるので、第１遊技盤部材に対して第２遊技盤部材が自重で傾倒することを抑制できる。特に、経時に伴う弾性部材の劣化時（へたり時）に有効となる。
【０６６２】
遊技機Ｃ１からＣ９のいずれかにおいて、前記第２遊技盤部材は、前記釘が植設される植設面から突出されると共に前記釘の根本を囲む胴部を備えることを特徴とする遊技機Ｃ１０。
【０６６３】
遊技機Ｃ１０によれば、遊技機Ｃ１からＣ９のいずれかの奏する効果に加え、第２遊技盤部材は、釘が植設される植設面から突出されると共に釘の根本を囲む胴部を備えるので、釘を保持する部分の剛性を胴部により高めることができる。よって、遊技球の衝突により釘に外力が作用された場合に、第２遊技盤部材が破損することを抑制できる。
【０６６４】
遊技機Ｃ１０において、前記釘と前記植設面とに当接された遊技球の外面よりも前記第２遊技盤部材側に前記胴部が位置されることを特徴とする遊技機Ｃ１１。
【０６６５】
遊技機Ｃ１１によれば、遊技機Ｃ１０の奏する効果に加え、釘と植設面とに当接された遊技球の外面よりも第２遊技盤部材側に胴部が位置されるので、遊技球が胴部に衝突することを回避して、胴部が破損することを抑制できる。
【０６６６】
遊技機Ｃ１０又はＣ１１において、前記植設面に近接するに従って前記胴部の断面積が大きくされることを特徴とする遊技機Ｃ１２。
【０６６７】
遊技機Ｃ１２によれば、遊技機Ｃ１０又はＣ１１の奏する効果に加え、植設面に近接するに従って胴部の断面積が大きくされるので、遊技球が胴部に衝突することを回避しつつ、釘を保持する部分の剛性をより高めることができる。即ち、遊技球が胴部に直接衝突することによる胴部の破損と、遊技球が釘に衝突することによる第２遊技盤部材の破損との両者を効果的に抑制できる。
【０６６８】
なお、胴部の断面積とは、釘の植設方向に直交する平面で胴部を切断した断面における面積を意味する。この場合、胴部の断面形状は任意であり、例えば、円形、楕円形、多角形、これらの組み合せが例示される。但し、胴部の断面形状は、円形に形成されることが好ましい。遊技球との衝突を回避しつつ、胴部の体積を最大として、その剛性をより高めることができるからである。
【０６６９】
＜入賞口ユニット１３３００を一例とする発明の概念について＞
第１遊技盤部材と、その第１遊技盤部材に締結固定され前記第１遊技盤部材と共に遊技盤を形成する第２遊技盤部材とを備えた遊技機において、前記締結固定が解除された状態で、前記第１遊技盤部材からの前記第２遊技盤部材の取り外しが規制されていることを特徴とする遊技機Ｄ１。
【０６７０】
ここで、第１遊技盤部材と、その第１遊技盤部材に締結固定され第１遊技盤部材と共に遊技盤を形成する第２遊技盤部材とを備えた遊技機が知られている（例えば、特開２００３−３１０９０５号公報）。かかる遊技機によれば、第２遊技盤部材を第１遊技盤部材に対して着脱できる。よって、第２遊技盤部材に故障や破損が生じた場合には、かかる第２遊技盤部材のみを交換して、遊技盤全体としての交換を不要とすることができる。しかしながら、上述した従来の遊技機では、例えば、遊技に伴う振動に起因して、第１遊技盤部材への第２遊技盤部材の締結固定が解除される（緩む）恐れがあり、その場合には、第１遊技盤部材から第２遊技盤部材が脱落する恐れがあるという問題点があった。
【０６７１】
これに対し、遊技機Ｄ１によれば、締結固定が解除された状態で、第１遊技盤部材からの第２遊技盤部材の取り外しが規制されているので、例えば、第１遊技盤部材への第２遊技盤部材の締結固定が解除された（緩んだ）場合でも、第１遊技盤部材から第２遊技盤部材が脱落することを抑制できる。
【０６７２】
遊技機Ｄ１において、前記第１遊技盤部材に配設される第２部材を備え、その第２部材が前記第２遊技盤部材の取り外し方向への移動を規制可能な位置に配設されることを特徴とする遊技機Ｄ２。
【０６７３】
遊技機Ｄ２によれば、遊技機Ｄ１の奏する効果に加え、第１遊技盤部材に配設される第２部材を備え、その第２部材が第２遊技盤部材の取り外し方向への移動を規制可能な位置に配設されるので、第１遊技盤部材への第２遊技盤部材の締結固定が解除された場合でも、第２部材を利用して、第１遊技盤部材から第２遊技盤部材が脱落することを抑制できる。
【０６７４】
遊技機Ｄ２において、前記第１遊技盤部材には、液晶表示装置を視認可能とするための窓部が開口形成され、前記窓部の下縁側の内側面に前記第２部材が配設されることを特徴とする遊技機Ｄ３。
【０６７５】
遊技機Ｄ３によれば、遊技機Ｄ２の奏する効果に加え、第１遊技盤部材には、液晶表示装置を視認可能とするための窓部が開口形成され、その窓部の下縁側の内側面に第２部材が配設されるので、第１遊技盤部材に対する第２部材の保持（例えば、締結固定）が解除されたとしても、第２部材をその自重を利用して窓部の下縁側の内側面に載置された状態に維持することができる。即ち、第２遊技盤部材の取り外し方向への移動を規制可能な位置に第２部材が配設された状態を維持することができる。その結果、第１遊技盤部材から第２遊技盤部材が脱落することを抑制できる。
【０６７６】
この場合、第２部材は、第１遊技盤部材に弾性的に係合可能に形成されることが好ましい。第２部材を窓部の下縁側の内側面に載置された状態に維持しやすくできるからである。なお、弾性的に係合された状態とは、例えば、第１遊技盤部材または第２部材の一方に弾性変形可能に形成される弾性爪が他方に係合される形態、一方に弾性変形可能に対向配置される一対の対向片の間に他方が挟持される形態などが例示される。
【０６７７】
遊技機Ｄ２において、前記第２遊技盤部材または第２部材の一方に係合部が形成されると共に、その係合部を受け入れ可能な係合凹部が前記第２遊技盤部材または第２部材の他方に凹設され、前記係合部が前記係合凹部に係合されることで、前記第２遊技盤部材の取り外し方向への移動が規制されることを特徴とする遊技機Ｄ４。
【０６７８】
遊技機Ｄ４によれば、遊技機Ｄ２において、第２遊技盤部材または第２部材の一方に係合部が形成されると共に、その係合部を受け入れ可能な係合凹部が第２遊技盤部材または第２部材の他方に凹設され、係合部が係合凹部に係合されることで、第２遊技盤部材の取り外し方向への移動が規制されるので、係合部を係合凹部により外部から遮蔽することができる。よって、係合部と係合凹部との係合が不正に解除されることを抑制できる。
【０６７９】
遊技機Ｄ４において、前記第１遊技盤部材には、前記第２遊技盤部材を配設するための開口が開口形成され、前記第２遊技盤部材が前記第１遊技盤部材の正面に配設されると共に前記第２部材が前記第１遊技盤部材の背面に配設され、前記開口を介して前記係合部が前記係合凹部に係合されることを特徴とする遊技機Ｄ５。
【０６８０】
遊技機Ｄ５によれば、遊技機Ｄ４の奏する効果に加え、第１遊技盤部材には、第２遊技盤部材を配設するための開口が開口形成され、第２遊技盤部材が前記第１遊技盤部材の正面に配設されると共に第２部材が第１遊技盤部材の背面に配設され、開口を介して係合部が係合凹部に係合されるので、第１遊技盤部材を利用して、正面から第２部材へアクセスし難くできる。よって、係合部と係合凹部との係合が不正に解除されることを抑制できる。
【０６８１】
遊技機Ｄ２からＤ５のいずれかにおいて、前記第１遊技盤部材に前記第２遊技盤部材を締結固定するねじ部材を備え、前記ねじ部材が挿通される挿通孔が前記第１遊技盤部材および第２遊技盤部材に形成されると共に、前記ねじ部材が螺合されるめねじが前記第２部材に形成されることを特徴とする遊技機Ｄ６。
【０６８２】
遊技機Ｄ６によれば、遊技機Ｄ２からＤ５のいずれかの奏する効果に加え、ねじ部材が挿通される挿通孔が第１遊技盤部材および第２遊技盤部材に形成されると共に、ねじ部材が螺合されるめねじが第２部材に形成されるので、第２部材が配設されていることを、第２遊技盤部材を第１遊技盤部材に締結固定するための要件とすることができる。よって、第２遊技盤部材を交換する際に作業者が第２部材を付け忘れることを抑制できる。
【０６８３】
なお、第２部材が係合部を備える場合には、かかる係合部にめねじを形成する形態が好ましい。係合部が不正に除去または使用により破損されている場合に、第２遊技盤部材を第１遊技盤部材に締結固定することを不能とできるので、不正を抑制できると共に、破損を認識させることができるからである。
【０６８４】
遊技機Ｄ１において、前記第１遊技盤部材または第２遊技盤部材の一方に配設され弾性変形可能に形成される弾性手段を備え、前記第１遊技盤部材への前記第２遊技盤部材の取り付けに伴い、前記弾性手段を介して前記第１遊技盤部材と前記第２遊技盤部材とが直接または間接に係合され、前記第２遊技盤部材の取り外し方向への移動が規制されることを特徴とする遊技機Ｄ７。
【０６８５】
遊技機Ｄ７によれば、第１遊技盤部材または第２遊技盤部材の一方に配設され弾性変形可能に形成される弾性手段を備え、第１遊技盤部材への第２遊技盤部材の取り付けに伴い、弾性手段を介して第１遊技盤部材と第２遊技盤部材とが直接または間接に係合され、第２遊技盤部材の取り外し方向への移動が規制されるので、第２遊技盤部材の脱落を防止するための工程を別途行う必要がないので、第２遊技盤部材の交換作業を簡素化できると共に、第２遊技盤部材の脱落を防止するための工程を実施し忘れることを抑制できる。
【０６８６】
遊技機Ｄ７において、前記弾性手段は、弾性変形可能に形成される弾性片と、その弾性片から突出される爪部とを備え、前記弾性片が前記第２遊技盤部材に配設されると共に、前記爪部が前記第１遊技盤部材に係合可能に形成されることを特徴とする遊技機Ｄ８。
【０６８７】
遊技機Ｄ８によれば、遊技機Ｄ７の奏する効果に加え、弾性手段は、弾性変形可能に形成される弾性片と、その弾性片から突出される爪部とを備え、弾性片が第２遊技盤部材に配設されると共に、爪部が第１遊技盤部材に係合可能に形成されるので、第２遊技盤部材を交換する際には、その交換に伴って、新しい弾性手段を使用できる。即ち、弾性片が第１遊技盤部材に配設され、爪部が第２遊技盤部材に係合される構成では、交換回数が嵩むと、弾性手段の弾性変形が繰り返され、弾性力が低下するため、係合が解除されやすくなる。これに対し、遊技機Ｄ８によれば、交換回数が嵩んだ場合でも、交換毎に新しい弾性手段を使用できるので、係合の信頼性を確保することができる。
【０６８８】
遊技機Ｄ８において、前記第１遊技盤部材または第２遊技盤部材の一方に形成される挿通孔に挿通されると共に前記第１遊技盤部材または第２遊技盤部材の他方に形成されるめねじに螺合されるねじ部材を備え、そのねじ部材が取り外された状態では、前記挿通孔およびめねじにより形成される空間の一端が前記第２遊技盤部材に開口されると共に他端が前記第１遊技盤部材に開口され、前記他端の開口に対面される位置において前記爪部が前記第１遊技盤部材に係合されることを特徴とする遊技機Ｄ９。
【０６８９】
遊技機Ｄ９によれば、遊技機Ｄ８の奏する効果に加え、ねじ部材が取り外された状態では、挿通孔およびめねじにより形成される空間の一端が構成第２遊技盤部材に開口されると共に他端が第１遊技盤部材に開口され、他端の開口に対面される位置において爪部が第１遊技盤部材に係合されるので、ねじ部材を取り外した後、挿通孔およびめねじの一端から治具を挿入することで、他端から突出された治具により爪部を押し出して係合を解除することができる。即ち、例えば、第１遊技盤部材を開放して、その背面側から爪部の係合を解除する作業を行う必要がなく、第１遊技盤部材を閉じたままで、爪部の係合を解除できる。よって、第１遊技盤部材から第２遊技盤部材を取り外す作業の作業性を向上できる。即ち、爪部の係合を解除するために、第１遊技盤部材を開放する必要がなく、第１遊技盤部材を閉じたままの状態で、正面から第２遊技盤部材の交換を完了することができる。
【０６９０】
遊技機Ｄ１からＤ９のいずれかにおいて、前記第１遊技盤部材の正面に配設されるガラス板を備え、前記第２遊技盤部材の前記第１遊技盤部材からの取り外し方向が前記第１遊技盤部材の正面側へ向けた方向とされると共に、前記第１遊技盤部材から前記第２遊技盤部材を取り外すために必要とされる前記取り外し方向への距離が、前記第２遊技盤部材と前記ガラス板との間の対向間隔よりも大きくされることを特徴とする遊技機Ｄ１０。
【０６９１】
遊技機Ｄ１０によれば、遊技機Ｄ１からＤ９のいずれかの奏する効果に加え、第１遊技盤部材の正面に配設されるガラス板を備え、第２遊技盤部材の第１遊技盤部材からの取り外し方向が第１遊技盤部材の正面側へ向けた方向とされると共に、第１遊技盤部材から第２遊技盤部材を取り外すために必要とされる取り外し方向への距離が、第２遊技盤部材とガラス板との間の対向間隔よりも大きくされるので、第１遊技盤部材への第２遊技盤部材の締結固定が解除された場合でも、ガラス板を利用して、第１遊技盤部材から第２遊技盤部材が脱落することを抑制できる。
【０６９２】
遊技機Ｄ１０において、前記第２遊技盤部材には釘が植設され、前記第１遊技盤部材から前記第２遊技盤部材を取り外すために必要とされる前記取り外し方向への距離が、前記第２遊技盤部材の釘の先端と前記ガラス板との間の対向間隔よりも大きくされることを特徴とする遊技機Ｄ１１。
【０６９３】
遊技機Ｄ１１によれば、遊技機Ｄ１０の奏する効果に加え、第２遊技盤部材には釘が植設され、第１遊技盤部材から第２遊技盤部材を取り外すために必要とされる取り外し方向への距離が、第２遊技盤部材の釘の先端とガラス板との間の対向間隔よりも大きくされるので、第２遊技盤部材の釘の先端がガラス板に当接されることで、第１遊技盤部材から第２遊技盤部材が脱落することを抑制できる。即ち、釘の長さを利用できる分、第２遊技盤部材の厚み寸法（取り外し方向における寸法）を小さくできる。
【０６９４】
＜入賞口ユニット１８３００を一例とする発明の概念について＞
第１遊技盤部材と、その第１遊技盤部材に着脱自在に配設され前記第１遊技盤部材と共に遊技盤を形成する第２遊技盤部材とを備えた遊技機において、前記第２遊技盤部材の一部に重畳された状態で前記第１遊技盤部材に配設される第２部材を備え、前記第２部材が少なくとも前記第１遊技盤部材に保持された状態で前記第２遊技盤部材が取り外し可能に形成されることを特徴とする遊技機Ｅ１。
【０６９５】
ここで、第１遊技盤部材と、その第１遊技盤部材に着脱自在に配設され第１遊技盤部材と共に遊技盤を形成する第２遊技盤部材とを備えた遊技機が知られている（例えば、特開２００３−３１０９０５号公報）。かかる遊技機によれば、第２遊技盤部材が第１遊技盤部材にねじ部材により締結固定されているため、ねじ部材が不正に取り外されたり遊技中の振動により不用意に緩んだりした場合には、第１遊技盤部材（遊技盤）から第２遊技盤部材が脱落するおそれがある。これに対し、本願出願人は、第２遊技盤部材の一部と重畳された状態で第１遊技盤部材に第２部材を配設することで、かかる重畳された部分による両者の係合を利用して、第２遊技盤部材が第１遊技盤部材から脱落することを抑制する技術に想到した（本願出願時において未公知）。
【０６９６】
しかしながら、上述した技術では、第２遊技盤部材の交換作業を行う場合には、第２遊技盤部材だけでなく、第２部材も第１遊技盤部材から取り外す必要があるため、その分、工数が嵩み、第２遊技盤部材の交換作業が煩雑になるという問題点があることが分った。
【０６９７】
これに対し、遊技機Ｅ１によれば、第２部材が少なくとも第１遊技盤部材に保持された状態で第２遊技盤部材が取り外し可能に形成されるので、その分、工数を抑制して、第２遊技盤部材の交換作業を簡素化できる。即ち、第２部材を第１遊技盤部材から取り外す必要がないので、かかる第２部材を取り付け直す工程における工数を抑制できるだけなく、作業者が、第２部材を紛失することや、第２部材の取り付け方を間違えることを抑制できる。
【０６９８】
遊技機Ｅ１において、前記第２部材は、前記第２遊技盤部材の第１方向への移動を規制可能に形成され、前記第１遊技盤部材は、前記第２遊技盤部材の前記第１方向とは異なる第２方向への移動であって、前記第２部材による前記第２遊技盤部材の前記第１方向への移動が規制不能となる位置までの移動を許容可能に形成されることを特徴とする遊技機Ｅ２。
【０６９９】
遊技機Ｅ２によれば、遊技機Ｅ１の奏する効果に加え、第２部材は、第２遊技盤部材の第１方向への移動を規制可能に形成され、第１遊技盤部材は、第２遊技盤部材の第１方向とは異なる第２方向への移動であって、第２部材による第２遊技盤部材の第１方向への移動が規制不能となる位置までの移動を許容可能に形成されるので、第２部材を第１遊技盤部材から取り外すことなく、第２遊技盤部材を取り外すことができる。また、第２部材を遊技盤に配設した状態のままで、第２遊技盤部材を取り付けることができる。よって、その分、工数を抑制して、第２遊技盤部材の交換作業を簡素化できる。
【０７００】
遊技機Ｅ２において、前記第２方向が少なくとも重力方向上方成分を含む方向であることを特徴とする遊技機Ｅ３。
【０７０１】
遊技機Ｅ３によれば、遊技機Ｅ２の奏する効果に加え、第２方向が少なくとも重力方向上方成分を含む方向であるので、第２遊技盤部材の第１方向への移動を第２部材が規制可能な位置に第２遊技盤部材が配置された状態を、第２遊技盤部材の自重（重力の作用）により維持させることができる。即ち、第２遊技盤部材を第１遊技盤部材に固定する手段（例えば、ねじ部材）が不正に取り外されたり遊技中の振動により不用意に緩んだりした場合でも、第２遊技盤部材がその一部を第２部材と重畳された位置（第１方向への移動が規制される位置）に維持されるので、重畳された部分による両者の係合（第１方向への移動の規制）により、第２遊技盤部材が第１遊技盤部材から脱落することを抑制できる。
【０７０２】
なお、第２方向は、鉛直方向に沿って重力方向上方を向く方向であることが好ましい。第２遊技盤部材の自重（重力の作用）を最大限に利用できるからである。
【０７０３】
遊技機Ｅ２又はＥ３によれば、前記第２遊技盤部材の一部に重畳された状態で前記第１遊技盤部材に配設されると共に前記第２遊技盤部材の第１方向への移動を規制可能に形成され第３部材を備えることを特徴とする遊技機Ｅ４。
【０７０４】
ここで、遊技機Ｅ２のように、第２遊技盤部材の第１方向への移動を規制可能とし且つ第１方向への移動の規制を解除可能な位置まで第２遊技盤部材の第２方向への移動を許容可能とする構造を第１遊技盤部材と第２部材とのみで形成するためには、第１遊技盤部材の形状が複雑となり、その成形が煩雑となる（工数が嵩む）。
【０７０５】
これに対し、遊技機Ｅ４によれば、第２遊技盤部材の一部に重畳された状態で第１遊技盤部材に配設されると共に第２遊技盤部材の第１方向への移動を規制可能に形成され第３部材を備えるので、遊技機Ｅ２又はＥ３の奏する効果に加え、第１遊技盤部材の形状を簡素化して、その成形を容易とできる。
【０７０６】
なお、第２部材と第３部材とは、第２遊技盤部材を挟んで第２方向一側および第２方向他側に配設されることが好ましい。上述したように、第１遊技盤部材の形状を簡素化できるからである。この形態としては、例えば、第２遊技盤部材に釘が植設され、第２部材が、球が入球可能な開口と通路とを有する入球装置として、第３部材が、第１遊技盤部材の窓部に装着されるセンターフレームとして、それぞれ形成されるものが例示される。
【０７０７】
遊技機Ｅ１において、前記第２部材は、前記第２遊技盤部材の取り外しを規制する規制位置と前記第２遊技盤部材の取り外しを許容する許容位置との間で変位可能に前記第１遊技盤部材に配設されることを特徴とする遊技機Ｅ５。
【０７０８】
遊技機Ｅ５によれば、遊技機Ｅ１の奏する効果に加え、第２部材は、第２遊技盤部材の取り外しを規制する規制位置と第２遊技盤部材の取り外しを許容する許容位置との間で変位可能に第１遊技盤部材に配設されるので、第２部材を第１遊技盤部材から取り外すことなく、第２遊技盤部材を取り外すことができる。また、第２部材を第１遊技盤部材に配設した状態のままで、第２遊技盤部材を取り付けることができる。よって、その分、工数を抑制して、第２遊技盤部材の交換作業を簡素化できる。
【０７０９】
遊技機Ｅ５において、前記許容位置が前記規制位置よりも重力方向下方に設定されることを特徴とする遊技機Ｅ６。
【０７１０】
遊技機Ｅ６によれば、遊技機Ｅ５の奏する効果に加え、許容位置が前記規制位置よりも重力方向下方に設定されるので、第２部材をその自重（重力の作用）により許容位置に維持させることができる。即ち、第２遊技盤部材を交換（取り外し及び取り付け）する際に、第２部材を作業者が許容位置に保持しておく必要がない。よって、工数を抑制して、第２遊技盤部材の交換作業を簡素化できる。
【０７１１】
遊技機Ｅ５において、前記規制位置が前記許容位置よりも重力方向下方に設定されることを特徴とする遊技機Ｅ７。
【０７１２】
遊技機Ｅ７によれば、遊技機Ｅ５の奏する効果に加え、規制位置が許容位置よりも重力方向下方に設定されるので、第２部材をその自重（重力の作用）により規制位置に配置させることができる。即ち、第２遊技盤部材の交換（取り付け）が完了した際には、第２部材を作業者が規制位置へ変位させる必要がない。よって、第２部材が許容位置に配置されたままの状態とされる（即ち、規制位置へ戻し忘れる）ことを抑制できる。
【０７１３】
遊技機Ｅ５又はＥ６において、遊技球の通過を検出する検出センサを備えると共に、前記第２部材が前記検出センサに検出可能に形成される被検出部を備え、前記第２部材が前記許容位置に配置されると前記被検出部が前記検出センサに検出可能な位置に配置されることを特徴とする遊技機Ｅ８。
【０７１４】
遊技機Ｅ８によれば、遊技機Ｅ５，６の奏する効果に加え、第２部材が許容位置に配置されると被検出部が検出センサに検出可能な位置に配置されるので、検出センサによる検出状態（例えば、波形）を監視することで、第２部材が許容位置に配置されたままの状態である（即ち、規制位置へ戻し忘れている）ことを検出できる。即ち、球が通過する際に検出センサがオン（又はオフ）される時間は比較的短いものとされる一方、第２部材が許容位置に配置されたままとされた状態では検出センサがオン（又はオフ）される時間が継続されるため、検出センサが所定時間（閾値）を越えてオン（又はオフ）された場合には、第２部材が許容位置に配置されたままの状態と判断できる。
【０７１５】
遊技機Ｅ８において、前記第２部材が前記許容位置に配置された状態では、遊技球の通過が前記第２部材の被検出部により規制されることを特徴とする遊技機Ｅ９。
【０７１６】
遊技機Ｅ９によれば、遊技機Ｅ８の奏する効果に加え、第２部材が許容位置に配置された状態では、遊技球の通過が第２部材の被検出部により規制されるので、不適切な状態で遊技が行われることを抑制できる。例えば、不適切な状態とは、第２部材に入球口が形成されると共に、その入球口への遊技球の入球に影響を与える釘が第２遊技盤部材に植設され、第２部材が許容位置に配置されると、規制位置に配置されている場合よりも、第２部材の入球口が第２遊技盤部材の釘から離間され、その分、入球口へ遊技球が入球しやすくされる状態が例示される。よって、不正な手段により第２部材を許容位置に配置して、入球口へ遊技球を入球しやすくする不正が行われることを防止できる。
【０７１７】
遊技機Ｅ８又はＥ９において、前記被検出部が金属材料から形成され、前記第２部材が前記規制位置に配置された状態では、前記遊技球の通過する通路の内壁の一部が前記被検出部により形成されることを特徴とする遊技機Ｅ１０。
【０７１８】
遊技機Ｅ１０によれば、遊技機Ｅ８，９の奏する効果に加え、被検出部が金属材料から形成され、第２部材が規制位置に配置された状態では、遊技球の通過する通路の内壁の一部が被検出部により形成されるので、通路の耐久性の向上を図ることができる。
【０７１９】
なお、第１の通路とその第１の通路の下流側に屈曲して連設される第２の通路における第２の通路の一部（第１の通路から流下される遊技球が衝突される部位）が被検出部により形成されることが好ましい。破損が生じやすい部位を補強して、耐久性の向上を効果的に図ることができるからである。
【０７２０】
＜入賞口ユニット２０３００を一例とする発明の概念について＞
第１遊技盤部材と、その第１遊技盤部材に着脱自在に配設され前記第１遊技盤部材と共に遊技盤を形成する第２遊技盤部材とを備えた遊技機において、前記第１遊技盤部材に前記第２遊技盤部材を締結固定するねじ部材を備え、少なくとも前記ねじ部材が取り外されると、前記第２遊技盤部材を直接または間接に把持可能に形成されることを特徴とする遊技機Ｆ１。
【０７２１】
ここで、第１遊技盤部材と、その第１遊技盤部材に着脱自在に配設され第１遊技盤部材と共に遊技盤を形成する第２遊技盤部材とを備えた遊技機が知られている（例えば、特開２００３−３１０９０５号公報）。かかる遊技機によれば、第２遊技盤部材を第１遊技盤部材に対して着脱できるので、第２遊技盤部材に故障や破損が生じた場合には、かかる第２遊技盤部材のみを交換して、遊技盤全体としての交換を不要とすることができる。しかしながら、上述した従来の遊技機では、第２遊技盤部材が第１遊技盤部材から取り外し難いという問題点があった。例えば、釘が植設された第２遊技盤部材では、作業者は、釘を把持することで、第２遊技盤部材を第１遊技盤部材から取り外すことができるところ、釘が折れている場合には、第２遊技盤部材に把持する部位がなくなるため、取り外しが困難となる。第２遊技盤部材と第１遊技盤部材との遊技面（正面）どうしが面一となる態様で、第２遊技盤部材が第１遊技盤部材に埋め込まれている場合には、かかる問題点が特に顕著となる。
【０７２２】
これに対し、遊技機Ａ１によれば、少なくともねじ部材が取り外されると、第２遊技盤部材を直接または間接に把持可能に形成されるので、第１遊技盤部材から第２遊技盤部材を取り外しやすくすることができる。
【０７２３】
遊技機Ｆ１において、前記第１遊技盤部材に配設される第２部材を備え、その第２部材に係合部が形成されると共にその第２部材の係合部が係合される被係合部が前記第２遊技盤部材に形成されることを特徴とする遊技機Ｆ２。
【０７２４】
遊技機Ｆ２によれば、遊技機Ｆ１の奏する効果に加え、第１遊技盤部材に配設される第２部材を備え、その第２部材に係合部が形成されると共にその第２部材の係合部が係合される被係合部が第２遊技盤部材に形成されるので、第２遊技盤部材を作業者が把持できない場合であっても（例えば、把持すべき部位が形成されていない又はその部位が破損されている場合など）、第２部材を取り外す際に、係合部と被係合部との係合を利用して、第２遊技盤部材も併せて取り外すことができる。
【０７２５】
なお、第２部材は、第２遊技盤部材の取り外し方向への移動を規制可能な位置に配設されることが好ましい。例えば、第２遊技盤部材を第１遊技盤部材に締結固定するねじ部材が不正に取り外されり遊技中の振動により緩んだ場合でも、第２遊技盤部材が第１遊技盤部材から脱落することを抑制できるからである。
【０７２６】
遊技機Ｆ２において、前記係合部または被係合部の一方は、弾性変形可能に形成される弾性片と、その弾性片から突出される爪部とを備えると共に、その爪部が前記係合部または被係合部の他方に係合可能に形成されることを特徴とする遊技機Ｆ３。
【０７２７】
遊技機Ｆ３によれば、遊技機Ｆ２の奏する効果に加え、係合部または被係合部の一方は、弾性変形可能に形成される弾性片と、その弾性片から突出される爪部とを備えると共に、その爪部が係合部または被係合部の他方に係合可能に形成されるので、第２遊技盤部材と第２部材とを第１遊技盤部材に別々に取り付けた場合でも、弾性片の弾性変形を利用して、係合部と被係合部とを係合させることができる。よって、第２遊技盤部材または第２部材を一体化した状態（即ち、係合部に被係合部を係合させた状態）で第１遊技盤部材に取り付ける必要がないので、第２遊技盤部材および第２部材を第１遊技盤部材に取り付ける際の作業性の向上を図ることができる。
【０７２８】
遊技機Ｆ３において、前記係合部または被係合部の他方は、前記弾性片が挿通される挿通部分の一部が開放して形成され、その開放して形成される部分を、前記挿通部分に挿通された前記弾性片が通過可能に形成されることを特徴とする遊技機Ｆ４。
【０７２９】
遊技機Ｆ４によれば、遊技機Ｆ３の奏する効果に加え、係合部または被係合部の他方は、弾性片が挿通される挿通部分の一部が開放して形成され、その開放して形成される部分を、挿通部分に挿通された弾性片が通過可能に形成されるので、第１遊技盤部材から一体（即ち、係合部と被係合部が係合された状態）で取り外された第２遊技盤部材および第２部材を分解する作業を容易に行うことができる。
【０７３０】
遊技機Ｆ１において、弾性変形可能に形成され前記第１遊技盤部材と前記第２遊技盤部材との間に弾性変形された状態で介設される弾性部材を備えることを特徴とする遊技機Ｆ５。
【０７３１】
遊技機Ｆ５によれば、遊技機Ｆ１の奏する効果に加え、弾性変形可能に形成され第１遊技盤部材と第２遊技盤部材との間に弾性変形された状態で介設される弾性部材を備えるので、弾性部材の弾性回復力を利用して、第１遊技盤部材から第２遊技盤部材を突出させ、両者の間に段差を形成することができる。よって、作業者が段差を直接または間接に把持できることで、第１遊技盤部材から第２遊技盤部材を取り外しやすくすることができる。
【０７３２】
遊技機Ｆ５において、前記弾性部材が前記第２遊技盤部材の一側に偏倚して配設されることを特徴とする遊技機Ｆ６。
【０７３３】
遊技機Ｆ６によれば、遊技機Ｆ５の奏する効果に加え、弾性部材が第２遊技盤部材の一側に偏倚して配設されるので、弾性部材の弾性回復力を利用して、第１遊技盤部材から第２遊技盤部材を突出させる際には、第２遊技盤部材をその他側を支点として回転させる態様とできる。よって、両者の間の段差（第２遊技盤部材の一側の突出量）をより大きくすることができる。その結果、作業者が段差を直接または間接に把持しやすくでき、第１遊技盤部材から第２遊技盤部材を取り外しやすくすることができる。
【０７３４】
遊技機Ｆ１において、前記第１遊技盤部材に配設される第２部材を備えると共に、前記第２遊技盤部材から前記第２部材へ向けて突出部が形成されると共に、その突出部を受け入れる受入部が前記第２部材に凹設されることを特徴とする遊技機Ｆ７。
【０７３５】
遊技機Ｆ７によれば、遊技機Ｆ１の奏する効果に加え、第１遊技盤部材に配設される第２部材を備えると共に、第２遊技盤部材から第２部材へ向けて突出部が形成されると共に、その突出部を受け入れる受入部が第２部材に凹設されるので、遊技状態では突出部を第２部材により遊技者から隠して、外観の向上を図りつつ、第２部材を取り外した状態では、作業者が突出部を把持可能として、第１遊技盤部材から第２遊技盤部材を取り外しやすくすることができる。
【０７３６】
遊技機Ｆ７において、遊技球が通過可能な通路が前記第２遊技盤部材および第２部材に形成され、前記受入部が前記通路により形成されると共に、前記通路における転動面が前記突出部により形成されることを特徴とする遊技機Ｆ８。
【０７３７】
遊技機Ｆ８によれば、遊技機Ｆ７の奏する効果に加え、遊技球が通過可能な通路が第２遊技盤部材および第２部材に形成され、受入部が通路により形成されると共に、通路における転動面が突出部により形成されるので、受入部および突出部を別途設ける必要がなく、通路を形成するための部位として兼用することができるので、その分、製品コストを低減することができる。
【０７３８】
遊技機Ｆ１において、前記第２遊技盤部材に出没可能に配設される出没部材と、その出没部材を突出方向へ付勢する付勢手段と、前記第１遊技盤部材に配設される第２部材とを備え、前記第２部材が前記第２遊技盤部材の出没部材を没入させる位置に配設されることを特徴とする遊技機Ｆ９。
【０７３９】
遊技機Ｆ９によれば、遊技機Ｆ１の奏する効果に加え、第２遊技盤部材に出没可能に配設される出没部材と、その出没部材を突出方向へ付勢する付勢手段と、第１遊技盤部材に配設される第２部材とを備え、第２部材が第２遊技盤部材の出没部材を没入させる位置に配設されるので、遊技状態では出没部材を第２部材により遊技者から隠して、外観の向上を図りつつ、第２部材を取り外した状態では、作業者が出没部材を把持可能として、第１遊技盤部材から第２遊技盤部材を取り外しやすくすることができる。
【０７４０】
遊技機Ｆ９において、前記第２部材は前記第１遊技盤部材に締結固定されるものであり、前記第２部材の前記第１遊技盤部材への締結方向が、前記出没部材の出没方向と平行な方向に設定されることを特徴とする遊技機Ｆ１０。
【０７４１】
遊技機Ｆ１０によれば、遊技機Ｆ９の奏する効果に加え、第２部材の第１遊技盤部材への締結方向が、出没部材の出没方向と平行な方向に設定されるので、第２部材を第１遊技盤部材へ締結固定しつつ出没部材を没入させることができる。即ち、出没部材を没入させる作業工程と、第２部材を第１遊技盤部材へ締結固定する作業工程とを別々に行う必要がないので、工数を削減でき、その分、第２遊技盤部材および第２部材を第１遊技盤部材へ取り付ける作業の作業性の向上を図ることができる。
【０７４２】
遊技機Ｆ１において、前記第２遊技盤部材には、遊技球が通過可能に形成される通路が形成されると共に、その通路の内壁に前記第１遊技盤部材の背面側に段差面を向けた段差が形成されることを特徴とする遊技機Ｆ１１。
【０７４３】
遊技機Ｆ１１によれば、遊技機Ｆ１の奏する効果に加え、第２遊技盤部材には、遊技球が通過可能に形成される通路が形成されると共に、その通路の内壁に第１遊技盤部材の背面側に段差面を向けた段差が形成されるので、段差面を利用して、第２遊技盤部材を第１遊技盤部材から引き抜くことができる。即ち、第２遊技盤部材の背面に到達するまで指を通路内へ挿通させて、第２遊技盤部材の背面で指を係止させる必要がなく、比較的浅い位置の段差面で指を係止させることができるので、第２遊技盤部材を第１遊技盤部材から取り外しやすくできる。
【０７４４】
遊技機Ｆ１１において、前記通路の前記段差面が形成される内壁と反対側に位置する前記第２遊技盤部材の外側面が、前記第２遊技盤部材の背面へ向かうに従って前記第２遊技盤部材の外形を小さくする方向へ傾斜されることを特徴とする遊技機Ｆ１２。
【０７４５】
遊技機Ｆ１２によれば、遊技機Ｆ１１の奏する効果に加え、通路の前記段差面が形成される内壁と反対側に位置する第２遊技盤部材の外側面が、第２遊技盤部材の背面へ向かうに従って第２遊技盤部材の外形を小さくする方向へ傾斜されるので、段差面を利用して、第２遊技盤部材を第１遊技盤部材から引き抜く際に、通路の段差面が形成される内壁側に位置する第２遊技盤部材の外側面を支点として、第２遊技盤部材を回転させる態様を形成できる。よって、第１遊技盤部材から第２遊技盤部材を取り外し（引き抜き）やすくすることができる。
【０７４６】
＜入賞口ユニット２５３００を一例とする発明の概念について＞
第１遊技盤部材と、その第１遊技盤部材に着脱自在に配設され前記第１遊技盤部材と共に遊技盤を形成する第２遊技盤部材とを備え、前記第２遊技盤部材に釘が植設された遊技機において、前記植設の方向から押圧された前記第２遊技盤部材を支持可能または前記植設の方向から押圧された力を前記第１遊技盤部材の板厚に直交する方向へ分散可能に形成されることを特徴とする遊技機Ｇ１。
【０７４７】
ここで、第１遊技盤部材と、その第１遊技盤部材に着脱自在に配設され第１遊技盤部材と共に遊技盤を形成する第２遊技盤部材とを備え、第２遊技盤部材に釘が植設された遊技機が知られている（例えば、特開２００３−３１０９０５号公報）。かかる遊技機によれば、第２遊技盤部材を第１遊技盤部材に対して着脱できるので、例えば、第２遊技盤部材の釘が折れた場合には、第２遊技盤部材のみを交換して、遊技盤全体としての交換を不要とすることができる。しかしながら、上述した従来の遊技機では、釘を植設する作業性が悪いという問題点があった。即ち、第１遊技盤部材に釘を植設する工程とは別に第２遊技盤部材に釘を植設する工程が必要となるため、その分、工数が嵩む。更に、第２遊技盤部材が比較的小さいため、かかる第２遊技盤部材に所定の公差内で釘を植設するためには、第２遊技盤部材の保持精度を高めると共に植設動作の速度を低く（遅く）することが必要となり、その分、比較的大きな遊技盤への釘の植設の場合と比較して、工数が嵩む。
【０７４８】
これに対し、遊技機Ｇ１によれば、植設の方向（釘を植設する方向）から押圧された第２遊技盤部材を支持可能または植設の方向（釘を植設する方向）から押圧された力を第１遊技盤部材の板厚に直交する方向へ分散可能に形成されるので、第１遊技盤部材に第２遊技盤部材を配設した状態で、かかる第２遊技盤部材に釘を植設できる。よって、第２遊技盤部材に釘を植設する作業性の向上を図ることができる。
【０７４９】
遊技機Ｇ１において、少なくとも一対のねじ部材と、それら一対のねじ部材がそれぞれ螺合されるめねじが少なくとも２カ所に形成されると共に前記第１遊技盤部材および第２遊技盤部材よりも剛性が高い材料からなる被締結部材とを備え、前記第１遊技盤部材の挿通孔に前記植設の方向から挿通され前記第２遊技盤部材の挿通孔を通過して前記第２遊技盤部材の背面側に突出された前記ねじ部材が前記被締結部材のめねじに螺合される、又は、前記第２遊技盤部材の挿通孔に前記植設の方向から挿通され前記第１遊技盤部材の挿通孔を通過して前記第１遊技盤部材の背面側に突出された前記ねじ部材が前記被締結部材のめねじに螺合されることを特徴とする遊技機Ｇ２。
【０７５０】
遊技機Ｇ２によれば、遊技機Ｇ１の奏する効果に加え、少なくとも一対のねじ部材と、それら一対のねじ部材がそれぞれ螺合されるめねじが少なくとも２カ所に形成されると共に第１遊技盤部材および第２遊技盤部材よりも剛性が高い材料からなる被締結部材とを備え、第１遊技盤部材の挿通孔に植設の方向（釘を植設する方向）から挿通され第２遊技盤部材の挿通孔を通過して第２遊技盤部材の背面側に突出されたねじ部材が被締結部材のめねじに螺合される、又は、第２遊技盤部材の挿通孔に植設の方向（釘を植設する方向）から挿通され第１遊技盤部材の挿通孔を通過して第１遊技盤部材の背面側に突出されたねじ部材が被締結部材のめねじに螺合されるので、第１遊技盤部材に第２遊技盤部材が配設（締結固定）された状態において、第２遊技盤部材を背面側から被締結部材によって支持することができる。第２遊技盤部材のに釘を植設する際に、第２遊技盤部材に割れなどの損傷が生じることを抑制できる。
【０７５１】
なお、被締結部材は、金属材料からなることが好ましい。また、第２遊技盤部材への釘の植設位置は、前記一対のねじ部材の間の領域とされることが好ましい。これらにより、被締結部材の剛性を高めると共に、その被締結部材による第２遊技盤部材の支持効率を高めることができ、第２遊技盤部材の割れなどの損傷を抑制しやすくなるからである。
【０７５２】
遊技機Ｇ２において、前記第１遊技盤部材の挿通孔に前記植設の方向から挿通され前記第２遊技盤部材の挿通孔を通過して前記第２遊技盤部材の背面側に突出された前記ねじ部材が前記被締結部材のめねじに螺合される場合には、前記被締結部材の大きさが、前記第２遊技盤部材の背面のみに当接され、前記第１遊技盤部材の背面には非当接となる大きさに設定されることを特徴とする遊技機Ｇ３。
【０７５３】
遊技機Ｇ３によれば、遊技機Ｇ２の奏する効果に加え、第１遊技盤部材の挿通孔に植設の方向（釘を植設する方向）から挿通され第２遊技盤部材の挿通孔を通過して第２遊技盤部材の背面側に突出されたねじ部材が被締結部材のめねじに螺合される場合には、被締結部材の大きさが、第２遊技盤部材の背面のみに当接され、第１遊技盤部材の背面には非当接となる大きさに設定されるので、被締結部材が第１遊技盤部材の背面に乗り上げることを抑制できる。よって、被締結部材を第２遊技盤部材の背面に密着させやすくして、被締結部材による第２遊技盤部材の支持剛性を高めることができる。その結果、第２遊技盤部材に釘を植設する際に、第２遊技盤部材に割れなどの損傷が生じることを抑制できる。
【０７５４】
遊技機Ｇ２又はＧ３において、前記被締結部材は、前記２カ所のめねじの間を直線状に連結する形状に形成され、前記第２遊技盤部材には２本の釘が植設されると共に、それら２本の釘を結ぶ仮想線の延長線上には前記挿通孔が形成とされることを特徴とする遊技機Ｇ４。
【０７５５】
遊技機Ｇ４によれば、遊技機Ｇ２又はＧ３の奏する効果に加え、被締結部材は、２カ所のめねじの間を直線状に連結する形状に形成され、第２遊技盤部材には２本の釘が植設されると共に、それら２本の釘を結ぶ仮想線の延長線上には挿通孔が形成とされるので、釘の植設方向の延長線上に被締結部材を位置させることができる。よって、被締結部材の面積を抑制しつつ、第２遊技盤部材の支持剛性を効果的に高めることができるので、製品コストを抑制しつつ、第２遊技盤部材に釘を植設する際に第２遊技盤部材に割れなどの損傷が生じることを抑制できる。
【０７５６】
遊技機Ｇ２からＧ４のいずれかにおいて、前記被締結部材の前記第２遊技盤部材または第１遊技盤部材の背面に対面される側の面であって、前記２カ所のめねじの間の領域における面が、前記第２遊技盤部材または第１遊技盤部材の背面へ向けて凸の円弧状に湾曲されることを特徴とする遊技機Ｇ５。
【０７５７】
遊技機Ｇ５によれば、遊技機Ｇ２からＧ４のいずれかの奏する効果に加え、被締結部材の第２遊技盤部材または第１遊技盤部材の背面に対面される側の面であって、２カ所のめねじの間の領域における面が、第２遊技盤部材または第１遊技盤部材の背面へ向けて凸の円弧状に湾曲されるので、２カ所のめねじへのねじ部材の螺合に伴って被締結部材が第２遊技盤部材または第１遊技盤部材へ押し付けられることで、かかる被締結部材を第２遊技盤部材の背面に密着させやすくできる。よって、被締結部材による第２遊技盤部材の支持剛性を高めることができる。その結果、第２遊技盤部材に釘を植設する際に、第２遊技盤部材に割れなどの損傷が生じることを抑制できる。
【０７５８】
遊技機Ｇ１において、前記第２遊技盤部材の前記釘が植設される面と反対側に形成される被支持面を前記第１遊技盤部材の座面が支持するように形成され、前記第１遊技盤部材の座面が前記第２遊技盤部材から離間するに従って面間隔が狭くなるテーパー面または前記面間隔が広くなる逆テーパー面として形成されると共に、前記第２遊技盤部材の被支持面が前記第１遊技盤部材の座面に対応して形成されることを特徴とする遊技機Ｇ６。
【０７５９】
遊技機Ｇ６によれば、遊技機Ｇ１の奏する効果に加え、第２遊技盤部材の釘が植設される面と反対側に形成される被支持面を第１遊技盤部材の座面が支持するように形成され、第１遊技盤部材の座面が第２遊技盤部材から離間するに従って面間隔が狭くなるテーパー面または面間隔が広くなる逆テーパー面として形成されると共に、第２遊技盤部材の被支持面が第１遊技盤部材の座面に対応して形成されるので、第２遊技盤部材に釘が植設される際の押圧力を、支持面および座面の傾斜（テーパー角）を利用して、第１遊技盤部材の板厚方向と板厚に直交する方向とに分散させることができる。その結果、第１遊技盤部材の負担を軽減して、第１遊技盤部材に割れなどの損傷が生じることを抑制できる。
【０７６０】
遊技機Ｇ６において、ねじ部材を備え、そのねじ部材が挿通される挿通孔が前記第２遊技盤部材の被支持面に形成されると共に、前記第２遊技盤部材の挿通孔に挿通された前記ねじ部材が螺合されるめねじが前記第１遊技盤部材の座面に形成されることを特徴とする遊技機Ｇ７。
【０７６１】
遊技機Ｇ７によれば、遊技機Ｇ６の奏する効果に加え、ねじ部材が挿通される挿通孔が第２遊技盤部材の被支持面に形成されると共に、第２遊技盤部材の挿通孔に挿通されたねじ部材が螺合されるめねじが第１遊技盤部材の座面に形成されるので、第２遊技盤部材と第１遊技盤部材との間に隙間が形成されることを抑制できる。よって、ねじ部材の軸力を確保できるので、第１遊技盤部材へ第２遊技盤部材を強固に締結固定できる。
【０７６２】
遊技機Ｇ６又はＧ７において、前記釘の植設方向の延長線上に前記座面および被支持面が位置されることを特徴とする遊技機Ｇ８。
【０７６３】
遊技機Ｇ８によれば、遊技機Ｇ６又はＧ７の奏する効果に加え、釘の植設方向の延長線上に座面および被支持面が位置されるので、釘の植設に伴う押圧力を座面および被支持面へ直接作用させることができる。これにより、第２遊技盤部材の曲げ変形を抑制して、割れなどの破損が生じることを抑制できる。
【０７６４】
遊技機Ａ１からＡ１１，Ｂ１からＢ１０，Ｃ１からＣ１２，Ｄ１からＤ１１，Ｅ１からＥ１０，Ｆ１からＦ１２及びＧ１からＧ８のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０７６５】
遊技機Ａ１からＡ１１，Ｂ１からＢ１０，Ｃ１からＣ１２，Ｄ１からＤ１１，Ｅ１からＥ１０，Ｆ１からＦ１２及びＧ１からＧ８のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０７６６】
遊技機Ａ１からＡ１１，Ｂ１からＢ１０，Ｃ１からＣ１２，Ｄ１からＤ１１，Ｅ１からＥ１０，Ｆ１からＦ１２及びＧ１からＧ８のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、第１遊技盤部材と、その第１遊技盤部材に着脱自在に配設され第１遊技盤部材と共に遊技盤を形成する第２遊技盤部材とを備え、第２遊技盤部材に釘が植設された遊技機が知られている（特開２００３−３１０９０５号公報）。
しかしながら、上述した遊技機では、第２遊技盤部材が破損しやすいという問題点があった。
本技術的思想は、上記例示した問題点を解決するためになされたものであり、第２遊技盤部材が破損することを抑制できる遊技機を提供することを目的とする。
＜手段＞
この目的を達成するために技術的思想１の遊技機は、第１遊技盤部材と、その第１遊技盤部材に着脱自在に配設され前記第１遊技盤部材と共に遊技盤を形成する第２遊技盤部材とを備え、前記第２遊技盤部材に釘が植設されたものであり、前記釘への外力の作用に伴う前記第２遊技盤部材の破損を抑制可能に形成される。
技術的思想２の遊技機は、技術的思想１記載の遊技機において、前記第２遊技盤部材は、前記釘が植設される植設部と、その植設部よりも厚み寸法が小さくされると共に前記第１遊技盤部材に当接されて締結固定される当接部とを備え、前記当接部が、前記第１遊技盤部材との当接面から突設されると共に前記植設部に連なる厚肉部を備える。
技術的思想３の遊技機は、技術的思想２記載の遊技機において、前記第２遊技盤部材には２本の釘が植設され、それら２本の釘を結ぶ仮想線の延長線に沿って前記厚肉部が形成される。
＜効果＞
技術的思想１記載の遊技機によれば、第２遊技盤部材が破損することを抑制できる。
技術的思想２記載の遊技機によれば、技術的思想１記載の遊技機の奏する効果に加え、第２遊技盤部材が破損することを抑制できる。
技術的思想３記載の遊技機によれば、技術的思想２記載の遊技機の奏する効果に加え、第２遊技盤部材の割れを抑制できる。
１０ パチンコ機（遊技機）
１３ 遊技盤
１６ ガラスユニット（ガラス板）
６０ ベース板（第１部材）
８１ 第３図柄表示装置（液晶表示装置）
８６ センターフレーム（窓部）
２０６０ｄ１ 円環突起の内周（めねじ）
２０６０ｃ，１８０６０ｃ 凹設部（開口）
２３１３ 貫通孔（挿通孔）
２４００，３４００，４４００，５４００，６４００，７４００，８４００，９４００，１０４００，１１４００，１２４００，１３４００，１４４００，１５４００，１６４００，１７４００，１８４００，２０４００，２２４００，２３４００，２４４００，２５４００，２６４００ 第１入賞部材（第２部材）
２５００，３５００，４５００，９５００，１９５００，２０５００，２２５００       第２入賞部材（第３部材）
３０６０ｄ２ 傾斜面（座面）
３０６０ｄ６ 面取部（傾斜面）
３４２０ 膨出部（張出部）
５６００ 回転部材（非締結部材）
５０６０ｄ３ 挿通孔
６０６０ｄ４，８０６０ｄ４，１８０６０ｄ４ 締結孔（めねじ）
７０６０ｅ 貫通孔（挿通孔）
７０６０ｄ 窪み部（凹部）
７０６０ｋ 遊技盤張出部
７４１４ 円環突起の内周（めねじ）
７４３７ 本体側張出部（突部、構成部材張出部、当接部）
８０６０ｇ 突出部（突片）
８４１５ 締結孔（めねじ）
８４２１ 溝部（凹溝）
１０４２２ 突設部（厚肉部）
１００６０ｈ 切欠き部（受入部）
１１４１８ 挿通孔
１２４１９ 円環部（胴部）
１４８１２ 突設部（係合部）
１４４２３ 凹設部（係合凹部）
１５４３１ 鉤状部（弾性手段）
１９３４３ 金属体（非検出部）
２０５１３ 係合部
２０４３２ 凹部（非係合部）
２１５１０ 弾性部材
２２３２１ａ 溝部（受入部）
２２４３３ 突出部
２３４５０ 保持部材（出没部材）
２４４３４ａ 突壁（段差）
２５４７０ 締結部材（非締結部材）
２６４２４ 当接面（非支持面）
２６０６０ｃ１ 傾斜面（座面）
ＹＫ 遊技釘（釘）
Ｎ２ 皿ネジ（ネジ部材）
Ｎ３ ネジ（ネジ部材）
Ｎ４ ネジ（ネジ部材）
ＳＰ コイルスプリング（付勢手段）
ＧＣ ゴムカラー（弾性部材）
ＳＥ センサ装置（検出センサ）
【符号の説明】
【０７６７】
１０                          パチンコ機（遊技機）
１３                          遊技盤
６０                          ベース板（第１部材）
１８４００ 第１入賞部材（第２部材）
２５００ 第２入賞部材（第３部材）